(57)【要約】  検出構成要素と統合されたサンプル調製構成要素を含む集積デバイスが開示される。サンプル調製構成要素は、デジタルマイクロ流体モジュール又は表面弾性波モジュールであり得、これらモジュールは、サンプル小滴を試薬小滴と組み合わせるため、及び、サンプル中の対象検体の存在又は非存在を示すビーズ／粒子／標識を含有する小滴をもたらす更なるサンプル調製ステップを行うために用いられる。ビーズ／粒子／標識は、小滴をデバイスの検出構成要素へ移動させることによって検出することができ、この検出構成要素は、ウェルのアレイを含む。【選択図】図１Ａ
2018518655.tif 000002
【特許請求の範囲】
【請求項１】
デジタルマイクロ流体及び検体検出デバイスであって、
第１の基板及び第２の基板を備え、前記第２の基板は前記第１の基板から間隙によって分離されており、前記第１の基板は液滴上に電気的アクチュエーション力を発生させる複数の電極を備え、
前記液滴の一部を保持する寸法のウェルのアレイを備え、前記ウェルのアレイの少なくとも一部は、前記複数の電極のうちの１つ又はそれより多くと前記間隙との間に位置決めされる、
ことを特徴とする、デバイス。
【請求項２】
前記複数の電極は、前記第１の基板の表面上に位置決めされることを特徴とする、請求項１に記載のデバイス。
【請求項３】
前記第１の基板の前記表面上に配置された、前記複数の電極を覆う第１の層をさらに備えることを特徴とする、請求項１〜請求項２のいずれかに記載のデバイス。
【請求項４】
前記第１の基板は、前記液滴が導入される第１の部分と、液滴がそこへ向かって移動する第２の部分とを備えることを特徴とする、請求項１〜請求項３のいずれかに記載のデバイス。
【請求項５】
前記複数の電極及び前記第１の層は、前記第１の基板の前記第１の部分から前記第２の部分へ延びることを特徴とする、請求項４に記載のデバイス。
【請求項６】
前記ウェルのアレイは、前記第１の基板の前記第２の部分内に位置決めされることを特徴とする、請求項５に記載のデバイス。
【請求項７】
前記第２の基板は、第１の部分及び第２の部分を備え、前記第１の部分は、前記第１の基板の前記第１の部分に面した配置にあり、前記第２の部分は、前記ウェルのアレイに面した配置にあることを特徴とする、請求項４に記載のデバイス。
【請求項８】
前記第２の基板の前記第２の部分は、実質的に透明であり、前記ウェルのアレイの光学的照合を容易にすることを特徴とする、請求項７に記載のデバイス。
【請求項９】
前記第１の層の表面上に配置された第２の層をさらに備えることを特徴とする、請求項３に記載のデバイス。
【請求項１０】
第２の層は、前記第１の基板の前記第１及び第２の部分の上に延びることを特徴とする、請求項９に記載のデバイス。
【請求項１１】
前記第１の層は誘電性層であり、前記第２の層は疎水性層であることを特徴とする、請求項９〜請求項１０のいずれかに記載のデバイス。
【請求項１２】
前記ウェルのアレイは、前記第２の層内に位置決めされることを特徴とする、請求項９〜請求項１１のいずれかに記載のデバイス。
【請求項１３】
前記ウェルのアレイは、前記第１の層内に位置決めされることを特徴とする、請求項３に記載のデバイス。
【請求項１４】
前記ウェルのアレイは、親水性表面を有することを特徴とする、請求項１〜請求項１３のいずれかに記載のデバイス。
【請求項１５】
前記ウェルのアレイは、前記ウェルのアレイの上を移動する小滴中に存在するビーズ又は粒子の受入れ及び保持を促進するように配向された側壁を備えることを特徴とする、請求項１〜請求項１４のいずれかに記載のデバイス。
【請求項１６】
前記ウェルのアレイは、第２の側壁に対向した第１の側壁を備え、前記第１の側壁は、前記ウェルの底部に対して鈍角に配向され、前記第２の側壁は、前記ウェルの前記底部に対して鋭角で配向され、小滴の移動は、前記ウェルの前記底部に対して平行に前記第１の側壁から前記第２の側壁へ向かう方向であることを特徴とする、請求項１６に記載のデバイス。
【請求項１７】
前記ウェルのアレイは、切頭円錐形を有し、前記切頭円錐形の狭い方の部分が前記ウェルのアレイの開口部を与えることを特徴とする、請求項１５に記載のデバイス。
【請求項１８】
前記ウェルのアレイは、第２の側壁に対向した第１の側壁を備え、前記第１の側壁の上部分は、前記ウェルの底部に対して鈍角に配向され、前記側壁の下部分は、前記ウェルの前記底部に対して垂直に配向され、前記第２の側壁は、前記ウェルの前記底部に対して垂直に配向され、前記小滴の移動は、前記ウェルの前記底部に対して平行に前記第１の側壁から前記第２の側壁へ向かう方向であり、前記第１の側壁の前記上部分は、前記ウェルの開口部にあることを特徴とする、請求項１５に記載のデバイス。
【請求項１９】
デジタルマイクロ流体及び検体検出デバイスであって、
前記デバイスを定める第１の基板及び第２の基板を備え、前記第２の基板は前記第１の基板から間隙によって分離されており、前記デバイスは、第１の部分及び第２の部分を備え、
前記第１の部分は、複数の電極を備えており、生物学的サンプル由来の対象検体を含有する第１の液滴と、少なくとも１つのビーズを含有する第２の液滴とを組み合わせることをアクチュエーションし、
前記第２の部分は、前記液滴の一部を保持する寸法のウェルのアレイを備える
ことを特徴とする、デバイス。
【請求項２０】
前記複数の電極は、前記デバイスの前記第１の部分内にのみ位置決めされることを特徴とする、請求項１９に記載のデバイス。
【請求項２１】
前記複数の電極は、前記第１の基板の表面上に位置決めされることを特徴とする、請求項１９〜請求項２０のいずれかに記載のデバイス。
【請求項２２】
前記第１の基板の前記表面上に配置された、前記複数の電極を覆う第１の層をさらに備えることを特徴とする、請求項１９〜請求項２１のいずれかに記載のデバイス。
【請求項２３】
前記第１の基板は、前記液滴が導入される第１の部分と、液滴がそこへ向かって移動する第２の部分とを備えることを特徴とする、請求項１９〜請求項２２のいずれかに記載のデバイス。
【請求項２４】
前記複数の電極及び前記第１の層は、前記第１の基板の前記第１の部分から前記第２の部分へ延びることを特徴とする、請求項２３に記載のデバイス。
【請求項２５】
前記ウェルのアレイは、前記第１の基板の前記第２の部分内に位置決めされることを特徴とする、請求項２４に記載のデバイス。
【請求項２６】
前記第２の基板は、第１の部分及び第２の部分を備え、前記第１の部分は、前記第１の基板の前記第１の部分に面した配置にあり、前記第２の部分は、前記ウェルのアレイに面した配置にあることを特徴とする、請求項２３に記載のデバイス。
【請求項２７】
前記第２の基板の前記第２の部分は、実質的に透明であり、前記ウェルのアレイの光学的照合を容易にすることを特徴とする、請求項２６に記載のデバイス。
【請求項２８】
前記複数の電極は、前記間隙内に置かれた小滴を前記デバイスの前記第２の部分へ向かって移動させるように構成され、前記デバイスは、前記第１の部分を前記第２の部分へ流体的に接続する毛管部分を備え、前記毛管は、親水性材料を含んでおり、電気的力の非存在下で前記毛管部分を介して前記第１の部分から前記第２の部分への前記小滴の移動を促進することを特徴とする、請求項１９〜請求項２７のいずれかに記載のデバイス。
【請求項２９】
第２の層が前記第１の層の上面上に配置されることを特徴とする、請求項２２に記載のデバイス。
【請求項３０】
第２の層は、前記第１の基板の上に延びることを特徴とする、請求項２９に記載のデバイス。
【請求項３１】
前記第１の層は誘電性層であり、前記第２の層は疎水性層であることを特徴とする、請求項２９〜請求項３０のいずれかに記載のデバイス。
【請求項３２】
複数のウェルが前記第２の層内に位置決めされることを特徴とする、請求項２９〜請求項３１のいずれかに記載のデバイス。
【請求項３３】
前記ウェルのアレイは、前記第１の層内に位置決めされることを特徴とする、請求項２２に記載のデバイス。
【請求項３４】
前記ウェルのアレイは、親水性表面を有することを特徴とする、請求項１９〜請求項３３のいずれかに記載のデバイス。
【請求項３５】
前記ウェルは、前記ウェルのアレイの上を移動する小滴中に存在するナノビーズ又はナノ粒子の受入れ及び保持を促進するように配向された側壁を備えることを特徴とする、請求項１９〜請求項３４のいずれかに記載のデバイス。
【請求項３６】
前記ウェルは、第２の側壁に対向した第１の側壁を備え、前記第１の側壁は、前記ウェルの底部に対して鈍角に配向され、前記第２の側壁は、前記ウェルの前記底部に対して鋭角で配向され、小滴の移動は、前記ウェルの前記底部に対して平行に前記第１の側壁から前記第２の側壁へ向かう方向であることを特徴とする、請求項３５に記載のデバイス。
【請求項３７】
前記ウェルは、切頭円錐形を有し、前記切頭円錐形の狭い方の部分が前記ウェルの開口部を与えることを特徴とする、請求項３６に記載のデバイス。
【請求項３８】
前記ウェルは、第２の側壁に対向した第１の側壁を備え、前記第１の側壁の上部分は、前記ウェルの底部に対して鈍角に配向され、前記側壁の下部分は、前記ウェルの前記底部に対して垂直に配向され、前記第２の側壁は、前記ウェルの前記底部に対して垂直に配向され、前記小滴の移動は、前記ウェルの前記底部に対して平行に前記第１の側壁から前記第２の側壁へ向かう方向であり、前記第１の側壁の前記上部分は、前記ウェルの開口部にあることを特徴とする、請求項３５に記載のデバイス。
【請求項３９】
表面弾性波マイクロ流体及び検体検出デバイスであって、
第１の基板及び第２の基板を備え、前記第２の基板は前記第１の基板から間隙によって分離されており、前記デバイスは、第１の部分及び第２の部分を備え、
前記第１の部分は、表面弾性波発生構成要素に連結された上層を備え、
前記第２の部分は、前記第１の基板又は前記第２の基板上に位置決めされた複数のウェルを備える
ことを特徴とする、デバイス。
【請求項４０】
前記上層は、該上層の上面上にフォノン構造を含むことを特徴とする、請求項３９に記載のデバイス。
【請求項４１】
前記上層は、圧電結晶層の上に重なることを特徴とする、請求項３９〜請求項４０のいずれかに記載のデバイス。
【請求項４２】
前記第２の基板は、実質的に透明であることを特徴とする、請求項３９〜請求項４０のいずれかに記載のデバイス。
【請求項４３】
表面弾性波マイクロ流体及び検体検出デバイスであって、
第１の基板及び第２の基板を備え、前記第２の基板は前記第１の基板から間隙によって分離されており、
前記第１の基板は、複数のウェルを備え、
前記第２の基板は、フォノン構造を備え、前記複数のウェル及び前記フォノン構造は、互いにわたって位置する
ことを特徴とする、デバイス。
【請求項４４】
前記第２の基板は、上層であることを特徴とする、請求項４３に記載のデバイス。
【請求項４５】
前記上層は、前記第２の基板上に配置され、前記フォノン構造は、前記上層上に位置することを特徴とする、請求項４３に記載のデバイス。
【請求項４６】
前記第１の基板、第２の基板及び上層は、実質的に透明であることを特徴とする、請求項４３〜請求項４５のいずれかに記載のデバイス。
【請求項４７】
液滴中の対象検体を検出する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと、
（ｃ）力を及ぼすエネルギーを用いて、前記第１の液滴を前記第２の液滴と共に操作して混合物を作製する、ステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記対象検体を検出するステップと、
を含むことを特徴とする、方法。
【請求項４８】
前記少なくとも１つの固体支持体は、前記対象検体に特異的に結合する少なくとも１つの結合メンバーを含むことを特徴とする、請求項４７に記載の方法。
【請求項４９】
前記混合物の少なくとも一部を前記ウェルのアレイへ移動させるステップの前に、前記混合物に検出可能標識を添加するステップをさらに含むことを特徴とする、請求項４７〜請求項４８のいずれかに記載の方法。
【請求項５０】
前記混合物の少なくとも一部を前記ウェルのアレイへ移動させるステップの後に、前記混合物に検出可能標識を添加するステップをさらに含むことを特徴とする、請求項４７〜請求項４８のいずれかに記載の方法。
【請求項５１】
前記検出可能標識は、前記対象検体に特異的に結合する少なくとも１つの結合メンバーを含むことを特徴とする、請求項４７〜請求項５０のいずれかに記載の方法。
【請求項５２】
前記検出可能標識は、色原体、蛍光化合物、酵素、化学発光化合物又は放射性化合物を含むことを特徴とする、請求項４７〜請求項５１のいずれかに記載の方法。
【請求項５３】
前記結合メンバーは、受容体又は抗体であることを特徴とする、請求項４７〜請求項５２のいずれかに記載の方法。
【請求項５４】
前記エネルギーは、電気的アクチュエーション力又は音響力であることを特徴とする、請求項４７〜請求項５３のいずれかに記載の方法。
【請求項５５】
前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、請求項５４に記載の方法。
【請求項５６】
前記音響力は、表面弾性波であることを特徴とする、請求項５４に記載の方法。
【請求項５７】
前記第１の液滴が分極可能な不混和性液体であるか、前記第２の液滴が分極可能な液体であるか、前記混合物が分極可能な液体であるか、又は前記第１の液滴及び前記第２の液滴の両方が各々分極可能な液体であることを特徴とする、請求項４７〜請求項５６のいずれかに記載の方法。
【請求項５８】
電気的アクチュエーション力を用いて前記混合物を前記ウェルのアレイの上で操作するステップをさらに含むことを特徴とする、請求項４７〜請求項５５のいずれかに記載の方法。
【請求項５９】
前記ウェルのアレイへの前記混合物の移動を促進するように構成された毛管要素を用いて、前記ウェルのアレイの上で前記混合物を操作するステップをさらに含むことを特徴とする、請求項４７〜請求項５８のいずれかに記載の方法。
【請求項６０】
前記固体支持体は、磁性固体支持体であることを特徴とする、請求項４７〜請求項５９のいずれかに記載の方法。
【請求項６１】
電気的アクチュエーション力及び磁場が、前記混合物の少なくとも一部に対して反対方向から印加されることを特徴とする、請求項６０に記載の方法。
【請求項６２】
前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、請求項４７〜請求項６１のいずれかに記載の方法。
【請求項６３】
前記混合物は、水性液体であることを特徴とする、請求項４７〜請求項６２のいずれかに記載の方法。
【請求項６４】
前記混合物は、不混和性液体であることを特徴とする、請求項４７〜請求項６２のいずれかに記載の方法。
【請求項６５】
前記液滴は、疎水性液滴であることを特徴とする、請求項４７〜請求項６４のいずれかに記載の方法。
【請求項６６】
前記ウェルのアレイは、親水性表面を有することを特徴とする、請求項４７〜請求項６５のいずれかに記載の方法。
【請求項６７】
前記ウェルのアレイは、疎水性表面を有することを特徴とする、請求項４７〜請求項６５のいずれかに記載の方法。
【請求項６８】
前記方法は、第１及び第２の基板を備え、少なくとも１つの基板が親水性表面を備えたデバイス内で行われることを特徴とする、請求項４７〜請求項６７のいずれかに記載の方法。
【請求項６９】
前記方法は、第１及び第２の基板を備え、少なくとも１つの基板が疎水性表面を備えたデバイス内で行われることを特徴とする、請求項４７〜請求項６７のいずれかに記載の方法。
【請求項７０】
複数の電極で電気的アクチュエーション力を発生させて、前記混合物を前記ウェルのアレイへ移動させて前記ウェルを装填するステップをさらに含むことを特徴とする、請求項４７〜請求項６９のいずれかに記載の方法。
【請求項７１】
前記アレイの１つ又はそれより多くのウェルに少なくとも１つの固体支持体が装填されることを特徴とする、請求項４７〜請求項７０のいずれかに記載の方法。
【請求項７２】
前記装填することは、磁場を印加して、前記アレイの前記１つ又はそれより多くのウェル内への少なくとも１つの固体支持体の移動を促進することを含むことを特徴とする、請求項７１に記載の方法。
【請求項７３】
前記装填後に、前記アレイのウェル内に装填されなかった固体支持体があればこれを除去することをさらに含むことを特徴とする、請求項７２に記載の方法。
【請求項７４】
前記除去することは、複数の電極で電気的アクチュエーション力を発生させて、分極可能な流体小滴を前記ウェルのアレイへ移動させ、前記混合物の少なくとも一部を前記ウェルのアレイから所定距離まで移動させることを含むことを特徴とする、請求項７３に記載の方法。
【請求項７５】
前記除去することは、複数の電極で電気的アクチュエーション力を発生させて、水性洗浄用小滴を前記ウェルのアレイにわたって移動させることを含むことを特徴とする、請求項７４に記載の方法。
【請求項７６】
前記電気的アクチュエーション力を発生させることは、交流電流を発生させることを含むことを特徴とする、請求項７５に記載の方法。
【請求項７７】
前記交流電流は、１０Ｖ以上の二乗平均平方根（ｒｍｓ）電圧を有することを特徴とする、請求項７５に記載の方法。
【請求項７８】
前記交流電流は、無線周波数範囲内の周波数を有することを特徴とする、請求項７５〜請求項７６のいずれかに記載の方法。
【請求項７９】
前記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われることを特徴とする、請求項４７〜請求項７８のいずれかに記載の方法。
【請求項８０】
液滴中の対象検体を検出する方法であって、
（ａ）対象検体を含有する第１の液滴を準備するステップと、
（ｂ）前記対象検体に結合する特異的結合メンバーを含有する検出可能標識を含有する第２の液滴を準備するステップと、
（ｃ）力を及ぼすエネルギーを用いて、前記第１の液滴及び前記第２の液滴を操作して混合物を作製する、ステップと、
（ｄ）前記混合物の全部又は少なくとも一部をウェルのアレイへ移動させるステップと、
（ｅ）前記ウェル内の前記対象検体を検出するステップと、
を含むことを特徴とする、方法。
【請求項８１】
前記検出可能標識は、色原体、蛍光化合物、酵素、化学発光化合物又は放射性化合物を含むことを特徴とする、請求項８０に記載の方法。
【請求項８２】
前記エネルギーは、電気的アクチュエーション力又は音響力であることを特徴とする、請求項８０〜請求項８１のいずれかに記載の方法。
【請求項８３】
前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、請求項８２に記載の方法。
【請求項８４】
前記音響力は、表面弾性波であることを特徴とする、請求項８３に記載の方法。
【請求項８５】
前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、請求項８０〜請求項８３のいずれかに記載の方法。
【請求項８６】
電気的アクチュエーション力を用いて前記混合物を前記ウェルのアレイの上で操作するステップをさらに含むことを特徴とする、請求項８０〜請求項８３及び請求項８５のいずれかに記載の方法。
【請求項８７】
前記ウェルのアレイへの前記混合物の移動を促進するように構成された毛管要素を用いて、前記混合物を前記ウェルのアレイの上で操作するステップをさらに含むことを特徴とする、請求項８０〜請求項８６のいずれかに記載の方法。
【請求項８８】
前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、請求項８０〜請求項８７のいずれかに記載の方法。
【請求項８９】
前記混合物は、水性液体であることを特徴とする、請求項８０〜請求項８８のいずれかに記載の方法。
【請求項９０】
前記混合物は、不混和性液体であることを特徴とする、請求項８０〜請求項８８のいずれかに記載の方法。
【請求項９１】
前記液滴は、疎水性液滴であることを特徴とする、請求項８０〜請求項９０のいずれかに記載の方法。
【請求項９２】
前記ウェルのアレイは、親水性表面を有することを特徴とする、請求項８０〜請求項９１のいずれかに記載の方法。
【請求項９３】
前記ウェルのアレイは、疎水性表面を有することを特徴とする、請求項８０〜請求項９１のいずれかに記載の方法。
【請求項９４】
前記方法は、第１及び第２の基板を備え、少なくとも１つの基板が親水性表面を備えたデバイス内で行われることを特徴とする、請求項８０〜請求項９３のいずれかに記載の方法。
【請求項９５】
前記方法は、第１及び第２の基板を備え、少なくとも１つの基板が疎水性表面を備えたデバイス内で行われることを特徴とする、請求項８０〜請求項９３のいずれかに記載の方法。
【請求項９６】
複数の電極で電気的アクチュエーション力を発生させて、前記混合物を前記ウェルのアレイへ移動させて前記ウェルを装填するステップをさらに含むことを特徴とする、請求項８０〜請求項９５のいずれかに記載の方法。
【請求項９７】
前記アレイの１つ又はそれより多くのウェルに少なくとも１つの検出可能標識が装填されることを特徴とする、請求項８０〜請求項９６のいずれかに記載の方法。
【請求項９８】
前記装填後に、前記アレイのウェル内に装填されなかった検出可能標識があればこれを除去することをさらに含むことを特徴とする、請求項９７に記載の方法。
【請求項９９】
前記除去することは、複数の電極で電気的アクチュエーション力を発生させて、分極可能な流体小滴を前記ウェルのアレイへ移動させ、前記混合物の少なくとも一部を前記ウェルのアレイから所定距離まで移動させることを含むことを特徴とする、請求項９８に記載の方法。
【請求項１００】
前記除去することは、複数の電極で電気的アクチュエーション力を発生させて、水性洗浄用小滴を前記ウェルのアレイにわたって移動させることを含むことを特徴とする、請求項９９に記載の方法。
【請求項１０１】
前記電気的アクチュエーション力を発生させることは、交流電流を発生させることを含むことを特徴とする、請求項１００に記載の方法。
【請求項１０２】
前記交流電流は、１０Ｖ以上の二乗平均平方根（ｒｍｓ）電圧を有することを特徴とする、請求項１０１に記載の方法。
【請求項１０３】
前記交流電流は、無線周波数範囲内の周波数を有することを特徴とする、請求項１００〜請求項１０１のいずれかに記載の方法。
【請求項１０４】
前記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われることを特徴とする、請求項８０〜請求項１０３のいずれかに記載の方法。
【請求項１０５】
液滴中の対象検体を測定する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと、
（ｃ）力を及ぼすエネルギーを用いて、前記第１の液滴を前記第２の液滴と共に操作して混合物を作製する、ステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記検出可能標識を測定するステップと、
を含むことを特徴とする、方法。
【請求項１０６】
前記少なくとも１つの固体支持体は、前記対象検体に特異的に結合する少なくとも１つの結合メンバーを含むことを特徴とする、請求項１０５に記載の方法。
【請求項１０７】
前記混合物の少なくとも一部を前記ウェルのアレイへ移動させるステップの前に、前記混合物に検出可能標識を添加するステップをさらに含むことを特徴とする、請求項１０５〜請求項１０６のいずれかに記載の方法。
【請求項１０８】
前記混合物の少なくとも一部を前記ウェルのアレイへ移動させるステップの後に、前記混合物に検出可能標識を添加するステップをさらに含むことを特徴とする、請求項１０５〜請求項１０６のいずれかに記載の方法。
【請求項１０９】
前記検出可能標識は、前記対象検体に特異的に結合する少なくとも１つの結合メンバーを含むことを特徴とする、請求項１０５〜請求項１０８のいずれかに記載の方法。
【請求項１１０】
前記検出可能標識は、色原体、蛍光化合物、酵素、化学発光化合物又は放射性化合物を含むことを特徴とする、請求項１０５〜請求項１０９のいずれかに記載の方法。
【請求項１１１】
前記結合メンバーは、受容体又は抗体であることを特徴とする、請求項１０５〜請求項１０９のいずれかに記載の方法。
【請求項１１２】
前記エネルギーは、電気的アクチュエーション力又は音響力であることを特徴とする、請求項１０５〜請求項１０９のいずれかに記載の方法。
【請求項１１３】
前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、請求項１１２に記載の方法。
【請求項１１４】
前記音響力は、表面弾性波であることを特徴とする、請求項１１２に記載の方法。
【請求項１１５】
前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、請求項１０５〜請求項１１４のいずれかに記載の方法。
【請求項１１６】
電気的アクチュエーション力を用いて前記混合物を前記ウェルのアレイの上で操作するステップをさらに含むことを特徴とする、請求項１０５〜請求項１１２及び請求項１１５のいずれかに記載の方法。
【請求項１１７】
前記ウェルのアレイへの前記混合物の移動を促進するように構成された毛管要素を用いて、前記混合物を前記ウェルのアレイの上で操作するステップをさらに含むことを特徴とする、請求項１０５〜請求項１１６のいずれかに記載の方法。
【請求項１１８】
前記固体支持体は、磁性固体支持体であることを特徴とする、請求項１０５〜請求項１１７のいずれかに記載の方法。
【請求項１１９】
電気的アクチュエーション力及び磁場が、前記混合物の少なくとも一部に対して反対方向から印加されることを特徴とする、請求項１１８に記載の方法。
【請求項１２０】
前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、請求項１０５〜請求項１１９のいずれかに記載の方法。
【請求項１２１】
前記混合物は、水性液体であることを特徴とする、請求項１０５〜請求項１２０のいずれかに記載の方法。
【請求項１２２】
前記混合物は、不混和性液体であることを特徴とする、請求項１０５〜請求項１２１のいずれかに記載の方法。
【請求項１２３】
前記液滴は、疎水性液滴であることを特徴とする、請求項１０５〜請求項１２２のいずれかに記載の方法。
【請求項１２４】
前記ウェルのアレイは、親水性表面を有することを特徴とする、請求項１０５〜請求項１２３のいずれかに記載の方法。
【請求項１２５】
前記ウェルのアレイは、疎水性表面を有することを特徴とする、請求項１０５〜請求項１２３のいずれかに記載の方法。
【請求項１２６】
前記方法は、第１及び第２の基板を備え、少なくとも１つの基板が親水性表面を備えたデバイス内で行われることを特徴とする、請求項１０５〜請求項１２４のいずれかに記載の方法。
【請求項１２７】
前記方法は、第１及び第２の基板を備え、少なくとも１つの基板が疎水性表面を備えたデバイス内で行われることを特徴とする、請求項１０５〜請求項１２４のいずれかに記載の方法。
【請求項１２８】
複数の電極で電気的アクチュエーション力を発生させて、前記混合物を前記ウェルのアレイへ移動させて前記ウェルを装填するステップをさらに含むことを特徴とする、請求項１０５〜請求項１２８のいずれかに記載の方法。
【請求項１２９】
前記アレイの１つ又はそれより多くのウェルに少なくとも１つの固体支持体が装填されることを特徴とする、請求項１０５〜請求項１２８のいずれかに記載の方法。
【請求項１３０】
前記装填することは、磁場を印加して、前記アレイの前記１つ又はそれより多くのウェルへの少なくとも１つの固体支持体の移動を促進することを含むことを特徴とする、請求項１２９に記載の方法。
【請求項１３１】
前記装填後に、前記アレイのウェル内に装填されなかった固体支持体があればこれを除去することをさらに含むことを特徴とする、請求項１３０に記載の方法。
【請求項１３２】
前記除去することは、複数の電極で電気的アクチュエーション力を発生させて、分極可能な流体小滴を前記ウェルのアレイまで移動させ、前記混合物の少なくとも一部を前記ウェルのアレイから所定距離まで移動させることを含むことを特徴とする、請求項１３１に記載の方法。
【請求項１３３】
前記除去することは、複数の電極で電気的アクチュエーション力を発生させて、水性洗浄用小滴を前記ウェルのアレイにわたって移動させることを含むことを特徴とする、請求項１３２に記載の方法。
【請求項１３４】
前記電気的アクチュエーション力を発生させることは、交流電流を発生させることを含むことを特徴とする、請求項１３３に記載の方法。
【請求項１３５】
前記交流電流は、１０Ｖ以上の二乗平均平方根（ｒｍｓ）電圧を有することを特徴とする、請求項１３４に記載の方法。
【請求項１３６】
前記交流電流は、無線周波数範囲内の周波数を有することを特徴とする、請求項１３４〜請求項１３５のいずれかに記載の方法。
【請求項１３７】
前記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われることを特徴とする、請求項１０５〜請求項１３６のいずれかに記載の方法。
【請求項１３８】
前記測定するステップは、前記ウェルのアレイ内の固体支持体の総数を求めることを伴うことを特徴とする、請求項１０５〜請求項１３７のいずれかに記載の方法。
【請求項１３９】
前記測定するステップは、前記検出可能標識を含有する前記アレイのウェル内の固体支持体の数を求めることを伴うことを特徴とする、請求項１３８に記載の方法。
【請求項１４０】
前記測定するステップは、検出可能標識を含有する固体支持体の数を前記ウェルのアレイ内の固体支持体の総数から差し引いて、検出可能標識を含有しない前記ウェルのアレイ内の固体支持体の数を求めることを伴うことを特徴とする、請求項１３９に記載の方法。
【請求項１４１】
検出可能標識を含有しない固体支持体の数に対する検出可能標識を含有する固体支持体の比を求めることを特徴とする、請求項１４０に記載の方法。
【請求項１４２】
ウェルに粒子を装填する方法であって、
（ａ）複数の電極で電場を発生させて、マイクロ粒子を含有する液滴をウェルのアレイへ移動させるステップであって、前記ウェルのアレイの１つ又はそれより多くのウェルはその中に装填された粒子を有するのに十分なサイズのものである、ステップと、
（ｂ）１つ又はそれより多くのウェルに粒子を装填するステップと、
（ｃ）前記複数の電極で電場を発生させて、分極可能な流体小滴を前記ウェルのアレイへ移動させて前記ウェルのアレイをシールするステップと、
を含むことを特徴とする、方法。
【請求項１４３】
前記電場を用いて前記液滴を前記ウェルのアレイの上で操作するステップをさらに含むことを特徴とする、請求項１４２に記載の方法。
【請求項１４４】
前記ウェルのアレイへの前記液滴の移動を促進するように構成された毛管要素を用いて、前記ウェルのアレイの上で前記液滴を操作するステップをさらに含むことを特徴とする、請求項１４２〜請求項１４３のいずれかに記載の方法。
【請求項１４５】
前記粒子が磁気ビーズであることを特徴とする、請求項１４２〜請求項１４４のいずれかに記載の方法。
【請求項１４６】
前記装填するステップは、磁場を印加して、前記アレイの前記１つ又はそれより多くのウェル内への前記１つ又はそれより多くの磁気ビーズの移動を促進することを含むことを特徴とする、請求項１４２に記載の方法。
【請求項１４７】
前記ウェルのアレイは、親水性表面を有することを特徴とする、請求項１４２〜請求項１４６のいずれかに記載の方法。
【請求項１４８】
前記ウェルのアレイは、疎水性表面を有することを特徴とする、請求項１４２〜請求項１４６のいずれかに記載の方法。
【請求項１４９】
前記電場を発生させるステップは、交流電流を発生させることを含むことを特徴とする、請求項１４２〜請求項１４８のいずれかに記載の方法。
【請求項１５０】
前記交流電流は、１０Ｖ以上の二乗平均平方根（ｒｍｓ）電圧を有することを特徴とする、請求項１４９に記載の方法。
【請求項１５１】
前記交流電流は、無線周波数範囲内の周波数を有することを特徴とする、請求項１４９〜請求項１５９のいずれかに記載の方法。
【請求項１５２】
デジタルマイクロ流体及び検体検出デバイスを形成する方法であって、
第１の基板を含む第１のロールの巻きを解いて、前記第１の基板の第１の部分を第１の位置に位置決めするステップと、
前記第１の位置において、前記第１の基板の前記第１の部分に複数の電極を形成するステップと、
第２の位置において、前記第１の基板の第２の部分にウェルのアレイを形成するステップと、
を含むことを特徴とする、方法。
【請求項１５３】
前記ウェルのアレイを形成する前に、前記第１のロールの巻を解いて、前記第１の基板の前記第１の部分に隣接した前記第２の部分を前記第２の位置に位置決めするステップをさらに含むことを特徴とする、請求項１５２に記載の方法。
【請求項１５４】
第２の基板を含む第２のロールの巻きを解いて、前記第３の基板の第３の部分を第３の位置に位置決めするステップと、
前記第３の位置において、前記第２の基板を前記第１の基板から離間させて位置決めするのに十分な様式で前記第２の基板を前記第１の基板に貼り合わせるステップと、
をさらに含むことを特徴とする、請求項１５３の請求項１５２に記載の方法。
【請求項１５５】
集積デジタルマイクロ流体及び検体検出デバイスを形成する方法であって、
第１の基板を含む第１のロールの巻きを解いて、前記第１の基板の第１の部分を第１の位置に位置決めするステップと、
前記第１の位置において、前記第１の基板の前記第１の部分に複数の電極を形成するステップと、
第２の基板を含む第２のロールの巻きを解いて、前記第２の基板の第２の部分を第２の位置に位置決めするステップと、
前記第２の位置において、前記第２の部分にウェルのアレイを形成するステップと、
前記第２の基板を前記第１の基板から離間させて位置決めし、且つ
前記第２の部分を前記第１の部分の上方に位置決めするか又は前記第１の基板の前記第１の部分に隣接する第３の部分の上方に位置決めし、
前記ウェルのアレイが前記第１の基板に面するようにする
のに十分な様式で、前記第２の基板を前記第１の基板に貼り合わせるステップと、
を含むことを特徴とする、方法。
【請求項１５６】
前記ウェルのアレイを形成するステップは、熱若しくは紫外線ナノインプリントリソグラフィ、ナノインプリントローラ、レーザアブレーションを使用することを含むか、又はウェルのアレイを備えたあらかじめ製作された基板を前記第１の基板の前記第１の部分へ貼り合わせることによるものであることを特徴とする、請求項１５２〜請求項１５５のいずれかに記載の方法。
【請求項１５７】
前記第１の基板に強い熱、圧力、又は紫外線をかけて、型を用いて前記第１の基板上又は基板内にフォノン構造を形成するステップをさらに含むことを特徴とする、請求項１５２〜請求項１５６のいずれかに記載の方法。
【請求項１５８】
プリンタデバイスを用いて、一連の電極上に疎水性及び／又は誘電性材料を塗工するステップをさらに含むことを特徴とする、請求項１５２〜請求項１５７のいずれかに記載の方法。
【請求項１５９】
前記疎水性及び／又は誘電性材料は、硬化材料を含むことを特徴とする、請求項１５８に記載の方法。
【請求項１６０】
熱又は紫外線を印加して、前記塗工された疎水性及び／又は誘電性材料を硬化するステップをさらに含むことを特徴とする、請求項１５９に記載の方法。
【請求項１６１】
前記第１及び第２の基板をダイシングして、前記第１及び第２の部分を含む貼り合わされた基板を生成するステップをさらに含むことを特徴とする、請求項１５２〜請求項１６０のいずれかに記載の方法。
【請求項１６２】
液滴中の対象検体を検出する方法であって、
（ａ）対象検体を含む第１の液滴を準備するステップと、
（ｂ）特異的結合メンバー及び標識化検体を含む第２の液滴を準備するステップであって、前記結合メンバーは、少なくとも１つの固体支持体上に固定化されており、前記特異的結合メンバーは、前記対象検体に特異的に結合するものであり、前記標識化検体は、検出可能標識で標識された対象検体である、ステップと、
（ｃ）力を及ぼすエネルギーを用いて、前記第１の液滴を前記第２の液滴と共に操作して混合物を作製するステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
を含むことを特徴とする、方法。
【請求項１６３】
液滴中の対象検体を検出する方法であって、
（ａ）対象検体を含む第１の液滴を準備するステップと、
（ｂ）固定化検体及び少なくとも１つの特異的結合メンバーを含む第２の液滴を準備するステップであって、前記固定化検体は、少なくとも１つの固体支持体上に固定化された対象検体であり、前記少なくとも１つの特異的結合メンバーは、前記対象検体に特異的に結合するものであり、前記少なくとも１つの特異的結合メンバーは、検出可能標識で標識されている、ステップと、
（ｃ）力を及ぼすエネルギーを用いて、前記第１の液滴を前記第２の液滴と共に操作して混合物を作製するステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
（ｅ）前記ウェル内の前記対象検体を検出するステップと、
を含むことを特徴とする、方法。
【請求項１６４】
液滴中の対象検体を検出する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと、
を含み、
ここで前記第１及び第２の液滴は、
第１の基板及び第２の基板を備え、前記第２の基板は前記第１の基板から間隙によって分離されており、前記第１の基板は液滴上に電気的アクチュエーション力を発生させる複数の電極を備え、
前記液滴の一部を保持する寸法のウェルのアレイを備え、前記ウェルのアレイの少なくとも一部は、前記複数の電極のうちの１つ又はそれより多くと前記間隙との間に位置決めされる、
デジタルマイクロ流体及び検体検出デバイスの中へ供給され、
（ｃ）電気的アクチュエーション力を用いて、前記第１の液滴を前記第２の液滴と共に操作して混合物を作製するステップと、
（ｄ）前記混合物の全部又は少なくとも一部を前記ウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記対象検体を検出するステップと、
を含むことを特徴とする、方法。
【請求項１６５】
前記少なくとも１つの固体支持体は、前記対象検体に特異的に結合する少なくとも１つの結合メンバーを含むことを特徴とする、請求項１６４に記載の方法。
【請求項１６６】
前記混合物の少なくとも一部を前記ウェルのアレイへ移動させるステップの前に、前記混合物に検出可能標識を添加するステップをさらに含むことを特徴とする、請求項１６４〜請求項１６５のいずれかに記載の方法。
【請求項１６７】
前記混合物の少なくとも一部を前記ウェルのアレイへ移動させるステップの後に、前記混合物に検出可能標識を添加するステップをさらに含むことを特徴とする、請求項１６４〜請求項１６６のいずれかに記載の方法。
【請求項１６８】
前記検出可能標識は、前記対象検体に特異的に結合する少なくとも１つの結合メンバーを含むことを特徴とする、請求項１６４〜請求項１６７のいずれかに記載の方法。
【請求項１６９】
前記検出可能標識は、色原体、蛍光化合物、酵素、化学発光化合物又は放射性化合物を含むことを特徴とする、請求項１６４〜請求項１６８のいずれかに記載の方法。
【請求項１７０】
前記結合メンバーは、受容体又は抗体であることを特徴とする、請求項１６４〜請求項１６８のいずれかに記載の方法。
【請求項１７１】
前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、請求項１６４〜１７０のいずれかに記載の方法。
【請求項１７２】
前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、請求項１６４〜請求項１７１のいずれかに記載の方法。
【請求項１７３】
電気的アクチュエーション力を用いて前記混合物を前記ウェルのアレイの上で操作するステップをさらに含むことを特徴とする、請求項１６４〜請求項１７１のいずれかに記載の方法。
【請求項１７４】
前記ウェルのアレイへの前記混合物の移動を促進するように構成された毛管要素を用いて、前記ウェルのアレイの上で前記混合物を操作するステップをさらに含むことを特徴とする、請求項１６４〜請求項１７３のいずれかに記載の方法。
【請求項１７５】
前記固体支持体は、磁性固体支持体であることを特徴とする、請求項１６４〜請求項１７４のいずれかに記載の方法。
【請求項１７６】
前記電気的アクチュエーション力及び磁場が、前記混合物の少なくとも一部に対して反対方向から印加されることを特徴とする、請求項１７５に記載の方法。
【請求項１７７】
前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、請求項１６４〜請求項１７６のいずれかに記載の方法。
【請求項１７８】
前記混合物は、水性液体であることを特徴とする、請求項１６４〜請求項１７６のいずれかに記載の方法。
【請求項１７９】
前記混合物は、不混和性液体であることを特徴とする、請求項１６４〜請求項１７６のいずれかに記載の方法。
【請求項１８０】
前記液滴は、疎水性液滴であることを特徴とする、請求項１６４〜請求項１７９のいずれかに記載の方法。
【請求項１８１】
前記ウェルのアレイは、親水性表面を有することを特徴とする、請求項１６４〜請求項１８０のいずれかに記載の方法。
【請求項１８２】
前記ウェルのアレイは、疎水性表面を有することを特徴とする、請求項１６４〜請求項１８０のいずれかに記載の方法。
【請求項１８３】
前記基板は、親水性表面を有することを特徴とする、請求項１６４〜請求項１８２のいずれかに記載の方法。
【請求項１８４】
前記基板は、疎水性表面を有することを特徴とする、請求項１６４〜請求項１８２のいずれかに記載の方法。
【請求項１８５】
複数の電極で電気的アクチュエーション力を発生させて、前記混合物を前記ウェルのアレイへ移動させて前記ウェルを装填するステップをさらに含むことを特徴とする、請求項１６４〜請求項１８４のいずれかに記載の方法。
【請求項１８６】
前記アレイの１つ又はそれより多くのウェルに少なくとも１つの固体支持体が装填されることを特徴とする、請求項１６４〜請求項１８５のいずれかに記載の方法。
【請求項１８７】
前記装填することは、磁場を印加して、前記アレイの前記１つ又はそれより多くのウェル内への少なくとも１つの固体支持体の移動を促進することを含むことを特徴とする、請求項１８６に記載の方法。
【請求項１８８】
前記装填後に、前記アレイのウェル内に装填されなかった固体支持体があればこれを除去することをさらに含むことを特徴とする、請求項１８７に記載の方法。
【請求項１８９】
前記除去することは、複数の電極で電気的アクチュエーション力を発生させて、分極可能な流体小滴を前記ウェルのアレイへ移動させ、前記混合物の少なくとも一部を前記ウェルのアレイから所定距離まで移動させることを含むことを特徴とする、請求項１８８に記載の方法。
【請求項１９０】
前記除去することは、前記電極で電気的アクチュエーション力を発生させて、水性洗浄用小滴を前記ウェルのアレイにわたって移動させることを含むことを特徴とする、請求項１８９に記載の方法。
【請求項１９１】
前記電気的アクチュエーション力を発生させることは、交流電流を発生させることを含むことを特徴とする、請求項１９０に記載の方法。
【請求項１９２】
前記交流電流は、１０Ｖ以上の二乗平均平方根（ｒｍｓ）電圧を有することを特徴とする、請求項１９１に記載の方法。
【請求項１９３】
前記交流電流は、無線周波数範囲内の周波数を有することを特徴とする、請求項１９１〜請求項１９２のいずれかに記載の方法。
【請求項１９４】
液滴中の対象検体を検出する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと
を含み、
ここで前記第１及び第２の液滴は、
第１の基板及び第２の基板を備え、前記第２の基板は前記第１の基板から間隙によって分離されており、前記デバイスは、第１の部分及び第２の部分を備え、
前記第１の部分は、表面弾性波発生構成要素に連結された上層を備え、
前記第２の部分は、前記第１の基板又は前記第２の基板上に位置決めされた複数のウェルを備える、
表面弾性波マイクロ流体及び検体検出デバイス内へ供給され、
（ｃ）表面音響力を用いて、前記第１の液滴を前記第２の液滴と共に操作して混合物を作製するステップと、
（ｄ）前記混合物の全部又は少なくとも一部を前記ウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記対象検体を検出するステップと、
を含むことを特徴とする、方法。
【請求項１９５】
前記少なくとも１つの固体支持体は、前記対象検体に特異的に結合する少なくとも１つの結合メンバーを含むことを特徴とする、請求項１９４に記載の方法。
【請求項１９６】
前記混合物の少なくとも一部を前記ウェルのアレイへ移動させるステップの前に、前記混合物に検出可能標識を添加するステップをさらに含むことを特徴とする、請求項１９４〜請求項１９５のいずれかに記載の方法。
【請求項１９７】
前記混合物の少なくとも一部を前記ウェルのアレイへ移動させるステップの後に、前記混合物に検出可能標識を添加するステップをさらに含むことを特徴とする、請求項１９４〜請求項１９６のいずれかに記載の方法。
【請求項１９８】
前記検出可能標識は、前記対象検体に特異的に結合する少なくとも１つの結合メンバーを含むことを特徴とする、請求項１９４〜請求項１９７のいずれかに記載の方法。
【請求項１９９】
前記検出可能標識は、色原体、蛍光化合物、酵素、化学発光化合物又は放射性化合物を含むことを特徴とする、請求項１９４〜請求項１９８のいずれかに記載の方法。
【請求項２００】
前記結合メンバーは、受容体又は抗体であることを特徴とする、請求項１９４〜請求項１９９のいずれかに記載の方法。
【請求項２０１】
前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、請求項１９４〜請求項２００のいずれかに記載の方法。
【請求項２０２】
前記ウェルのアレイへの前記混合物の移動を促進するように構成された毛管要素を用いて、前記ウェルのアレイの上で前記混合物を操作するステップをさらに含むことを特徴とする、請求項１９４〜請求項２０１のいずれかに記載の方法。
【請求項２０３】
前記固体支持体は、磁性固体支持体であることを特徴とする、請求項１９４〜請求項２０２のいずれかに記載の方法。
【請求項２０４】
前記ウェルのアレイを疎水性液体でシールするステップをさらに含むことを特徴とする、請求項７０に記載の方法。
【請求項２０５】
前記ウェルのアレイを疎水性液体でシールするステップをさらに含むことを特徴とする、請求項９６に記載の方法。
【請求項２０６】
前記ウェルのアレイを疎水性液体でシールするステップをさらに含むことを特徴とする、請求項１８５に記載の方法。
【発明の詳細な説明】
【技術分野】
【０００１】
関連出願の相互参照
本出願は、引用によりその全体が本明細書に組み入れられる、２０１５年４月３日に出願された米国特許仮出願番号第６２／１４２，８５８号の利益を主張する。
【背景技術】
【０００２】
検体分析は、通常、手動又は複雑なロボットの使用のいずれかで行われるサンプル調製ステップを実行することによって行われる。サンプル調製後、調製されたサンプル中の検体をアッセイすることは、調製されたサンプルを、その後に、調製されたサンプル中の検体の分析を行う機械へ輸送するための高価で複雑なシステムの使用をさらに伴う。
【先行技術文献】
【特許文献】
【０００３】
【特許文献１】米国特許出願公開第２０１２０１４１９９７号明細書
【特許文献２】米国特許第６，０１３，７８５号明細書
【特許文献３】米国特許第５，６９６，２５３号明細書
【特許文献４】米国特許第７，０７０，９２１号明細書
【特許文献５】米国特許出願公開第２００６０１２１５４４号明細書
【特許文献６】米国特許第５，２７０，１６３号明細書
【特許文献７】米国特許第５，４７５，０９６号明細書
【特許文献８】米国特許第５，５６７，５８８号明細書
【特許文献９】米国特許第５，５９５，８７７号明細書
【特許文献１０】米国特許第５，６３７，４５９号明細書
【特許文献１１】米国特許第５，６８３，８６７号明細書
【特許文献１２】米国特許第５，７０５，３３７号明細書
【特許文献１３】米国特許第５，６２０，８５０号明細書
【特許文献１４】米国特許第５，５９３，８９６号明細書
【特許文献１５】米国特許第５，５７３，９０４号明細書
【特許文献１６】米国特許第５，４９６，９２５号明細書
【特許文献１７】米国特許第５，３５９，０９３号明細書
【特許文献１８】米国特許第５，３５２，８０３号明細書
【特許文献１９】米国特許第５，４６８，６４６号明細書
【特許文献２０】米国特許第５，５４３，５２４号明細書
【特許文献２１】米国特許第５，７８３，６９９号明細書
【特許文献２２】米国特許第５，２４１，０７０号明細書
【非特許文献】
【０００４】
【非特許文献１】Ｇｏｔｔｌｉｎ  ｅｔ  ａｌ．，Ｊｏｕｒｎａｌ  ｏｆ  Ｂｉｏｍｏｌｅｃｕｌａｒ  Ｓｃｒｅｅｎｉｎｇ，１４：７７−８５（２００９）
【非特許文献２】Ｈｅｌｌｅｒ，Ａｃｃ．Ｃｈｅｍ．Ｒｅｓ．２３：１２８（１９９０）
【非特許文献３】Ｈｏｌｔ  ｅｔ  ａｌ．（２０１４）Ｔｒｅｎｄｓ  ｉｎ  Ｂｉｏｔｅｃｈｎｏｌｏｇｙ  ２１：４８４−４９０
【非特許文献４】Ｒａｄｅｒ（２０１４）Ｔｒｅｎｄｓ  ｉｎ  Ｂｉｏｔｅｃｈｎｏｌｏｇｙ  ３２：１８６−１９７
【非特許文献５】ＭｃＥｎａｎｅｙ  ｅｔ  ａｌ．（２０１２）ＡＣＳ  Ｃｈｅｍ．Ｂｉｏｌ．７：１１３９−１１５１
【非特許文献６】Ｍｉｌｌｗａｒｄ  ｅｔ  ａｌ．（２０１１）Ｊ．Ａｍ．Ｃｈｅｍ．Ｓｏｃ．１３３：１８２８０−１８２８８
【非特許文献７】Ｇｉｌｂｒｅｔｈ  ａｎｄ  Ｋｏｉｄｅ，（２０１２）Ｃｕｒｒｅｎｔ  Ｏｐｉｎｉｏｎ  ｉｎ  Ｓｔｒｕｃｔｕｒａｌ  Ｂｉｏｌｏｇｙ  ２２：１−８
【非特許文献８】Ｂａｎｔａ  ｅｔ  ａｌ．（２０１３）Ａｎｎｕ．Ｒｅｖ．Ｂｉｏｍｅｄ．Ｅｎｇ．１５：９３−１１３
【非特許文献９】Ｐａｔｅｌ  ｅｔ  ａｌ．（２０１３）Ｐｒｏｔｅｉｎ  Ｅｎｇｉｎｅｅｒｉｎｇ，Ｄｅｓｉｇｎ＆Ｓｅｌｅｃｔｉｏｎ  ２６（４）：３０７−３１４
【非特許文献１０】Ｂｅｈａｒ  ｅｔ  ａｌ．（２０１３）２６：２６７−２７５
【非特許文献１１】Ｔｉｅｄｅ  ｅｔ  ａｌ．（２０１４）Ｐｒｏｔｅｉｎ  Ｅｎｇｉｎｅｅｒｉｎｇ，Ｄｅｓｉｇｎ＆Ｓｅｌｅｃｔｉｏｎ  ２７：１４５−１５５
【非特許文献１２】Ｐｏｌａｋ  ａｎｄ  Ｖａｎ  Ｎｏｏｒｄｅｎ，Ｉｎｔｒｏｄｕｃｔｉｏｎ  ｔｏ  Ｉｍｍｕｎｏｃｙｔｏｃｈｅｍｉｓｔｒｙ，２ｎｄ  ｅｄ．，Ｓｐｒｉｎｇｅｒ  Ｖｅｒｌａｇ，Ｎ．Ｙ．（１９９７）
【非特許文献１３】Ｈａｕｇｌａｎｄ，Ｈａｎｄｂｏｏｋ  ｏｆ  Ｆｌｕｏｒｅｓｃｅｎｔ  Ｐｒｏｂｅｓ  ａｎｄ  Ｒｅｓｅａｒｃｈ  Ｃｈｅｍｉｃａｌｓ（１９９６）  ｐｕｂｌｉｓｈｅｄ  ｂｙ  Ｍｏｌｅｃｕｌａｒ  Ｐｒｏｂｅｓ，Ｉｎｃ．，Ｅｕｇｅｎｅ，Ｏｒｅｇｏｎ
【非特許文献１４】Ａｄａｍｃｚｙｋ  ｅｔ  ａｌ．，Ｂｉｏｏｒｇ．Ｍｅｄ．Ｃｈｅｍ．Ｌｅｔｔ．１６．１３２４−１３２８（２００６）
【非特許文献１５】Ａｄａｍｃｚｙｋ  ｅｔ  ａｌ．，Ｂｉｏｏｒｇ．Ｍｅｄ．Ｃｈｅｍ．Ｌｅｔｔ．４．２３１３−２３１７（２００４）
【非特許文献１６】Ａｄａｍｃｚｙｋ  ｅｔ  ａｌ．，Ｂｉｏｒｇ．Ｍｅｄ．Ｃｈｅｍ．Ｌｅｔｔ．１４．３９１７−３９２１（２００４）
【非特許文献１７】Ａｄａｍｃｚｙｋ  ｅｔ  ａｌ．，Ｏｒｇ．Ｌｅｔｔ．５．３７７９−３７８２（２００３）
【非特許文献１８】Ｍａｔｔｉｎｇｌｙ，Ｊ．Ｂｉｏｌｕｍｉｎ．Ｃｈｅｍｉｌｕｍｉｎ．６．１０７−１１４（１９９１）
【非特許文献１９】Ａｄａｍｃｚｙｋ  ｅｔ  ａｌ．，Ｊ．Ｏｒｇ．Ｃｈｅｍ．６３．５６３６−５６３９（１９９８）
【非特許文献２０】Ａｄａｍｃｚｙｋ  ｅｔ  ａｌ．，Ｔｅｔｒａｈｅｄｒｏｎ  ５５．１０８９９−１０９１４（１９９９）
【非特許文献２１】Ａｄａｍｃｚｙｋ  ｅｔ  ａｌ．，Ｏｒｇ．Ｌｅｔｔ．１．７７９−７８１（１９９９）
【非特許文献２２】Ａｄａｍｃｚｙｋ  ｅｔ  ａｌ．，Ｂｉｏｃｏｎｊｕｇａｔｅ  Ｃｈｅｍ．１１．７１４−７２４（２０００）
【非特許文献２３】Ｍａｔｔｉｎｇｌｙ  ｅｔ  ａｌ．，Ｉｎ  Ｌｕｍｉｎｅｓｃｅｎｃｅ  Ｂｉｏｔｅｃｈｎｏｌｏｇｙ．Ｉｎｓｔｒｕｍｅｎｔｓ  ａｎｄ  Ａｐｐｌｉｃａｔｉｏｎｓ
【非特許文献２４】Ｄｙｋｅ，Ｋ．Ｖ．Ｅｄ．；  ＣＲＣ  Ｐｒｅｓｓ．Ｂｏｃａ  Ｒａｔｏｎ，ｐｐ．７７−１０５（２００２）
【非特許文献２５】ＭｃＣａｐｒａ  ｅｔ  ａｌ．，Ｐｈｏｔｏｃｈｅｍ．Ｐｈｏｔｏｂｉｏｌ．４．１１１１−２１（１９６５）
【非特許文献２６】Ｒａｚａｖｉ  ｅｔ  ａｌ．，Ｌｕｍｉｎｅｓｃｅｎｃｅ  １５．２４５−２４９（２０００）
【非特許文献２７】Ｒａｚａｖｉ  ｅｔ  ａｌ．，Ｌｕｍｉｎｅｓｃｅｎｃｅ  １５．２３９−２４４（２０００）
【非特許文献２８】Ｗｅｌｌｓ，Ｈｉｇｈ  Ｔｈｒｏｕｇｈｐｕｔ  Ｂｉｏａｎａｌｙｔｉｃａｌ  Ｓａｍｐｌｅ  Ｐｒｅｐａｒａｔｉｏｎ．Ｍｅｔｈｏｄｓ  ａｎｄ  Ａｕｔｏｍａｔｉｏｎ  Ｓｔｒａｔｅｇｉｅｓ，Ｅｌｓｅｖｉｅｒ（２００３）
【非特許文献２９】Ｇｒｅｅｎｅ＆Ｗｕｔｓ，Ｐｒｏｔｅｃｔｉｖｅ  Ｇｒｏｕｐｓ  ｉｎ  Ｏｒｇａｎｉｃ  Ｓｙｎｔｈｅｓｉｓ，Ｊｏｈｎ  Ｗｉｌｅｙ  ＆  Ｓｏｎｓ
【非特許文献３０】Ｇｕｉｌｌｉｅｒ  ｅｔ  ａｌ．（Ｃｈｅｍ．Ｒｅｖ．１００：２０９２−２１５７，２０００）
【非特許文献３１】Ｌｅｅ  ｅｔ  ａｌ．，Ｊ．Ｏｒｇ．Ｃｈｅｍ．６４：３４５４−３４６０，１９９９）
【非特許文献３２】Ｂｕｒｇｅｓｓ  ｅｔ  ａｌ．，Ｊ．Ｏｒｇ．Ｃｈｅｍ．６２：５１６５−５１６８，１９９７
【非特許文献３３】Ｃｈａｔｔｅｒｊｅｅ，ｅｔ  ａｌ．Ｌａｂ  ｏｎ  Ｃｈｉｐ，６，１９９−２０６（２００６）
【非特許文献３４】Ｓ．Ｆａｎ，ｅｔ  ａｌ．，Ｌａｂ  Ｏｎ  Ｃｈｉｐ，９，１２３６，２００９；
【発明の概要】
【発明が解決しようとする課題】
【０００５】
サンプルを調製するとともに調製されたサンプルをアッセイするために用いることができる集積デバイスは、検体分析の分野で極めて望ましい。かかる集積デバイスは、低コストの選択肢を提供することになり、特にポイント・オブ・ケア用途のような臨床的用途において、検体分析の実行の容易さをかなり高めることになるであろう。
【０００６】
そのため検体分析を行うための集積デバイスが注目されている。
【課題を解決するための手段】
【０００７】
集積されたマイクロ流体及び検体検出デバイスが開示される。また、本明細書において、集積されたマイクロ流体及び検体検出デバイスを使用するための方法並びに関連のシステムが提供される。
【０００８】
デジタルマイクロ流体及び検体検出デバイスが開示され、該デバイスは、第１の基板及び第２の基板を含み、第２の基板は第１の基板から間隙によって分離されており、第１の基板は液滴上に電気的アクチュエーション力を発生させる複数の電極を含み；液滴の一部を保持する寸法のウェルのアレイを含み、ウェルのアレイの少なくとも一部は、複数の電極のうちの１つ又はそれより多くと間隙との間に位置決めされる。
【０００９】
いくつかの実施形態において、上記複数の電極は、第１の基板の表面上に位置決めされる。特定の実施形態において、デバイスは、第１の基板の表面上に配置された、複数の電極を覆う第１の層をさらに含む。いくつかの実施形態において、第１の基板は、液滴が導入される第１の部分と、液滴がそこへ向かって移動する第２の部分とを含む。特定の実施形態において、複数の電極及び第１の層は、第１の基板の第１の部分から第２の部分へ延びる。特定の実施形態において、ウェルのアレイは、第１の基板の第２の部分内に位置決めされる。特定の実施形態において、第２の基板は、第１の部分及び第２の部分を含み、第１の部分は、第１の基板の第１の部分に面した配置にあり、第２の部分は、ウェルのアレイに面した配置にある。特定の実施形態において、第２の基板の第２の部分は、実質的に透明であり、ウェルのアレイの光学的照合を容易にする。
【００１０】
いくつかの実施形態において、デバイスは、第１の層の表面上に配置された第２の層をさらに含む。特定の実施形態において、第２の層は、第１の基板の第１及び第２の部分の上に延びる。特定の実施形態において、第１の層は誘電性層であり、第２の層は疎水性層である。特定の実施形態において、ウェルのアレイは、第２の層内に位置決めされる。特定の実施形態において、ウェルのアレイは、前記第１の層内に位置決めされる。特定の実施形態において、ウェルのアレイは、親水性表面を有する。
【００１１】
いくつかの実施形態において、ウェルのアレイは、ウェルのアレイの上を移動する小滴中に存在するビーズ又は粒子の受入れ及び保持を促進するように配向された側壁を含む。特定の実施形態において、ウェルのアレイは、第２の側壁に対向した第１の側壁を含み、第１の側壁は、ウェルの底部に対して鈍角に配向され、第２の側壁は、ウェルの底部に対して鋭角で配向され、小滴の移動は、ウェルの底部に対して平行に第１の側壁から第２の側壁へ向かう方向である。特定の実施形態において、ウェルのアレイは、切頭円錐形を有し、切頭円錐形の狭い方の部分がウェルのアレイの開口部を与える。特定の実施形態において、ウェルのアレイは、第２の側壁に対向した第１の側壁を含み、第１の側壁の上部分は、ウェルの底部に対して鈍角に配向され、側壁の下部分は、ウェルの底部に対して垂直に配向され、第２の側壁は、ウェルの底部に対して垂直に配向され、小滴の移動は、ウェルの底部に対して平行に第１の側壁から第２の側壁へ向かう方向であり、第１の側壁の上部分は、ウェルの開口部にある。
【００１２】
また、デジタルマイクロ流体及び検体検出デバイスが開示され、該デバイスは、デバイスを定める第１の基板及び第２の基板を含み、第２の基板は第１の基板から間隙によって分離されており、デバイスは、第１の部分及び第２の部分を含み；第１の部分は、複数の電極を備えており、生物学的サンプル由来の対象検体を含有する第１の液滴と、少なくとも１つのビーズを含有する第２の液滴とを組み合わせることをアクチュエーションし；第２の部分は、液滴の一部を保持する寸法のウェルのアレイを含む。
【００１３】
いくつかの実施形態において、上記複数の電極は、デバイスの第１の部分内にのみ位置決めされる。特定の実施形態において、複数の電極は、第１の基板の表面上に位置決めされる。いくつかの実施形態において、デバイスは、第１の基板の表面上に配置された、複数の電極を覆う第１の層をさらに含む。特定の実施形態において、第１の基板は、液滴が導入される第１の部分と、液滴がそこへ向かって移動する第２の部分とを含む。特定の実施形態において、複数の電極及び第１の層は、第１の基板の第１の部分から第２の部分へ延びる。特定の実施形態において、ウェルのアレイは、第１の基板の第２の部分内に位置決めされる。
【００１４】
特定の実施形態において、第２の基板は、第１の部分及び第２の部分を含み、第１の部分は、第１の基板の第１の部分に面した配置にあり、第２の部分は、ウェルのアレイに面した配置にある。
【００１５】
特定の実施形態において、第２の基板の第２の部分は、実質的に透明であり、ウェルのアレイの光学的照合を容易にする。特定の実施形態において、複数の電極は、間隙内に置かれた小滴をデバイスの第２の部分へ向かって移動させるように構成され、デバイスは、第１の部分を第２の部分へ流体的に接続する毛管部分を含み、毛管は、親水性材料を含んでおり、電気的力の非存在下で毛管部分を介して第１の部分から第２の部分への小滴の移動を促進する。
【００１６】
いくつかの実施形態において、デバイスは、第１の層の上面上に配置された第２の層をさらに含む。特定の実施形態において、第２の層は、第１の基板の上に延びる。特定の実施形態において、第１の層は誘電性層であり、第２の層は疎水性層である。
【００１７】
いくつかの実施形態において、複数のウェルが第２の層内に位置決めされる。特定の実施形態において、ウェルのアレイは、第１の層内に位置決めされる。特定の実施形態において、ウェルのアレイは、親水性表面を有する。特定の実施形態において、ウェルは、ウェルのアレイの上を移動する小滴中に存在するナノビーズ又はナノ粒子の受入れ及び保持を促進するように配向された側壁を含む。特定の実施形態において、ウェルは、第２の側壁に対向した第１の側壁を含み、第１の側壁は、ウェルの底部に対して鈍角に配向され、第２の側壁は、ウェルの底部に対して鋭角で配向され、小滴の移動は、ウェルの底部に対して平行に第１の側壁から第２の側壁へ向かう方向である。特定の実施形態において、ウェルは、切頭円錐形を有し、切頭円錐形の狭い方の部分がウェルの開口部を与える。特定の実施形態において、ウェルは、第２の側壁に対向した第１の側壁を含み、第１の側壁の上部分は、ウェルの底部に対して鈍角に配向され、側壁の下部分は、ウェルの底部に対して垂直に配向され、第２の側壁は、ウェルの底部に対して垂直に配向され、小滴の移動は、ウェルの底部に対して平行に第１の側壁から第２の側壁へ向かう方向であり、第１の側壁の上部分は、ウェルの開口部にある。
【００１８】
また、本明細書において表面弾性波マイクロ流体及び検体検出デバイスが開示され、該デバイスは、第１の基板及び第２の基板を含み、第２の基板は第１の基板から間隙によって分離されており、デバイスは、第１の部分及び第２の部分を含み、第１の部分は、表面弾性波発生構成要素に連結された上層を含み；第２の部分は、第１の基板又は第２の基板上に位置決めされた複数のウェルを含む。
【００１９】
いくつかの実施形態において、上層は、該上層の上面上にフォノン構造を含む。特定の実施形態において、上層は、圧電結晶層の上に重なる。特定の実施形態において、第２の基板は、実質的に透明である。
【００２０】
また、本明細書において、表面弾性波マイクロ流体及び検体検出デバイスが開示され、該デバイスは、第１の基板及び第２の基板を含み、第２の基板は第１の基板から間隙によって分離されており、第１の基板は、複数のウェルを含み、第２の基板は、フォノン構造を含み、複数のウェル及びフォノン構造は、互いにわたって位置する。
【００２１】
いくつかの実施形態において、第２の基板は、上層である。特定の実施形態において、上層は、第２の基板上に配置され、フォノン構造は、上層上に位置する。特定の実施形態において、第１の基板、第２の基板及び上層は、実質的に透明である。
【００２２】
また、液滴中の対象検体を検出する方法も開示される。特定の実施形態において、上記方法は、対象検体を含有する第１の液滴を準備するステップと、対象検体に結合する特異的結合メンバーを含有する少なくとも１つの固体支持体を含有する第２の液滴を準備するステップと、力を及ぼすエネルギーを用いて、第１の液滴を第２の液滴と共に操作して混合物を作製するステップと、混合物の全部又は少なくとも一部をウェルのアレイへ移動させるステップであって、アレイの１つ又はそれより多くのウェルは、少なくとも１つの固体支持体を収容するのに十分なサイズである、ステップと、混合物の一部をウェルのアレイへ移動させるステップの前又は後のいずれかに、混合物に検出可能標識を添加するステップと、ウェル内の対象検体を検出するステップと、を含む。
【００２３】
特定の実施形態において、少なくとも１つの固体支持体は、対象検体に特異的に結合する少なくとも１つの結合メンバーを含む。特定の実施形態において、上記方法は、混合物の少なくとも一部をウェルのアレイへ移動させることの前に、混合物に検出可能標識を添加することをさらに含む。特定の実施形態において、上記方法は、混合物の少なくとも一部をウェルのアレイへ移動させることの後に、混合物に検出可能標識を添加することをさらに含む。特定の実施形態において、検出可能標識は、対象検体に特異的に結合する少なくとも１つの結合メンバーを含む。特定の実施形態において、検出可能標識は、色原体（ｃｈｒｏｍａｇｅｎ）、蛍光化合物、酵素、化学発光化合物又は放射性化合物を含む。特定の実施形態において、結合メンバーは、受容体又は抗体である。
【００２４】
特定の実施形態において、エネルギーは、電気的アクチュエーション力又は音響力である。特定の実施形態において、電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引である。特定の実施形態において、音響力は、表面弾性波である。
【００２５】
特定の実施形態において、電気的アクチュエーション力を発生させることは、交流電流を発生させることを含む。特定の実施形態において、交流電流は、１０Ｖ以上の二乗平均平方根（ｒｍｓ）電圧を有する。特定の他の実施形態において、交流電流は、無線周波数範囲内の周波数を有する。
【００２６】
特定の実施形態において、第１の液滴が分極可能な液体であるか、第２の液滴が分極可能な液体であるか、混合物が分極可能な液体であるか、又は第１の液滴及び第２の液滴の両方が各々分極可能な液体である。
【００２７】
特定の実施形態において、上記方法は、電気的アクチュエーション力を用いて混合物の少なくとも一部をウェルのアレイの上で位置決めすることをさらに含む。特定の他の実施形態において、上記方法は、ウェルのアレイへの混合物の移動を促進するように構成された毛管要素を用いて、ウェルのアレイの上で混合物を位置決めすることをさらに含む。
【００２８】
特定の実施形態において、支持体は、磁性固体支持体である。特定の他の実施形態において、磁性固体支持体が使用されるとき、電気的アクチュエーション力及び磁場が混合物の少なくとも一部に対して反対方向から印加される。特定の実施形態において、上記方法は、混合物を前後に動かすこと、混合物を円形パターンで動かすこと、混合物を２つ以上のサブ混合物に分割し且つサブ混合物を併合することによって、混合物を混合することをさらに含む。特定の実施形態において、混合物は、水性液体である。特定の他の実施形態において、混合物は、不混和性液体である。特定の他の実施形態において、液滴は、疎水性液滴である。特定の実施形態において、ウェルのアレイは、親水性表面を有する。特定の他の実施形態において、ウェルのアレイは、疎水性表面を有する。特定の実施形態において、基板は、親水性表面を有する。特定の他の実施形態において、基板は、疎水性表面を有する。特定の実施形態において、上記方法は、一連の電極で電気的アクチュエーション力を発生させて、混合物をウェルのアレイへ移動させ、装填されたウェルをシールすることをさらに含む。
【００２９】
特定の実施形態において、アレイの１つ又はそれより多くのウェルに少なくとも１つの固体支持体が装填される。特定の他の実施形態において、装填することは、磁場を印加して、アレイの１つ又はそれより多くのウェル内への少なくとも１つの固体支持体の移動を促進することを含む。特定の他の実施形態において、上記方法は、装填後に、アレイのウェル内に装填されなかった固体支持体があればこれを除去することをさらに含む。特定の他の実施形態において、除去することは、一連の電極で電気的アクチュエーション力を発生させて、分極可能な流体小滴をウェルのアレイへ移動させ、混合物の少なくとも一部をウェルのアレイから所定距離まで移動させることを含む。特定の他の実施形態において、除去することは、一連の電極で電気的アクチュエーション力を発生させて、水性洗浄用小滴を前記ウェルのアレイにわたって移動させることを含む。
【００３０】
特定の実施形態において、上記方法は、マイクロ流体デバイス、デジタルマイクロ流体デバイス（ＤＭＦ）、表面弾性波ベースのマイクロ流体デバイス（ＳＡＷ）、集積ＤＭＦ及び検体検出デバイス、集積されたＳＡＷ及び検体検出デバイス、又はロボット工学ベースのアッセイ処理ユニットを用いて行われる。
【００３１】
他の実施形態において、上記方法は、対象検体を含有する第１の液滴を準備するステップと、対象検体に結合する特異的結合メンバーを含有する検出可能標識を含有する第２の液滴を準備するステップと、力を及ぼすエネルギーを用いて、第１の液滴及び第２の液滴を操作して混合物を作製するステップと、混合物の全部又は少なくとも一部をウェルのアレイへ移動させるステップと、ウェル内の対象検体を検出するステップと、を含む。
【００３２】
特定の実施形態において、検出可能標識は、色原体、蛍光化合物、酵素、化学発光化合物又は放射性化合物を含む。特定の実施形態において、結合メンバーは、受容体又は抗体である。
【００３３】
特定の実施形態において、エネルギーは、電気的アクチュエーション力又は音響力である。特定の実施形態において、電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引である。特定の実施形態において、音響力は、表面弾性波である。
【００３４】
特定の実施形態において、電気的アクチュエーション力を発生させることは、交流電流を発生させることを含む。特定の実施形態において、交流電流は、１０Ｖ以上の二乗平均平方根（ｒｍｓ）電圧を有する。特定の他の実施形態において、交流電流は、無線周波数範囲内の周波数を有する。
【００３５】
特定の実施形態において、第１の液滴が分極可能な液体であるか、第２の液滴が分極可能な液体であるか、混合物が分極可能な液体であるか、又は第１の液滴及び第２の液滴の両方が各々分極可能な液体である。
【００３６】
特定の実施形態において、上記方法は、電気的アクチュエーション力を用いて、混合物の少なくとも一部をウェルのアレイの上で位置決めすることをさらに含む。特定の他の実施形態において、上記方法は、ウェルのアレイへの混合物の移動を促進するように構成された毛管要素を用いて、混合物の少なくとも一部をウェルのアレイの上で位置決めすることをさらに含む。
【００３７】
特定の実施形態において、上記方法は、混合物を前後に動かすこと、混合物を円形パターンで動かすこと、混合物を２つ以上のサブ混合物に分割し且つサブ混合物を併合することによって、混合物を混合することをさらに含む。特定の実施形態において、混合物は、水性液体である。特定の他の実施形態において、混合物は、不混和性液体である。特定の他の実施形態において、液滴は、疎水性液滴である。特定の他の実施形態において、ウェルのアレイは、親水性表面を有する。特定の他の実施形態において、ウェルのアレイは、疎水性表面を有する。特定の実施形態において、基板は、親水性表面を含む。特定の他の実施形態において、基板は、疎水性表面を含む。特定の実施形態において、上記方法は、一連の電極で電気的アクチュエーション力を発生させて、混合物をウェルのアレイへ移動させ、装填されたウェルをシールすることをさらに含む。
【００３８】
特定の実施形態において、アレイの１つ又はそれより多くのウェルに、少なくとも１つの検出可能標識が装填される。特定の実施形態において、除去することは、一連の電極で電気的アクチュエーション力を発生させて、分極可能な流体小滴をウェルのアレイへ移動させ、混合物の少なくとも一部をウェルのアレイから所定距離まで移動させることを含む。特定の他の実施形態において、除去することは、一連電極で電気的アクチュエーション力を発生させて、水性洗浄用小滴をウェルのアレイにわたって移動させることを含む。
【００３９】
特定の実施形態において、上記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われる。
【００４０】
他の実施形態において、上記方法は、液滴中の対象検体を測定するステップを含み、上記方法は、対象検体を含有する第１の液滴を準備することと、対象検体に結合する特異的結合メンバーを含有する少なくとも１つの固体支持体を含有する第２の液滴を準備することと、力を及ぼすエネルギーを用いて、第１の液滴を第２の液滴と共に操作して混合物を作製することと、混合物の全部又は少なくとも一部をウェルのアレイまで移動させることであって、アレイの１つ又はそれより多くのウェルは、少なくとも１つの固体支持体を収容するのに十分なサイズである、ことと、混合物の一部をウェルのアレイへ移動させることの前又は後のいずれかに、混合物に検出可能標識を添加することと、ウェル内の検出可能標識を測定することと、を含む。
【００４１】
特定の実施形態において、少なくとも１つの固体支持体は、対象検体に特異的に結合する少なくとも１つの結合メンバーを含む。特定の実施形態において、上記方法は、混合物の少なくとも一部をウェルのアレイへ移動させることの前に、混合物に検出可能標識を添加することをさらに伴う。特定の実施形態において、上記方法は、混合物の少なくとも一部をウェルのアレイへ移動させることの後に、混合物に検出可能標識を添加することをさらに含む。特定の実施形態において、検出可能標識は、対象検体に特異的に結合する少なくとも１つの結合メンバーを含む。特定の実施形態において、検出可能標識は、色原体、蛍光化合物、酵素、化学発光化合物又は放射性化合物を含む。特定の実施形態において、合メンバーは、受容体又は抗体である。
【００４２】
特定の実施形態において、エネルギーは、電気的アクチュエーション力又は音響力である。特定の実施形態において、電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引である。特定の実施形態において、音響力は、表面弾性波である。
【００４３】
特定の実施形態において、電気的アクチュエーション力を発生させることは、交流電流を発生させることを含む。特定の実施形態において、交流電流は、１０Ｖ以上の二乗平均平方根（ｒｍｓ）電圧を有する。特定の実施形態において、交流電流は、無線周波数範囲内の周波数を有する。
【００４４】
特定の実施形態において、第１の液滴が分極可能な液体であるか、第２の液滴が分極可能な液体であるか、混合物が分極可能な液体であるか、又は第１の液滴及び第２の液滴の両方が各々分極可能な液体である。
【００４５】
特定の実施形態において、上記方法は、電気的アクチュエーション力を用いて、混合物の少なくとも一部をウェルのアレイの上で位置決めすることをさらに含む。特定の実施形態において、上記方法は、ウェルのアレイへの混合物の移動を促進するように構成された毛管要素を用いて、混合物の少なくとも一部をウェルのアレイの上で位置決めすることをさらに含む。
【００４６】
特定の実施形態において、支持体は、磁性固体支持体である。特定の他の実施形態において、磁性固体支持体が用いられるとき、電気的アクチュエーション力及び磁場が混合物の少なくとも一部に対して反対方向から印加される。
【００４７】
特定の実施形態において、上記方法は、混合物を前後に動かすこと、混合物を円形パターンで動かすこと、混合物を２つ以上のサブ混合物に分割し且つサブ混合物を併合することによって、混合物を混合することをさらに含む。
【００４８】
特定の実施形態において、混合物は、水性液体である。特定の他の実施形態において、混合物は、不混和性液体である。特定の他の実施形態において、液滴は、疎水性液滴である。特定の実施形態において、ウェルのアレイは、親水性表面を有する。特定の他の実施形態において、ウェルのアレイは、疎水性表面を有する。特定の他の実施形態において、基板は、親水性表面を含む。特定の他の実施形態において、基板は、疎水性表面を含む。特定の実施形態において、上記方法は、一連の電極で電気的アクチュエーション力を発生させて、混合物をウェルのアレイへ移動させてウェルをシールすることをさらに含む。
【００４９】
特定の実施形態において、アレイの１つ又はそれより多くのウェルに少なくとも１つの固体支持体が装填される。特定の他の実施形態において、装填することは、磁場を印加して、アレイの１つ又はそれより多くのウェルへの少なくとも１つの固体支持体の移動を促進することを含む。特定の他の実施形態において、上記方法は、装填後に、アレイのウェル内に装填されなかった固体支持体があればこれを除去することをさらに含む。特定の他の実施形態において、除去することは、一連の電極で電気的アクチュエーション力を発生させて、分極可能な流体小滴をウェルのアレイまで移動させ、混合物の少なくとも一部をウェルのアレイから所定距離まで移動させることを含む。特定の他の実施形態において、除去することは、一連の電極で電気的アクチュエーション力を発生させて、水性洗浄用小滴をウェルのアレイにわたって移動させることを含む。
【００５０】
特定の他の実施形態において、上記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われる。
【００５１】
特定の実施形態において、測定することは、ウェルのアレイ内の固体支持体の総数を求めることを伴う。特定の実施形態において、測定することは、検出可能標識を含有するアレイのウェル内の固体支持体の数を求めることを伴う。特定の実施形態において、測定することは、検出可能標識を含有する固体支持体の数をウェルのアレイ内の固体支持体の総数から差し引いて、検出可能標識を含有しないウェルのアレイ内の固体支持体の数を求めることを伴う。特定の実施形態において、測定することは、検出可能標識を含有しない固体支持体の数に対する検出可能標識を含有する固体支持体の比を求めることを伴う。
【００５２】
また、本明細書において、ウェルに粒子を装填する方法が開示され、上記方法は、複数の電極で電場を発生させて、マイクロ粒子を含有する液滴をウェルのアレイへ移動させることであって、ウェルのアレイの１つ又はそれより多くのウェルはその中に装填された粒子を有するのに十分なサイズのものである、ことと；１つ又はそれより多くのウェルに粒子を装填することと；複数の電極で電場を発生させて、分極可能な流体小滴をウェルのアレイへ移動させてウェルのアレイをシールすることと、を含む。
【００５３】
いくつかの実施形態において、上記方法は、電場を用いてウェルのアレイの上で液滴を位置決めすることをさらに含む。いくつかの実施形態において、上記方法は、ウェルのアレイへの液滴の移動を促進するように構成された毛管要素を用いて、ウェルのアレイの上で液滴を位置決めすることをさらに含む。いくつかの実施形態において、粒子は、磁気ビーズである。いくつかの実施形態において、装填することは、磁場を印加して、アレイの１つ又はそれより多くのウェル内への１つ又はそれより多くの磁気ビーズの移動を促進することを含む。いくつかの実施形態において、ウェルのアレイは、親水性表面を有する。いくつかの実施形態において、ウェルのアレイは、疎水性表面を有する。いくつかの実施形態において、電場を発生させることは、交流電流を発生させることを含む。特定の実施形態において、交流電流は、１０Ｖ以上の二乗平均平方根（ｒｍｓ）電圧を有する。特定の実施形態において、交流電流は、無線周波数範囲内の周波数を有する。
【００５４】
また、本明細書において、デジタルマイクロ流体及び検体検出デバイスを形成する方法が開示され、上記方法は、第１の基板を含む第１のロールの巻きを解いて、第１の基板の第１の部分を第１の位置に位置決めすることと；第１の位置において、第１の基板の第１の部分に複数の電極を形成することと；第２の位置において、第１の基板の第２の部分にウェルのアレイを形成することと、を含む。
【００５５】
いくつかの実施形態において、上記方法は、ウェルのアレイを形成する前に、第１のロールの巻を解いて、第１の基板の第１の部分に隣接した第２の部分を第２の位置に位置決めすることをさらに含む。いくつかの実施形態において、上記方法は、第２の基板を含む第２のロールの巻きを解いて、第３の基板の第３の部分を第３の位置に位置決めすることと；第３の位置において、第２の基板を第１の基板から離間させて位置決めするのに十分な様式で第２の基板を第１の基板に貼り合わせることと、をさらに含む。
【００５６】
また、本明細書において、集積デジタルマイクロ流体及び検体検出デバイスを形成する方法が開示され、上記方法は、第１の基板を含む第１のロールの巻きを解いて、第１の基板の第１の部分を第１の位置に位置決めすることと；第１の位置において、第１の基板の第１の部分に複数の電極を形成することと；第２の基板を含む第２のロールの巻きを解いて、第２の基板の第２の部分を第２の位置に位置決めすることと；第２の位置において、第２の部分にウェルのアレイを形成することと；第２の基板を第１の基板から離間させて位置決めし、且つ第２の部分を第１の部分の上方に位置決めするか又は第１の基板の第１の部分に隣接する第３の部分の上方に位置決めし、ウェルのアレイが第１の基板に面するようにするのに十分な様式で、第２の基板を第１の基板に貼り合わせることと、を含む。
【００５７】
いくつかの実施形態において、ウェルのアレイを形成することは、熱若しくは紫外線ナノインプリントリソグラフィ、ナノインプリントローラ、レーザアブレーションを使用することを含むか、又はウェルのアレイを含むあらかじめ製作された基板を第１の基板の第１の部分へ貼り合わせることによる。いくつかの実施形態において、上記方法は、第１の基板に強い熱、圧力、又は紫外線をかけて、型を用いて第１の基板上又は基板内にフォノン構造を形成することをさらに含む。
【００５８】
いくつかの実施形態において、上記方法は、プリンタデバイスを用いて、一連の電極上に疎水性及び／又は誘電性材料を塗工することをさらに含む。いくつかの実施形態において、疎水性及び／又は誘電性材料は、硬化材料を含む。いくつかの実施形態において、上記方法は、熱又は紫外線を印加して、前記塗工された疎水性及び／又は誘電性材料を硬化することをさらに含む。いくつかの実施形態において、上記方法は、第１及び第２の基板をダイシングして、第１及び第２の部分を含む貼り合わされた基板を生成することをさらに含む。
【００５９】
また、本明細書において、液滴中の対象検体を検出する方法が開示され、上記方法は、対象検体を含む第１の液滴を準備することと；特異的結合メンバー及び標識化検体を含む第２の液滴を準備することであって、結合メンバーは少なくとも１つの固体支持体上に固定化されており、特異的結合メンバーは対象検体に特異的に結合するものであり、標識化検体は検出可能標識で標識された対象検体である、ことと；力を及ぼすエネルギーを用いて、第１の液滴を第２の液滴と共に操作して混合物を作製することと；混合物の全部又は少なくとも一部をウェルのアレイへ移動させることであって、アレイの１つ又はそれより多くのウェルは、少なくとも１つの固体支持体を収容するのに十分なサイズである、ことと、を含む。
【００６０】
また、本明細書において、液滴中の対象検体を検出する方法が開示され、上記方法は、対象検体を含む第１の液滴を準備することと；固定化検体及び少なくとも１つの特異的結合メンバーを含む第２の液滴を準備することであって、固定化検体は、少なくとも１つの固体支持体上に固定化された対象検体であり、少なくとも１つの特異的結合メンバーは、対象検体に特異的に結合するものであり、少なくとも１つの特異的結合メンバーは、検出可能標識で標識されている、ことと；力を及ぼすエネルギーを用いて、第１の液滴を第２の液滴と共に操作して混合物を作製することと；混合物の全部又は少なくとも一部をウェルのアレイへ移動させることであって、アレイの１つ又はそれより多くのウェルは、少なくとも１つの固体支持体を収容するのに十分なサイズである、ことと；ウェル内の対象検体を検出することと、を含む。
【図面の簡単な説明】
【００６１】
【図１Ａ】一実施形態による集積デジタルマイクロ流体及び検体検出デバイスの側面図を示す。
【図１Ｂ】別の実施形態による集積デジタルマイクロ流体及び検体検出デバイスの側面図を示す。
【図２Ａ】一実施形態による集積デジタルマイクロ流体及び検体検出デバイスの側面図を示す。
【図２Ｂ】別の実施形態による集積デジタルマイクロ流体及び検体検出デバイスの側面図を示す。
【図３Ａ】図２Ａのデバイスの側面図をデバイス内で移動している液滴と共に示す。
【図３Ｂ】図２Ｂのデバイスの側面図をデバイス内で移動している小滴と共に示す。
【図４Ａ】図２Ａの側面図を、ウェルのアレイの上へ移動している粒子／ビーズを含有する小滴と共に示す。
【図４Ｂ】図２Ｂのデバイスの側面図を、不混和性流体と共にウェルのアレイの上へ移動している粒子／ビーズを含有する小滴と共に示す。
【図５】デバイスの親水性毛管領域を用いてウェルのアレイの上を移動している水滴を示す。
【図６】ウェルのアレイの上を移動している水滴を示す。
【図７Ａ】ウェルの側壁の例示的な配向を示す。
【図７Ｂ】ウェルの側壁の例示的な配向を示す。
【図８】デジタルマイクロ流体及び検体検出デバイスの第２の（例えば下部）基板の製作の一例を示す。
【図９】デジタルマイクロ流体及び検体検出デバイスの第１の（例えば上部）基板の製作の一例を示す。
【図１０】上部基板及び下部基板を組立てて複数のデジタルマイクロ流体及び検体検出デバイスを製造する一例を示す。
【図１１Ａ】本開示の例示的なデジタルマイクロ流体及び検体検出デバイスの下部基板を上から見た平面図を示す。
【図１１Ｂ】本開示の例示的なデジタルマイクロ流体及び検体検出デバイスの下部基板を上から見た平面図を示す。
【図１２Ａ】ウェルのアレイを製作して、集積デジタルマイクロ流体及び検体検出デバイスにする例を示す。
【図１２Ｂ】ウェルのアレイを製作して、集積デジタルマイクロ流体及び検体検出デバイスにする例を示す。
【図１２Ｃ】ウェルのアレイを製作して、集積デジタルマイクロ流体及び検体検出デバイスにする例を示す。
【図１２Ｄ】ウェルのアレイを製作して、集積デジタルマイクロ流体及び検体検出デバイスにする例を示す。
【図１３Ａ】集積マイクロ流体及び検体デバイスの表面弾性波構成要素並びにウェルのアレイの一実施形態の側面図を示す。
【図１３Ｂ】集積マイクロ流体及び検体デバイスの表面弾性波構成要素並びにウェルのアレイの別の実施形態の側面図を示す。
【図１４Ａ】サンプル調製構成要素及びウェルアレイ構成要素の製作の一例を示す。
【図１４Ｂ】サンプル調製構成要素及びウェルアレイ構成要素の製作の一例を示す。
【図１５】本開示の例示的な方法を示す。
【図１６】図示したデバイスのウェル内に位置していないビーズを除去するための例示的な方法を示す。
【図１７】図示したデバイスのウェル内に位置していないビーズを除去するための別の例示的な方法を示す。
【図１８】低コストＤＭＦチップの製作プロセスの概略図を示す。
【図１９】図１８の概略図に従って製作される単一の可撓性チップを示す。
【図２０】本開示の実施形態による、ＤＭＦチップにおける小滴のアクチュエーションを示す。
【図２１Ａ】本開示の実施形態による、ＤＭＦチップにおけるイムノアッセイの遂行を示す。
【図２１Ｂ】本開示の実施形態による、ＤＭＦチップにおけるイムノアッセイの遂行を示す。
【図２１Ｃ】本開示の実施形態による、ＤＭＦチップにおけるイムノアッセイの遂行を示す。
【図２１Ｄ】本開示の実施形態による、ＤＭＦチップにおけるイムノアッセイの遂行を示す。
【図２１Ｅ】本開示の実施形態による、ＤＭＦチップにおけるイムノアッセイの遂行を示す。
【図２２Ａ】本開示の実施形態による、ＤＭＦ上部電極チップ及びウェルアレイの設計及び製作方法を示す概略図である。
【図２２Ｂ】本開示の実施形態による、ＤＭＦ上部電極チップ及びウェルアレイの設計及び製作方法を示す概略図である。
【図２３】本開示の実施形態による、ウェル設計の概略図を示す。
【図２４Ａ】本開示の実施形態による、ウェル間隔形式を示す概略図である。
【図２４Ｂ】本開示の実施形態による、ウェル間隔形式を示す概略図である。
【図２５】本開示の実施形態による、ウェルのアレイの拡大された光学像の集合である。
【図２６】本開示の実施形態による、ＤＭＦ上部電極チップ及びウェルアレイからの集積ＤＭＦウェルデバイスの組立てを示す概略図である。
【図２７Ａ】本開示の実施形態による、集積ＤＭＦウェルデバイス上で行われるイムノアッセイを示す概略図である。
【図２７Ｂ】本開示の実施形態による、集積ＤＭＦウェルデバイス上で行われるイムノアッセイを示す概略図である。
【図２７Ｃ】本開示の実施形態による、集積ＤＭＦウェルデバイス上で行われるイムノアッセイを示す概略図である。
【図２７Ｄ】本開示の実施形態による、集積ＤＭＦウェルデバイス上で行われるイムノアッセイを示す概略図である。
【図２７Ｅ】本開示の実施形態による、集積ＤＭＦウェルデバイス上で行われるイムノアッセイを示す概略図である。
【図２７Ｆ】本開示の実施形態による、集積ＤＭＦウェルデバイス上で行われるイムノアッセイを示す概略図である。
【図２７Ｇ】本開示の実施形態による、集積ＤＭＦウェルデバイス上で行われるイムノアッセイを示す概略図である。
【図２８】本開示の実施形態による、ウェルアレイにおけるデジタル蛍光検出と連結された、酵素結合免疫吸着アッセイ（ＥＬＩＳＡ）ベースのサンドイッチイムノアッセイの概略図である。
【図２９】本開示の実施形態による、ＤＭＦで導かれるウェルアレイへのマイクロ粒子の上部装填のための構成要素を模式的に示す。
【図３０Ａ】本開示の実施形態による、集積ＤＭＦウェルデバイスを用いた甲状腺刺激ホルモン（ＴＳＨ）イムノアッセイのステップを示す概略図である。
【図３０Ｂ】本開示の実施形態による、集積ＤＭＦウェルデバイスを用いた甲状腺刺激ホルモン（ＴＳＨ）イムノアッセイのステップを示す概略図である。
【図３０Ｃ】本開示の実施形態による、集積ＤＭＦウェルデバイスを用いた甲状腺刺激ホルモン（ＴＳＨ）イムノアッセイのステップを示す概略図である。
【図３０Ｄ】本開示の実施形態による、集積ＤＭＦウェルデバイスを用いた甲状腺刺激ホルモン（ＴＳＨ）イムノアッセイのステップを示す概略図である。
【発明を実施するための形態】
【００６２】
集積マイクロ流体及び検体検出デバイスが開示される。また、本明細書において、集積マイクロ流体及び検体検出デバイスを使用するための方法並びに関連のシステムが提供される。
【００６３】
本発明をより詳細に記載する前に、記載する特定の実施形態は当然変動し得るので、本発明はかかるものに限定されないことを理解されたい。本発明の範囲は、添付の特許請求の範囲によってのみ限定されるので、本明細書において使用する用語は、特定の実施形態を記述することのみを目的としたものであり、限定を意図したものではないこともまた理解されたい。
【００６４】
本明細書及び添付の特許請求の範囲において、単数形「ａ」、「ａｎ」、及び「ｔｈｅ」は、文脈が明らかに別様に規定しない限り、複数の指示物を包含することに留意されたい。それゆえ、例えば、「（ａｎ）電極」に言及することは、複数のかかる電極を包含し、「（ｔｈｅ）ウェル」への言及は、１つ又はそれより多くのウェル及び当業者に公知のその均等物への言及を包含し、以下同様である。
【００６５】
本明細書において言及されるすべての刊行物は、それら刊行物が引用された事項に関連して、方法及び／又は材料を開示し及び記載するために、引用により本明細書に組み入れられる。本開示は、本開示と参照により組み入れられた刊行物との間に矛盾が存在する限度まで優先する。
【００６６】
詳細な説明
本開示の実施形態は、サンプル中の検体の分析のための方法、システム、及びデバイスに関する。特定の実施形態において、サンプルは生物学的サンプルであり得る。
【００６７】
定義
本開示の実施形態を記載する前に、記載する特定の実施形態は当然変動し得るので、本発明はかかるものに限定されないことを理解すべきである。本明細書において使用される用語は特定の実施形態を記述するのみの目的のためのものであり、限定するとは意図されないことも理解すべきである。
【００６８】
本明細書において使用されるとき、「含む、備える（ｃｏｍｐｒｉｓｅ（ｓ））」、「含む（ｉｎｃｌｕｄｅ（ｓ））」、「有している（ｈａｖｉｎｇ）」、「有する（ｈａｓ）」「できる（ｃａｎ）」「含有する（ｃｏｎｔａｉｎ（ｓ））」、及びそれらの変形は、付加的な動作又は構造の可能性を除外しないオープンエンドの移行句、用語、又は単語であることが意図される。単数形「ａ」、「ａｎ」及び「ｔｈｅ」には、文脈が明らかに別様に規定しない限り複数の指示物が包含される。本開示は、明瞭に説明されているか否かに関わらず、本明細書において提示される実施形態又は要素を、「含む」、「からなる」、及び「から本質的になる」他の実施形態も企図する。
【００６９】
本明細書における数値範囲の列挙に関して、同程度の精度でその間に介在する各々の数が明示的に企図される。例えば、６〜９の範囲については、数７及び８が、６及び９に加えて企図され、６．０〜７．０の範囲については、数６．０、６．１、６．２、６．３、６．４、６．５、６．６、６．７、６．８、６．９及び７．０が明示的に企図される。
【００７０】
「親和性」及び「結合親和性」は、本明細書において互換的に使用されるとき、検体に対する結合メンバーの結合の傾向又は強さを指す。例えば、結合親和性は、平衡解離定数（ＫD）、解離速度（ｋd）、又は会合速度（ｋa）によって表わすことができる。
【００７１】
「類似体」は、本明細書において使用されるとき、対象となる分子に類似する構造を有する分子（例えばヌクレオシド類似体、ヌクレオチド類似体、糖リン酸塩類似体、検体類似体等）を指す。検体類似体は、ある検体に構造的に類似するが、結合メンバーがそれに対する異なる親和性を有する分子である。
【００７２】
「アプタマー」は、本明細書において使用されるとき、小分子、タンパク質及びとりわけペプチドを含む予め選択された標的に対して高い親和性及び特異性で結合することができる、オリゴヌクレオチド又はペプチド分子を指す。アプタマーは、ヘリックス及び一本鎖ループを形成するその傾向に起因して、様々な形を呈することができる。オリゴヌクレオチド又は核酸のアプタマーは、一本鎖のＤＮＡ又はＲＮＡ（ｓｓＤＮＡ又はｓｓＲＮＡ）分子であり得る。ペプチドアプタマーは、両方の端部でタンパク質スキャフォールドに付着する、短い可変ペプチドドメインを含むことができる。
【００７３】
「ビーズ」及び「粒子」は、本明細書において互換的に使用され、実質的に球状の固体支持体を指す。
【００７４】
「構成要素」、「構成要素（複数）」、又は「少なくとも１つの構成要素」は、一般に、捕捉抗体、検出試薬又はコンジュゲート、キャリブレータ、対照、感受性パネル、容器、バッファー、希釈液、塩、酵素、酵素に対する補因子、検出試薬、前処理試薬／溶液、基質（例えば溶液として）、停止溶液及びこれらに類するものを指し、それらは、患者の尿、血清、全血、組織吸引物、又は血漿サンプルなどの試験サンプルを本明細書において記載される方法及び当技術分野において公知の他の方法に従ってアッセイするためのキット中に含まれ得る。いくつかの構成要素は、溶液中にあるか、又はアッセイにおける使用のための再構成用に凍結乾燥され得る。
【００７５】
「デジタルマイクロ流体（ＤＭＦ）」、「デジタルマイクロ流体モジュール（ＤＭＦモジュール）」、又は「デジタルマイクロ流体デバイス（ＤＭＦデバイス）」は、本明細書において互換的に使用されるとき、デジタル又は小滴ベースのマイクロ流体技法を利用して、小滴の形状の離散的な小体積の液体の操作を提供するモジュール又はデバイスを指す。デジタルマイクロ流体は、エマルション科学の原理を使用して、チャネル内へ流体分散（主に油中水滴型エマルション）を作り出す。それは、単分散の又は非常に低い多分散性の滴／泡の生成を可能にする。デジタルマイクロ流体は、再構成可能なネットワーク内での不連続な流体小滴の顕微操作に基づく。複雑な指示を、小滴の形成、移動、分割、及び併合という基本動作を組み合わせることによってプログラムすることができる。
【００７６】
デジタルマイクロ流体は、二進電気シグナルによって操作することができる流体の離散的体積上で動作する。離散的な単位体積小滴を使用することによって、マイクロ流体動作は、繰り返される基本動作（すなわち１単位の流体が１単位の距離にわたって移動すること）のセットとして定義することができる。小滴は、液体の表面張力特性を用いて形成され得る。小滴のアクチュエーションは、小滴がその上に位置する底面の下方に設置された電極によって発生される静電力の存在に基づく。異なるタイプの静電力を使用して、小滴の形及び動きを制御することができる。前述の静電力を生ずるのに使用することができる１つの技法は、小滴と周囲媒質との間の誘電率の差による誘電泳動に基づくものであり、高周波ＡＣ電場を利用することができる。前述の静電力を生ずるのに使用することができる別の技法は、エレクトロウェッティングに基づくものであり、これは、表面上に存在する液滴と該表面との間の表面張力の、該表面に印加された電場に対する依存性によるものである。
【００７７】
「抗力タグ（ｄｒａｇ−ｔａｇ）」は移動度改質剤を指す。抗力タグは、大型、水溶性、且つ完全単分散となるように設計された、遺伝子工学によって合成された高度に反復的なポリペプチド（「タンパク質ポリマー」）であり得る。正に荷電したアルギニンをアミノ酸配列内へ規則的間隔で故意に導入して、抗力タグの長さを増大させることなく流体力学的抗力を増大させることができる。抗力タグは、特許文献１（米国特許出願公開第２０１２０１４１９９７号）に記載されており、これは引用により本明細書に組み入れられる。
【００７８】
「酵素切断可能な配列」は、本明細書において使用されるとき、酵素によって切断することができる任意の核酸配列を指す。例えば、この酵素は、プロテアーゼ、又は制限エンドヌクレアーゼ（制限酵素とも呼ばれる）などのエンドヌクレアーゼであり得る。制限エンドヌクレアーゼは、所定のヌクレオチド間の特異的なＤＮＡ切断部位においてＤＮＡ分子を認識し切断することができる。例えばＦｏｋｌなどのいくつかのエンドヌクレアーゼは、ＤＮＡを特定の位置で、この位置に存在するヌクレオチドにかかわらず非特異的に切断する、切断ドメインを含む。いくつかの実施形態において、制限エンドヌクレアーゼの特異的なＤＮＡ切断部位とＤＮＡ認識部位とは同一である。
【００７９】
「球状タンパク質」は、大まかに球状の形を有する水溶性タンパク質を指す。球状タンパク質の例には、オボアルブミン、ベータ−グロブリン、Ｃ反応性タンパク質、フィブリン、ヘモグロビン、ＩｇＧ及びＩｇＭ、及びトロンビンが含まれるが、これらに限定されない。
【００８０】
「標識」又は「検出可能標識」は、本明細書において互換的に使用されるとき、特異的結合メンバー又は検体に付着して、特異的結合メンバーと検体との間の反応を検出可能にする部分を指し、そのように標識された特異的結合メンバー又は検体は、「検出可能に標識された」と称される。標識は、目視又は機器的手段によって検出可能なシグナルを生成することができる。種々の標識には、（ｉ）切断可能なリンカーによって特異的結合メンバー又は検体に付着するタグ、又は（ｉｉ）色原体、蛍光化合物、酵素、化学発光化合物、放射性化合物及びそれに類するようなシグナル生成物質が含まれる。標識の代表例は、光を発生する部分、例えばアクリジニウム化合物、及び蛍光を発生する部分、例えばフルオレセインを含む。他の標識は、本明細書に記載されている。この点に関して、部分は、それ自体が検出可能でなくてもよいが、さらに別の部分と反応すると検出可能になるものであってもよい。「検出可能に標識された」という用語の使用は、かかる標識化を包含することが意図される。
【００８１】
「マイクロ粒子」及び「マイクロビーズ」は、本明細書において互換的に用いられ、ウェルのアレイ内、例えば検出モジュールのウェルのアレイ内などを占有し又はその中に沈降することが可能なマイクロビーズ又はマイクロ粒子を意味する。マイクロ粒子及びマイクロビーズは、対象検体と、少なくとも１つの検出可能標識に結合する、少なくとも１つの特異的結合メンバーを含有することができる。あるいは、マイクロ粒子及びマイクロビーズは、検体に結合する第１の特異的結合メンバーと、検体に結合するとともに少なくとも１つの検出可能標識を含有する第２の特異的結合メンバーとを含有することができる。
【００８２】
「核酸塩基」又は「塩基」は、ポリマーの生成ための、核酸若しくはポリヌクレオチド技術又はペプチド核酸技術の技術分野において一般的に公知の、天然に存在する複素環部分及び合成の複素環部分を意味する。好適な核酸塩基の非限定例には、アデニン、シトシン、グアニン、チミン、ウラシル、５−プロピニル−ウラシル、２−チオ−５−プロピニル−ウラシル、５−メチルシトシン、シュードイソシトシン、２−チオウラシル及び２−チオチミン、２−アミノプリン、Ｎ９−（２−アミノ−６−クロロプリン）、Ｎ９−（２，６−ジアミノプリン）、ヒポキサンチン、Ｎ９−（７−デアザ−グアニン）、Ｎ９−（７−デアザ−８−アザ−グアニン）及びＮ８−（７−デアザ−８−アザ−アデニン）が含まれる。核酸塩基を他の部分に連結して、ヌクレオシド、ヌクレオチド、及びヌクレオシド／ヌクレオチド類似体を形成することができる。
【００８３】
「ヌクレオシド」は、プリン核酸塩基、デアザプリン核酸塩基、又はピリミジン核酸塩基、例えばアデニン、グアニン、シトシン、ウラシル、チミン、７−デアザアデニン、７−デアザグアノシンが、リボース、２’−デオキシリボース、又は２’，３’−ジ−デオキシリボースなどのペントース糖の１’位のアノマー炭素に連結されたものからなる化合物を指す。
【００８４】
「ヌクレオチド」は、本明細書において使用されるとき、ヌクレオシドのリン酸エステル、例えば一リン酸エステル、二リン酸エステル、又は三リン酸エステルを指し、ここでエステル化の最も一般的な部位は、ペントースのＣ−５位に付いているヒドロキシル基である。
【００８５】
「核酸塩基ポリマー」又は「核酸塩基オリゴマー」は、リンケージによって接続されてオリゴマーを形成した２つ以上の核酸塩基を指す。核酸塩基ポリマー又はオリゴマーには、ポリヌクレオチド及びオリゴヌクレオチド（例えばＤＮＡ及びＲＮＡポリマー及びオリゴマー）、ポリヌクレオチド類似体及びオリゴヌクレオチド類似体並びにポリヌクレオチド模倣体及びオリゴヌクレオチド模倣体（ポリアミド又はペプチド核酸など）が含まれるが、これらに限定されない。核酸塩基ポリマー又はオリゴマーのサイズは、数個の核酸塩基から数百の核酸塩基まで又は数千の核酸塩基まで変動することができる。核酸塩基ポリマー又はオリゴマーは、約２から１００までの核酸塩基又は約８０００から１００００までの核酸塩基を含み得る。例えば、核酸塩基ポリマー又はオリゴマーは、少なくとも約２つの核酸塩基、少なくとも約５つの核酸塩基、少なくとも約１０の核酸塩基、少なくとも約２０の核酸塩基、少なくとも約３０の核酸塩基、少なくとも約４０の核酸塩基、少なくとも約５０の核酸塩基、少なくとも約６０の核酸塩基、少なくとも約７０の核酸塩基、少なくとも約８０の核酸塩基、少なくとも約９０の核酸塩基、少なくとも約１００の核酸塩基、少なくとも約２００の核酸塩基、少なくとも約３００の核酸塩基、少なくとも約４００の核酸塩基、少なくとも約５００の核酸塩基、少なくとも約６００の核酸塩基、少なくとも約７００の核酸塩基、少なくとも約８００の核酸塩基、少なくとも約９００の核酸塩基、少なくとも約１０００の核酸塩基、少なくとも約２０００の核酸塩基、少なくとも約３０００の核酸塩基、少なくとも約４０００の核酸塩基、少なくとも約５０００の核酸塩基、少なくとも約６０００の核酸塩基、少なくとも約７０００の核酸塩基、少なくとも約８０００の核酸塩基、少なくとも約９０００の核酸塩基、又は少なくとも約１００００の核酸塩基を有することができる。
【００８６】
「ポリマーブラシ」は、１つの端部により表面に付着したポリマーの層を指す。ポリマーは互いに近接して、それ自体の環境を形成する層又はコーティングを形成する。ブラシは、ダングリング鎖が溶媒の中に沈められているときには溶媒状態、又はダングリング鎖が利用可能な空間を完全に満たしているときには溶融状態、そのどちらかであり得る。加えて、ポリマー鎖それ自体が静電荷を持っている場合、別個のクラスの高分子電解質ブラシが存在する。ブラシは、高密度のグラフト鎖によって特徴づけることができる。このとき、限られた空間は、鎖の強い伸長及び系の独特の性質をもたらす。ブラシは、コロイドを安定化し、表面間の摩擦を低減させ、人工関節における潤滑を提供するために用いることができる。
【００８７】
「ポリヌクレオチド」又は「オリゴヌクレオチド」は、核酸塩基が糖リン酸リンケージ（糖−リン酸バックボーン）によって接続された、核酸塩基ポリマー又はオリゴマーを指す。例示的なポリヌクレオチド及びオリゴヌクレオチドには、２’−デオキシリボヌクレオチドのポリマー（ＤＮＡ）及びリボヌクレオチドのポリマー（ＲＮＡ）が含まれる。ポリヌクレオチドは、完全にリボヌクレオチドのもの、完全に２’−デオキシリボヌクレオチドのもの、又はその組み合わせから構成され得る。核酸という用語は、ポリヌクレオチド及びオリゴヌクレオチドという用語を包含し、ヌクレオチドモノマーの一本鎖ポリマー及び二本鎖ポリマーを含む。
【００８８】
「ポリヌクレオチド類似体」又は「オリゴヌクレオチド類似体」は、核酸塩基が１つ又はそれより多くの糖リン酸類似体を含む糖リン酸バックボーンによって接続された、核酸塩基ポリマー又はオリゴマーを指す。典型的な糖リン酸類似体には、糖アルキルホスホネート、糖ホスホロアミダイト、糖アルキル−又は置換アルキルホスホトリエステル、糖ホスホロチオエート、糖ホスホロジチオエート、糖が２’−デオキシリボース又はリボース以外である糖リン酸及び糖リン酸類似体、特許文献２（米国特許第６，０１３，７８５号）及び特許文献３（米国特許第５，６９６，２５３号）に記載されているような正に荷電した糖グアニジルインターリンケージを有する核酸塩基ポリマーが含まれるが、これらに限定されない。
【００８９】
「受容体」は、本明細書において使用されるとき、内在性化学シグナルを認識し、それに応答するタンパク質分子を指す。かかる内在性化学シグナルが受容体へ結合したとき、それらは、いくつかの形態の細胞応答／組織応答を引き起こす。受容体の例には、神経受容体、ホルモン受容体、栄養受容体、及び細胞表面受容体が含まれるが、これらに限定されない。
【００９０】
本明細書において使用されるとき、「スペーサー」は、特異的結合メンバーから切断可能な基を延長する化学的部分、又は結合メンバーと支持体との間のリンケージを提供する化学的部分、又は光切断可能な部分から標識／タグを延長する化学的部分を指す。いくつかの実施形態において、特異的結合メンバーから配列を至適に引き離すために、１つ又はそれより多くのスペーサーを、ポリペプチド又はヌクレオチドベースのタグ又は標識のＮ末端又はＣ末端に含めることができる。スペーサーには、６−アミノカプロン酸、６−アミノヘキサン酸；１，３−ジアミノプロパン；１，３−ジアミノエタン；ポリエチレングリコール（ＰＥＧ）ポリマー基、及びポリグリシン配列のような１から５までのアミノ酸の短いアミノ酸配列が含まれ得るが、これらに限定されない。
【００９１】
「特異的結合パートナー」又は「特異的結合メンバー」は、本明細書において互換的に使用されるとき、一方の分子が他方の分子を、それ以外の実質的に認識がより弱い分子と比べて特異的に認識する、２つの異なる分子のうちの一方を指す。２つの異なる分子のうちの一方は、表面上に又は空洞内にある領域を有し、この領域は、他方の分子と特異的に結合し、それにより他方の分子の特定の空間的及び極性構成に対して相補的であると定義される。分子は、特異的結合ペアのメンバーであり得る。例えば、特異的結合メンバーには、受容体、酵素、抗体及びアプタマーなどのタンパク質、ペプチド、ヌクレオチド、オリゴヌクレオチド、ポリヌクレオチド及びこれらの組合せが含まれ得るが、これらに限定されない。
【００９２】
本明細書において使用されるとき、「タグ（単数）」又は「タグ分子」は両方とも、サンプル中の検体のレベルの指標を提供するために使用される分子（例えば、標的検体から解離される第２の結合メンバーから切断される）を指す。これらの用語は、単一のタグ分子又は複数の同じタグ分子を指す。同様に、「タグ（複数）」は、特に指示がない限り、１つのタグ、又は１つ又はそれより多くのタグを指す。
【００９３】
「トレーサー」は、本明細書において使用されるとき、タグ又は標識へコンジュゲートされた検体又は検体断片を指し、ここでタグ又は標識へコンジュゲートされた検体は、その検体に対して特異的な抗体上の部位に関して、検体と有効に競合することができる。例えば、トレーサーは、シクロスポリン又はその類似体ＩＳＡ２４７、ビタミンＤ及びその類似体、性ホルモン及びそれらの類似体、等のように、検体又は検体の類似体とすることができる。
【００９４】
特段の定めのない限り、本明細書において使用されるすべての技術用語及び科学用語は、当業者が通常理解しているのと同じ意味を有する。矛盾する場合は、本文書が、定義を含めて、優先されるものとする。本発明の実践又は試験において、本明細書に記載される方法及び材料に類似の又は均等な方法及び材料を使用することができるが、好ましい方法及び材料を後述する。本明細書において言及されるすべての刊行物、特許出願、特許及び他の参照は、それら刊行物が引用された事項に関連して、方法及び／又は材料を開示し及び記載するために、引用によりその全体が本明細書に組み入れられる。本明細書において開示される材料、方法、及び実施例は、単に説明的なものであり、限定を意図したものではない。
【００９５】
検体分析のための方法
検体分析のための方法が本明細書において提供される。本方法は、単一分子をカウントすることを伴い得る。特定の実施形態において、検体分析のための方法は、サンプル中に存在する検体を評価することを伴い得る。特定の実施形態において、評価は、サンプル中の検体の存在及び／又は濃度を判定するために使用することができる。特定の実施形態において、本方法は、サンプル中に存在する複数の異なる検体の存在及び／又は濃度を判定するために使用することもできる。
【００９６】
本明細書において、液滴中の対象検体を検出するための方法が提供される（ここで対象検体は、試験サンプル又は生物学的サンプル由来のものである）。この方法は、対象検体を含有する第１の液滴を準備することと、対象検体に結合する特異的結合メンバーを含有する少なくとも１つの固体支持体（例えば磁性固体支持体（ビーズなど）など）を含有する第２の液滴を準備することと、力を及ぼすエネルギーを用いて、第１の液滴（これは対象検体を含有する）を第２の液体（少なくとも１つの固体支持体を含有する）と共に操作して混合物を作製することと、該混合物の全部又は少なくとも一部をウェルのアレイへ移動させることと（ここでアレイの１つ又はそれより多くのウェルは、少なくとも１つの固体支持体を収容するのに十分なサイズである）、混合物の一部をウェルのアレイへ移動させる前、後又は前後両方に、混合物に少なくとも１つの検出可能標識を添加することと、ウェル内の対象検体を検出することと、を含む。特定の実施形態において、「力を及ぼすエネルギーを用いて、第１の液滴を第２の液滴と共に操作すること」は、少なくとも第１及び第２の液滴（及び随意に付加的な小滴）を操作（併合する又は組み合わせるなど）して混合物にする力を提供する又は及ぼすための、非機械的な力（すなわち、例えば、ポンプ及び／又は弁を使用せずに作り出されるエネルギー）の使用を意味する。本明細書で記載する方法で使用することができる非機械的な力の例には、電気的アクチュエーション力（小滴アクチュエーション、電気泳動、エレクトロウェッティング、誘電泳動、静電アクチュエーション、電場媒介、電極媒介、毛管力、クロマトグラフィ、遠心分離又は吸引など）及び／又は音響力（表面弾性波（又は「ＳＡＷ」）など）が含まれる。特定の実施形態において、発生される電気的アクチュエーション力は、交流電流である。例えば、交流電流は、１０Ｖ、１５Ｖ、２０Ｖ、２５Ｖ、３０Ｖ、３５Ｖ以上の二乗平均平方根（ｒｍｓ）電圧を有し得る。例えば、かかる交流電流は、１０Ｖ以上、１５Ｖ以上、２０Ｖ以上、２５Ｖ以上、３０Ｖ以上、又は３５Ｖ以上のｒｍｓ電圧を有し得る。あるいは、交流電流は、無線周波数範囲の周波数を有し得る。
【００９７】
特定の実施形態において、磁性固体支持体が用いられる場合、電気的アクチュエーション力及び磁場を印加することができ、混合物の少なくとも一部に対して反対方向から印加される。特定の他の実施形態において、混合物は、これを前後に、円形パターンに動かすことによって、又はこれを２つ以上のサブ混合物に分割し、次いでサブ混合物を併合することによって混合される。特定の他の実施形態によって、電気的アクチュエーション力は、一連の又は複数の電極（すなわち、少なくとも２以上、少なくとも３以上、少なくとも４以上、少なくとも５以上、少なくとも６以上、少なくとも７以上、少なくとも８以上、少なくとも９以上、少なくとも１０以上、少なくとも１１以上、少なくとも１２以上、少なくとも１３以上、少なくとも１４以上、少なくとも１５以上、等）を用いて発生させることができ、ウェル（これらには少なくとも１つの固体支持体が装填される）をシールするために混合物をウェルのアレイへ移動させる。
【００９８】
特定の実施形態において、混合物の全部又は少なくとも一部をウェルのアレイへ移動させると、その結果、少なくとも１つの固体支持体がウェルのアレイ内に装填（充填及び／又は配置）される。特定の実施形態において、磁場を使用して、混合物の、それゆえ少なくとも１つの固体支持体の、アレイの１つ又はそれより多くのウェルへの移動が促進される。特定の実施形態において、少なくとも１つの固体支持体がウェル内に装填された後、ウェル内に装填されなかった固体支持体があれば、当技術分野で知られた慣例的な技術を用いてこれを除去することができる。例えば、かかる除去は、一連の又は複数の電極により電気的アクチュエーション力（本明細書で前述したようなもの）を発生させて、流体小滴（分極可能な流体小滴など）をウェルのアレイまで移動させて、混合物の少なくとも一部をウェルのアレイから所定距離（その長さは重要ではない）まで移動させることを伴い得る。特定の実施形態において、水性洗浄用液体を用いて、対象検体に結合していない固体支持体を除去することができる。かかる実施形態において、除去は、一連の又は複数の電極により電気的アクチュエーション力を発生させて、水性洗浄（又は洗浄用）小滴（第３の小滴）を、ウェルのアレイにわたって移動させることを伴う。この洗浄用に用いられる水性液体の量及びタイプは重要ではない。
【００９９】
特定の実施形態において、上記方法における混合物は、水性液体である。他の実施形態において、混合物は、不混和性液体である。他の実施形態において、液滴は、疎水性液滴である。他の実施形態において、液滴は、親水性液滴である。特定の実施形態において、上記方法において使用されるウェルのアレイは、疎水性表面を有する。他の実施形態において、ウェルのアレイは、親水性表面を有する。
【０１００】
特定の実施形態において、上記方法において用いられる第１の液滴は、分極可能な液体である。特定の実施形態において、上記方法において用いられる第２の液滴は、分極可能な液体である。特定の実施形態において、上記方法において用いられる第１及び第２の液滴は、分極可能な液体である。特定の実施形態において、混合物は、分極可能な液体である。特定の実施形態において、第１の小滴、第２の小滴及び混合物のうちの１つ又はそれより多くが分極可能な液体である。
【０１０１】
特定の実施形態において、少なくとも１つの固体支持体は、対象検体に特異的に結合する少なくとも１つの結合メンバーを含む。特定の実施形態において、混合物の少なくとも一部をウェルのアレイへ移動させる前に、検出可能標識が混合物に添加される。特定の他の実施形態において、対象検体の少なくとも一部を移動させた後に、検出可能標識が混合物に添加される。特定の実施形態において、検出可能標識は、対象検体に特異的に結合する少なくとも１つの結合メンバーを含む。特定の実施形態において、検出可能標識は、色原体、蛍光化合物、酵素、化学発光化合物又は放射性化合物を含む。特定の実施形態において、結合メンバーは、受容体、アプタマー又は抗体である。特定の実施形態において、上記方法は、ウェルのアレイへの混合物の移動を促進するように構成された毛管要素を用いて、混合物の少なくとも一部をウェルのアレイの上に位置決めすることをさらに含む。
【０１０２】
特定の実施形態において、本明細書に記載する方法は、マイクロ流体デバイスを用いて行われる。特定の実施形態において、本明細書に記載する方法は、デジタルマイクロ流体デバイス（ＤＭＦ）を用いて行われる。特定の実施形態において、本明細書に記載する方法は、表面弾性波ベースのマイクロ流体デバイス（ＳＡＷ）を用いて行われる。特定の実施形態において、本明細書に記載する方法は、集積されたＤＭＦ及び検体検出デバイスを用いて行われる。特定の実施形態において、本明細書に記載する方法は、集積された表面弾性波ベースのマイクロ流体デバイス及び検体検出デバイスを用いて行われる。特定の実施形態において、本明細書に記載する方法は、ロボット工学ベースのアッセイ処理ユニットを用いて行われる。
【０１０３】
本明細書において、液滴中の対象検体を検出するための方法が提供される（ここで対象検体は、試験サンプル又は生物学的サンプル由来のものである）。この方法は、対象検体を含有する第１の液滴を準備することと、対象検体に結合する特異的結合メンバーを含有する少なくとも１つの検出可能標識を含有する第２の液滴を準備することと、力を及ぼすエネルギーを用いて、第１の液滴（これは対象検体を含有する）を第２の液滴（少なくとも１つの固体支持体を含有する）と共に操作して混合物（すなわち、検体／検出可能標識−特異的結合メンバー複合体）を作製することと、該混合物の全部又は少なくとも一部をウェルのアレイへ移動させることと（ここでアレイの１つ又はそれより多くのウェルは、少なくとも１つの固体支持体を収容するのに十分なサイズである）、ウェル内の対象検体を検出することと、を含む。特定の実施形態において、「力を及ぼすエネルギーを用いて、第１の液滴を第２の液滴と共に操作すること」は、少なくとも第１及び第２の液滴（及び随意に付加的な小滴）を操作（併合する又は組み合わせるなど）して混合物にする力を提供する又は及ぼすための、非機械的な力（すなわち、例えば、ポンプ及び／又は弁を使用せずに作り出されるエネルギー）の使用を意味する。本明細書に記載する方法で使用することができる非機械な的力の例には、電気的アクチュエーション力（小滴アクチュエーション、電気泳動、エレクトロウェッティング、誘電泳動、静電アクチュエーション、電場媒介、電極媒介、毛管力、クロマトグラフィ、遠心分離又は吸引など）及び／又は音響力（表面弾性波（又は「ＳＡＷ」）など）が含まれる。特定の実施形態において、発生される電気的アクチュエーション力は、交流電流である。例えば、交流電流は、１０Ｖ、１５Ｖ、２０Ｖ、２５Ｖ、３０Ｖ、３５Ｖ以上の二乗平均平方根（ｒｍｓ）電圧を有し得る。例えば、かかる交流電流は、１０Ｖ以上、１５Ｖ以上、２０Ｖ以上、２５Ｖ以上、３０Ｖ以上、又は３５Ｖ以上のｒｍｓ電圧を有し得る。あるいは、交流電流は、無線周波数範囲の周波数を有し得る。
【０１０４】
特定の実施形態において、混合物は、これを前後に、円形パターンに動かすことによって、又はこれを２つ以上のサブ混合物に分割し、次いでサブ混合物を併合することによって混合される。特定の他の実施形態によって、電気的アクチュエーション力は、一連の又は複数の電極（すなわち、少なくとも２以上、少なくとも３以上、少なくとも４以上、少なくとも５以上、少なくとも６以上、少なくとも７以上、少なくとも８以上、少なくとも９以上、少なくとも１０以上、少なくとも１１以上、少なくとも１２以上、少なくとも１３以上、少なくとも１４以上、少なくとも１５以上、等）を用いて発生させることができ、ウェル（これらには少なくとも１つの固体支持体が装填される）をシールするために混合物をウェルのアレイへ移動させる。
【０１０５】
特定の実施形態において、混合物の全部又は少なくとも一部をウェルのアレへ移動させると、その結果、検体／検出可能標識−特異的結合メンバー複合体がウェルのアレイ内に装填（充填及び／又は配置）される。特定の実施形態において、磁場を使用して、混合物の、それゆえ少なくとも１つの検体／検出可能標識−特異的結合メンバー複合体の、アレイの１つ又はそれより多くのウェルへの移動が促進される。例えば、かかる除去は、一連の又は複数の電極により電気的アクチュエーション力（本明細書で前述したようなもの）を発生させて、流体小滴（分極可能な流体小滴など）をウェルのアレイまで移動させて、混合物の少なくとも一部をウェルのアレイから所定距離（その長さは重要ではない）まで移動させることを伴い得る。特定の実施形態において、水性洗浄用液体を用いて、対象検体に結合していない検出可能標識−特異的結合メンバーがあればこれを除去することができる。かかる実施形態において、除去は、一連の又は複数の電極により電気的アクチュエーション力を発生させて、水性洗浄（又は洗浄用）小滴（第３の小滴）を、ウェルのアレイにわたって移動させることを伴う。この洗浄用に用いられる水性液体の量及びタイプは、重要ではない。
【０１０６】
特定の実施形態において、上記方法における混合物は、水性液体である。他の実施形態において、混合物は、不混和性液体である。他の実施形態において、液滴は、疎水性液滴である。他の実施形態において、液滴は、親水性液滴である。特定の実施形態において、上記方法において使用されるウェルのアレイは、疎水性表面を有する。他の実施形態において、ウェルのアレイは、親水性表面を有する。
【０１０７】
特定の実施形態において、上記方法において用いられる第１の液滴は、分極可能な液体である。特定の実施形態において、上記方法において用いられる第２の液滴は、分極可能な液体である。特定の実施形態において、上記方法において用いられる第１及び第２の液滴は、分極可能な液体である。特定の実施形態において、混合物は、分極可能な液体である。特定の実施形態において、第１の小滴、第２の小滴及び混合物のうちの１つ又はそれより多くが分極可能な液体である。
【０１０８】
特定の実施形態において、検出可能標識は、少なくとも１つの固体支持体へ結合される。特定の実施形態において、検出可能標識は、色原体、蛍光化合物、酵素、化学発光化合物又は放射性化合物を含む。特定の実施形態において、結合メンバーは、受容体、アプタマー又は抗体である。特定の実施形態において、上記方法は、ウェルのアレイへの混合物の移動を促進するように構成された毛管要素を用いて、混合物の少なくとも一部をウェルのアレイの上に位置決めすることをさらに含む。
【０１０９】
特定の実施形態において、本明細書に記載する方法は、マイクロ流体デバイスを用いて行われる。特定の実施形態において、本明細書で記載する方法は、デジタルマイクロ流体デバイス（ＤＭＦ）を用いて行われる。特定の実施形態において、本明細書で記載する方法は、表面弾性波ベースのマイクロ流体デバイス（ＳＡＷ）を用いて行われる。特定の実施形態において、本明細書で記載する方法は、集積されたＤＭＦ及び検体検出デバイスを用いて行われる。特定の実施形態において、本明細書で記載する方法は、集積された表面弾性波ベースのマイクロ流体デバイス及び検体検出デバイスを用いて行われる。特定の実施形態において、本明細書で記載する方法は、ロボット工学ベースのアッセイ処理ユニットを用いて行われる。
【０１１０】
本明細書において、液滴中の対象検体測定するための方法が提供される（ここで対象検体は、試験サンプル又は生物学的サンプル由来のものである）。この方法は、対象検体を含有する第１の液滴を準備することと、対象検体に結合する特異的結合メンバーを含有する少なくとも１つの固体支持体（例えば、磁性固体支持体（ビーズなど）など）を含有する第２の液滴を準備することと、力を及ぼすエネルギーを用いて、第１の液滴（これは対象検体を含む）を第２の液滴（少なくとも１つの固体支持体を含む）と共に操作して混合物を作製することと、該混合物の全部又は少なくとも一部をウェルのアレイへ移動させることと（ここでアレイの１つ又はそれより多くのウェルは、少なくとも１つの固体支持体を収容するのに十分なサイズである）、混合物の一部をウェルのアレイまで移動させる前、後又は前後両方に、少なくとも１つの検出可能標識を混合物に添加することと、ウェル内の対象検体を測定することと、を含む。特定の実施形態において、「力を及ぼすエネルギーを用いて、第１の液滴を第２の液滴と共に操作すること」は、少なくとも第１及び第２の液滴（及び随意に付加的な小滴）を操作（併合する又は組み合わせるなど）して混合物にする力を提供する又は及ぼすための、非機械的な力（すなわち、例えば、ポンプ及び／又は弁を使用せずに作り出されるエネルギー）の使用を意味する。本明細書で記載する方法で使用することができる非機械的な力の例には、電気的アクチュエーション力（小滴アクチュエーション、電気泳動、エレクトロウェッティング、誘電泳動、静電アクチュエーション、電場媒介、電極媒介、毛管力、クロマトグラフィ、遠心分離又は吸引など）及び／又は音響力（表面弾性波（又は「ＳＡＷ」）など）が含まれる。特定の実施形態において、発生される電気的アクチュエーション力は、交流電流である。例えば、交流電流は、１０Ｖ、１５Ｖ、２０Ｖ、２５Ｖ、３０Ｖ、３５Ｖ以上の二乗平均平方根（ｒｍｓ）電圧を有し得る。例えば、かかる交流電流は、１０Ｖ以上、１５Ｖ以上、２０Ｖ以上、２５Ｖ以上、３０Ｖ以上、又は３５Ｖ以上のｒｍｓ電圧を有し得る。あるいは、交流電流は、無線周波数範囲の周波数を有し得る。
【０１１１】
特定の実施形態において、磁性固体支持体が用いられる場合、電気的アクチュエーション力及び磁場を印加することができ、混合の少なくとも一部に対して反対方向から印加される。特定の他の実施形態において、混合物は、これを前後に、円形パターンに動かすことによって、又はこれを２つ以上のサブ混合物に分割し、次いでサブ混合物を併合することによって混合される。特定の他の実施形態によって、電気的アクチュエーション力は、一連の又は複数の電極（すなわち、少なくとも２以上、少なくとも３以上、少なくとも４以上、少なくとも５以上、少なくとも６以上、少なくとも７以上、少なくとも８以上、少なくとも９以上、少なくとも１０以上、少なくとも１１以上、少なくとも１２以上、少なくとも１３以上、少なくとも１４以上、少なくとも１５以上、等）を用いて発生させることができ、ウェル（これらには少なくとも１つの固体支持体が装填される）をシールするために混合物をウェルのアレイへ移動させる。
【０１１２】
特定の実施形態において、混合物の全部又は少なくとも一部をウェルのアレイまで移動させると、その結果、少なくとも１つの固体支持体がウェルのアレイ内に装填（充填及び／又は配置）される。特定の実施形態において、磁場を使用して、混合物の、それゆえ少なくとも１つの固体支持体の、アレイの１つ又はそれより多くのウェルへの移動が促進される。特定の実施形態において、少なくとも１つの固体支持体がウェル内に装填された後、ウェル内に装填されなかった固体支持体があれば、当技術分野で知られた慣例的な技術を用いてこれを除去することができる。例えば、かかる除去は、一連の又は複数の電極により電気的アクチュエーション力（本明細書で前述したようなもの）を発生させて、流体小滴（分極可能な流体小滴など）をウェルのアレイまで移動させて、混合物の少なくとも一部をウェルのアレイから所定距離（その長さは重要ではない）まで移動させることを伴い得る。特定の実施形態において、水性洗浄用液体を用いて、対象検体に結合していない固体支持体を除去することができる。かかる実施形態において、除去は、一連の又は複数の電極により電気的アクチュエーション力を発生させて、水性洗浄（又は洗浄用）小滴（第３の小滴）を、ウェルのアレイにわたって移動させることを伴う。この洗浄用に用いられる水性液体の量及びタイプは重要ではない。
【０１１３】
特定の実施形態において、上記方法における混合物は、水性液体である。他の実施形態において、混合物は、不混和性液体である。他の実施形態において、液滴は、疎水性液滴である。他の実施形態において、液滴は、親水性液滴である。特定の実施形態において、上記方法において使用されるウェルのアレイは、疎水性表面を有する。他の実施形態において、ウェルのアレイは、親水性表面を有する。
【０１１４】
特定の実施形態において、上記方法において用いられる第１の液滴は、分極可能な液体である。特定の実施形態において、上記方法において用いられる第２の液滴は、分極可能な液体である。特定の実施形態において、上記方法において用いられる第１及び第２の液滴は、分極可能な液体である。特定の実施形態において、混合物は、分極可能な液体である。特定の実施形態において、第１の小滴、第２の小滴及び混合物のうちの１つ又はそれより多くが分極可能な液体である。
【０１１５】
特定の実施形態において、少なくとも１つの固体支持体は、対象検体に特異的に結合する少なくとも１つの結合メンバーを含む。特定の実施形態において、混合物の少なくとも一部をウェルのアレイへ移動させる前に、検出可能標識が混合物に添加される。特定の他の実施形態において、対象検体の少なくとも一部をウェルのアレイまで移動させた後に、検出可能標識が混合物に添加される。特定の実施形態において、検出可能標識は、対象検体に特異的に結合する少なくとも１つの結合メンバーを含む。特定の実施形態において、検出可能標識は、色原体、蛍光化合物、酵素、化学発光化合物又は放射性化合物を含む。特定の実施形態において、結合メンバーは、受容体、アプタマー又は抗体である。特定の実施形態において、上記方法は、ウェルのアレイへの混合物の移動を促進するように構成された毛管要素を用いて、混合物の少なくとも一部をウェルのアレイの上に位置決めすることをさらに含む。
【０１１６】
特定の実施形態において、本明細書で記載する方法は、マイクロ流体デバイスを用いて行われる。特定の実施形態において、本明細書で記載する方法は、デジタルマイクロ流体デバイス（ＤＭＦ）を用いて行われる。特定の実施形態において、本明細書で記載する方法は、表面弾性波ベースのマイクロ流体デバイス（ＳＡＷ）を用いて行われる。特定の実施形態において、本明細書で記載する方法は、集積されたＤＭＦ及び検体検出デバイスを用いて行われる。特定の実施形態において、本明細書で記載する方法は、集積された表面弾性波ベースのマイクロ流体デバイス及び検体検出デバイスを用いて行われる。特定の実施形態において、本明細書で記載する方法は、ロボット工学ベースのアッセイ処理ユニットを用いて行われる。
【０１１７】
特定の実施形態において、測定することは、最初に、ウェルのアレイ内の固体支持体の総数（「総固体支持体数」）を求めることを伴う。次に、検出可能標識を含有するウェルのアレイ内の固体支持体の数が、例えば検出可能標識によって生成されるシグナルの強度を判定することなどによって判定される（「陽性」）。陽性を総固体支持体数から差し引くと、検出可能標識を含有する又は検出されないウェルのアレイ内の固体支持体の数が得られる（「陰性」）。次いで、ウェルのアレイ内の陰性に対する陽性の比を求め、次いで検量線と比較することができる。あるいは、以下に示すようなポアソン（Ｐｏｉｓｓｉｏｎ）方程式Ｐ（ｘ；μ）を用いたデジタル定量化：
Ｐ（ｘ；μ）＝（ｅ-μ）（μx）／ｘ！
ここで、
ｅ：Ａは、約２．７１８２８に等しい定数であり、
μ：ｉｘ  ｇｈｄ指定された領域内で生じる成功の平均数であり、
ｘ：指定された領域内で生じる成功の実際の（ｔａｃｔｕａｌ）数である。
【０１１８】
サンプルは、対象検体を含有するか又は含有する疑いのある任意の試験サンプルであり得る。本明細書において使用されるとき、「検体」、「標的検体」、「対象検体」は互換的に使用され、本明細書において開示される方法及びデバイスにおいて測定される検体を指す。対象検体は、更に後述される。
【０１１９】
「接触させること」及び文法的なその同義語は、本明細書において使用されるとき、結合メンバーに対して特異的な対象検体がサンプル中に存在するならば結合相互作用が生じるように、結合メンバーをサンプル中の対象検体に十分に近接させる、任意のタイプの組み合わせる動作を指す。接触させることは、サンプルを結合メンバーと組み合わせること、結合メンバーを検体の近傍に導入することによって標的検体を結合メンバーへ曝露すること、及びこれらに類することを包含する、様々な異なる手法で達成することができる。
【０１２０】
特定の事例において、第１の結合メンバーは、固体支持体上に固定化されることができる。本明細書において使用されるとき、「固定化される」は、第１の結合メンバーと固体支持体の表面との安定的な会合を指す。「安定的な会合」によって意味されるのは、会合の平均半減期が例えば生理学的条件下で１日以上である、２つの実体の間の物理的会合である。特定の態様において、２つの実体の間の物理的会合は、４℃のＰＢＳ中で、２日以上、１週間以上、１か月以上（６か月以上、例えば１年以上が含まれる）の平均半減期を有する。特定の実施形態によれば、安定的な会合は、２つの実体間の共有結合、２つの実体間の非共有結合（例えばイオン結合又は金属結合）、又はその他の形態の化学的引力（水素結合、ファンデルワールス力、及びそれらに類したもの）から生じる。
【０１２１】
結合試薬が固定化される表面を有する固体支持体は、マイクロ流体チップの表面、チャンバの内面、（本明細書において定義されるような）ビーズの外面、又は多孔性ビーズの内面及び／若しくは外面などの、平面又は非平面の立体構造の任意の好都合な表面であり得る。例えば、第１の結合メンバーは、ビーズ、例えばラテックス、アガロース、セファロース、ストレプトアビジン、トシル活性化、エポキシ、ポリスチレン、アミノビーズ、アミンビーズ、カルボキシルビーズ、又はこれらに類するものへ、共有結合又は非共有結合で付着させることができる。特定の実施形態において、ビーズは粒子（例えばマイクロ粒子）であり得る。いくつかの実施形態において、マイクロ粒子は、約０．１ｎｍと約１０ミクロンの間、約５０ｎｍと約５ミクロンの間、約１００ｎｍと約１ミクロンの間、約０．１ｎｍと約７００ｎｍとの間、約５００ｎｍと約１０ミクロンとの間、約５００ｎｍと約５ミクロンとの間、約５００ｎｍと約３ミクロンとの間、約１００ｎｍと７００ｎｍとの間、又は約５００ｎｍと７００ｎｍとの間であり得る。例えば、マイクロ粒子は、約４〜６ミクロン、約２〜３ミクロン、又は約０．５〜１．５ミクロンであり得る。約５００ｎｍ未満の粒子は、時にはナノ粒子とみなされる。したがって、マイクロ粒子は、随意に、約０．１ｎｍと約５００ｎｍとの間、約１０ｎｍと約５００ｎｍとの間、約５０ｎｍと約５００ｎｍとの間、約１００ｎｍと約５００ｎｍとの間、約１００ｎｍ、約１５０ｎｍ、約２００ｎｍ、約２５０ｎｍ、約３００ｎｍ、約３５０ｎｍ、約４００ｎｍ、約４５０ｎｍ、又は約５００ｎｍのナノ粒子であり得る。
【０１２２】
特定の実施形態において、ビーズは磁気ビーズ又は磁気粒子であり得る。特定の実施形態において、ビーズは、磁性のナノビーズ、ナノ粒子、マイクロビーズ又はマイクロ粒子であり得る。磁気ビーズ／粒子は、強磁性、フェリ磁性、常磁性、超常磁性、又は磁性流体性であり得る。例示的な強磁性材には、Ｆｅ、Ｃｏ、Ｎｉ、Ｇｄ、Ｄｙ、ＣｒＯ2、ＭｎＡｓ、ＭｎＢｉ、ＥｕＯ、ＮｉＯ／Ｆｅが含まれる。フェリ磁性体の例には、ＮｉＦｅ2Ｏ4、ＣｏＦｅ2Ｏ4、Ｆｅ3Ｏ4（又はＦｅＯ・Ｆｅ2Ｏ3）が含まれる。ビーズは、１つ又はそれより多くの非磁性層によって囲まれた磁性の固体コア部分を有することができる。あるいは、磁性部分は、非磁性コアのまわりの層であってもよい。第１の結合メンバーが固定化される固体支持体は、乾燥形状で又は液体中で保存することができる。磁気ビーズは、第１の結合メンバーが固定化される磁気ビーズとサンプルとを接触させる前又は後に、磁場に曝露され得る。
【０１２３】
接触ステップ後に、サンプル及び第１の結合メンバーは、結合メンバーと検体との間の結合相互作用が生じることを可能にする十分な期間にわたってインキュベーションされ得る。加えて、インキュベーションは、特異的結合相互作用を促進する結合バッファーの中で行うことができる。第１の結合メンバー及び／又は第２の結合メンバーの結合親和性及び／又は特異性は、結合バッファーを変えることによって、アッセイにおいて操作又は変更することができる。いくつかの実施形態において、結合親和性及び／又は特異性は、結合バッファーを変えることによって増大させることができる。いくつかの実施形態において、結合親和性及び／又は特異性は、結合バッファーを変えることによって低減させることができる。
【０１２４】
第１の結合メンバー及び／又は第２の結合メンバーの結合親和性及び／又は特異性は、後述の開示される方法及びデバイスを使用して測定することができる。いくつかの実施形態において、サンプルの１つのアリコートは、１セットの条件を使用してアッセイされ、異なる条件のセットを使用してアッセイされたサンプルの別のアリコートと比較され、それによって結合親和性及び／又は特異性に対する条件の影響が判定される。例えば、条件を変化させる又は変更することは、サンプルから標的検体を除去すること、結合関して標的検体又はリガンドと競合する分子を添加すること、及びｐＨ、塩濃度、又は温度を変化させること、のうちの１つ又はそれより多くであり得る。付加的に又は代替的に、継続時間を変数とすることができ、条件を変化させることは、検出方法を再び実行する前に継続時間にわたって待機することを含み得る。
【０１２５】
結合バッファーは、アルブミン（例えばＢＳＡ）などの抗原−抗体結合バッファー用分子標準、非イオン性界面活性剤（Ｔｗｅｅｎ−２０、ＴｒｉｔｏｎＸ−１００）、及び／又はプロテアーゼ阻害因子（例えばＰＭＳＦ）を含み得る。特定の事例において、結合バッファーは、サンプルの添加の前又は後で、マイクロ流体チップ、チャンバ等へ添加することができる。特定の事例において、第１の結合メンバーは、サンプルと接触する前に結合バッファー中に存在し得る。結合メンバーと検体との間の結合相互作用が生じるための時間の長さは、経験的に決定することができ、結合メンバーと検体との間の結合親和性及び結合能に依存し得る。特定の実施形態において、接触又はインキュベーションは、５秒から１時間までの期間（１０秒間〜３０分間、又は１分間〜１５分間、又は５分間〜１０分間など、例えば１０秒間、１５秒間、３０秒間、１分間、５分間、１０分間、１５分間、３０分間、４５分間、１時間、又は２時間）にわたり得る。結合相互作用のための温度、塩濃度といった他の条件も、経験的に決定することができ、又は製造者の指示に基づき得る。例えば、接触は、室温（２１℃〜２８℃、例えば２３℃〜２５℃）、３７℃、又は４℃で実行することができる。特定の実施形態において、第１の結合メンバーとサンプルとの随意の混合を接触ステップの間に実行することができる。
【０１２６】
固定化された第１の結合メンバーと検体との間での複合体形成に続いて、未結合の検体があればこれをサンプルと一緒に第１の結合メンバーの周辺から除去することができ、その一方で、第１の結合メンバーと検体との複合体は固体支持体との会合に起因して保持され得る。随意に、固体支持体を洗浄バッファーと接触させて、固体支持体へ非特異的に結合されている分子があればこれを除去することができる。
【０１２７】
第１の接触ステップ、並びに随意のサンプル除去ステップ及び／又は随意の洗浄ステップ後に、第１の結合メンバーと検体との複合体を第２の結合メンバーと接触させることができ、それによって検体が２つの結合メンバーによって結合されたサンドイッチ複合体の形成がもたらされる。第２のメンバーと第１の結合メンバー−検体複合体との随意の混合は、第２の接触ステップの間に実行することができる。いくつかの実施形態において、検体分子を表面に対して固定化することで、表面から検体分子を追い出してしまうことを懸念せずに、過剰な第２の結合メンバーがあればそれを溶液から除去することを支援することができる。いくつかの実施形態において、第２の結合メンバーは、色原体、蛍光化合物、化学発光化合物、酵素、放射性化合物及びこれらに類するような、１つ又はそれより多くのシグナル生成物質を含む検出可能標識を含むことができる。
【０１２８】
上述のように、第２の接触ステップは、検体と第２の結合メンバーとの間の結合相互作用のために十分な条件において実行することができる。第２の接触ステップに続いて、未結合の第２の結合メンバーがあればこれを除去することができ、続いて随意の洗浄ステップを行うことができる。未結合の第２の結合メンバーがあれば、それを小滴アクチュエーション、電気泳動、エレクトロウェッティング、誘電泳動、静電アクチュエーション、電場媒介、電極媒介、毛管力、クロマトグラフィ、遠心分離、吸引又はＳＡＷなどの好適な手段によって第１の結合メンバー−検体−第２の結合メンバーの複合体から分離することができる。第１の結合メンバー−検体−第２の結合メンバーの複合体の周辺から未結合の第２の結合メンバーを除去すると、第１の結合メンバー−検体−第２の結合メンバー複合体中に存在する、第２の結合メンバーに付着した検出可能標識を、好適な手段によって分離することができ、又は当技術分野で公知の技法を用いて検出することができる。いくつかの実施形態において、検出可能標識は、色原体、蛍光化合物、酵素、化学発光化合物、放射性化合物、及びこれらに類するような１つ又はそれより多くのシグナル生成物質を含んだ検出可能標識を含む。あるいは、いくつかの実施形態において、検出可能標識は、タグを含み、タグは、未結合試薬の除去後に残った複合体から切断又は解離することができる。例えば、タグは、切断可能なリンカー（本明細書において記載されるような「切断可能なリンカー」）を介して第２の結合メンバーに付着し得る。第１の結合メンバー−検体−第２の結合メンバーの複合体を、切断可能なリンカーの切断を媒介する切断剤に曝露することができる。
【０１２９】
本明細書において述べるように、タグは、核酸を含むことができる。特定の実施形態において、検体の定量化は、タグ中に存在する核酸配列の少なくとも一部分の同一性を決定することによってタグの同一性を決定することを含まない。例えば、カウントするステップは、タグの配列を決定することを含まなくてもよい。他の実施形態において、タグは配列決定されなくてもよいが、タグの同一性は、そのサイズ、立体構造、電荷、電荷量、及びこれに類したものに起因するタグに関連付けられた区別可能なシグナルに基づいて、１つのタグを別のタグと識別することができる程度まで決定することができる。タグの同定は、サンプル中の複数の異なる検体、例えばサンプル中の２、３、４又はそれより多くの異なる検体の同時分析を伴う方法において有用であり得る。
【０１３０】
特定の実施形態において、単一のサンプル中の複数の検体の同時分析は、第１の結合メンバー及び第２の結合メンバーのペアがサンプル中の単一の検体に対して特異的であるような複数の異なる第１の結合メンバー及び第２の結合メンバーを使用することによって行うことができる。これらの実施形態において、単一の検体に対して特異的な第１の結合メンバー及び第２の結合メンバーの第１のペアのうちの第２の結合メンバーに関連付けられた検出可能標識は、異なる検体に対して特異的な第１の結合メンバー及び第２の結合メンバーの第２のペアのうちの第２の結合メンバーに関連付けられた検出可能標識から識別可能であり得る。上述のように、第１の検出可能標識は、シグナル生成物質の違い等に基づいて、第２の検出可能標識から識別可能であり得る。
【０１３１】
いくつかの実施形態において、実質的に正確に決定することができる流体サンプル中の検体の濃度は、約５０００ｆＭ（フェムトモル）未満、約３０００ｆＭ未満、約２０００ｆＭ未満、約１０００ｆＭ未満、約５００ｆＭ未満、約３００ｆＭ未満、約２００ｆＭ未満、約１００ｆＭ未満、約５０ｆＭ未満、約２５ｆＭ未満、約１０ｆＭ未満、約５ｆＭ未満、約２ｆＭ未満、約１ｆＭ未満、約５００ａＭ（アトモル）未満、約１００ａＭ未満、約１０ａＭ未満、約５ａＭ未満、約１ａＭ未満、約０．１ａＭ未満、約５００ｚＭ（ゼプトモル）未満、約１００ｚＭ未満、約１０ｚＭ未満、約５ｚＭ未満、約１ｚＭ未満、約０．１ｚＭ未満、又はそれ未満である。
【０１３２】
いくつかの事例において、検出限界（例えば溶液中で決定することができる検体の最低濃度）は、約１００ｆＭ、約５０ｆＭ、約２５ｆＭ、約１０ｆＭ、約５ｆＭ、約２ｆＭ、約１ｆＭ、約５００ａＭ（アトモル）、約１００ａＭ、約５０ａＭ、約１０ａＭ、約５ａＭ、約１ａＭ、約０．１ａＭ、約５００ｚＭ（ゼプトモル）、約１００ｚＭ、約５０ｚＭ、約１０ｚＭ、約５ｚＭ、約１ｚＭ、約０．１ｚＭ、又はそれ未満である。いくつかの実施形態において、実質的に正確に決定することができる流体サンプル中の検体の濃度は、約５０００ｆＭと約０．１ｆＭとの間、約３０００ｆＭと約０．１ｆＭとの間、約１０００ｆＭと約０．１ｆＭとの間、約１０００ｆＭと約０．１ｚＭの間、約１００ｆＭと約１ｚＭの間、約１００ａＭと約０．１ｚＭとの間、又はそれ未満である。
【０１３３】
検出の上限（例えば溶液中で決定することができる検体の上限濃度）は、少なくとも約１００ｆＭ、少なくとも約１０００ｆＭ、少なくとも約１０ｐＭ（ピコモル）、少なくとも約１００ｐＭ、少なくとも約１００ｐＭ、少なくとも約１０ｎＭ（ナノモル）、少なくとも約１００ｎＭ、少なくとも約１０００ｎＭ、少なくとも約１０μＭ、少なくとも約１００μＭ、少なくとも約１０００μＭ、少なくとも約１０ｍＭ、少なくとも約１００ｍＭ、少なくとも約１０００ｍＭ、又はそれより大きい。
【０１３４】
いくつかの事例において、サンプル中の検体の存在及び／又は濃度は、通常約１時間未満、例えば４５分間、３０分間、１５分間、１０分間、５分間、１分間、又は３０秒間で、迅速に検出することができる。
【０１３５】
特定の実施形態において、本明細書において記載される方法の少なくともいくつかのステップは、本明細書で記載されるデバイスのようなデジタル集積マイクロ流体及び検体検出デバイス上で実行することができる。特定の実施形態において、本開示の方法は、検体検出デバイスと共にデジタル集積マイクロ流体デバイスを使用して実行される。例えば、デジタル集積マイクロ流体デバイス及び検体検出デバイスは、分離したデバイスとすることができ、検出可能標識を含有する小滴をマイクロ流体デバイス中で生成して、検体検出デバイスへ輸送することができる。
【０１３６】
特定の実施形態において、本開示の方法は、デジタルマイクロ流体モジュールが後述されるデバイスのような検体検出モジュールと共に集積化されたデバイスを使用して実行される。特定の実施形態において、デジタル集積マイクロ流体モジュール及び検体検出モジュールは、可逆的に集積化することができる。例えば、２つのモジュールを物理的に組み合わせて集積デバイスを形成することができ、次いでそのデバイスを分離して個別のモジュールにすることができるであろう。特定の実施形態において、本開示の方法は、マイクロ流体モジュールを内蔵の検体検出デバイスと共に含む使い捨てのカートリッジを使用して実行される。本明細書において提供される方法の実行のために使用されるデバイスの例示的な実施形態は、次のセクションにおいて更に説明される。
【０１３７】
本方法の例示的な実施形態は、対象検体を含有するサンプル小滴を、対象検体に結合すするとともに固体支持体（磁気粒子又はビーズなど）上に固定化され得る第１の結合メンバーを含有する小滴と併合することを含む。単一小滴は、第１の結合メンバーを対象検体に結合させるのに十分な時間にわたってインキュベーションすることができる。随意に、単一小滴を撹拌して、サンプルと第１の結合メンバーとの混合を促進することができる。混合は、単一小滴を前後に動かすこと、単一小滴を複数の電極の上であちこち動かすこと、小滴を分割し、次いで小滴を併合すること、又はＳＡＷを使用すること、及びそれらに類することによって達成することができる。次に、単一小滴に磁気力をかけて、ビーズをデバイス内の所定位置に保持することができ、その一方で、この小滴を移動させて遠ざけ、第２の結合メンバーを含有する小滴で置き換えることができ、この第２の結合メンバーは随意に検出可能標識を含有することができる。第２の結合メンバーの添加の前に、洗浄バッファーの小滴をビーズが磁気力を用いて保持されている位置へ移動させることによって、随意の洗浄ステップを行うことができる。第１の結合メンバーに結合した検体に第２の結合メンバーが結合するのに十分な時間の後、第２の結合メンバーを含有する小滴を移動させて遠ざけることができ、その一方で、ビーズは第１の位置で保持される。ビーズは、洗浄バッファーの小滴を用いて洗浄することができる。洗浄ステップの後、磁気力を除去することができ、標識されたビーズ（第１の特異的結合メンバー／検体／第２の特異的結合メンバー−随意の検出可能標識を含有する）を含有する小滴は、本明細書で記載されているような検出モジュールへ移動される。標識されたビーズを検出モジュール内のウェルのアレイの中に沈降させる。ビーズは、重力によって又は電気力若しくは磁気力を印加することによって沈降することができる。ウェルの内部に位置していないビーズがあればこれを除去する洗浄ステップの後、ウェルは、疎水性液体を用いてシールされ得る。上記の実施形態において、随意に、組み合わせた後に、小滴を操作して（例えば、前後に動かす、円形方向に動かす、振動させる、分割／併合する、ＳＡＷへ曝露する等）、サンプルと、第１の結合メンバー及び第２の結合メンバー等のようなアッセイ試薬との混合を促進することができる。検出可能標識が酵素である実施形態において、複合体をウェルのアレイへ移動させる前又は後のいずれかに、基質を添加することができる。
【０１３８】
集積マイクロ流体及び検体検出デバイス内での小滴の移動は、電気力（例えばエレクトロウェッティング、誘電泳動、電極媒介、オプト−エレクトロウェッティング、電場媒介、及び静電的アクチュエーション）、圧力、弾性表面波及びそれらに類するものを用いて実行することができる。小滴を動かすのに使用される力は、以下のセクションで記載するデバイスの詳細に基づいて、及び本明細書において記載する具体的なデバイスに対して、決定することができる。
【０１３９】
マルチプレックス化
本方法は、マルチプレックス化アッセイにおけるサンプル中の１以上の（又は代替的に２以上の）標的検体を検出するための１以上の（又は代替的に２以上の）特異的結合メンバーを含み得る。１以上の（又は代替的に２以上の）特異的結合メンバーの各々は、異なる標的検体へ結合し、各々の特異的結合メンバーは、異なる検出可能標識で標識される。例えば、第１の特異的結合メンバーは第１の標的検体へ結合し、第２の特異的結合メンバーは第２の標的検体へ結合し、第３の特異的結合メンバーは第３の標的検体へ結合する、等であり、また、第１の特異的結合メンバーは検出可能標識で標識され、第２の特異的結合メンバーは第２の検出可能標識で標識され、第３の特異的結合メンバーは第３の検出可能標識で標識される、等である。例えば、第１、第２及び第３の検出可能標識は、各々、異なる色を有し得る。あるいは、例えば第１の標識は酵素標識であり、第２の標識は色原体であり、第３の標識は化学発光化合物である、などのように異なるタイプの標識を使用することができる。
【０１４０】
例示的な標的検体
当業者によって認識されるように、第１の結合メンバー及び第２の結合メンバーによって特異的に結合され得る任意の検体を、本開示の方法及びデバイスを使用して検出することができ、随意に定量化することができる。
【０１４１】
いくつかの実施形態において、検体は生体分子であり得る。生体分子の非限定例には、タンパク質、脂質及び炭水化物といった高分子が含まれる。特定の実例において、検体は、ホルモン、抗体、増殖因子、サイトカイン、酵素、受容体（例えば神経受容体、ホルモン受容体、栄養受容体、及び細胞表面受容体）又はそれらのリガンド、癌マーカー（例えばＰＳＡ、ＴＮＦ−アルファ）、心筋梗塞のマーカー（例えばトロポニン、クレアチンキナーゼ、及びそれらに類するもの）、毒素、薬物（例えば中毒の薬物）、代謝薬剤（例えばビタミンが含まれる）、及びそれらに類するものであり得る。タンパク質検体の非限定的実施形態には、ペプチド、ポリペプチド、タンパク質断片、タンパク質複合体、融合タンパク質、組換えタンパク質、リンタンパク質、糖タンパク質、リポタンパク質、又はそれらに類するものが含まれる。
【０１４２】
特定の実施形態において、検体は、翻訳後修飾タンパク質（例えばリン酸化タンパク質、メチル化タンパク質、グリコシル化タンパク質）であり得、第１の結合メンバー又は第２の結合メンバーは、翻訳後修飾に対して特異的な抗体であり得る。修飾タンパク質は、固体支持体上に固定化された第１の結合メンバーに結合することができ、この場合、第１の結合メンバーは、修飾タンパク質には結合するが、非修飾タンパク質には結合しない。他の実施形態において、第１の結合メンバーは非修飾タンパク質及び修飾タンパク質の両方に結合することができ、第２の結合メンバーは、翻訳後修飾タンパク質に対して特異的であり得る。
【０１４３】
いくつかの実施形態において、検体は循環腫瘍細胞などの細胞、病原細菌、ウイルス（レトロウイルス、ヘルペスウイルス、アデノウイルス、レンチウイルス、フィロウイルス（エボラ）、肝炎ウイルス（例えばＡ、Ｂ、Ｃ、Ｄ、及びＥ）；ＨＰＶ等を含む）；胞子、等であり得る。
【０１４４】
本明細書において提示される方法によって分析され得る検体の非限定的リストには、Ａβ４２アミロイドベータタンパク質、フェチュイン−Ａ、タウ、セクレトグラニンＩＩ、プリオンタンパク質、アルファ−シヌクレイン、タウタンパク質、ニューロフィラメント軽鎖、パーキン、ＰＴＥＮ誘導性推定キナーゼ１、ＤＪ−１、ロイシンリッチリピートキナーゼ２、変異ＡＴＰ１３Ａ２、アポＨ、セルロプラスミン、ペルオキシソーム増殖剤応答性受容体ガンマコアクチベーター−１アルファ（ＰＧＣ−１α）、トランスサイレチン、ビタミンＤ結合タンパク質、アポトーシス促進キナーゼＲ（ＰＫＲ）及びそのリン酸化ＰＫＲ（ｐＰＫＲ）、ＣＸＣＬ１３、ＩＬ−１２ｐ４０、ＣＸＣＬ１３、ＩＬ−８、Ｄｋｋ−３（精液）、ｐ１４エンドカン断片、血清、ＡＣＥ２、ＣＤ２５への自己抗体、ｈＴＥＲＴ、ＣＡＩ２５（ＭＵＣ１６）、ＶＥＧＦ、ｓＩＬ−２、オステオポンチン、ヒト精巣上体タンパク質４（ＨＥ４）、アルファ−フェトプロテイン、アルブミン、アルブミン尿、微量アルブミン尿、好中球ゼラチナーゼ結合性リポカリン（ＮＧＡＬ）、インターロイキン１８（ＩＬ−１８）、腎臓損傷分子−１（ＫＩＭ−１）、肝臓脂肪酸結合タンパク質（Ｌ−ＦＡＢＰ）、ＬＭＰ１、ＢＡＲＦ１、ＩＬ−８、癌胎児性抗原（ＣＥＡ）、ＢＲＡＦ、ＣＣＮＩ、ＥＧＲＦ、ＦＧＦ１９、ＦＲＳ２、ＧＲＥＢ１、及びＬＺＴＳ１、アルファ−アミラーゼ癌胎児性抗原、ＣＡ１２５、ＩＬ８、チオレドキシン、ベータ−２−ミクログロブリンレベル（ウイルスの活性をモニタリングする）、腫瘍壊死因子−アルファ受容体（ウイルスの活性をモニタリングする）、ＣＡ１５−３、卵胞刺激ホルモン（ＦＳＨ）、黄体形成ホルモン（ＬＨ）、Ｔ細胞性リンパ腫の侵襲及び転移１（ＴＩＡＭ１）、Ｎ−カドヘリン、ＥＣ３９、アンフィレグリン、ｄＵＴＰアーゼ、分泌ゲルゾリン（ｐＧＳＮ）、ＰＳＡ（前立腺特異抗原）、チモシンβ１５、インスリン、血漿Ｃペプチド、グリコヘモグロビン（ＨＢＡ１ｃ）、Ｃ反応性タンパク質（ＣＲＰ）、インターロイキン６（ＩＬ−６）、ＡＲＨＧＤＩＢ（Ｒｈｏ  ＧＤＰ解離阻害因子２）、ＣＦＬ１（コフィリン−１）、ＰＦＮ１（プロフィリン−１）、ＧＳＴＰ１（グルタチオン−Ｓ−トランスフェラーゼＰ）、Ｓ１００Ａ１１（タンパク質Ｓ１００−Ａ１１）、ＰＲＤＸ６（ペルオキシレドキシン−６）、ＨＳＰＥ１（１０ｋＤａ熱ショックタンパク質、ミトコンドリアの）、ＬＹＺ（リゾチームＣ前駆体）、ＧＰＩ（グルコース−６−リン酸イソメラーゼ）、ＨＩＳＴ２Ｈ２ＡＡ（ヒストンＨ２Ａタイプ２−Ａ）、ＧＡＰＤＨ（グリセルアルデヒド−３−リン酸脱水素酵素）、ＨＳＰＧ２（基底膜特異的ヘパラン硫酸プロテオグリカンコアタンパク質前駆体）、ＬＧＡＬＳ３ＢＰ（ガレクチン−３−結合タンパク質前駆体）、ＣＴＳＤ（カテプシンＤ前駆体）、ＡＰＯＥ（アポリポタンパク質Ｅ前駆体）、ＩＱＧＡＰ１（Ｒａｓ  ＧＴＰアーゼ活性化様タンパク質ＩＱＧＡＰ１）、ＣＰ（セルロプラスミン前駆体）、及びＩＧＬＣ２（ＩＧＬＣ１タンパク質）、ＰＣＤＧＦ／ＧＰ８８、ＥＧＦＲ、ＨＥＲ２、ＭＵＣ４、ＩＧＦ−ＩＲ、ｐ２７（ｋｉｐ１）、Ａｋｔ、ＨＥＲ３、ＨＥＲ４、ＰＴＥＮ��ＰＩＫ３ＣＡ、ＳＨＩＰ、Ｇｒｂ２、Ｇａｂ２、ＰＤＫ−１（３−ホスホイノシチド依存性タンパク質キナーゼ−１）、ＴＳＣ１、ＴＳＣ２、ｍＴＯＲ、ＭＩＧ−６（ＥＲＢＢ受容体フィードバック阻害因子１）、Ｓ６Ｋ、ｓｒｃ、ＫＲＡＳ、ＭＥＫマイトジェン活性化タンパク質キナーゼ１、ｃＭＹＣ、ＴＯＰＯ  ＩＩトポイソメラーゼ（ＤＮＡ）ＩＩアルファ１７０  ｋＤａ、ＦＲＡＰ１、ＮＲＧ１、ＥＳＲ１、ＥＳＲ２、ＰＧＲ、ＣＤＫＮ１Ｂ、ＭＡＰ２Ｋ１、ＮＥＤＤ４−１、ＦＯＸＯ３Ａ、ＰＰＰ１Ｒ１Ｂ、ＰＸＮ、ＥＬＡ２、ＣＴＮＮＢ１、ＡＲ、ＥＰＨＢ２、ＫＬＦ６、ＡＮＸＡ７、ＮＫＸ３−１、ＰＩＴＸ２、ＭＫＩ６７、ＰＨＬＰＰ、アディポネクチン（ＡＤＩＰＯＱ）、フィブリノーゲンアルファ鎖（ＦＧＡ）、レプチン（ＬＥＰ）、終末糖化産物特異的受容体（ＡＧＥＲ別名ＲＡＧＥ）、アルファ−２−ＨＳ−糖タンパク質（ＡＨＳＧ）、アンジオジェニン（ＡＮＧ）、ＣＤ１４分子（ＣＤ１４）、フェリチン（ＦＴＨ１）、インスリン様増殖因子結合タンパク質１（ＩＧＦＢＰ１）、インターロイキン２受容体アルファ（ＩＬ２ＲＡ）、血管細胞接着分子−１（ＶＣＡＭ１）及びフォンウィルブランド因子（ＶＷＦ）、ミエロペルオキシダーゼ（ＭＰＯ）、ＩＬ１α、ＴＮＦα、核周囲型抗好中球細胞質抗体（ｐ−ＡＮＣＡ）、ラクトフェリン、カルプロテクチン、ウィルムス腫瘍−１タンパク質、アクアポリン−１、ＭＬＬ３、ＡＭＢＰ、ＶＤＡＣ１、大腸菌腸管毒素（易熱性外毒素、耐熱性腸管毒素）、インフルエンザＨＡ抗原、破傷風毒素、ジフテリア毒素、ボツリヌス毒素、志賀毒素、志賀様毒素Ｉ、志賀様毒素ＩＩ、クロストリジウム−ディフィシーレ毒素Ａ及びＢ、等が含まれる。
【０１４５】
サンプル
本明細書において使用されるとき、「サンプル」、「試験サンプル」、「生物学的サンプル」は、対象検体を含有するか又は含有する疑いのある流体サンプルを指す。サンプルは、任意の好適な源に由来し得る。いくつかの事例において、サンプルは、液体、流動的なマイクロ粒子固体、又は固体粒子の流体懸濁物を含み得る。いくつかの事例において、サンプルは、本明細書において記載される分析の前に加工することができる。例えば、サンプルは分析前にその源から分離又は精製することができるが、特定の実施形態において、検体を含有する未加工サンプルを直接アッセイすることができる。検体分子の源は、合成（例えば、実験室中で生成されたもの）、環境（例えば、空気、土壌、流体サンプル、例えば給水等）、動物（例えば哺乳類）、植物、又はその任意の組み合わせであり得る。特定の例示において、検体の源は、ヒトの身体の物質（例えば、体液、血液、血清、血漿、尿、唾液、汗、喀痰、精液、粘液、涙液、リンパ液、羊水、間質液、肺洗浄、脳脊髄液、糞便、組織、器官、又はそれらに類するもの）である。組織は、骨格筋組織、肝臓組織、肺組織、腎臓組織、心筋組織、脳組織、骨髄、子宮頸部組織、皮膚等を含み得るが、これらに限定されない。サンプルは、液体サンプル又は固体サンプルの液体抽出物であり得る。特定の事例において、サンプルの源は、生検サンプルのように器官又は組織であり得、それらは組織崩壊／細胞溶解によって可溶化され得る。
【０１４６】
広範囲の体積の流体サンプルを分析することができる。いくつかの例示的な実施形態において、サンプル体積は、約０．５ｎＬ、約１ｎＬ、約３ｎＬ、約０．０１μＬ、約０．１μＬ、約１μＬ、約５μＬ、約１０μＬ、約１００μＬ、約１ｍＬ、約５ｍＬ、約１０ｍＬ、又はそれらに類するものであり得る。いくつかの事例において、流体サンプルの体積は、約０．０１μＬと約１０ｍＬとの間、約０．０１μＬと約１ｍＬとの間、約０．０１μＬと約１００μＬとの間、又は約０．１μＬと約１０μＬとの間である。
【０１４７】
いくつかの事例において、流体サンプルは、アッセイでの使用の前に希釈することができる。例えば、検体分子の源がヒト体液（例えば血液、血清）である実施形態において、流体は、適切な溶媒（例えばＰＢＳバッファーなどのバッファー）で希釈することができる。流体サンプルは、使用の前に、約１倍、約２倍、約３倍、約４倍、約５倍、約６倍、約１０倍、約１００倍、又はそれを超えて希釈され得る。
【０１４８】
いくつかの事例において、サンプルに分析前加工を行うことができる。分析前加工は、非特異的タンパク質の除去及び／又は安価であるが効果的に実施することができる混合機能といった付加的な機能を提供し得る。分析前加工の一般的な方法には、動電トラッピング、ＡＣ動電、弾性表面波、等速電気泳動、誘電泳動、電気泳動、又は当技術分野において公知の他の前濃縮技術の使用が含まれ得る。いくつかの事例において、流体サンプルは、アッセイにおける使用の前に濃縮することができる。例えば、検体分子の源がヒト体液（例えば血液、血清）である実施形態において、流体は、沈殿、蒸発、濾過、遠心分離、又はその組み合わせによって濃縮され得る。流体サンプルは、使用の前に、約１倍、約２倍、約３倍、約４倍、約５倍、約６倍、約１０倍、約１００倍、又はそれを超えて濃縮され得る。
【０１４９】
特定の実施形態において、検体は、検体の測定の前に増幅されない（すなわち検体のコピー数を増やさない）。例えば、検体がＤＮＡ又はＲＮＡである事例において、検体は、検体のコピー数を増加させるように複製されない。特定の事例において、検体は、タンパク質又は小分子である。
【０１５０】
特異的結合メンバー
当業者によって認識されるように、結合メンバーは、分析される予定の検体によって決定されることになる。様々な標的分子のための結合メンバーは、公知であるか、又は公知の技法を使用して容易に見出されるか若しくは開発することができる。例えば、標的検体がタンパク質である場合、結合メンバーは、タンパク質、特に抗体又はその断片（例えば抗原結合断片（Ｆａｂ）、Ｆａｂ’断片、Ｆ（ａｂ’）2断片、組換え抗体、キメラ抗体、一本鎖Ｆｖｓ（「ｓｃＦｖ」）、一本鎖抗体、単一ドメイン抗体、例えば、ラクダ科の動物に由来する可変重鎖ドメイン（「ＶＨＨ」；「ＶＨＨ断片」としても知られる）（ＶＨＨ及びそれらを作製する方法は、非特許文献１（Ｇｏｔｔｌｉｎ  ｅｔ  ａｌ．，Ｊｏｕｒｎａｌ  ｏｆ  Ｂｉｏｍｏｌｅｃｕｌａｒ  Ｓｃｒｅｅｎｉｎｇ，１４：７７−８５（２００９））に記載されている）、組換えＶＨＨ単一ドメイン抗体、及びＶNAR断片など、ジスルフィド結合Ｆｖｓ（「ｓｄＦｖ」）、及び抗イディオタイプ（「抗Ｉｄ」）抗体、及び上記の任意のものの機能的に活性なエピトープ結合断片、全長ポリクローナル抗体又はモノクローナル抗体、抗体様断片、等）、他のタンパク質（受容体タンパク質、プロテインＡ、プロテインＣ、又はそれに類するものなど）を含み得る。検体がステロイド、ビリン、レチノイド、及び脂質のような小分子である事例において、第１の結合メンバー及び／又は第２の結合メンバーは、スキャフォールドタンパク質（例えばリポカリン）又は受容体であり得る。いくつかの事例において、タンパク質検体に対する結合メンバーは、ペプチドであり得る。例えば、標的検体が酵素である場合、好適な結合メンバーには、酵素基質及び／又は酵素阻害因子が含まれ得、これはペプチド、小分子、及びそれに類するものであり得る。いくつかの事例において、標的検体がリン酸化種である場合、結合メンバーは、リン酸結合剤を含み得る。例えば、リン酸結合剤は、特許文献４（米国特許第７，０７０，９２１号）及び特許文献５（米国特許出願第２００６０１２１５４４号）に記載されているような金属イオン親和性媒質を含み得る。
【０１５１】
特定の事例において、結合メンバーのうちの少なくとも１つは、特許文献６（米国特許第５，２７０，１６３号）、特許文献７（米国特許第５，４７５，０９６号）、特許文献８（米国特許第５，５６７，５８８号）、特許文献９（米国特許第５，５９５，８７７号）、特許文献１０（米国特許第５，６３７，４５９号）、特許文献１１（米国特許第５，６８３，８６７号）、特許文献１２（米国特許第５，７０５，３３７号）に記載されているようなアプタマーであり得る。核酸アプタマー（例えば一本鎖ＤＮＡ分子又は一本鎖ＲＮＡ分子）は、事実上あらゆる標的分子の捕捉のために開発することができる。アプタマーは、高度に特異的な、立体構造依存性の様式で、典型的には非常に高親和性で、標的分子に結合するが、より低い結合親和性を有するアプタマーを選択することができる。アプタマーは、メチル基又はヒドロキシル基の存在又は非存在のような非常に小さな構造的な差異に基づいて、標的検体分子を識別することができ、特定のアプタマーは、Ｄ−鏡像異性体及びＬ−鏡像異性体並びにジアステレオ異性体を識別することができる。アプタマーは、小さな分子標的（薬物、金属イオン及び有機色素が含まれる）、ペプチド、ビオチン、及びタンパク質を結合し得る。アプタマーは、ビオチン化、フルオレセイン標識化された後、及び、ガラス表面及びマイクロスフェアに付着したときに、機能的活性を保持することができる。
【０１５２】
核酸アプタマーは、オリゴヌクレオチドであり、これは、一本鎖のオリゴデオキシヌクレオチド、オリゴリボヌクレオチド、又は修飾されたオリゴデオキシヌクレオチド若しくはオリゴリボヌクレオチドであり得る。「修飾された」という用語は、共有結合で修飾された塩基及び／又は糖を伴うヌクレオチドを包含する。例えば、修飾ヌクレオチドには、３’位のヒドロキシル基及び５’位のリン酸基以外の低分子量の有機基に共有結合で付着した糖を有するヌクレオチドが含まれる。したがって、修飾ヌクレオチドは、２’置換糖（２’−Ｏ−メチル−；２−Ｏ−アルキル；２−Ｏ−アリル；２’−Ｓ−アルキル；２’−Ｓ−アリル；２’−フルオロ−；２’−ハロ又は２−アジド−リボースなど）炭素環式糖類似体、ａ−アノマー糖；エピマー糖（アラビノース、キシロース又はリキソースなど）、ピラノース糖、フラノース糖、及びセドヘプツロースも含み得る。
【０１５３】
ペプチドアプタマーは、タンパク質相互作用を妨害するように設計され得る。ペプチドアプタマーは、タンパク質スキャフォールドに基づくものであり得、そこに可変的なペプチドループが付着して、それによってアプタマーの立体構造が拘束される。いくつかの事例において、ペプチドアプタマーのスキャフォールド部分は、細菌性チオレドキシンＡ（ＴｒｘＡ）に由来する。
【０１５４】
標的分子が炭水化物である場合、潜在的に好適な捕捉構成要素（本明細書において定義されたような）には、例えば抗体、レクチン及びセレクチンが含まれる。当業者によって認識されるように、対象となる標的分子と特異的に会合できるあらゆる分子が結合メンバーとして潜在的に使用され得る。
【０１５５】
特定の実施形態に関して、好適な標的検体／結合メンバーの複合体には、抗体／抗原、抗原／抗体、受容体／リガンド、リガンド／受容体、タンパク質／核酸、酵素／基質及び／又は阻害因子、炭水化物（糖タンパク質及び糖脂質が含まれる）／レクチン及び／又はセレクチン、タンパク質／タンパク質、タンパク質／小分子等などが含まれ得るが、これらに限定されない。
【０１５６】
特定の実施形態において、第１の結合メンバーはリンケージを介して固体支持体に付着することができ、このリンケージは、支持体への結合メンバーの付着を促進する、支持体及び／又は結合メンバーの任意の部分、官能基、又は修飾を含み得る。結合メンバーと支持体との間のリンケージは、１つ又はそれより多くの化学的又は物理的（例えばファンデルワールス力を介した非特異的付着、水素結合、静電的相互作用、疎水性／親水性相互作用、等）結合及び／又はかかる結合を提供する化学的スペーサーを含み得る。
【０１５７】
特定の実施形態において、固体支持体は、アッセイ中の結合表面への非捕捉構成要素（例えば検体分子、結合メンバー）の非特異的付着（検出の間の偽陽性シグナル又はシグナル損失を引き起こし得る）を排除又は最小限にすることができる、保護層、ブロッキング層、又は不動態化層も含み得る。特定の実施形態において、不動態化層の形成に利用され得る材料の例には、タンパク質の非特異的結合を寄せつけないポリ（エチレングリコール）などのポリマー；この特性を有する血清アルブミン及びカゼインなどの天然に存在するタンパク質；界面活性剤、例えばスルホベタインなどの両性イオン性界面活性剤；天然に存在する長鎖脂質；ポリマーブラシ、及び、サケ精子ＤＮＡなどの核酸が含まれるが、これらに限定されない。
【０１５８】
特定の実施形態は、タンパク質又はポリペプチドである結合メンバーを利用する。当技術分野において公知であるように、任意の多数の技法を使用して、ポリペプチドを多様な固体支持体に付着させることができる。タンパク質に反応性部分を付加する多様な技法、例えば特許文献１３（米国特許第５，６２０，８５０号）中で概説されている方法が公知である。さらに、タンパク質を表面に付着させるための方法が公知であり、例えば非特許文献２（Ｈｅｌｌｅｒ，Ａｃｃ．Ｃｈｅｍ．Ｒｅｓ．２３：１２８（１９９０））を参照されたい。
【０１５９】
本明細書において説明されるように、結合メンバーと検体との間の結合は、例えば結合メンバーと検体とが結合ペアの相補的部分である場合のように、特異的である。特定の実施形態において、結合メンバーは、検体へ特異的に結合する。「特異的に結合する」又は「結合特異性」は、結合メンバーが、検体分子と試験サンプルの他の構成要素又は混入物とを区別するのに十分な特異性で検体分子を結合することを意味する。例えば、一実施形態による結合メンバーは、検体上のエピトープへ特異的に結合する抗体であり得る。一実施形態による抗体は、対象検体へ特異的に結合することができる任意の抗体であり得る。例えば、適切な抗体には、モノクローナル抗体、二重特異性抗体、ミニボディ、ドメイン抗体（ｄＡｂ）（例えば非特許文献３（Ｈｏｌｔ  ｅｔ  ａｌ．（２０１４）Ｔｒｅｎｄｓ  ｉｎ  Ｂｉｏｔｅｃｈｎｏｌｏｇｙ  ２１：４８４−４９０）に記載されているようなもの）が含まれるが、これらに限定されず、天然に存在する（例えば軟骨魚類及びラクダ科の動物でのように）又は合成の（例えばナノボディ、ＶＨＨ、又は他のドメイン構造）単一ドメイン抗体ｓｄＡｂ、合成抗体（時には抗体模倣物と称される）、キメラ抗体、ヒト化抗体、抗体融合物（時には「抗体コンジュゲート」と称される）、及び各々の断片がそれぞれ含まれる。別の実施例として、検体分子は抗体であり得、第１の結合メンバーは抗原であり得、第２の結合メンバーは標的抗体へ特異的に結合する二次抗体であり得、又は第１の結合メンバーは標的抗体へ特異的に結合する二次抗体であり得、第２の結合メンバーは抗原であり得る。
【０１６０】
いくつかの実施形態において、結合メンバーは、化学的にプログラムされた抗体（ｃｐＡｂｓ）（非特許文献４（Ｒａｄｅｒ（２０１４）Ｔｒｅｎｄｓ  ｉｎ  Ｂｉｏｔｅｃｈｎｏｌｏｇｙ  ３２：１８６−１９７）に記載される）、二重特異性ｃｐＡｂｓ、抗体動員分子（ＡＲＭ）（非特許文献５（ＭｃＥｎａｎｅｙ  ｅｔ  ａｌ．（２０１２）ＡＣＳ  Ｃｈｅｍ．Ｂｉｏｌ．７：１１３９−１１５１）に記載される）、トリリガンド捕捉剤（非特許文献６（Ｍｉｌｌｗａｒｄ  ｅｔ  ａｌ．（２０１１）Ｊ．Ａｍ．Ｃｈｅｍ．Ｓｏｃ．１３３：１８２８０−１８２８８）に記載される）のような分岐状捕捉剤、非抗体スキャフォールドに由来する操作された結合タンパク質、例えば、モノボディ（ヒトフィブロネクチンの第１０のフィブロネクチンタイプＩＩＩドメインに由来する）、アフィボディ（免疫グロブリン結合タンパク質Ａに由来する）、ＤＡＲＰｉｎ（アンキリン反復モジュールに基づく）、アンチカリン（リポカリンのビリン結合タンパク質及びヒトリポカリン２に由来する）、及びシステインノットペプチド（ノッチン）（非特許文献７（Ｇｉｌｂｒｅｔｈ  ａｎｄ  Ｋｏｉｄｅ，（２０１２）Ｃｕｒｒｅｎｔ  Ｏｐｉｎｉｏｎ  ｉｎ  Ｓｔｒｕｃｔｕｒａｌ  Ｂｉｏｌｏｇｙ  ２２：１−８）；非特許文献８（Ｂａｎｔａ  ｅｔ  ａｌ．（２０１３）Ａｎｎｕ．Ｒｅｖ．Ｂｉｏｍｅｄ．Ｅｎｇ．１５：９３−１１３）に記載される）、ＷＷドメイン（非特許文献９（Ｐａｔｅｌ  ｅｔ  ａｌ．（２０１３）Ｐｒｏｔｅｉｎ  Ｅｎｇｉｎｅｅｒｉｎｇ，Ｄｅｓｉｇｎ＆Ｓｅｌｅｃｔｉｏｎ  ２６（４）：３０７−３１４）に記載される）、別の目的で使われる受容体リガンド、アフィチン（非特許文献１０（Ｂｅｈａｒ  ｅｔ  ａｌ．（２０１３）２６：２６７−２７５）に記載される）、並びに／又はアドヒロン（Ａｄｈｉｒｏｎｓ）（非特許文献１１（Ｔｉｅｄｅ  ｅｔ  ａｌ．（２０１４）Ｐｒｏｔｅｉｎ  Ｅｎｇｉｎｅｅｒｉｎｇ，Ｄｅｓｉｇｎ＆Ｓｅｌｅｃｔｉｏｎ  ２７：１４５−１５５）に記載される）であり得る。
【０１６１】
検体が生物細胞（例えば、哺乳類、鳥類、爬虫類、他の脊椎動物、昆虫、酵母、細菌、細胞等）である一実施形態によれば、結合メンバーは、細胞表面抗原（例えば細胞表面受容体）に対して特異親和性を有するリガンドであり得る。一実施形態において、結合メンバーは、標的細胞タイプの表面上で発現される細胞接着分子に対して結合特異性を有する接着分子受容体又はその一部分であり得る。使用に際して、接着分子受容体は、標的細胞の細胞外表面上の接着分子と結合し、それによって細胞を固定化又は捕捉し、次いで結合された細胞は、第２の結合メンバーの使用によって検出することができ、この第２の結合メンバーは、第１の結合メンバーと同じであり得るか、又は細胞の表面上で発現される異なる分子と結合し得る。
【０１６２】
いくつかの実施形態において、検体分子と結合メンバーとの間の結合親和性は、非特異的に結合されている分子又は粒子を除去する洗浄ステップを含むアッセイの条件下で、結合されたままであるのに十分なものとすべきである。いくつかの事例において、例えば、特定の生体分子の検出において、検体分子の、その相補的な結合メンバーに対する結合定数は、少なくとも約１０4と約１０6Ｍ-1との間、少なくとも約１０5と約１０9Ｍ-1との間、少なくとも約１０7と約１０9Ｍ-1との間、約１０9Ｍ-1より大きい、又はそれを上回るものであり得る。
【０１６３】
検出可能標識：タグ及びシグナル生成物質
本明細書において記載される方法は、検体を分析するために、タグなどの検出可能標識へ結合された特異的結合メンバーを含み得る。組み込まれるタグ又は標識は、反応スキームの遂行を実質的に妨害しない。例えば、組み込まれるタグ又は標識は、検体とその相補的な結合メンバーとの結合定数又はそれらの間の相互作用を妨害しない。組み込まれるタグ又は標識のサイズ及び数は、捕捉の速さ及び読取速度に関連し得る。捕捉の速さ及び読取速度は、組み込まれるタグ又は標識のサイズ及び／又は数を増大させることによって高めることができる。組み込まれるタグ又は標識は、結合メンバーの動態（例えば抗体の動態）又は反応スキームを変更しない。例示的なタグには、アニオン性ポリマー又はカチオン性ポリマー（例えばポリヒスチジン又はポリリジンのように正味の正電荷を有するポリペプチドなどのポリマー）（ここでポリマーは、約５〜１０００残基の長さである）；結合メンバーと交差反応しない及び／又はアッセイを妨害しないタンパク質（例えば球状タンパク質）、デンドリマー、例えばＤＮＡデンドリマー；並びに荷電粒子、例えばビーズが含まれる。ポリマータグには、デオキシリボ核酸又はリボ核酸などの核酸が含まれ得る。ポリマータグには、核酸塩基ポリマーが含まれ得る。特定の事例において、タグは、ＤＮＡ又はＲＮＡアプタマーであり得、この場合、アプタマーは検体へ結合しない。ポリマータグ又は粒子（例えばビーズ）は、再現性のあるシグナルを生成するのに十分に大きいものとすることができる。アプタマーは、２０〜２２０塩基長、例えば２０〜６０塩基長であり得る。粒子（例えばビーズ又はデンドリマー）のサイズは、直径で約１ｎｍから約９５０ｎｍまで、例えば、直径で１０ｎｍ〜９００ｎｍ、２０ｎｍ〜８００ｎｍ、３０ｎｍ〜７００ｎｍ、５０ｎｍ〜６００ｎｍ、８０ｎｍ〜５００ｎｍ、１００ｎｍ〜５００ｎｍ、２００ｎｍ〜５００ｎｍ、３００ｎｍ〜５００ｎｍ、又は直径で４００ｎｍ〜５００ｎｍ、例えば１０ｎｍ、２０ｎｍ、３０ｎｍ、５０ｎｍ、１００ｎｍ、２００ｎｍ、３００ｎｍ、４００ｎｍ、５００ｎｍ、６００ｎｍ、７００ｎｍ、８００ｎｍ、又は９００ｎｍの範囲であり得る。特定の事例において、ビーズ／粒子は、正味の負電荷若しくは正電荷を有する材料から作製することができ、又は正味の負電荷若しくは正電荷を有するように処理することができる。例示的なビーズ／粒子には、有機ポリマー又は無機ポリマーから作製されたものが含まれる。有機ポリマーには、ポリスチレン、炭素、ポリアクリルアミド等のようなポリマーが含まれる。無機ポリマーには、シリコン又は金属ビーズ／粒子が含まれる。特定の事例において、ビーズ／粒子は磁性でなくてもよい。
【０１６４】
特定の事例において、タグは、一本鎖のＤＮＡ又はＲＮＡであり得る。一本鎖のＤＮＡ又はＲＮＡは、事前にプローブ分子へハイブリダイズされ得る。特定の事例において、上記方法は、単一サンプル中の複数の検体の分析を含み得る。サンプル中の異なる検体へ結合する第２の結合メンバーは、タグとしてそれへ付着した異なる一本鎖のＤＮＡ又はＲＮＡを含むことができ、この異なる一本鎖のＤＮＡ又はＲＮＡは、異なる一本鎖のＤＮＡ又はＲＮＡを互いに更に識別する異なるプローブへハイブリダイズされ得る。他の実施形態において、異なる第２の結合メンバーに付着したタグは、識別可能な異なるヘアピン構造（例えばヘアピン構造の長さ）を有し得る。さらに別の実施形態において、異なる第２の結合メンバーに付着したタグは、識別可能な、異なる長さを有することができ、例えば、タグは、異なる長さ（例えば２５ｂｐ、５０ｂｐ、７５ｂｐ、１００ｂｐ、１５０ｂｐ、２００ｂｐ、又はそれより大きい）の二本鎖ＤＮＡであり得る。特定の事例において、異なる第２の結合メンバーに付着したタグは、異なる長さのポリエチレングリコール（ＰＥＧ）を有し得、又はＰＥＧにより区別して修飾されたＤＮＡ若しくはＲＮＡであり得る。
【０１６５】
タグ又はタグ分子への言及は、単一タグ又は単一タグ分子に加えて、複数のタグ（それはすべて同一であり得る）を包含することに留意されたい。タグは、任意のサイズ又は形状であり得る。いくつかの実施形態において、タグは、直径で約１０及び９５０ｎｍ（例えば直径で２０〜９００ｎｍ、３０〜８００ｎｍ、４０〜７００ｎｍ、５０〜６００ｎｍ、６０〜５００ｎｍ、７０〜４００ｎｍ、８０〜３００ｎｍ、９０〜２００ｎｍ、１００〜１５０ｎｍ、２００〜６００ｎｍ、４００〜５００ｎｍ、２〜１０ｎｍ、２〜４ｎｍ、又は３〜４ｎｍ）のナノ粒子又はナノビーズであり得る。タグは、実質的に球状、例えば球状のビーズ若しくはナノビーズ、又は半球状であり得る。タグは、約０．５ｋＤａから約５０ｋＤａまで、例えば、約０．５ｋＤａから約４００ｋＤａまで、約０．８ｋＤａから約４００ｋＤａまで、約１．０ｋＤａから約４００ｋＤａまで、約１．５ｋＤａから約４００ｋＤａまで、約２．０ｋＤａから約４００ｋＤａまで、約５ｋＤａから約４００ｋＤａまで、約１０ｋＤａから約４００ｋＤａまで、約５０ｋＤａから約４００ｋＤａまで、約１００ｋＤａから約４００ｋＤａまで、約１５０ｋＤａから約４００ｋＤａまで、約２００ｋＤａから約４００ｋＤａまで、約２５０ｋＤａから約４００ｋＤａまで、約３００ｋＤａから約４００ｋＤａまで、約０．５ｋＤａから約３００ｋＤａまで、約０．８ｋＤａから約３００ｋＤａまで、約１．０ｋＤａから約３００ｋＤａまで、約１．５ｋＤａから約３００ｋＤａまで、約２．０ｋＤａから約３００ｋＤａまで、約５ｋＤａから約３００ｋＤａまで、約１０ｋＤａから約３００ｋＤａまで、約５０ｋＤａから約３００ｋＤａまで、約１００ｋＤａから約３００ｋＤａまで、約１５０ｋＤａから約３００ｋＤａまで、約２００ｋＤａから約３００ｋＤａまで、約２５０ｋＤａから約３００ｋＤａまで、約０．５ｋＤａから約２５０ｋＤａまで、約０．８ｋＤａから約２５０ｋＤａまで、約１．０ｋＤａから約２５０ｋＤａまで、約１．５ｋＤａから約２５０ｋＤａまで、約２．０ｋＤａから約２５０ｋＤａのサイズ、約５ｋＤａから約２５０ｋＤａまで、約１０ｋＤａから約２５０ｋＤａまで、約５０ｋＤａから約２５０ｋＤａまで、約１００ｋＤａから約２５０ｋＤａまで、約１５０ｋＤａから約２５０ｋＤａまで、約２００ｋＤａから約２５０ｋＤａまで、約０．５ｋＤａから約２００ｋＤａまで、約０．８ｋＤａから約２００ｋＤａまで、約１．０ｋＤａから約２００ｋＤａまで、約１．５ｋＤａから約２００ｋＤａまで、約２．０ｋＤａから約２００ｋＤａのサイズ、約５ｋＤａから約２００ｋＤａまで、約１０ｋＤａから約２００ｋＤａまで、約５０ｋＤａから約２００ｋＤａまで、約１００ｋＤａから約２００ｋＤａまで、約１５０ｋＤａから約２００ｋＤａまで、約０．５ｋＤａから約１００ｋＤａまで、約０．８ｋＤａから約１００ｋＤａまで、約１．０ｋＤａから約１００ｋＤａまで、約１．５ｋＤａから約１００ｋＤａまで、約２．０ｋＤａから約１００ｋＤａまで、約５ｋＤａから約１００ｋＤａまで、約１０ｋＤａから約１００ｋＤａまで、約５０ｋＤａから約１００ｋＤａまで、約０．５ｋＤａから約５０ｋＤａまで、約０．８ｋＤａから約５０ｋＤａまで、約１．０ｋＤａから約５０ｋＤａまで、約１．５ｋＤａから約５０ｋＤａまで、約２．０ｋＤａから約５０ｋＤａまで、約５ｋＤａから約５０ｋＤａまで、約１０ｋＤａから約５０ｋＤａまで、約１０ｋＤａから約９０ｋＤａまで、約１０ｋＤａから約８０ｋＤａまで、約１０ｋＤａから約７０ｋＤａまで、約１０ｋＤａから約６０ｋＤａまで、約２０ｋＤａから約９０ｋＤａまで、約２０ｋＤａから約８０ｋＤａまで、約２０ｋＤａから約７０ｋＤａまで、約２０ｋＤａから約６０ｋＤａまで、約４０ｋＤａから約９０ｋＤａまで、約４０ｋＤａから約８０ｋＤａまで、約４０ｋＤａから約７０ｋＤａまで、約４０ｋＤａから約６０ｋＤａまでのサイズのタンパク質であり得る。
【０１６６】
特定の実施形態において、タグはナノ粒子又はナノビーズであり得る。本明細書において述べるように、ナノ粒子は、第２の結合メンバーに可逆的に（例えば切断可能に）付着することができる。特定の態様において、ナノ粒子は、定められた直径のナノビーズであり得る。特定の事例において、本開示の方法、システム、及びデバイスを使用して、サンプル中の複数の異なる検体を同時に分析することができる。かかる分析のために、各々が同族の検体へ特異的に結合する複数の第２の結合メンバーを使用することができる。異なる第２の結合メンバーの各々は、第２の結合メンバーを同定するために使用することができる異なるサイズのナノビーズに付着し得る。例えば、異なるナノビーズタグは、１ｎｍ、２ｎｍ、４ｎｍ、６ｎｍ、８ｎｍ、１０ｎｍ、１２ｎｍ、１４ｎｍなどの異なる直径、又はより大きな、上限で２０ｎｍ、３０ｎｍ、５０ｎｍ、１００ｎｍ、２００ｎｍ、３００ｎｍ、４００ｎｍ、５００ｎｍ、６００ｎｍ、７００ｎｍ、８００ｎｍ、９００ｎｍ、９５０ｎｍ、又は９９０ｎｍなどの直径を有し得る。
【０１６７】
本方法においてタグとして使用されて得る例示的なナノ粒子には、５ｎｍ〜９５０ｎｍの範囲の直径の金ナノ粒子又はポリスチレンナノ粒子が含まれる。
【０１６８】
特定の事例において、タグは、核酸などのポリマーであり得る。タグの存在は、ポリマータグのサイズ又は長さに関連するシグナルといった、タグのシグナル特性の検出によって判定することができる。ポリマータグのサイズ又は長さは、それらの、ポア又はチャネル内の滞留時間を測定することによって（例えば電流の一時的な遮断の継続時間を測定することによって）判定することができる。
【０１６９】
タグ又は標識の一部であり得る、全部であり得る、それらと会合し得る、又は付着し得る要素には、ナノ粒子；金粒子；銀粒子；銀、銅、亜鉛、又は他の金属のコーティング又は堆積物；ポリマー；抗力タグ（本明細書において定義されるような）；磁気粒子；浮遊性粒子；金属粒子；荷電部分；誘電泳動タグ、不純物を含む及び含まない二酸化ケイ素（例えば石英、ガラス等）；ポリ（メタクリル酸メチル）（ＰＭＭＡ）；ポリイミド；窒化ケイ素；金；銀；量子ドット（ＣｄＳ量子ドットが含まれる）；炭素ドット；フルオロフォア；クエンチャー；ポリマー；ポリスチレン；ヤヌス粒子；散乱粒子；蛍光粒子；燐光粒子；球体；立方体；絶縁体；導電体；バーコード付き又は標識された粒子；多孔質粒子；固体粒子；ナノシェル；ナノロッド；マイクロスフェア；ウイルス、細胞、寄生生物及び生物体などの検体；核酸；タンパク質；分子認識要素；スペーサー；ＰＥＧ；デンドリマー；電荷改質剤；磁性材料；酵素；アプタマー配列を含むＤＮＡ；増幅可能なＤＮＡ；ＤＮＡの反復配列；検出可能な要素と分子認識要素（例えば操作された結合メンバー）との融合物又はコンジュゲート；抗抗体アプタマー；抗体結合タンパク質への指向性があるアプタマー；吸収又は吸着される検出可能な化合物；ヘム；ルシフェリン；発光体；アジド若しくはアルキン（例えば末端アルキン又は非末端アルキン）又は他のクリックケミストリー関与物が含まれる。
【０１７０】
特定の実施形態において、タグは、サンプルの迅速な分析を可能にするのに十分に高い捕捉の速度を提供するように選択することができる。特定の実施形態において、タグの捕捉速度は、１０秒あたり約１事象、５秒あたり１事象、１秒あたり１事象、又はより高速であり得る。特定の実施形態において、リボースポリマー、デオキシリボースポリマー、オリゴヌクレオチド、ＤＮＡ、又はＲＮＡなどの、線状ポリマータグを使用することができる。
【０１７１】
特定の事例において、リボースポリマー、デオキシリボースポリマー、オリゴヌクレオチド、ＤＮＡ、又はＲＮＡなどの線状ポリマータグは、これらのタグの捕捉速度が特定の用途については低すぎるゆえに使用され得ない。半球状、球状、又は実質的に球状の形の、それゆえアッセイ継続時間を短縮するタグは、より迅速なタグのカウントを必要とする用途において使用することができる。特定の事例において、球状又は半球状のタグのサイズは、アッセイのために必要とされる捕捉速度に基づいて選択することができる。例えば、より高い捕捉速度のためには、より大きなサイズの球状又は半球状のタグを選択することができる。特定の事例において、タグは、同じ測定条件下で、ＤＮＡタグのような線状タグに対する捕捉速度よりも約１０倍、３０倍、５０倍、１００倍、３００倍、５００倍、又は１０００倍速い捕捉速度を有するナノ粒子／ナノビーズのような球状のタグであり得る。
【０１７２】
いくつかの実施形態において、タグは、抗体へコンジュゲートされ得る（例えばＣＰＳＰ抗体コンジュゲート）。いくつかの実施形態において、タグは、スペーサーにより抗体へコンジュゲートされ得る（例えばスペーサーを備えたＣＰＳＰ抗体コンジュゲート）。いくつかの実施形態において、タグは、オリゴヌクレオチド及び抗体へコンジュゲートされ得る（例えばＣＰＳＰオリゴヌクレオチド−抗体コンジュゲート）。いくつかの実施形態において、タグは、スペーサーによりオリゴヌクレオチド及び抗体へコンジュゲートされ得る（例えばスペーサーを備えたＣＰＳＰオリゴヌクレオチド−抗体コンジュゲート）。いくつかの実施形態において、タグは、オリゴヌクレオチドへコンジュゲートされ得る（例えばＣＰＳＰオリゴヌクレオチドコンジュゲート）。
【０１７３】
特定の実施形態において、本明細書で記載する方法は、色原体、蛍光化合物、酵素、化学発光化合物、放射性化合物、粒子（蛍光特性を有するという条件で）及びこれらに類するようなシグナル生成物質などの検出可能標識に結合した、特異的結合メンバーを含み得る。標識の例は、光を発生する部分、例えばアクリジニウム化合物、及び蛍光を発生する部分、例えばフルオレセインを含む。
【０１７４】
当技術分野で知られた任意のシグナル生成物質を検出可能標識として用いることができる。例えば、検出可能標識は、放射性標識（３Ｈ、１４Ｃ、３２Ｐ、３３Ｐ、３５Ｓ、９０Ｙ、９９Ｔｃ、１１１Ｉｎ、１２５Ｉ、１３１Ｉ、１７７Ｌｕ、１６６Ｈｏ、及び１５３Ｓｍなど）、酵素標識（ホースラディッシュペルオキシダーゼ、アルカリペルオキシダーゼ、グルコース６−リン酸デヒドロゲナーゼ、及びそれらに類するものなど（酵素が用いられる場合、対応する酵素基質を添加しなければならない））、化学発光標識（アクリジニウムエステル、チオエステル、又はスルホンアミド；ルミノール、イソルミノール、フェナントリジニウムエステル、及びそれらに類するものなど）、蛍光標識（フルオレセインなど（例えば、５−フルオレセイン、６−カルボキシフルオレセイン、３’６−カルボキシフルオレセイン、５（６）−カルボキシフルオレセイン、６−ヘキサクロロフルオレセイン、６−テトラクロロフルオレセイン、フルオレセインイソチオシアネート、及びそれらに類するもの））、ローダミン、フィコビリタンパク質、Ｒ−フィコエリトリン、量子ドット（例えば、硫化亜鉛被覆セレン化カドミウム）、サーモメトリック標識、又は免疫ポリメラーゼ連鎖反応標識であり得る。標識の導入、標識化手順及び標識の検出は、非特許文献１２（Ｐｏｌａｋ  ａｎｄ  Ｖａｎ  Ｎｏｏｒｄｅｎ，Ｉｎｔｒｏｄｕｃｔｉｏｎ  ｔｏ  Ｉｍｍｕｎｏｃｙｔｏｃｈｅｍｉｓｔｒｙ，２ｎｄ  ｅｄ．，Ｓｐｒｉｎｇｅｒ  Ｖｅｒｌａｇ，Ｎ．Ｙ．（１９９７））、ハンドブックとカタログとの組合せである非特許文献１３（Ｈａｕｇｌａｎｄ，Ｈａｎｄｂｏｏｋ  ｏｆ  Ｆｌｕｏｒｅｓｃｅｎｔ  Ｐｒｏｂｅｓ  ａｎｄ  Ｒｅｓｅａｒｃｈ  Ｃｈｅｍｉｃａｌｓ（１９９６）  ｐｕｂｌｉｓｈｅｄ  ｂｙ  Ｍｏｌｅｃｕｌａｒ  Ｐｒｏｂｅｓ，Ｉｎｃ．，Ｅｕｇｅｎｅ，Ｏｒｅｇｏｎ）に見いだされる。蛍光標識は、ＦＰＩＡにおいて用いることができる（例えば、引用によりその全体が本明細書に組み入れられる特許文献１４（米国特許第５，５９３，８９６号）、特許文献１５（米国特許第５，５７３，９０４号）、特許文献１６（米国特許第５，４９６，９２５号）、特許文献１７（米国特許第５，３５９，０９３号）、及び特許文献１８（米国特許第５，３５２，８０３号）参照）。アクリジニウム化合物は、均一系化学発光アッセイにおける検出可能標識として用いることができる（例えば、非特許文献１４（Ａｄａｍｃｚｙｋ  ｅｔ  ａｌ．，Ｂｉｏｏｒｇ．Ｍｅｄ．Ｃｈｅｍ．Ｌｅｔｔ．１６．１３２４−１３２８（２００６））；非特許文献１５（Ａｄａｍｃｚｙｋ  ｅｔ  ａｌ．，Ｂｉｏｏｒｇ．Ｍｅｄ．Ｃｈｅｍ．Ｌｅｔｔ．４．２３１３−２３１７（２００４））；非特許文献１６（Ａｄａｍｃｚｙｋ  ｅｔ  ａｌ．，Ｂｉｏｒｇ．Ｍｅｄ．Ｃｈｅｍ．Ｌｅｔｔ．１４．３９１７−３９２１（２００４））；及び非特許文献１７（Ａｄａｍｃｚｙｋ  ｅｔ  ａｌ．，Ｏｒｇ．Ｌｅｔｔ．５．３７７９−３７８２（２００３））参照）。
【０１７５】
一態様において、アクリジニウム化合物は、アクリジニウム−９−カルボキサミドである。アクリジニウム−９−カルボキサミドを調製する方法は、非特許文献１８（Ｍａｔｔｉｎｇｌｙ，Ｊ．Ｂｉｏｌｕｍｉｎ．Ｃｈｅｍｉｌｕｍｉｎ．６．１０７−１１４（１９９１））；非特許文献１９（Ａｄａｍｃｚｙｋ  ｅｔ  ａｌ．，Ｊ．Ｏｒｇ．Ｃｈｅｍ．６３．５６３６−５６３９（１９９８））；非特許文献２０（Ａｄａｍｃｚｙｋ  ｅｔ  ａｌ．，Ｔｅｔｒａｈｅｄｒｏｎ  ５５．１０８９９−１０９１４（１９９９））；非特許文献２１（Ａｄａｍｃｚｙｋ  ｅｔ  ａｌ．，Ｏｒｇ．Ｌｅｔｔ．１．７７９−７８１（１９９９））；非特許文献２２（Ａｄａｍｃｚｙｋ  ｅｔ  ａｌ．，Ｂｉｏｃｏｎｊｕｇａｔｅ  Ｃｈｅｍ．１１．７１４−７２４（２０００））；非特許文献２３（Ｍａｔｔｉｎｇｌｙ  ｅｔ  ａｌ．，Ｉｎ  Ｌｕｍｉｎｅｓｃｅｎｃｅ  Ｂｉｏｔｅｃｈｎｏｌｏｇｙ．Ｉｎｓｔｒｕｍｅｎｔｓ  ａｎｄ  Ａｐｐｌｉｃａｔｉｏｎｓ）；非特許文献２４（Ｄｙｋｅ，Ｋ．Ｖ．Ｅｄ．；  ＣＲＣ  Ｐｒｅｓｓ．Ｂｏｃａ  Ｒａｔｏｎ，ｐｐ．７７−１０５（２００２））；非特許文献１７（Ａｄａｍｃｚｙｋ  ｅｔ  ａｌ．，Ｏｒｇ．Ｌｅｔｔ．５．３７７９−３７８２（２００３））；並びに特許文献１９（米国特許第５，４６８，６４６号）、特許文献２０（米国特許第５，５４３，５２４号）及び特許文献２１（米国特許第５，７８３，６９９号）に記載されている。
【０１７６】
アクリジニウム化合物の別の例は、アクリジニウム−９−カルボキシレートアリールエステルである。式ＩＩのアクリジニウム−９−カルボキシレートアリールエステルの例は、１０−メチル−９−（フェノキシカルボニル）アクリジニウムフルオロスルホネート（ミシガン州、アナーバーのＣａｙｍａｎ  Ｃｈｅｍｉｃａｌ，  Ａｎｎ  Ａｒｂｏｒから入手可能）である。アクリジニウム−９−カルボキシレートアリールエステルを調製するための方法は、非特許文献２５（ＭｃＣａｐｒａ  ｅｔ  ａｌ．，Ｐｈｏｔｏｃｈｅｍ．Ｐｈｏｔｏｂｉｏｌ．４．１１１１−２１（１９６５））；非特許文献２６（Ｒａｚａｖｉ  ｅｔ  ａｌ．，Ｌｕｍｉｎｅｓｃｅｎｃｅ  １５．２４５−２４９（２０００））；非特許文献２７（Ｒａｚａｖｉ  ｅｔ  ａｌ．，Ｌｕｍｉｎｅｓｃｅｎｃｅ  １５．２３９−２４４（２０００））；及び特許文献２２（米国特許第５，２４１，０７０号）（これらの各々は、引用により、その全体がそれに関する教示について本明細書に組み入れられる）に記載されている。かかるアクリジニウム−９−カルボキシレートアリールエステルは、シグナルの強度及び／又はシグナルの速さの観点から、少なくとも１つのオキシダーゼによる検体の酸化で生成される過酸化水素についての効率的な化学発光インジケータである。アクリジニウム−９−カルボキシレートアリールエステルについての化学発光放出の過程は、迅速に、すなわち１秒以内で完了するが、アクリジニウム−９−カルボキサミドの化学発光放出は、２秒超に及ぶ。しかしながら、アクリジニウム−９−カルボキシレートアリールエステルは、タンパク質の存在下でその化学発光特性を失う。したがって、その使用には、シグナル生成及び検出中にタンパク質が存在しないことが必要とされる。サンプル中のタンパク質の分離又は除去のための方法は当業者に周知であり、限外濾過、抽出、沈殿、透析、クロマトグラフィ、及び／又は消化（例えば、非特許文献２８（Ｗｅｌｌｓ，Ｈｉｇｈ  Ｔｈｒｏｕｇｈｐｕｔ  Ｂｉｏａｎａｌｙｔｉｃａｌ  Ｓａｍｐｌｅ  Ｐｒｅｐａｒａｔｉｏｎ．Ｍｅｔｈｏｄｓ  ａｎｄ  Ａｕｔｏｍａｔｉｏｎ  Ｓｔｒａｔｅｇｉｅｓ，Ｅｌｓｅｖｉｅｒ（２００３））参照）を含むが、これらに限定されない。試験サンプルから除去又は分離されるタンパク質の量は、約４０％、約４５％、約５０％、約５５％、約６０％、約６５％、約７０％、約７５％、約８０％、約８５％、約９０％、又は約９５％であり得る。アクリジニウム−９−カルボキシレートアリールエステルに関する更なる詳細は、２００７年４月９日に出願された米国特許出願番号第１１／６９７，８３５号に記載されている。アクリジニウム−９−カルボキシレートアリールエステルは、脱気無水Ｎ，Ｎ−ジメチルホルムアミド（ＤＭＦ）又は水性コール酸ナトリウムなどの任意の好適な溶媒に溶解することができる。
【０１７７】
切断可能なリンカー
本明細書において記載される方法において使用されるタグは、汎用リンカーによって特異的結合メンバーへ付着させることができる。切断可能なリンカーは、タグを除去できることを保証する。汎用リンカーは、切断可能なリンカーであり得る。例えば、タグは、切断可能なリンカーを介して第２の結合メンバーに付着することができる。第１の結合メンバー−検体−第２の結合メンバーの複合体を、切断可能なリンカーの切断を媒介する切断剤へ曝露することができる。リンカーは、酸、塩基、求核剤、求電子剤、ラジカル、金属、還元剤又は酸化剤、光、温度、酵素等への曝露を含む任意の好適な方法によって切断することができる。非特許文献２９（Ｇｒｅｅｎｅ＆Ｗｕｔｓ，Ｐｒｏｔｅｃｔｉｖｅ  Ｇｒｏｕｐｓ  ｉｎ  Ｏｒｇａｎｉｃ  Ｓｙｎｔｈｅｓｉｓ，Ｊｏｈｎ  Ｗｉｌｅｙ  ＆  Ｓｏｎｓ）において開示されるように、好適なリンカーは、標準的な化学的ブロック基から適合させることができる。固相合成において使用される更に好適な切断可能なリンカーが非特許文献３０（Ｇｕｉｌｌｉｅｒ  ｅｔ  ａｌ．（Ｃｈｅｍ．Ｒｅｖ．１００：２０９２−２１５７，２０００））において開示される。リンカーは、酸切断可能、塩基切断可能、又は光切断可能であり得る。レドックス反応は、切断スキームの一部であり得る。切断可能なリンカーは、荷電したポリマーであり得る。
【０１７８】
リンカーは、光切断可能なリンカー、化学切断可能なリンカー、又は熱切断可能なリンカーであり得る。リンカーが光切断可能な基である場合、切断剤は、光切断可能な基を破壊又は切断する適切な波長の光であり得る。多くの実施形態において、光切断可能な連結基を切断するのに使用される光の波長は、約１８０ｎｍから４００ｎｍまで、例えば約２５０ｎｍから４００ｎｍまで、又は約３００ｎｍから４００ｎｍまでの範囲である。切断を活性化するのに必要とされる光は、検体の他の構成要素に影響しないことが好ましい。好適なリンカーには、Ｏ−ニトロベンジル化合物及びニトロベラトリル化合物に基づくものが含まれる。ベンゾインケミストリーに基づくリンカーも使用することができる（非特許文献３１（Ｌｅｅ  ｅｔ  ａｌ．，Ｊ．Ｏｒｇ．Ｃｈｅｍ．６４：３４５４−３４６０，１９９９））。
【０１７９】
あるいは、切断リンカーが化学切断可能な基である場合、切断剤は、基を切断することが可能な化学薬剤であり得る。化学切断可能なリンカーは、酸化／還元ベースの切断、酸触媒性切断、塩基触媒性切断、又は求核置換によって切断され得る。例えば、連結基がジスルフィドである場合、ジチオスレイトール又はベータメルカプトエタノールを使用してタグを解放することができる。連結基が制限部位であるさらに他の実施形態において、薬剤は、酵素などの触媒剤であり、これは加水分解酵素、制限酵素、又は連結基を切断する別の酵素であり得る。例えば、制限酵素は、Ｉ型、ＩＩ型、ＩＩＳ型、ＩＩＩ型及びＩＶ型の制限酵素であり得る。
【０１８０】
いくつかの実施形態において、切断リンカーは、酵素切断可能な配列である。本明細書における任意の実施形態の一態様において、酵素切断可能な配列は、２、３、４、５、６、７、８、９又は１０ヌクレオチド長の核酸配列である。一実施形態において、酵素切断可能な配列は、少なくとも１０ヌクレオチドの配列を含む。一実施形態において、酵素切断可能な配列は、２と２０との間のヌクレオチドの配列を含む。一実施形態において、酵素切断可能な配列は、２と１５との間のヌクレオチドの配列を含む。一実施形態において、酵素切断可能な配列は、４と１０との間のヌクレオチドの配列を含む。一実施形態において、酵素切断可能な配列は、４と１５との間のヌクレオチドの配列を含む。
【０１８１】
例えば、切断可能なリンカーは、アクリジニウム、酸性条件又は穏やかな還元条件（例えばアクリドン及びスルホンアミドを産生する過酸化水素）によって切断することができる置換ベンジルエーテル又はその誘導体のようなエーテル（例えばベンジルヒドリルエーテル及びインダニルエーテル等）、Ｐ−脱離を使用して生成される荷電ポリマー（穏やかな塩基が産物を放出する役割を果たすことができる）、そのチオ類似体を含めたアセタール（離脱は、特に捕捉カルボニル化合物の存在下において穏やかな酸によって達成される）、感光性リンケージ（例えばＯ−ニトロベンゾイル、７−ニトロインダニル、２−ニトロベンズヒドリルエーテル又はエステル等）、又は特に酵素が特異的な配列を認識する場合に酵素加水分解を受けるペプチドリンカー（第Ｘａ因子又はエンテロキナーゼに対するペプチドなど）であり得る。リンカーの例には、ジスルフィドリンカー、酸不安定性リンカー（ジアルコキシベンジルリンカーが含まれる）、Ｓｉｅｂｅｒリンカー、インドールリンカー、ｔ−ブチルＳｉｅｂｅｒリンカー、求電子的に切断可能なリンカー、求核的に切断可能なリンカー、光切断可能なリンカー、還元条件、酸化条件下での切断、セーフティキャッチ（ｓａｆｅｔｙ−ｃａｔｃｈ）リンカーの使用による切断、及び脱離メカニズムによる切断が含まれるが、これらに限定されない。
【０１８２】
求電子的に切断されるリンカーは、典型的にはプロトンによって切断され、酸に対して感受性の切断を包含する。好適なリンカーには、トリチル、ｐ−アルコキシベンジルエステル及びｐ−アルコキシベンジルアミドなどの修飾ベンジル系が含まれる。他の好適なリンカーには、ｔｅｒｔ−ブチルオキシカルボニル（Ｂｏｃ）基及びアセタール系が含まれる。チオアセタール又は他の硫黄含有保護基の切断におけるニッケル、銀又は水銀などのチオフィリック金属の使用も、好適なリンカー分子の調製のために考慮することができる。
【０１８３】
求核性の切断のためには、水中で不安定な（すなわち塩基性ｐＨで単純に切断することができる）エステルのような基、及び非水性の求核剤に対して不安定な基を使用することができる。フッ化物イオンを使用して、トリイソプロピルシラン（ＴＩＰＳ）又はｔ−ブチルジメチルシラン（ＴＢＤＭＳ）のような基の中のケイ素−酸素結合を切断することができる。
【０１８４】
還元切断に感受性のあるリンカーは、ジスルフィド結合の還元などと共に使用することができる。ベンジル基及びベンジルオキシカルボニル基を切断するために、パラジウムベースの触媒を使用した触媒的水素添加が用いられている。
【０１８５】
酸化ベースの手法は、当技術分野において周知である。これらには、ｐ−アルコキシベンジル基の酸化並びに硫黄リンカー及びセレンリンカーの酸化が含まれる。ジスルフィド及び他の硫黄又はセレンベースのリンカーを切断するヨウ素水溶液も使用することができる。
【０１８６】
セーフティキャッチリンカーは、２ステップで切断するものである。好ましい系において、第１のステップは反応性求核中心の生成であり、切断をもたらす分子内環化を伴う第２のステップがそれに続く。例えば、レブリン酸エステルリンケージをヒドラジン又は光化学により処理して活性アミンを放出することができ、次いでそれを環化して分子中の他の場所のエステル切断することができる（非特許文献３２（Ｂｕｒｇｅｓｓ  ｅｔ  ａｌ．，Ｊ．Ｏｒｇ．Ｃｈｅｍ．６２：５１６５−５１６８，１９９７））。
【０１８７】
脱離反応も使用することができる。例えば、Ｆｍｏｃ及びシアノエチルなどの基の塩基触媒性脱離、並びにアリル系のパラジウム触媒性還元的脱離を使用することができる。
【０１８８】
集積デジタルマイクロ流体及び検体検出デバイス
本明細書において、集積デジタルマイクロ流体及び検体検出デバイスに関するシステム、デバイス、及び方法を記載する。
【０１８９】
特定の実施形態において、集積デジタルマイクロ流体及び検体検出デバイスは、サンプル調製モジュール及び検体検出モジュールという２つのモジュールを有し得る。特定の実施形態において、サンプル調製モジュール及び検体検出モジュールは、分離しているか又は分離し且つ隣接している。特定の実施形態において、サンプル調製モジュール及び検体検出モジュールは、同じ場所に置かれ（ｃｏ−ｌｏｃａｔｅｄ）、入り交じり（ｃｏｍｉｎｇｌｅｄ）、又はインターディジタル形（ｉｎｔｅｒｄｉｇｉｔａｔｅｄ）になっている。サンプル調製モジュールは、サンプル及び試薬の小滴を移動させる、併合する、希釈する、混合する、分離するための、一連の又は複数の電極を含み得る。検体検出モジュールは、検体関連シグナルがその中で検出されるウェルのアレイを含み得る。特定の事例において、検出モジュールは、調製されたサンプルの小滴をウェルのアレイまで移動させるための一連又は複数の電極も含み得る。特定の実施形態において、検出モジュールは、間隙によって分離された第２の基板（例えば下方基板）の上に配置された第１の基板（例えば上方基板）内にウェルのアレイを含み得る。これらの実施形態において、ウェルのアレイは、上下逆向きになっている。特定の実施形態において、検出モジュールは、間隙によって分離された第１の基板（例えば上方基板）の下に配置された第２の基板（例えば下方基板）内にウェルのアレイを含み得る。かかる実施形態において、第１の基板及び第２の基板は対面した配置にある。小滴を、第１の基板及び／又は第２の基板内に存在する電極を用いてウェルのアレイまで（例えば電気的アクチュエーションにより）移動させることができる。特定の実施形態において、ウェルのアレイはウェル間の領域を含めて、疎水性とすることができる。他の実施形態において、一連の又は複数の電極は、サンプル調製モジュールに限定することができ、調製されたサンプルの小滴（及び／又は不混和性流体の小滴）は、他の手段を用いて検出モジュールへ移動させることができる。
【０１９０】
特定の実施形態において、サンプル調製モジュールは、イムノアッセイのステップを実行するために用いることができる。サンプル中の対象検体の存在の指標であり且つサンプル中の検体の量に比例する検出可能なシグナルを生成する、任意のイムノアッセイ形式を用いることができる。例示的なイムノアッセイを本明細書で記載する。
【０１９１】
特定の事例において、検出モジュールは、ウェルのアレイを含み、これを光学的に照合して、サンプル中に存在する検体の量に関連したシグナルを測定する。ウェルのアレイは、サブフェムトリットル容量、フェムトリットル容量、サブナノリットル容量、ナノリットル容量、サブマイクロリットル容量、又はマイクロリットル容量を有し得る。例えば、ウェルのアレイは、フェムトリットルウェルのアレイ、ナノリットルウェルのアレイ、又はマイクロリットルウェルのアレイであり得る。特定の実施形態において、アレイ内のウェルは、すべて実質的に同じ容量を有し得る。ウェルのアレイは、１００μｌまでの容量、例えば約０．１フェムトリットル、１フェムトリットル、１０フェムトリットル、２５フェムトリットル、５０フェムトリットル、１００フェムトリットル、０．１ｐＬ、１ｐＬ、１０ｐＬ、２５ｐＬ、５０ｐＬ、１００ｐＬ、０．１ｎＬ、１ｎＬ、１０ｎＬ、２５ｎＬ、５０ｎＬ、１００ｎＬ、０．１マイクロリットル、１マイクロリットル、１０マイクロリットル、２５マイクロリットル、５０マイクロリットル、又は１００マイクロリットルの容量を有し得る。
【０１９２】
特定の実施形態において、サンプル調製モジュール及び検出モジュールは両方とも、単一のベース基板上に存在することができ、サンプル調製モジュール及び検出モジュールは両方とも、液滴を移動させるための一連の又は複数の電極を含み得る。特定の実施形態において、かかるデバイスは、第１の基板及び第２の基板を含むことができ、ここで第２の基板は、第１の基板の上に配置され、第１の基板から間隙によって分離されている。第１の基板は、液滴がそこでデバイスに導入される、サンプル調製モジュールが位置する第１の部分（例えば近位部分）と、液滴がそこへ向かって移動する第２の部分（例えば遠位部分）とを含むことができ、この第２の部分に検出モジュールが位置する。「遠位」に対する「近位」及び「第２」に対する「第１」の使用は、互いに互換的であることが当業者には理解されるであろう。特定の実施形態において、第１の部分及び第２の部分は、分離しており、又は分離し且つ隣接している。特定の実施形態において、第１の部分及び第２の部分は、同じ場所に置かれ（ｃｏ−ｌｏｃａｔｅｄ）、入り交じり（ｃｏｍｉｎｇｌｅｄ）され、又はインターディジタル形（ｉｎｔｅｒｄｉｇｉｔａｔｅｄ）になっている。第１の基板は、第１の基板の上面の上に重ねられた、第１の部分から第２の部分へ延びる一連の又は複数の電極を含み得る。第１の基板は、一連の又は複数の電極を覆うとともに第１の部分から第２の部分へ延びる、第１の基板の上面に配置された層を含み得る。第１の層は、誘電性且つ疎水性の材料である材料で作ることができる。誘電性且つ疎水性の材料の例には、ポリテトラフルオロエチレン材料（例えばＴｅｆｌｏｎ（登録商標））又はフッ素系界面活性剤（例えば、ＦｌｕｏｒｏＰｅｌ（商標））が含まれる。第１の層は、実質的に平坦な表面を提供するように堆積させることができる。ウェルのアレイは、第１の基板の第２の部分内に位置決めすることができ、一連の又は複数の電極の一部の上を覆い、検出モジュールを形成する。ウェルのアレイは、第１の層内に位置決めすることができる。特定の実施形態において、第１の層内にウェルのアレイを製作する前又は後に、親水性層を第１の基板の第２の部分内の第１の層の上に配置して、親水性表面を有するウェルのアレイを設けることができる。第１の基板と第２の基板との間の空間／間隙を空気又は不混和性流体で満たすことができる。特定の実施形態において、第１の基板と第２の基板との間の空間／間隙は、空気で満たすことができる。
【０１９３】
特定の実施形態において、サンプル調製モジュール及び検出モジュールは、単一のベース基板を用いて製作することができるが、液滴を移動させるための一連の又は複数の電極は、ただサンプル調製モジュール内にのみ存在し得る。かかる実施形態において、第１の基板は、第１の基板の第１の部分において第１の基板の上面の上に重ねられた一連の又は複数の電極を含むことができ、この場合、一連の又は複数の電極は、第１の基板の第２の部分まで延びていない。かかる実施形態において、一連の又は複数の電極は、第１の部分内にのみ位置決めされる。誘電性／疎水性材料（例えば、Ｔｅｆｌｏｎ）の第１の層は、上述のように、第１の基板の上面に配置することができ、一連の又は複数の電極を覆うことができる。特定の実施形態において、第１の層は、第１の基板の第１の部分の上にのみ配置することができる。他の実施形態において、第１の層は、第１の部分並びに第２の部分の上を覆って、第１の基板の上面の上に配置することができる。ウェルのアレイは、第１の基板の第２の部分において第１の層内に位置決めすることができ、ウェルのアレイの下に存在する一連の又は複数の電極を含まない検出モジュールが形成される。
【０１９４】
特定の事例において、第１の層は、誘電性層とすることができ、疎水性材料の第２の層を該誘電性層の上に配置することができる。ウェルのアレイを疎水性層内に位置決めすることができる。疎水性層内のウェルのアレイの製作の前又は後で、親水性層を、第１の基板の第２の部分内の疎水性層の上に配置することができる。
【０１９５】
特定の実施形態において、第２の基板は、第１の基板の第１及び第２の部分の上に延びることができる。かかる実施形態において、第２の基板は、少なくともウェルのアレイに重なった領域内で、実質的に透明なものとすることができる。他の事例において、第２の基板は、第１の基板の第１の部分の上に離間した状態で配置することができ、第１の基板の第２の部分の上には配置されなくてもよい。それゆえ、特定の実施形態において、第２の基板は、サンプル調製モジュール内には存在し得るが検出モジュール内には存在しなくてもよい。
【０１９６】
特定の事例において、第２の基板は、電極を形成する導電性層を含み得る。導電性層は、第２の基板の下面に配置することができる。導電性層は、上述のように、誘電性／疎水性材料で作られた第１の層によって被覆することができる。特定の事例において、導電性層は、誘電性層によって被覆することができる。誘電性層は、疎水性層によって被覆することができる。導電性層及びこれを被覆するいずれの層も、第２の基板の下面にわたって配置されてもよく、又は第２の基板の第１の部分にのみ存在してもよい。特定の実施形態において、第２の基板は、第１の基板の第１及び第２の部分の上に延びることができる。かかる実施形態において、第２の基板及びその上に配置されたいずれの層（例えば、導電性層、誘電性層等）も、少なくともウェルのアレイに重なった領域内で、実質的に透明なものとすることができる。
【０１９７】
他の事例において、第１の基板上の一連の又は複数の電極は、共面電極として構成することができ、第２の基板は、電極を含まなくてもよい。
【０１９８】
特定の事例において、第１の層及び／又は第２の層内に存在する電極は、酸化インジウムスズ、フッ素ドープ酸化スズ（ＦＴＯ）、ドープ酸化亜鉛及びそれらに類するもののような実質的に透明な材料から製作することができる。
【０１９９】
いくつかの実施形態において、サンプル調製モジュール及び検出モジュールは、単一のベース基板上に製作することができる。他の実施形態において、サンプル調製モジュール及び検出モジュールは、別個の基板上に製作することができ、その後これらを接合して集積マイクロ流体及び検体検出デバイスを形成することができる。特定の実施形態において、第１及び第２の基板は、基板間に位置決めされ得るスペーサーを用いて離間することができる。
【０２００】
本明細書で記載するデバイスは、平面状であり得、矩形又は正方形、角が丸い矩形又は正方形、円形、三角形といった任意の形状を有し得る。
【０２０１】
小滴ベースのマイクロ流体は、能動的又は受動的な力によって液滴を生成しアクチュエーション（例えば移動、併合、分割等、）することを意味する。能動的力の例は、電場を含むが、これに限定されない。例示的な能動的力の技法には、エレクトロウェッティング、誘電泳動、オプトエレクトロウェッティング、電極媒介、電場媒介、静電アクチュエーション、及びそれに類したもの又はこれらの組合せが含まれる。いくつかの例において、デバイスは、エレクトロウェッティングのような小滴ベースのマイクロ流体により、又はエレクトロウェッティングと液滴の連続流体流との組合せにより、液滴を、間隙内で、第１の層の上面（又は存在する場合には第２の層の上面）にわたってアクチュエーションすることができる。他の例において、デバイスは、液滴をサンプル調製モジュールから検出モジュールまで送達するためのマイクロチャネルを含み得る。他の例において、デバイスは、小滴ベースのマイクロ流体による、間隙内の疎水性層の表面にわたる液滴のアクチュエーションによるものであり得る。エレクトロウェッティングは、表面に電場を印加すること表面の濡れ特性を変化させること、及び表面上に存在する液滴と表面との間の表面張力に影響を及ぼすことを伴い得る。連続流体流を用いて、外部機械式ポンプ又は集積機械式マイクロポンプなどの外部圧力源、又は毛管力と動電学的機構との組合せにより、液滴を移動させることができる。受動的力の例には、Ｔ接合及び流れ集束法を含まれるが、これらに限定されない。受動的力の他の例は、重質油流体のようなより高密度の不混和性液体の使用を含み、これを第１の基板の表面の上で液滴へ連結させて、液滴を表面にわたって移動させることができる。より高密度の不混和性液体は、水より高密度であり、適度に水と混じり合わない任意の液体であり得る。例えば、不混和性液体は、炭化水素、ハロゲン化炭化水素、極性油、非極性油、フッ素化油、クロロホルム、ジクロロメタン、テトラヒドロフラン、１−ヘキサノール等であり得る。
【０２０２】
第１の基板と第２の基板との間の空間は、高さ約１ｍｍまで、例えば、０．１μｍ、０．５μｍ、１μｍ、５μｍ、１０μｍ、２０μｍ、５０μｍ、１００μｍ、１４０μｍ、２００μｍ、３００μｍ、４００μｍ、５００μｍ、１μｍ〜５００μｍ、１００μｍ〜２００μｍ、等であり得る。本明細書で記載するデバイス内で生成され移動される小滴の体積は、約１０μｌから約５ピコｌまでの範囲、１０μｌ〜１ピコｌ、７．５μｌ〜１０ピコｌ、５μｌ〜１ｎＬ、２．５μｌ〜１０ｎＬ、又は１μｌ〜１００ｎＬ、８００〜２００ｎＬ、１０ｎＬ〜０．５μｌなど、例えば１０μｌ、１μｌ、８００ｎＬ、１００ｎＬ、１０ｎＬ、１ｎＬ、０．５ｎＬ、１０ピコｌ又はそれ未満であり得る。
【０２０３】
図１Ａは、例示的な集積デジタルマイクロ流体及び検体検出デバイス１０を示す。デバイス１０は、第１の基板１１及び第２の基板１２を含み、ここで第２の基板１２は、第１の基板１１の上に位置決めされ、第１の基板から間隙１３によって分離されている。図１Ａに示すように、第２の基板１２は、第１の基板１１と同じ長さである。しかしながら、他の例示的なデバイスにおいて、第１の基板１１及び第２の基板１２は、異なる長さであってもよい。第２の基板は、電極を含んでもよく、又は含まなくてもよい。第１の基板１１は、第１の部分１５を含み、ここでサンプル小滴、試薬小滴等のような液滴が第１の基板１１上に導入される。第１の基板１１は、第２の部分１６を含み、ここに向かって液滴が移動される。第１の部分１５は、サンプル調製モジュールと称されることもあり、第２の部分１６は、検体検出モジュールと称されることもある。第１の基板１１は、第１の基板１１の上面に位置決めされた一連の又は複数の電極１７を含む。誘電性／疎水性材料（例えば、誘電性且つ疎水性の両方であるＴｅｆｌｏｎ）の層１８が第１の基板の上面に配置され、一連の又は複数の電極１７を被覆する。ウェルのアレイ１９は、第１の基板の第２の部分１６上で層１８内に位置決めされる。
【０２０４】
図１Ｂは、集積デジタルマイクロ流体及び検体検出デバイス２０の別の例を示し、これは、第１の基板２１及び第２の基板２２を含み、ここで第２の基板２２は、第１の基板２０の上に位置決めされ、第１の基板から間隙２３によって分離されている。第１の基板２１は、液体がそこで第１の基板２１上に導入される第１の部分２５と、検体関連シグナルの検出のために液体がそこへ向かって導かれる第２の部分２６とを含む。第１の基板２１は、第１の基板の上面に位置決めされた一連の又は複数の電極２７を含む。誘電性材料の層２８が、第１の基板２１の上面に位置決めされ、一連の又は複数の電極２７を被覆する。この例示的なデバイスでは、一連の又は複数の電極２７は、第１の基板２１の第１の部分上にのみ位置決めされる。第２の基板２２は、電極を含んでもよく、又は含まなくてもよい。
【０２０５】
図２Ａは、集積デジタルマイクロ流体及び検体検出デバイス３０の別の例を示す。デバイス３０は、第１の基板３１及び第２の基板３２を含み、ここで第２の基板３２は、第１の基板３１の上に位置決めされ、第１の基板から間隙３３によって分離されている。第１の基板３１は、第１の部分３５を含み、ここでサンプル小滴、試薬小滴等のような液滴が第１の基板３１上に導入される。第１の基板３１は、第２の部分３６を含み、ここに向かって液滴が移動される。第１の部分はサンプル調製モジュールと称されることもあり、第２の部分は、検出モジュールと称されることもある。第１の基板３１は、第１の基板の上面に位置決めされた一連の又は複数の電極３７を含む。誘電性材料の層３８が、第１の基板の上面に配置され、一連の又は複数の電極３７を被覆する。疎水性材料の層３４が、誘電性層３８に重ね合わされる。ウェルのアレイ３９は、第１の基板３１の第２の部分上の疎水性層３４内に位置決めされる。ウェルのアレイは、親水性又は疎水性の表面を有し得る。
【０２０６】
図２Ｂは、集積デジタルマイクロ流体及び検体検出デバイス４０の別の例を示し、これは、第１の基板４１及び第２の基板４２を含み、ここで第２の基板４２は、第１の基板４０の上に位置決めされ、第１の基板から間隙４３によって分離されている。第１の基板は、液体がそこで第１の基板４１上に導入される第１の部分４５と、検体関連シグナルの検出のために液体がそこへ向かって導かれる第２の部分４６とを含む。第１の基板４１は、第１の基板の上面に位置決めされた一連の又は複数の電極４７を含む。誘電性材料の層４８が、第１の基板４１の上面に位置決めされ、一連の又は複数の電極４７を被覆する。この例示的なデバイスでは、一連の又は複数の電極４７は、第１の基板４１の第１の部分４５上にのみ位置決めされる。誘電性層４８は、第１の基板４１の上面全体を被覆し、疎水性層４４は、誘電性層の上面全体を被覆する。ウェルのアレイ４９が疎水性層４４内に位置決めされ、ウェルのアレイ４９は、第１の基板４１の第２の部分４６に重なった疎水性層の部分にのみ位置決めされる。この例において、誘電性層４８は、第１の基板４１の上面全体の上に延びているように示されている。他の例において、誘電性層及び疎水性層は、第１の部分に限定されることができ、ウェルは、第１の基板の第２の部分に位置決めされた親水性層内に位置決めすることができる。
【０２０７】
いくつかの例において、液体は、小滴アクチュエータ（図示せず）によって間隙内に導入され得る。他の例において、液体は、流体入口、ポート、又はチャネルによって、間隙内に入り得る。このデバイスの付加的な関連構成要素は図示していない。かかる図面は、サンプル、洗浄バッファー、結合メンバー、酵素基質、廃棄流体等を保持するためのチャンバを含み得る。アッセイ試薬は、集積装置の一部としての外部リザーバ内に収容されてもよく、この場合、特定のアッセイステップ用に必要なときに所定体積をリザーバからデバイス表面まで移動させることができる。さらに、アッセイ試薬は、乾燥された試薬、印刷された試薬、又は凍結乾燥された試薬の形態でデバイス上に堆積されてもよく、この場合、これらは活性を失わずに長期間にわたって貯蔵され得る。かかる乾燥、印刷、又は凍結乾燥試薬は、検体分析の前又は間に再水和させることができる。
【０２０８】
いくつかの例において、第１の基板は、紙（インクジェット印刷された電極付き）又はポリマーのような可撓性材料で作ることができる。他の例において、第１の基板は、例えば印刷回路基板、プラスチック又はガラス又はシリコンなどの非可撓性材料で作ることができる。いくつかの例において、第１の基板は、単一のシートで作られ、次いでこれをその後の加工に供して一連の又は複数の電極を作製することができる。いくつかの例において、第１の基板上に多数の一連の又は複数の電極を製作することができ、これを切断して、一連の又は複数の電極が上に重ねられた複数の第１の基板を形成することができる。いくつかの例において、電極は、一般的な接着剤又ははんだによって導電性層の表面に貼り合わせることができる。第２の基板は、紙（インクジェット印刷された電極付き又は電極無し）、ポリマー、印刷回路基板、及びそれに類するような可撓性材料を含むがこれらに限定されない、任意の好適な材料で作ることができる。
【０２０９】
いくつかの例において、電極は、金属、金属混合物若しくは合金、金属−半導体混合物若しくは合金、又は導電性ポリマーからなる。金属電極のいくつかの例には、銅、金、インジウム、スズ、酸化インジウムスズ、及びアルミニウムが含まれる。いくつかの例において、誘電性層は、低い導電率を有するか、又は静電場を維持することが可能な、絶縁材料を含む。いくつかの例において、誘電性層は、磁器（例えばセラミック）、ポリマー又はプラスチックで作ることができる。いくつかの例において、疎水性層は、例えばＴｅｆｌｏｎ及び総称的なフルオロカーボンのような疎水性を有する材料で作ることができる。別の例において、疎水性材料は、フッ素系界面活性剤（例えば、ＦｌｕｏｒｏＰｅｌ）であり得る。誘電性層上に堆積された親水性層を含む実施形態において、それはガラス、石英、シリカ、金属水酸化物、又はマイカの層であり得る。
【０２１０】
電極のアレイ（例えば一連の）は、第１の基板の単位面積当たり所定数の電極を含むことができ、この数は、電極のサイズ及びインターディジタル形電極の有無に基づいて増減し得ることが当業者には認識されるであろう。電極は、フォトリソグラフィ、原子層堆積、レーザスクラビング又はエッチング、レーザアブレーション、電極のフレキソ印刷及びインクジェット印刷を含む、多様なプロセスを用いて製作することができる。
【０２１１】
いくつかの例において、第１の基板の上面に配置された導電性層に特別なマスクパターンを適用し、次いで露出した導電性層をレーザアブレーションして、第１の基板上に一連の又は複数の電極を生成することができる。
【０２１２】
いくつかの例において、一連の又は複数の電極によって発生した電位は、一連の又は複数の電極を被覆する第１の層（又は存在する場合は第２の層）の上面に形成された液滴を、デジタルマイクロ流体デバイスの表面にわたって移送し、ウェルのアレイによって受け入れされるようにする。各電極は、独立して、デジタルマイクロ流体デバイスの表面にわたって小滴を移動させることが可能であり得る。
【０２１３】
図３Ａは、例示的な集積デジタルマイクロ流体及び検体検出デバイス１００の側面図を、間隙１７０内を移動している液滴と共に示す。デバイス１００は、第１の基板１１０及び第２の基板１２０を含み、ここで第２の基板１２０は、第１の基板１１０の上に位置決めされ、第１の基板の上面から間隙１７０によって分離されている。第１の基板１１０は、第１の部分１１５を含み、ここでサンプル小滴、試薬小滴等のような液滴が第１の基板１１０上に導入される。第１の基板１１０は、第２の部分１３０を含み、これに向かって液滴が移動される。第１の部分はサンプル調製モジュールと称されることもあり、第２の部分は、検出モジュールと称されることもある。第１の基板１１０は、第１の基板の上面に位置決めされた一連の又は複数の電極１４５を含む。誘電性材料の層１５０が、第１の基板の上面に配置され、一連の又は複数の電極１４５を被覆する。疎水性材料の層１５５が、誘電性層１５０に重ね合わされる。ウェルのアレイ１６０は、第１の基板１１０の第２の部分上の疎水性層１５５内に位置決めされる。ウェルのアレイは、親水性又は疎水性の表面を有し得る。図３Ａに示すように、液滴は、第１の部分１１５から、ウェルのアレイ１６０を収めた第２の部分１３０までアクチュエーションされているところが示されている。複数のビーズ又は粒子１９０を含有する液滴１８０は、一連の又は複数の電極１４５を用いた能動的な方向性運動により、第１の部分１１５をわたって第２の部分１３０の上へ移動されている。矢印は、液滴の移動方向を示す。ここには示されていないが、分極可能な油を用いて、小滴を移動させてウェルをシールすることができる。ここではビーズ／粒子が図示されているが、小滴は、固体支持体の代わりに又はこれに加えて検体分子を含んでもよい。
【０２１４】
図３Ｂは、例示的な集積デジタルマイクロ流体及び検体検出デバイス１０１の側面図を、間隙１７０内を第１の部分１１５からウェルのアレイ１６０を含んだ第２の部分１３０へ移動している小滴１８０と共に示す。デバイス１０１は、第１の基板１１０及び第２の基板１２０を含み、ここで第２の基板１２０は、第１の基板１１０の上に位置決めされ、第１の基板の上面から間隙１７０によって分離されている。第１の基板１１０は、第１の部分１１５を含み、ここでサンプル小滴、試薬小滴等のような液滴が第１の基板１１０上に導入される。第１の基板１１０は、第２の部分１３０を含み、そこに向かって液滴が移動される。第１の部分はサンプル調製モジュールと称されることもあり、第２の部分は、検出モジュールと称されることもある。第１の基板１１０は、第１の部分１１５において第１の基板の上面に位置決めされた一連の又は複数の電極１４５を含む。誘電性材料の層１５０が、第１の基板の上面に配置され、一連の又は複数の電極１４５を被覆する。疎水性材料の層１５５が、誘電性層１５０に重ね合わされる。ウェルのアレイ１６０は、第１の基板１１０の第２の部分上の疎水性層１５５内に位置決めされる。ウェルのアレイは、親水性又は疎水性の表面を有し得る。デバイスの第１の部分の表面にわたる移動は、電極１４５によるものであり、次いで小滴１８０は、１９１及び１９２によって形成された毛管要素を通る毛管運動のような受動的な流体力を用いて、第２の部分へ移動される。いくつかの例において、毛管要素は、一連の又は複数の電極によって発生する印加される電場の非存在下で第１の部分から第２の部分への水滴の移動を促進するために、親水性材料を含み得る。いくつかの例において、疎水性材料のストライプ模様を親水性毛管の空間の隣に配置することができる。疎水性材料のストライプ模様を用いて、デジタルマイクロ流体の電極の非存在下でウェルのアレイの上に不混和性流体の小滴を移動させることができる。疎水性毛管要素を通って流れ得る液体のいくつかの例には、フッ素化油などの重質油流体が含まれ、ウェルのアレイの上の液滴の運動を促進するために用いることができる。他の例において、油滴は、過剰の小滴を除去するために利用することもできる。
【０２１５】
水性流体を移動させることに加えて、有機系不混和性流体のような不混和性流体もまた、電気的に媒介されるアクチュエーションによって移動させることができる。小滴アクチュエーションは、導電率と相関するのみならず、相互に関連した双極子モーメント及び誘電率とも相関していることが理解される。特定の実施形態において、不混和性液体は、約０．９Ｄより大きい分子双極子モーメント、約３より大きい誘電率、及び／又は約１０-9Ｓｍ-1より大きい導電率を有することができる。移動可能な不混和性液体の例及びその特性は、非特許文献３３（Ｃｈａｔｔｅｒｊｅｅ，ｅｔ  ａｌ．Ｌａｂ  ｏｎ  Ｃｈｉｐ，６，１９９−２０６（２００６））において論じられている。本明細書において開示される検体分析アッセイにおける不混和性液体の使用の例は、水滴の運動を支援すること、ウェルの上に位置決めされた水性流体を置換すること、ウェルの光学的照合の前に、堆積されていないビーズ／粒子／検体分子をウェルから置換すること、ウェルをシールすること、及びそれに類したことを含む。本明細書で開示されるデバイス内で移動可能な有機系不混和性流体のいくつかの例には、１−ヘキサノール、ジクロロメタン、ジブロモメタン、ＴＨＦ及びクロロホルムが含まれる。上記の基準を満たす有機系油もまた同様の条件下で移動可能であることが予期される。不混和性流体小滴を用いるいくつかの実施形態において、デバイス内の間隙／空間は、空気で満たすことができる。
【０２１６】
図４Ａは、図３Ａの集積デバイスの第２の部分へ移動されてウェルのアレイ１６０の上に位置決めされた、ビーズ又は粒子１９０を含有する液滴１８０を示す。小滴は、ウェルのアレイの上で直線又は往復運動又は動きで連続的に移動することができ、ウェルのアレイの上で一時停止することができる。ウェルのアレイの上での小滴の移動及び／又は小滴を一時停止させることで、ウェルのアレイ１６０内への粒子又はビーズ１９０の堆積が促進される。ウェルは、１個のビーズ／粒子を含むような寸法にされる。図４Ａに示すデバイスにおいて、小滴は、一連の又は複数の電極１４５を用いてウェルのアレイの上で移動される。ここではビーズ／粒子が描かれているが、検体分子を含有する小滴もまた、同様の様式で、不混和性流体がウェルをシールする前に検体分子を含有する小滴を検体分子がウェル内へ拡散することを可能にするのに十分な時間にわたってウェルの上で一時停止させることによって、移動させることができる。ウェルは、１個のビーズ／粒子を含むような寸法にされる。ウェルはまた、ウェル毎に１検体分子を含むような寸法にすることもできる。
【０２１７】
図４Ｂは、図３Ｂの集積デバイスの第２の部分へ移動されて一連の又は複数の電極を用いずにウェルのアレイの上に位置決めされた、ビーズ又は粒子１９０を含有する液滴１８５を示す。図４Ｂにおいて、ウェルアレイの上で液滴を移動させてウェル１６０内へのビーズ／粒子１９０の堆積を促進するために、疎水性液体１９５（不混和性流体など）の小滴が用いられている。矢印の方向は、小滴１８５が移動されている方向を示す。
【０２１８】
図５は、一連の又は複数の電極５７を用いて第１の部分５５の上を移動されている疎水性流体小滴６２（例えば、分極可能な流体）を示す。図示したデバイス５０は、第１の基板５１及び第２の基板５２を含み、ここで第２の基板５２は、第１の基板５１の上に位置決めされ、第１の基板から間隙５３によって分離されている。第１の基板５１は、第１の部分５５を含み、ここでサンプル小滴、試薬小滴等のような液滴が第１の基板５１上に導入される。第１の基板５１は、第２の部分５６を含み、ここに向かって液滴が移動される。第１の基板５１は、第１の部分５５において第１の基板の上面に位置決めされた一連の又は複数の電極５７を含む。誘電性材料の層５８が、第１の基板の上面に位置決めされ、一連の又は複数の電極５７を被覆する。疎水性材料の層５４が、誘電性層５８の上に重ね合わされる。ウェルのアレイ５９は、第１の基板５１の第２の部分上の疎水性層５４内に位置決めされる。ウェルのアレイは、親水性又は疎水性の表面を有し得る。毛管要素６０が、第１の基板５１及び第２の基板５２の上の疎水性材料の２つのストライプの堆積によって形成される。疎水性毛管は、第２の部分５６における一連の又は複数の電極の非存在下で、ウェルのアレイ５９への疎水性流体小滴６２の移動を促進する。他の実施形態において、毛管要素は、第１の基板５１及び第２の基板５２の上の親水性材料の２つのストライプの堆積によって形成することができる。親水性材料は、第２の部分５６における一連の又は複数の電極の非存在下で、ウェルのアレイ５９への水滴の移動を促進する。特定の実施形態において、毛管要素は、一対の親水性材料のストライプと一対の疎水性材料のストライプとが交互になったものを含み得る。水滴は、一対の親水性のストライプが位置決めされている領域に導かれることができ、一方、不混和性流体の小滴は、一対の疎水性ストライプが位置決めされている領域に導かれることができる。
【０２１９】
図６は、集積デジタルマイクロ流体及び検体検出デバイスの別の実施形態を示す。デバイス６００は、下部層６０１を含み、その上に電極６０７のアレイが形成されている。電極のアレイは、誘電性層６０８によって被覆されている。疎水性層６０９は、下部基板の第１の部分６０５にのみ配置されている。親水性層６１０は、下部基板６０１の第２の部分６０６上に配置されている。ウェルのアレイは、親水性層６１０内の第２の部分内に位置している。下部基板から間隙／空間６０３によって分離された上部基板６０２もまた描かれている。上部基板６０２は、下部基板の第１の部分の上で、上部基板の底面に配置された誘電性層６０８を含む。上部基板は、下部基板の第２の部分から、上部基板の底面にわたって配置された親水性層６１０を含む。水滴６１１は疎水性層を濡らさず、親水性の第２の部分に達すると、小滴６１１は、ウェルのアレイ６１９の上に広がり、それによって受動的毛管力による水相の移動を促進する。同様のやり方で、上記の概念を逆にして、有機系不混和性流体がウェルを濡らしてその上に広がることを促進することができる。この場合、第２の部分の上部及び下部基板を疎水性材料／コーティングでコーティングすることができ、それによって有機系不混和性流体が受動的毛管力によりウェルの上で流動することを可能にする。
【０２２０】
本明細書で用いるとき、デジタルマイクロ流体は、マイクロ流体デバイス内で小滴を操作するための、例えば、小さい空間内で、小滴を移動する、小滴を分割する、小滴を併合する等のための一連の電極の使用を意味する。本明細書において使用されるとき、「小滴」及び「流体小滴」は、大まかに球状の形の離散的な体積の液体であって、少なくとも１つの側面上でマイクロ流体デバイスの壁又は基板によって境界を定められているものを指すのに、互換的に使用される。小滴の文脈における大まかに球状とは、球状、部分的に平らになった球体、例えば、円盤形、ナメクジ形、切頭球体、楕円状、半球状、又は卵形などの形を指す。本明細書において開示されるデバイスにおける小滴の体積は、約１０μｌから約５ｐＬまでの範囲、１０μｌ〜１ｐＬ、７．５μｌ〜１０ｐＬ、５μｌ〜１ｎＬ、２．５μｌ〜１０ｎＬ、又は１μｌ〜１００ｎＬなど、例えば１０μｌ、５μｌ、１μｌ、８００ｎＬ、５００ｎＬ、又はそれ未満であり得る。
【０２２１】
いくつかの例において、ウェルのアレイは、複数の個別のウェルを含む。ウェルのアレイは、１ｍｍ2毎に個数で１０から１０9までの範囲であり得る複数のウェルを含み得る。特定の事例において、およそ１２ｍｍ2の面積に及ぶ約１００，０００ウェルから５００，０００ウェル（例えば、フェムトリットルウェル）のアレイを製作することができる。各ウェルは、幅約４．２μｍ×深さ３．２μｍの寸法（容量はおよそ５０フェムトリットル）とすることができ、単一のビーズ／粒子（直径約３μｍ）を保持することが可能であり得る。この密度において、フェムトリットルウェルは、互いにおよそ７．４μｍの距離で離間する。いくつかの例において、ウェルアレイは、直径１０ｎｍから１０，０００ｎｍまでの個々のウェルを有するように製作することができる。
【０２２２】
ウェル内に単一のビーズ／粒子／検体分子を配置することで、デジタル読出し又はアナログ読出しのいずれも可能になる。例えば、陽性ウェルの数が少ない場合（＜〜７０％陽性）ポアソン統計量を用いて、検体濃度をデジタル形式で定量することができ、陽性ウェルの数が多い場合（＞〜７０％）、シグナルを持つウェルの相対強度を、単一のビーズ／粒子／検体分子から発生するシグナル強度とそれぞれ比較し、これを用いてアナログシグナルが生成される。デジタルシグナルは、低めの検体濃度に対して用いることができ、他方、アナログシグナルは、高めの検体濃度に対して用いることができる。デジタル定量化とアナログ定量化との組合せを用いることができ、これにより線形的なダイナミックレンジを拡張することができる。本明細書において用いるとき、「陽性ウェル」は、ビーズ／粒子／検体分子の存在に関連したシグナルを有するウェルのことを意味し、このシグナルは閾値を上回る。本明細書において用いるとき、「陰性ウェル」は、ビーズ／粒子／検体分子の存在に関連したシグナルを有していないかもしれないウェルを意味する。特定の実施形態において、陰性ウェルからのシグナルは、バックグラウンドレベル、すなわち閾値を下回り得る。
【０２２３】
ウェルは、平らな底面付きの円筒形、丸い底面付きの円筒形、立方体、立方形、切頭円錐、逆切頭円錐、又は円錐などの、任意の多様な形状であり得る。特定の事例において、ウェルは、ウェルアレイの上に移動した液滴中に存在するマイクロビーズ又はマイクロ粒子の受入れ及び保持を促進するように配向され得る側壁を含むことができる。いくつかの例において、ウェルは、第１の側壁及び第２の側壁を含むことができ、ここで第１の側壁は第２の側壁と対向し得る。いくつかの例において、第１の側壁は、ウェルの底部に対して鈍角に配向され、第２の側壁は、ウェルの底部に対して鋭角に配向される。小滴の移動は、ウェルの底部に対して平行に第１の側壁から第２の側壁へ向かう方向であり得る。
【０２２４】
いくつかの例において、ウェルのアレイは、成形、圧力、熱、若しくはレーザのうちの１つ又はそれより多く、又はそれらの組合せにより製作することができる。いくつかの例において、ウェルのアレイは、ナノインプリント／ナノスフィアリソグラフィを用いて製作することができる。当技術分野で周知の他の製作方法を用いることもできる。
【０２２５】
図７Ａ〜図７Ｂは、いくつかの例示的なウェルの側壁配向を示す。図７Ａ〜図７Ｂに示すように、ウェルは、第２の側壁に対向した第１の側壁を含む。図７Ａは、ウェルのアレイ内の個々のウェル４６０の垂直断面図を示す。図７Ａは、第１の側壁４０１及び第２の側壁４０２を示す。第１の側壁は、ウェルの底面１４３に対して鈍角を成し、第２の側壁は、ウェルの底面１４３に対して鋭角を成す。矢印は、液滴がアレイを横切って移動する方向を示す。ウェルの側壁のこの配向は、ビーズ／粒子／検体分子４９０の受入れ及び保持を促進する。
【０２２６】
図７Ｂにおいて、第１の側壁４１０の上部分４１５はウェルの底部４１２に対して鈍角に配向され、第１の側壁４１０の下部分４１６はウェルの底部４１２に対して垂直に配向され、第２の側壁４１１はウェルの底部４１２に対して垂直に配向され、液滴の移動はウェルの底部に平行に第１の側壁から第２の側壁へ向かう方向であり、第１の側壁の上部分はウェルの開口部にある。
【０２２７】
本明細書で記載する集積デバイスは、多数の方法で製作することができる。特定の事例において、上記方法は、第１の基板、一連の又は複数の電極、誘電性層及び疎水性層を構築するために、レーザアブレーション、吹付け塗装、ロール・ツー・ロール、フレキソ印刷及びナノインプリントリソグラフィ（ＮＩＬ）の組合せを含み得る。
【０２２８】
いくつかの例において、複数のローラが第１のロールの巻きを解いて、第１の基板を第１の位置まで駆動することができる。次いで導電性材料を第１の基板に塗工することができる。導電性材料をパターニングして、一連の又は複数の電極にすることができる。いくつかの例において、印刷装置は、第１の基板上の少なくとも１つの電極パターンに疎水性材料又は誘電性材料のうちの少なくとも１つを塗工するための１つ又はそれより多くのコーティングローラを備えている。いくつかの例において、コーティングローラは、第１の基板に防汚材料を塗工するためのものである。
【０２２９】
いくつかの例において、システムは、第１の基板を第２の基板に整列させるためのマージ装置（ｍｅｒｇｅｒ）をさらに含む。いくつかの例において、マージ装置は、２つのローラを備える。また、開示される例のうちのいくつかは、疎水性材料又は誘電性材料を硬化するための硬化ステーションを含む。開示する例のいくつかはまた、第１の基板の少なくとも第１の部分を第２の基板の少なくとも第１の部分に貼り合わせるボンディング・ステーションも含む。貼り合される部分は、電極パターンを含む。上記方法はまた、第１の基板と第２の基板とを離間した距離で関連付けることも含む。第１の基板と第２の基板との間の空間は、高さ約０．０１ｍｍから１ｍｍまで、例えば、０．１μｍ、０．５μｍ、１μｍ、５μｍ、１０μｍ、２０μｍ、５０μｍ、１００μｍ、１４０μｍ、２００μｍ、３００μｍ、４００μｍ、５００μｍ、１μｍ〜５００μｍ、１００μｍ〜２００μｍ等であり得る。
【０２３０】
いくつかの例において、この方法は、第１の基板をエンボス加工して、第１の基板上に１つ又はそれより多くの突起を作り出すことを含む。かかる例において、突起は、第１の基板と第２の基板とを離間した距離で分離するためのものである。
【０２３１】
本開示のデバイスは、手動又は自動的若しくは半自動的に動作させることができる。特定の事例において、デバイスは、検体関連シグナルを生成すること及びシグナルを検出することのために必要なステップを実行するためのプログラムを実行するプロセッサによって動作させることができる。本明細書において使用する場合、「検体関連シグナル」又は「検体に関連付けられたシグナル」は、検体の存在の指標であり、サンプル中の検体の量に比例するシグナルを意味する。シグナルは、蛍光、化学発光、比色、比濁等であり得る。特定の事例において、読出しは、デジタルであり得、例えば、陽性カウント（例えばウェル）の数を陰性カウント（例えばウェル）の数と比較してデジタルカウントを得る。
【０２３２】
図８は、集積デジタルマイクロ流体及び検体検出デバイスのベース基板を作製するための第１の例示的なシステム又は組立体５００の図である。第１の例示的な組立体５００は、第１のローラ５０２、第２のローラ５０４、及び第３のローラ５０６を含む一連の又は複数のローラを含み、これらは同期された回転で動作して、第１の例示的な組立体５００を通してベース基板５０８を駆動させる。第１の例示的な組立体５００は、第１から第３までのローラ５０２、５０４、５０６に加えて、ロール・ツー・ロール技術を用いて上記組立体を通してベース基板５０８を移動させるためのローラを含むことができる。他の例は、コンベヤ、プーリ、及び／又は他のいずれかの好適な輸送機構を使用し得る。
【０２３３】
第１の例示的な組立体５００において、第１のローラ５０２が回転して、ベース基板５０８の巻きを解き、これはいくつかの例においてロール構成の単一シートである。ベース基板５０８は、第１の層５１０及び第２の層５１２を含む。この例において、第１の層５１０は、例えばプラスチックなどの非導電性の可撓性基板又はウェブを含み、第２の層５１２は、導電性材料を含む。第２の層５１２の導電性材料は、例えば、金、銀又は銅などの金属、又は導電性ポリマーなどの非金属導電体であり得る。他の例において、異なる金属、又は金属及び／又は導電性ポリマーの組合せを用いることができる。いくつかの例において、ベース基板５０８は、非導電性の第１の層５１０と導電性の第２の層５１２との間に配置された、随意の接着層５１３を含む。一例として、接着層５１３は、クロムを含むことができ、クロム接着層５１３の上に配置された金の層が導電性の第２の層５１２を形成する。それゆえ、図８のベース基板５０８において、非導電性の第１の層５１０及び導電性の第２の層５１２は、第１のローラ５０２によって巻きが解かれる前に予め接着されてベース基板５０８を形成している。
【０２３４】
図８の例示的なベース基板５０８において、非導電性の第１の層５１０は、約５００ｎｍ未満の厚さを有する。後述するように、かかる厚さは、ベース基板５０８が複数のローラによって例示的な第１の組立体５００を通って移動することを可能にする。また、いくつかの例において、非導電性の第１の層５１０の厚さは、導電性の第２の層５１２の厚さを上回る。一例として、導電性の第２の層５１２の厚さは、およそ３０ｎｍであり得る。他の例において、導電性の第２の層５１２の厚さは、約５００ｎｍ未満である。いくつかの例において、非導電性の第１の層５１０及び／又は導電性の第２の層５１２の厚さは、例えば、第１及び／又は第２の層５１０、５１２の材料、及び／又はベース基板５０８から形成される小滴アクチュエータの実用的な使用目的に基づいて選択される。
【０２３５】
第１のローラ５０２は、ベース基板５０８をレーザアブレーション・ステーション５１４へ駆動する。レーザアブレーション・ステーション５１４は、ベース基板５０８の導電性の第２の層５１２に投影されるマスターパターン５１８を収めたマスク５１６を含む。マスク５１６に関連付けられたマスターパターン５１８は、解像度（例えば、アブレーションされるベース基板５０８の面積当たりの電極の数）、電極サイズ、電極パターンを定めるラインの構成、電極のインターディジテーション、電極間の間隙又は間隔、及び／又は電極を電源などの機器に接続するための電気的トレースといった特性に基づいて、予め定めることができる。いくつかの例において、マスターパターン５１８の特性は、そのベース基板５０８が関連付けられる小滴アクチュエータの１つ又はそれより多くの実用的用途（例えば、生物学的及び／又は化学的アッセイを伴う使用）に基づいて選択される。また、いくつかの例において、マスターパターン５１８は、構成可能又は再構成可能であり、レーザアブレーション・ステーション５１４がベース基板５０８上に異なるパターンを形成することを可能にする。付加的に又は代替的に、いくつかの例において、マスク５１６を１つ又はそれより多くの代替的マスクで置き換えることが可能である。
【０２３６】
レーザアブレーション・ステーション５１４は、レンズ５２０を含む。ローラ（例えば第１のローラ５０２）の回転の結果としてベース基板５０８がレーザアブレーション・ステーション５１４に遭遇するとき、ベース基板５０８の部分５２２は、レンズ５２０の下を通り又はこれを通過する。部分５２２は、例えば、ベース基板５０８の面積より小さい面積を有し且つ導電性の第２の層５１２を含むベース基板５０８の矩形又は正方形の区域であり得る。レンズ５２０は、部分５２２に関連付けられた導電性の第２の層５１２上にマスターパターン５１８の少なくとも一部を結像又は投影する。レーザビーム５２４は、マスク５１６及びレンズ５２０を介して部分５２２上に導かれ、投影されたマスターパターン５１８に基づいてレーザビーム５２４が導電性の第２の層５１２に選択的に浸透するようになっている。いくつかの例において、非導電性の第１の層５００又は部分（例えば非導電性の第１の層５１０の厚さの一部）もまた、投影されたマスターパターン５１８に基づいてレーザビーム５２４によって浸透され得る。マスク５１６の中実部分は、レーザビーム５２４をブロックし、マスク５１６の開放部分は、レーザビーム５２４がマスク５１６を通過してベース基板５０８に接触することを可能にする。レーザビーム５２４は、例えばエキシマレーザに関連付けることができる。
【０２３７】
レーザビーム５２４への露光の結果として、照射された部分５２２の非導電性の第１の層５１０は、レーザビーム５２４に関連したエネルギーを吸収する。照射された非導電性の第１の層５１０は、光化学的解離を受け、その結果、マスターパターン５１８に従って、非導電性の第１の層５１０の構造的結合の選択的崩壊、並びに、非導電性の第１の層５１０及び照射された非導電性の第１の層５１０に重なっている導電性の第２の層５１２の部分のフラグメントの放出が生じる。いくつかの例において、レーザビーム５２４がベース基板５０８に浸透する深さ（例えば放射強度）は、非導電性の第１の層５１０及び／又は導電性の第２の層５１２の深さ（例えば厚さ）に基づいて予め定められる。いくつかの例において、レーザビーム５２４の浸透深さは調節可能であり、レーザビーム５２４が導電性の第２の層５１２を下に重なった非導電性の第１の層５１０のフラグメント化の結果としてアブレーションする深さを変更する。いくつかの例において、この調整は、例示的なシステム５００が動作するにつれて動的である。また、いくつかの例において、ベース基板５０８は、レーザビーム５２４への露光後にクリーニングを受けて、粒子及び／又は表面混入物が除去される。
【０２３８】
図８に示すように、レーザアブレーション・ステーション５１４への露光の後、ベース基板５０８の部分５２２は、電極アレイ５２６を含む。電極アレイ５２６は、導電性の第２の層５１２内に形成された複数の電極で構成される。レーザビーム５２４への露光及び非導電性の第１の層５１０のフラグメント化の結果として、導電性の第２の層５１２の一部がベース基板５０８から除去される。電極アレイ５２６に関連した除去部分は、マスターパターン５１８に基づく。いくつかの例において、除去部分はマスク５１６の開放部分と一致する。
【０２３９】
図８に戻ると、部分５２２がレーザアブレーション・ステーション５１４においてレーザアブレーションを受けて、電極アレイ５２６を形成した後、部分５２２は、第１から第３までのローラ５０２、５０４、５０６の回転によってプリンタ５２８まで移動される。第１の例示的な組立体５００において、プリンタ５２８は、疎水性及び／又は誘電性を有する材料５３０の少なくとも１層を電極アレイ５２６に塗工することが可能な装置又は機器を含む。第１の例示的な組立体５００において、プリンタ５２８は、疎水性及び／又は誘電性材料５３０を、ウェブベースのコーティング（例えば、プリンタ５２８に関連付けられたローラによる）、スロット−ダイコーティング、スピンコーティング、化学蒸着、物理蒸着、及び／又は原子層堆積を含むがこれらに限定されない堆積技術によって堆積することができる。プリンタ５２８はまた、疎水性及び／又は誘電性材料５３０に加えて他の材料を塗工することもできる（例えば、防汚コーティング、抗凝固剤）。また、プリンタ５２８は、異なる厚さを有する、及び／又はベース基板５０８の異なる部分を被覆する材料の１つ又はそれより多くの層を塗工することもできる。
【０２４０】
上記のように、第１の例示的な組立体５００において、第１から第３までのローラ５０２、５０４、５０６の少なくとも１つは、電極アレイ５２６への疎水性及び／又は誘電性材料５３０の塗工のためにベース基板５０８をプリンタ５２８まで前進させる。いくつかの例において、プリンタ５２８は、複数の位置合わせローラ５３１を含み、疎水性及び／又は誘電性材料５３０を例えばローラコーティング法により塗工する際のプリンタ５２８の動作の一部としてベース基板５０８の送り及び位置合わせの精度を助長する。
【０２４１】
第１の例示的な組立体５００において、疎水性及び／又は誘電性材料５３０は、電極アレイ５２６に塗工されて、電極アレイ５２６を完全に又は実質的に完全に絶縁する。
【０２４２】
いくつかの例において、疎水性及び／又は誘電性材料５３０は、実質的に液体形態でプリンタ５２８によって堆積される。小滴を支持するための構造層又は被処理層５３２をベース基板５０８上に作り出すために、部分５２２は、ローラ（例えば、第１から第３までのローラ５０２、５０４、５０６）によって硬化ステーション５３４を通して移動される。硬化ステーション５３４において、疎水性及び／又は誘電性材料は、処理され及び／又は改質されて第１の被処理層５３２形成する。疎水性及び／又は誘電性材料を処理することは、材料を硬化することを含み得る。例えば、硬化ステーション５３４において、疎水性及び／又は誘電性材料５３０の硬質化を促進するために熱が印加される。いくつかの例において、部分５２２は、疎水性及び／又は誘電性材料５３０を硬化するために紫外線に露光されて、電極アレイ５２６を絶縁するための被処理層５３２を形成する。他の例において、疎水性及び／又は誘電性材料の硬化及び／又は改質は、熱及び／又は光子源を使わずに達成される。いくつかの例において、被処理層５３２は、小滴を操作するために（例えば電極アレイ５２６に関連して）電場が印加されたときに、小滴を支持する。例えば、エレクトロウェッティングプロセス中に、被処理層５３２上の小滴の表面張力に影響を及ぼす印加電圧の結果として、被処理層５３２に対する小滴の接触角が変化する。エレクトロウェッティングは、単なる例であり、小滴は他の力を用いて同様に移動され得る。
【０２４３】
硬化ステーション５３４を通過した後、部分５２２は、小滴アクチュエータ及び／又はデジタルマイクロ流体チップの下部基板として機能するように調製される。ベース基板５０８は、上記開示の通り、導電性の第２の層５１２に貼り合された非導電性の第１の層５１０を含んでいるので、例えば非導電性の第１の層５１０への電極アレイ５２６の更なる接着は必要とされない。かかる構成は、加工ステップを減らすことによって、小滴アクチュエータ用のベース基板５０８の調製の効率を高める。また、上記のように、部分５２２がレーザアブレーション・ステーション５１４、プリンタ５２８、又は硬化ステーション５３４のいずれか１つにあるとき、ベース基板５０８の他の部分は、第１の例示的な組立体５００のそれぞれのステーション５１４、５２８、５３４のうちの他のところを通って同時に移動している。例えば、部分５２２が硬化ステーション５３４にあるとき、第１から第３までのローラ５０２、５０４、５０６は、ベース基板５０８の１つ又はそれより多くの他の部分を例えばレーザアブレーション・ステーション５１４及び／又はプリンタ５２８を通して、連続的、周期的、又は非周期的に前進させている。このようにして、小滴アクチュエータ用のベース基板５０８の調製が実質的に連続的な高速の自動化プロセスにより達成される。
【０２４４】
硬化ステップの後、パターンローラをベース基板の第２の部分の上で転動させて、ウェルのアレイ５４０が作り出される。アレイウェル５４０は、引き続き、親水性材料（図示せず）でコーティングされ得る。
【０２４５】
ベース基板５０８は、逐次的な部分を含んでいると考えることができるが、第１の例示的な組立体５００のいくつかの例示的な動作の間、ベース基板５０８は、逐次的な部分が加工されて電極アレイ５２６が作られ（例えば電極パターンにより）、疎水性及び／又は誘電性材料５３０のコーティングを受けているとき、単一シートのままである。それゆえ、加工されたベース基板５０８を用いて１つ又はそれより多くの小滴アクチュエータを作るために、後でさらに開示するように、ベース基板５０８は、いくつかの例において、切断（例えば、ダイシング）されて、電極アレイ５２６を含む個々のユニットが形成される。いくつかの例において、ダイシングに先立って、部分５２２を含むベース基板５０８は、再度巻き取られて、第１のローラ５０２によって巻きを解かれる前のベース基板５０８の初期ロール構成に似たロール構成にされる。かかる再巻取りは、ロール・ツー・ロール加工の一部として１つ又はそれより多くのローラにより達成することができる。かかる例において、ベース基板５０８は、後で、ダイシング又はその他の方法で切り離すことができる。他の例において、ローラ（例えば第２及び第３のローラ５０４、５０６）は、ベース基板５０８を上部基板との併合のために前進させる。
【０２４６】
図９は、単一電極を有する小滴アクチュエータの例示的な上部基板を作製するための第２の例示的な組立体６００を示す。第２の例示的な組立体６００は、第１のローラ６０２、第２のローラ６０４、及び第３のローラ６０６を含む一連の又は複数のローラを含み、これらは同期された回転で動作して、第２の例示的な組立体６００を通して上部基板６０８を駆動させる。第２の例示的な組立体６００は、第１から第３までのローラ６０２、６０４、６０６に加えて、組立体６００を通して上部基板６０８を移動させるためのローラを含むことができる。
【０２４７】
第２の例示的な組立体６００において、第１のローラ６０２が回転して上部基板６０８の巻きを解き、これはいくつかの例においてロール構成のシートである。図９の例示的な上部基板６０８は、第１の層６１０及び第２の層６１２を含む。例示的なベース基板５０８と同様に、この例において、上部基板６０８の例示的な第１の層６１０は、非導電性材料、例えばプラスチックなどを含み、例示的な第２の層６１２は、例えば金、クロム、銀、酸化インジウムスズ、又は銅及び／又は他の任意の好適な金属のうちの１つ又はそれより多くを含む金属、導電性ポリマー、又は金属及び／若しくは導電性ポリマーの組合せなどの導電性材料を含む。いくつかの例において、導電性の第２の層６１２は、接着層（例えばクロム）を介して非導電性の第１の層に接着される。
【０２４８】
第２の例示的な組立体６００において、第１から第３までのローラ６０２、６０４、６０６は、回転して、上部基板６１２をプリンタ６１４まで前進させる。プリンタ６１４は、導電性の第２の層６１２を疎水性及び／又は誘電性材料６１６（例えばＴｅｆｌｏｎ（登録商標）若しくはパリレンＣ、又はセラミックなどの誘電体）でコーティングする。プリンタ６１４は、図８の第１の例示的な組立体５００のプリンタ５２８と実質的に同様である。例えば、プリンタ６１４は、疎水性及び／又は誘電性材料６１６を、ウェブベースのコーティング、スロット−ダイコーティング、スピンコーティング、化学蒸着、物理蒸着、原子層堆積、及び／又は他の堆積技術によって上部基板６０８に堆積することができる。プリンタ６１４は、疎水性及び／又は誘電性材料６１６及び／又は他のコーティング材料の塗工中のプリンタ６１４に対する上部基板６０８の位置合わせを促進するために位置合わせローラ６１７を含み得る。
【０２４９】
疎水性及び／又は誘電性材料６１６のコーティングを受けた後、第２のローラ５０４及び第３のローラ５０６は、部分６１８を硬化ステーション６２０まで前進させる。図８の硬化ステーション５３４に関連して開示したように、第２の例示的な組立体６００の硬化ステーション６２０は、疎水性材料の改質（例えば硬化）を熱により促進して、被処理層６２２を形成する。被処理層６２２は、導電性の第２の層６１２を完全に又は実質的に完全に被覆することによって、上部基板６０８の単一電極として機能する導電性の第２の層６１２を絶縁する。それゆえ、部分６１８の第２の層６１２のコーティングにおいて、上部基板６０８の電位導電部分は、この部分６１８を含む小滴アクチュエータに付与され得る小滴から絶縁される。
【０２５０】
硬化ステーション６２０を通過した後、部分６１８は、小滴アクチュエータの上部基板として機能するように調製される。上部基板６０８は、導電性の第２の層６１２に予め貼り合された非導電性の第１の層６１０を含んでいるので、例えば非導電性の第１の層６１０への電極の更なる接着は必要とされず、それにより小滴アクチュエータ用の上部基板６０８の調製の効率を高める。
【０２５１】
第２の例示的な組立体６００において、第１から第３までのローラ６０２、６０４、６０６は、回転して、上部基板の各部分が第２の例示的な組立体６０のロール・ツー・ロール動作の一部としてプリンタ６１４又は硬化ステーション６２０のうちの１つを実質的に連続的、周期的、及び／又は非周期的な継続で通過するように上部基板６０８を前進させる。それゆえ、第２の例示的な組立体６００は部分６１８との関連で説明されているが、上部基板６０８の逐次的な部分が、第１から第３までのローラ６０２、６０４、６０６の回転の結果として部分６１８と実質的に同様の様式で調製されることを理解されたい。このようにして、上部基板３０８に、上部基板６０８の長さに沿って被処理層６２２が設けられる。
【０２５２】
例示的な上部基板６０８において、導電性の第２の層６１２は、電極として機能する。しかしながら、いくつかの例において、導電性の第２の層６１２は、レーザアブレーションさを受けて１つ又はそれより多くの電極アレイを形成する。かかる例において、第２の例示的な組立体６００は、レーザアブレーション・ステーションを含む。それゆえ、疎水性材料６１６を受ける前に、上部基板６０８は、レーザビームに露光され、それにより照射された導電性の第２の層６１２に電極パターンが形成される。また、いくつかの例において、電極アレイは、ベース基板上／内には形成されず、上部基板６０８上／内にのみ形成される。
【０２５３】
第２の例示的な組立体６００の動作中、上部基板６０８の逐次的な部分が疎水性材料６１６でコーティングされているとき、上部基板は単一シートのままである。１つ又はそれより多くの小滴アクチュエータの製作の一部として、上部基板６０８は、ベース基板と位置合わせされる。いくつかの例において、硬化ステーション６２０を通過した後、上部基板は、１つ又はそれより多くのローラにより再度巻き取られてロール構成にされる。かかる例において、仕上がったロールをダイシング又はその他で切断及び／又は分離して個々のユニットにすることができ、これをベース基板の個々のユニットと離間した距離で位置合わせして貼り合わせて、小滴アクチュエータが作られる。
【０２５４】
他の例において、硬化ステーション６２０を通過した後、ローラ（例えば、第１から第３までのローラ６０２、６０４、６０６）は、上部基板６０８を前進させ続けて、自動化されたロール・ツー・ロール加工により、上部基板６０８をベース基板と併合する。かかる例において、上部基板６０８をベース基板５０８と位置合わせするように準備するために、第１から第３までのローラ６０２、６０４、６０６は、回転して、ベース基板５０８と上部基板６０８とが平行構成で位置合わせされたときにベース基板の被処理層が上部基板６０８の被処理層６２２と対面するように上部基板の向きをベース基板に対して逆向きにする。
【０２５５】
図１０に示すように、第３の例示的な組立体６５０は、一対の併合ローラを形成する第３のローラ６５６及び第４のローラ６０８を含み、そこに、ベース基板５０８及び上部基板６０８がそれぞれ第３の例示的な組立体６５０の第１のローラ６５２及び第２のローラ６５４により送られる。併合ローラ６５６、６５８の各々が回転するにつれて、ベース基板６５８及び上部基板６５８が、所定の離間距離、又は間隙で、平行構成で位置合わせされる。
【０２５６】
例示的な第３の組立体６５０は、ボンディング・ステーション６６４を含む。ボンディング・ステーション６６４は、小滴アクチュエータの製作の一部として、ベース基板５０８と上部基板６０８とを接合し、又は貼り合わせる。例えば、ボンディング・ステーション６６４において、１つ又はそれより多くの接着剤をベース基板５０８及び／又は上部基板６０８の所定部分（例えば、得られる小滴アクチュエータの外周を定めるベース基板５０８及び／又は上部基板６０８の部分）に選択的に塗工して、間隙６６２を保ちながら、ベース基板５０８と上部基板６０８との間に結合部を作り出すことができる。いくつかの例において、ボンディング・ステーション６６４において基板５０８、６０８を貼り合わせることは、（例えば、接着剤の塗工に先立って）間隙６６２を形成することを含む。
【０２５７】
ボンディング・ステーション６６４において使用し得る接着剤の例には、エポキシ、箔、テープ、及び／又は紫外線硬化型接着剤が含まれる。いくつかの例において、ＳＵ−８及び／又はポリジメチルシロキサン（ＰＤＭＳ）などのポリマーの層をベース基板５０８及び／又は上部基板６０８に塗工して、基板を貼り合わせる。また、いくつかの例において、ボンディング・ステーション６６４は、例えば紫外線による、接着剤の硬化を提供する。ボンディング・ステーション６６４は、もう１つの、例えば熱（例えば、熱ボンディング）、圧力、硬化等を伴う方法を適用して、ベース基板６５８と上部基板６０８とを貼り合わせることができる。
【０２５８】
例示的な第３の組立体６５０において、図１０において併合部分６６０によって実質的に表されているように、併合部分６６０を選択的に切断、ダイシング又はその他の方法で分離して、１つ又はそれより多くの小滴アクチュエータを形成することができる。例示的な第３の組立体６５０は、ダイシング・ステーション６６６を含む。ダイシング・ステーション６６６は、例えば、切断装置、スプリッタ、又はより一般的には、連続的な併合部分６６０を分割して個々の小滴アクチュエータに対応する離散的なユニットにするための機器であり得る。併合部分６６０は、例えば各小滴アクチュエータが電極パターンによって形成された電極アレイのフットプリント及びその他の電極を含むように電極パターンに基づいて切断されて、個々の小滴アクチュエータにされる。
【０２５９】
図１１Ａは、第１の部分７３及び第２の部分７４内に電極のアレイが存在する下部基板７０の平面図を示す。第２の部分上にウェルのアレイを製作するステップ７１の後の下部基板７２が示されている。図１１Ｂは、電極のアレイが第１の部分８３にのみ配置された下部基板８０の平面図を示す。ウェルのアレイが第２の部分８４内に形成されるステップ８１の後の下部基板８２が示されている。
【０２６０】
ウェルアレイは、誘電性／疎水性層、疎水性層（存在する場合）、又は親水性層（存在する場合）上に製作することができる。第１の基板の疎水性層上にウェルアレイを製作するための１つの例示的な方法は、熱的又は紫外線ナノインプリントリソグラフィを使用する。図１２Ａは、平坦なナノインプリント型７７０を利用して、第１の基板７１０の第２の部分における疎水性層７５０にウェルアレイ７６０のパターンを形成するために十分な圧力をかけることによってウェルアレイを製作するための１つの例示的な方法を示す。この例において、ナノインプリント・スタンパは、そのスタンピング輪郭が第２の層の上面に対応する平坦なスタンピング要素とすることができる。
【０２６１】
図１２Ｂは、第１の基板の第２の部分の疎水性層にウェルアレイのパターンを施工するのにナノインプリントローラ７７５を利用し得る、別の例示的な方法を示す。ナノインプリントローラは、ローラ７７５を一方向に前進させることによって第１の基板７１０の疎水性層７５０上にパターンをインプリントすることができる。ローラが一方向に前進するにつれて、ローラは、ローラ上のインプリントパターンに対応するウェルアレイ７６０のパターンのインプリントを背後に残す。１つの例において、ローラ７７５は、ローラ７７５が第１の基板７１０の疎水性層７５０上にパターンをインプリントするにつれて反時計回り方向に転動する。ローラ又はスタンパを変更して好適な容積のウェルを形成することができること、例えばフェムトリットルのウェルを形成するためにフェムトリットルのローラ又はスタンパを使用し得ることを理解されたい。
【０２６２】
図１２Ｃは、第１の基板の第２の部分の疎水性層にウェルアレイのパターンを形成する、別の例示的な方法を示す。この例において、レーザを適用して、疎水性層７５０の上面をアブレーションすることができる。レーザアブレーションステップは、第２の層上にウェルアレイ７６０のパターンを生成することができる。第２の層をアブレーションするのに適したレーザのいくつかの例は、フェムト秒及びピコ秒レーザのパラメータを含む。いくつかの例において、レーザアブレーションステップは、必要とされるウェルアレイパターンを定めるための特別なマスクの使用を含む。いくつかの例において、レーザ７７５は、合焦要素７７７（例えばレンズ）を利用して、パターンを正確に標的化してアブレーションする。いくつかの例において、レーザアブレーションステップの後で、ウェルアレイを誘電性及び／又は疎水性層でコーティングすることができる。
【０２６３】
図１２Ｄは、第１の基板７１０の第２の部分の誘電性層７４０上にウェルアレイ７６０のパターンを形成する更に別の例を示す。図１２Ｄに示すように、この方法は、ロール・ツー・ロール製作を利用して、マイクロ流体構成要素とウェルアレイとを別々に製作する。１つの例において、第１のロール７２５は、マイクロ流体構成要素を収め、これは第１の基板７１０を含み、第１の基板は、一連の又は複数の電極７４５と、一連の又は複数の電極７４５を被覆する、第１の基板の上面の上に配置された誘電性層７４０とを含む。第２のロール７８０は、基板上に既に含められたウェルアレイ７６０のパターンを有する基板７５０を収める。いくつかの例において、基板７５０上に予め含められたウェルアレイ７６０のパターンは、熱的又はＵＶナノインプリントリソグラフィを通じて施工され得る。他の例において、ウェルアレイのパターンは、レーザアブレーションを通じて基板上に予め含めることができる。図１２Ｄに示すように、インプリントされた第２のロール７８０は、ウェルアレイの基板上にインプリントされた疎水性コーティングを含むこともできる。別々のロールは、ローラ７０５及び７０８により巻きを解かれ、次いでラミネーションプロセスに供され、ここでウェル基板をマイクロ流体構成要素の上に重ね合わせることによって２つのフィルムが互いに積層されて、ウェルアレイとマイクロ流体構成要素とのスタック構成が形成される。
【０２６４】
本明細書で記載する場合、「ロール・ツー・ロール」は、同義の用語「リール・ツー・リール」を包含し、種々の構成要素を通して、基板を高速（例えば、毎秒数メートルの速度を含む）で移動させることによって動作する。ロール・ツー・ロール組立体は、ロール状基板の巻きを解くこと、構成要素を通る基板の前進、及び加工された基板を再度巻き取ってロールにすることを促進する。
【０２６５】
前述のように、第１及び第２の基板の第２の部分によって形成された検出モジュールは、検体関連シグナルを検出するために用いられる。いくつかの例において、対象の検体又は生物学的サンプルの検出は、光学的シグナル検出を通じて行うことができる。例えば、シグナル強度結果を測定するために、励起光（例えばレーザ）を照射する。他の例において、所望の検体は、各ウェルチャンバから発する光学的シグナルを測定することによって検出することができ、結果を定量化することによって定量することができる。例えば、デジタル分析により、陽性カウント（例えばウェル）の数が陰性カウント（例えばウェル）の数と比較される。デバイスのウェルからの種々のシグナルを検出することができる。例示的なシグナルは、蛍光、化学発光、比色、比濁等を含む。
【０２６６】
本明細書で記載するデバイスを用いて、検体関連シグナルを生成し、シグナルを定量化することができる。例示的な方法を図１５に示す。図１５のデバイスは、電極のアレイ８１を有する上部基板８０を含む。上部基板は、デバイスの第２の部分内にウェルのアレイ８３を含む下部基板８２から離間するように位置決めされる。粒子若しくはビーズ又は検体分子（図示せず）を含有する小滴８４を、電極８１を用いてウェルのアレイ８３へ移動させることができる。粒子又はビーズ又は検体分子がウェル内に移動するのに十分な時間の後で、小滴８４を廃棄チャンバ／吸収パッド及びそれに類したものへ移動させることができる。次いでバッファー８５の小滴をウェルのアレイへ移動させて、ウェル内に堆積されなかった粒子又はビーズがあればこれを除去することができる。いくつかの事例において、バッファー小滴は、小滴８４を廃棄チャンバまで押しやることができる。不混和性流体８６の小滴をウェルのアレイの上で移動させて、ウェルをシールすることができる。ウェルの光学的照合の前に、過剰の小滴８６を除去することができる。
【０２６７】
図１６は、デジタルマイクロ流体電極（例えば電極１４５）が粒子／ビーズ又は検体分子１９０を含む小滴１８０をウェルのアレイ１６０の上に位置決めする方法を示す。粒子／ビーズ／検体分子がウェル内に堆積するのに十分な時間の後で、小滴は、不混和性液体１９５（又は本明細書で説明されるような不混和性液体）の小滴によって置換される。不混和性液体の小滴は、小滴１８０をウェル内に堆積しなかったビーズ／粒子／検体分子と共に移動させてウェルから遠ざけ、且つウェルを被覆するように機能する。
【０２６８】
図１７は、ウェル内に堆積しなかったビーズを除去するための別の方法を示す。図１７において、ビーズを含有する小滴の除去後に、多くのビーズ１９０がウェルの上に残っている。これらのビーズは、水滴１８５を用いて洗い流される。水滴の除去後、ウェルのアレイは、堆積したビーズを収容している。次いで不混和性流体１９５をウェルのアレイの上で移動させて、ウェルをシールする。
【０２６９】
ウェルのアレイの上に位置決めされた小滴からウェル内への粒子／ビーズの移動を促進するために多数の力を利用し得る。かかる力には、重力、電気力、磁気力等が含まれる。永久磁石又は電磁石を磁気力源として使用することができる。特定の実施形態において、磁石は、集積マイクロ流体及び検出チップ上に配置されない。検体分子は、拡散によりウェル内に堆積され得る。
【０２７０】
方法及びデバイスの使用についての変形
開示される、サンプル中に存在する対象検体の存在又は量を判定する方法、及びマイクロ流体デバイスの使用は、上述の通りであり得る。上記方法及び開示されるマイクロ流体デバイスの使用は、検体を分析するための他の方法を考慮して適合させることもできる。周知の変形の例には、サンドイッチイムノアッセイ（例えば、酵素検出（酵素イムノアッセイ（ＥＩＡ）又は酵素結合免疫吸着アッセイ（ＥＬＩＳＡ）を含む、モノクローナル−ポリクローナルサンドイッチイムノアッセイ）、競合阻害イムノアッセイ（例えば、正（ｆｏｒｗａｒｄ）及び逆（ｒｅｖｅｒｓｅ））、酵素増幅イムノアッセイ法（ＥＭＩＴ）、競合結合アッセイ、生物発光共鳴エネルギー移動（ＢＲＥＴ）、ワンステップ抗体検出アッセイ、均一アッセイ、不均一アッセイ、オンザフライ捕捉アッセイ等のようなイムノアッセイが含まれるが、これらに限定されない。いくつかの実例において、以下の記載は上述の方法と重複し得る。他の実例においては、以下の記載は代替法を提供し得る。
【０２７１】
イムノアッセイ
対象検体及び／又はペプチド又はその断片は、イムノアッセイを使用して分析することができる。任意のイムノアッセイを利用することができる。イムノアッセイは、例えば、酵素結合イムノアッセイ（ＥＬＩＳＡ）、競合阻害アッセイ（正の競合阻害アッセイ又は逆の競合阻害アッセイなど）、又は競合結合アッセイであり得る。いくつかの実施形態において、検出可能標識（例えば、１つ又はそれより多くの蛍光標識、切断可能なリンカー（化学的に又は光切断によって切断されることができる）によって付着した１つ又はそれより多くのタグ）を捕捉抗体及び／又は検出抗体へ付着させる。
【０２７２】
不均一形式を使用することができる。例えば、試験サンプルが被験体から得られた後、第１の混合物が調製される。上記混合物は、対象検体について評価される試験サンプルと第１の特異的結合パートナーとを含有し、第１の特異的結合パートナーと試験サンプル中に含有されている対象検体とが、第１の特異的結合パートナー−対象検体複合体を形成する。好ましくは、第１の特異的結合パートナーは、抗対象検体抗体又はその断片である。混合物を形成するために試験サンプル及び第１の特異的結合パートナーが添加される順序は重要ではない。好ましくは、第１の特異的結合パートナーは固相上に固定化される。イムノアッセイにおいて使用される固相（第１の特異的結合パートナー及び随意に第２の特異的結合パートナーのための）は、磁気粒子、ビーズ、ナノビーズ、マイクロビーズ、ナノ粒子、マイクロ粒子、膜、足場分子、フィルム、ろ紙、ディスク、又はチップ（例えばマイクロ流体チップ）などであるがこれらに限定されない、当技術分野において公知の任意の固相であり得る。
【０２７３】
第１の特異的結合パートナー−対象検体の複合体を含有する混合物が形成された後、未結合の対象検体があれば、これは当技術分野において公知の任意の技法を使用して複合体から除去される。例えば、未結合の対象検体は、洗浄によって除去することができる。しかしながら、望ましくは、第１の特異的結合パートナーは、試験サンプル中に存在する対象検体より過剰に存在し、その結果、試験サンプル中に存在するすべての対象検体は第１の特異的結合パートナーによって結合される。
【０２７４】
未結合の対象検体が除去された後、第２の特異的結合パートナーが混合物へ添加され、第１の特異的結合パートナー−対象検体−第２の特異的結合パートナーの複合体を形成する。第２の特異的結合パートナーは、好ましくは、第１の特異的結合パートナーによって結合される対象検体上のエピトープとは異なる対象検体上のエピトープへ結合する、抗対象検体（抗体など）である。更に、同様に好ましくは、第２の特異的結合パートナーは、検出可能標識（例えば、検出可能標識、切断可能なリンカーによって付着されたタグ、等）により標識されているか又は検出可能標識を含有する。
【０２７５】
固定化された抗体又はその断片の使用をイムノアッセイに組み込むことができる。抗体は、磁性マトリックス粒子又はクロマトグラフマトリックス粒子、ラテックス粒子又は修飾表面ラテックス粒子、ポリマー又はポリマーフィルム、プラスチック又はプラスチックフィルム、平面基板、マイクロ流体表面、固体基板材料片、及びそれらに類するような様々な支持体の上へ固定化することができる。
【０２７６】
サンドイッチイムノアッセイ
サンドイッチイムノアッセイは、２層の抗体（すなわち捕捉抗体（すなわち少なくとも１つの捕捉抗体）及び検出抗体（すなわち少なくとも１つの検出抗体））の間の抗原の量を測定する。捕捉抗体及び検出抗体は、抗原、例えば対象検体上の異なるエピトープへ結合する。望ましくは、捕捉抗体のエピトープへの結合は、検出抗体のエピトープへの結合を妨害しない。モノクローナル抗体又はポリクローナル抗体のいずれかを、サンドイッチイムノアッセイにおける捕捉抗体及び検出抗体として使用することができる。
【０２７７】
一般に、少なくとも２つの抗体を用いて、試験サンプル中の対象検体を分離及び定量化する。より具体的には、上記少なくとも２つの抗体は、対象検体又は対象検体断片の特定のエピトープへ結合して、「サンドイッチ」と称される免疫複合体を形成する。試験サンプル中の対象検体を捕捉するために１つ又はそれより多くの抗体（これらの抗体は「捕捉」抗体（単数又は複数）と称されることが多い）を使用することができ、サンドイッチを完了するために、同様に対象検体に結合する、検出可能標識（例えば、蛍光標識、切断可能なリンカーによって付着されたタグ等）を有する１つ又はそれより多くの抗体（これらの抗体は「検出」抗体（単数又は複数）と称されることが多い）を使用することができる。いくつかの実施形態において、アプタマーを第２の結合メンバーとして使用することができる。サンドイッチアッセイにおいて、抗体のそのエピトープへの結合は、アッセイ中の他の抗体のそのそれぞれのエピトープへの結合によって低減されないことが望ましい。換言すれば、抗体は、対象検体を含有する疑いのある試験サンプルと接触させる１つ又はそれより多くの第１の抗体が、第２の抗体又は後続の抗体によって認識されるエピトープの全部又は一部へ結合することによって１つ又はそれより多くの第２の検出抗体が対象検体へ結合する能力を妨害することのないように、選択される。
【０２７８】
１つの実施形態において、対象検体を含有する疑いのある試験サンプルは、少なくとも１つの捕捉抗体及び少なくとも１つの検出抗体と、同時に又は逐次的に接触させることができる。サンドイッチアッセイ形式において、対象検体（膜結合性対象検体、可溶性対象検体、膜結合性対象検体の断片、可溶性対象検体の断片、対象検体（膜結合性又は可溶性対象検体）の変異体、又は任意のその組合せなど）を含有する疑いのある試験サンプルを、最初に、抗体−対象検体の複合体の形成を可能にする条件下で、特定のエピトープへ特異的に結合する少なくとも１つの捕捉抗体と接触させる。１つより多くの捕捉抗体が使用される場合、多重の捕捉抗体−対象検体複合体が形成される。サンドイッチアッセイにおいて、抗体、好ましくは少なくとも１つの捕捉抗体は、試験サンプル中の対象検体又は対象検体断片の予想される最大量に対してモル過剰量で使用される。
【０２７９】
随意に、試験サンプルに少なくとも１つの第１の捕捉抗体を接触させる前に、少なくとも１つの捕捉抗体を、試験サンプルからの抗体−対象検体複合体の分離を促進する固体支持体へ結合させることができる。当技術分野において公知の任意の固体支持体を使用することができ、平面基板又はビーズの形状でポリマー材料から作られる固体支持体、及びそれに類したものが含まれるが、これらに限定されない。抗体（単数又は複数）は、吸着によって、化学カップリング剤を用いた共有結合によって、又は当技術分野において公知の他の手段によって、固体支持体へ結合することができるが、但し、かかる結合は、抗体が対象検体又は対象検体断片を結合する能力を妨害しないことを前提とする。更に、必要であるならば、固体支持体は、抗体上の様々な官能基との反応性を可能にするように誘導体化され得る。かかる誘導体化は、マレイン酸無水物、Ｎ−ヒドロキシスクシンイミド、アジド、アルキニル、及び１−エチル−３−（３−ジメチルアミノプロピル）カルボジイミドなどであるがこれらに限定されない、特定のカップリング剤の使用を必要とする。
【０２８０】
対象検体を含有する疑いのある試験サンプルを少なくとも１つの捕捉抗体と接触させた後に、試験サンプルは、捕捉抗体（単数又は複数）−対象検体複合体の形成を可能にするためにインキュベーションされる。インキュベーションは、約４．５から約１０．０までのｐＨで、約２℃から約４５℃までの温度で、少なくとも約１分間から約１８時間、約２〜６分間、又は約３〜４分間の時間にわたって行うことができる。
【０２８１】
捕捉抗体（単数又は複数）−対象検体複合体の形成後、次いで複合体を少なくとも１つの検出抗体と接触させる（捕捉抗体（単数又は複数）−対象検体−検出抗体（単数又は複数）複合体の形成を可能にする条件下で）。捕捉抗体−対象検体複合体を１つより多くの検出抗体と接触させる場合、捕捉抗体（単数又は複数）−対象検体−検出抗体（単数又は複数）検出複合体が形成される。捕捉抗体の場合と同様に、少なくとも１つの検出（及び後続の）抗体を捕捉抗体−対象検体複合体と接触させるとき、捕捉抗体（単数又は複数）−対象検体−検出抗体（単数又は複数）の複合体の形成のために上記と同様の条件下でインキュベーション期間が必要とされる。好ましくは、少なくとも１つの検出抗体は、検出可能標識（例えば、蛍光標識、切断可能なリンカーによって付着されたタグ等）を含有する。検出可能標識は、捕捉抗体（単数又は複数）−対象検体−検出抗体（単数又は複数）複合体の形成の前に、それと同時に、又はその後で、少なくとも１つの検出抗体へ結合され得る。当技術分野において公知の任意の検出可能標識、例えば本明細書において論じられるような蛍光標識、切断可能なリンカー、及び当技術分野において公知の他のものを使用することができる。
【０２８２】
アッセイ用の混合物を形成するために試験サンプル及び特異的結合パートナーが添加される順序は重要ではない。第１の特異的結合パートナーが検出可能に標識される（例えば、蛍光標識、切断可能なリンカーにより付着されたタグ等）場合、検出可能標識された第１の特異的結合パートナー−対象検体の複合体を形成する。あるいは、第２の特異的結合パートナーが使用され、第２の特異的結合パートナーが検出可能に標識される（例えば、蛍光標識、切断可能なリンカーにより付着されたタグ等）場合、第１の特異的結合パートナー−対象検体−第２の特異的結合パートナーの検出可能に標識された複合体を形成する。未結合の特異的結合パートナーがあれば、標識されている又は標識されていないにかかわらず、これを当技術分野において公知の洗浄などの任意の技法を使用して、混合物から除去することができる。
【０２８３】
次に、対象検体又はその断片の存在の指標であるシグナルが生成される。生成されたシグナルのパラメータに基づいて、サンプル中の対象検体の量を定量化することができる。随意に、対象検体の系列希釈又は既知の濃度の溶液を用いて、質量分光法、重量法、及び当技術分野において公知の他の技法によって、標準曲線を作成することができる。
【０２８４】
本明細書において、生物学的サンプル中に存在する対象検体を測定又は検出するための方法が提供される。かかる方法において、対象の標的検体を含有するサンプル小滴を、サンプル中に存在する対象の標的検体と特異的に結合する第１の特異的結合パートナーが付着したビーズ（磁気ビーズなど）を含有する小滴と併合することができる。併合により単一小滴を作製し、これを、第１の特異的結合パートナーをサンプル小滴中に存在する対象検体へ結合させるのに十分な時間にわたってインキュベーションすることができる。随意に、単一小滴を撹拌して、サンプルと第１の特異的結合パートナーとの混合を促進することができる。混合は、単一小滴を前後に動かすこと、単一小滴を複数の電極の上であちこち動かすこと、小滴を分割し、次いで小滴を併合すること、又はＳＡＷを用いること、及びそれに類することによって達成することができる。次いで、単一小滴に磁気力をかけて、ビーズをデバイス内の所定位置に保持することができ、その一方で小滴を廃棄チャンバ又はパッドへと移動させて遠ざけ、第２の結合メンバーを含有する小滴で置き換えることができる。第２の特異的結合パートナーは、検出可能に標識され得る。標識は、光学的に検出することができる任意の標識であり得る。例えば、標識は、蛍光標識であり得る。第２の結合メンバーの添加の前に、随意の洗浄ステップを、ビーズが例えば磁気などの力を用いて保持されている位置に洗浄バッファーの小滴を移動させることによって行うことができる。ビーズは、洗浄バッファー内に再懸濁されてもよく、されなくてもよい。磁気ビーズが用いられている場合、磁気力を磁気ビーズに印加することができ、洗浄バッファーは、廃棄位置へ輸送される。第１の結合メンバーに結合した対象検体に第２の特異的結合パートナーが結合するのに十分な時間の後で、第２の特異的結合パートナーを含有する小滴を移動させて遠ざけることができ、その間、ビーズはその位置に保持される。ビーズは、洗浄バッファーの小滴を用いて洗浄され得る。洗浄ステップの後、第１の結合メンバーと対象検体と第２の結合パートナーとの複合体を有する標識されたビーズを含有する小滴を、検出モジュールの上へ移動させることができる（磁気ビーズが使用されている場合には、磁気力を除去することなどによる）。本明細書で説明されるように、イムノアッセイは、サンプル調製モジュール内で実行することができる。標識されたビーズは、検出モジュール内でウェルのアレイの中に沈降させることができる。ビーズは、重力を用いて、又は電気力若しくは磁気力を印加することによって、沈降し得る。ウェルの内部に位置していないビーズがあればそれを除去する洗浄ステップの後で、ウェルは、疎水性液体を用いてシールされ得る。
【０２８５】
正の競合阻害
正の競合形式において、既知の濃度の標識された対象検体（例えば、蛍光標識、切断可能なリンカーにより付着されたタグを有する検体等）のアリコートが用いられ、対象検体抗体への結合に関して試験サンプル中の対象検体と競合する。
【０２８６】
正の競合アッセイにおいて、固定化された特異的結合パートナー（抗体など）を、試験サンプルと、標識された対象検体、対象検体断片、又はその対象検体変異体とに、逐次的に又は同時に接触させることができる。対象検体ペプチド、対象検体断片、又は対象検体変異体は、任意の検出可能標識（切断可能なリンカーにより付着されたタグからなる検出可能標識が含まれる）で標識することができる。このアッセイにおいて、抗体は固体支持体上へ固定化することができる。あるいは、抗体は、マイクロ粒子又は平面基板などの固体支持体上に固定化された抗動物種抗体（ａｎｔｉｓｐｅｃｉｅｓ  ａｎｔｉｂｏｄｙ）などの抗体へカップリングすることができる。
【０２８７】
本明細書において、生物学的サンプル中に存在する対象検体を測定又は検出するための方法が提供される。かかる方法において、対象の標的検体を含有するサンプル小滴を、サンプル中に存在する対象の標的検体と特異的に結合する第１の特異的結合パートナーが付着したビーズと、検出可能標識（蛍光標識など）で標識された検体とを含有する、小滴と併合することができる。随意に、単一小滴を撹拌して、サンプルと、第１の特異的結合パートナー及び標識された検体との混合を促進することができる。混合は、単一小滴を前後に動かすこと、単一小滴を複数の電極の上であちこち動かすこと、小滴を分割し、次いで小滴を併合すること、又はＳＡＷを用いること、及びそれに類することによって達成することができる。次いで、単一小滴に力（磁気力など）をかけて、ビーズをデバイス内の所定位置に保持することができ、その一方で小滴を廃棄チャンバ又はパッドへと移動させて遠ざけ、第２の結合メンバーを含有する小滴で置き換えることができる。随意の洗浄ステップを、ビーズが磁気力を用いて保持されている位置へ洗浄バッファーの小滴を移動させることによって行うことができる。ビーズは、洗浄バッファー内に再懸濁されてもよく、されなくてもよい。力（磁気ビーズが用いられている場合には磁気力など）がビーズに印加され、洗浄バッファーは、廃棄位置へ輸送される。第１の特異的結合パートナーが対象検体に結合するのに十分な時間の後で、小滴を移動させて遠ざけることができ、その間、ビーズはその位置に保持される。随意の洗浄ステップの後、第１の結合メンバーと対象検体との複合体を有する標識されたビーズを含有する小滴を検出モジュールの上へ移動させることができる（磁気ビーズが用いられている場合に磁気力を除去することなどによる）。本明細書で説明されるように、イムノアッセイは、サンプル調製モジュール内で実行することができる。標識されたビーズは、検出モジュール内のウェルのアレイの中に沈降させることができる。ビーズは、重力を用いて、又は、力、例えば電気力若しくは磁気力を印加することによって、沈降し得る。ウェルの内部に位置していないビーズがあればそれを除去する洗浄ステップの後で、ウェルは、疎水性液体を用いてシールされ得る。
【０２８８】
標識された対象検体、試験サンプル、及び抗体は、サンドイッチアッセイ形式に関して上記で説明したのと同様の条件下でインキュベーションされる。このとき抗体−対象検体複合体の２つの異なる種が生成され得る。具体的には、生成された抗体−対象検体複合体のうちの一方は検出可能標識（例えば蛍光標識等）を含有するのに対し、他方の抗体−対象検体複合体は検出可能標識を含有しない。抗体−対象検体複合体は、検出可能標識の定量化の前に試験サンプルの残りから分離することができるが、必須ではない。抗体−対象検体複合体が試験サンプルの残りから分離されるかどうかにかかわらず、次いで抗体−対象検体複合体中の検出可能標識の量が定量化される。次いで、試験サンプル中の対象検体（膜結合性対象検体、可溶性対象検体、可溶性対象検体の断片、対象検体（膜結合性又は可溶性対象検体）の変異体、又はそれらの任意の組合せなど）の濃度を、例えば上述のように求めることができる。
【０２８９】
逆の競合アッセイ
逆の競合アッセイにおいて、固定化された対象検体を、試験サンプル及び少なくとも１つの標識抗体と逐次的に又は同時に接触させることができる。
【０２９０】
本明細書において、生物学的サンプル中に存在する対象検体を測定又は検出するための方法が提供される。かかる方法において、対象の標的検体を含有する含むサンプル小滴を、サンプル中に存在する対象の標的検体と特異的に結合する、検出可能標識（例えば蛍光標識、酵素標識等）で標識された第１の特異的結合パートナーと、対象検体が付着したビーズとを含有する小滴と併合することができる。併合により単一の小滴を作製し、これを、第１の特異的結合パートナーをサンプル小滴中に存在する対象検体へ結合させるのに十分な時間にわたってインキュベーションすることができる。随意に、単一小滴を撹拌して、サンプルと第１の特異的結合パートナーとの混合を促進することができる。混合は、単一小滴を前後に動かすこと、単一小滴を複数の電極の上であちこち動かすこと、小滴を分割し、次いで小滴を併合すること、又はＳＡＷを用いること、及びそれに類することによって達成することができる。次いで、単一小滴に磁気力をかけて、ビーズをデバイス内の所定位置に保持することができ、その一方で小滴を廃棄チャンバ又はパッドへと移動させて遠ざけ、第２の結合メンバーを含有する小滴で置き換えることができる。随意の洗浄ステップを、ビーズが磁気力を用いて保持されている位置へ洗浄バッファーの小滴を移動させることによって行うことができる。ビーズは、洗浄バッファー内に再懸濁されてもよく、されなくてもよい。磁気ビーズに磁気力が印加され、洗浄バッファーは、廃棄位置へ輸送される。結合された対象検体に第１の特異的結合パートナーが結合するのに十分な時間の後で、磁気力を除去することができ、第１の結合メンバーと対象検体との複合体を有する標識されたビーズを含有する小滴を検出モジュールの上へ移動させることができる。本明細書で説明されるように、イムノアッセイは、サンプル調製モジュール内で実行することができる。標識されたビーズは、検出モジュール内のウェルのアレイの中に沈降させることができる。ビーズは、重力を用いて、又は電気力若しくは磁気力を印加することによって、沈降し得る。ウェルの内部に位置していないビーズがあればそれを除去する洗浄ステップの後で、ウェルは、疎水性液体を用いてシールされ得る。
【０２９１】
対象検体は、サンドイッチアッセイ形式に関して上で論じた固体支持体のような固体支持体へ結合され得る。
【０２９２】
固定化された対象検体、試験サンプル、及び少なくとも１つの標識抗体は、サンドイッチアッセイ形式に関して上記で説明したのと同様の条件下でインキュベーションされる。このとき２つの異なる種の対象検体−抗体複合体が生成される。具体的には、生成された対象検体−抗体複合体のうちの一方は固定化されており、検出可能標識（例えば蛍光標識等）を含有するのに対し、他方の対象検体−抗体複合体は固定化されておらず、検出可能標識を含有する。非固定化対象検体−抗体複合体及び試験サンプルの残りは、当技術分野において公知の洗浄などの技法により、固定化対象検体−抗体複合体の存在から除去される。ひとたび非固定化対象検体−抗体複合体が除去されると、次いで固定化対象検体−抗体複合体中の検出可能標識の量が、タグの切断に続いて定量化される。次いで試験サンプル中の対象検体の濃度を、上述のように検出可能標識の量を比較することによって求めることができる。
【０２９３】
ワンステップイムノアッセイ又は「オンザフライ捕捉」
オンザフライ捕捉イムノアッセイにおいて、固体基板は固定化剤により事前コーティングされる。捕捉剤、検体及び検出剤を固体基板へ一緒に添加し、続いて検出に先立って洗浄ステップを行う。捕捉剤は検体を結合することができ、且つ固定化剤のためのリガンドを含む。捕捉剤及び検出剤は、本明細書において記載されるような又は当技術分野において公知の、捕捉又は検出が可能な抗体又は任意の他の部分であり得る。リガンドはペプチドタグを含むことができ、固定化剤は抗ペプチドタグ抗体を含むことができる。あるいは、リガンド及び固定化剤は、オンザフライ捕捉アッセイのために用いられるように互いに結合可能な任意のペアの薬剤（例えば特異的結合ペア、及び当技術分野において公知の他のものなど）であり得る。１つより多くの検体を測定することができる。いくつかの実施形態において、固体基板は抗原によりコーティングすることができ、分析される検体は抗体である。
【０２９４】
特定の実施形態において、ワンステップイムノアッセイ又は「オンザフライ捕捉」において、固定化剤（例えばビオチン、ストレプトアビジン等）によりあらかじめコーティングされた固体支持体（マイクロ粒子など）並びに少なくとも第１の特異的結合メンバー及び第２の特異的結合メンバー（これらはそれぞれ捕捉試薬及び検出試薬として機能する）が使用される。第１の特異的結合メンバーは、固定化剤に対するリガンドを含み（例えば、固体支持体上の固定化剤がストレプトアビジン（ｓｔｒｅｐａｔｉｖｄｉｎ）である場合、第１の特異的結合メンバー上のリガンドはビオチンであり得る）、且つ対象検体へも結合する。第２の特異的結合メンバーは検出可能標識を含み、対象検体へ結合する。固体支持体並びに第１の特異的結合メンバー及び第２の特異的結合メンバーは、試験サンプルへ添加され得る（逐次的に又は同時に）。第１の特異的結合メンバー上のリガンドは固体支持体上の固定化剤へ結合して、固体支持体／第１の特異的結合メンバーの複合体を形成する。サンプル中に存在する対象検体があれば、固体支持体／第１の特異的結合メンバー複合体へ結合して、固体支持体／第１の特異的結合メンバー／検体の複合体を形成する。第２の特異的結合メンバーは、固体支持体／第１の特異的結合メンバー／検体の複合体へ結合し、検出可能標識が検出される。随意の洗浄ステップを検出の前に用いることができる。特定の実施形態において、ワンステップアッセイにおいて、１つより多くの検体を測定することができる。特定の他の実施形態において、２つより多くの特異的結合メンバーを用いることができる。特定の他の実施形態において、複数の検出可能標識を添加することができる。特定の他の実施形態において、複数の対象検体を検出することができる。
【０２９５】
オンザフライ捕捉アッセイの使用は、本明細書において記載されるような、及び当技術分野において公知の様々な形式で行うことができる。例えば、形式は、上述のようなサンドイッチアッセイであり得るが、代替的に競合アッセイであり得、単一の特異的結合メンバーを用いることができ、又は公知のようなその他の変形を使用することができる。
【０２９６】
組合せアッセイ（Ａｇ／Ａｂによるマイクロ粒子の共コーティング）
組合せアッセイにおいて、マイクロ粒子などの固体基板は抗原及び抗体により共コーティングされて、サンプルから抗体及び抗原をそれぞれ捕捉する。固体支持体を２つ以上の異なる抗原により共コーティングして、サンプルから２つ以上の異なる抗体を捕捉することができる。固体支持体を２つ以上の異なる抗体により共コーティングして、サンプルから２つ以上の異なる抗原を捕捉することができる。
【０２９７】
加えて、本明細書において記載される方法は、アッセイ化合物の中での特異的又は非特異的な結合反応（例えばＨＡＭＡ問題）を防止するブロッキング剤を使用することができる。ひとたび薬剤（随意に任意の対照）が支持体上に固定化されると、薬剤の残りの結合部位は支持体上でブロックされ得る。当業者へ公知の任意の好適なブロッキング試薬を使用することができる。例えば、ウシ血清アルブミン（「ＢＳＡ」）、リン酸緩衝食塩水（「ＰＢＳ」）中のカゼインのＰＢＳ溶液、Ｔｗｅｅｎ  ２０（商標）（Ｓｉｇｍａ  Ｃｈｅｍｉｃａｌ  Ｃｏｍｐａｎｙ、Ｓｔ．Ｌｏｕｉｓ、Ｍｏ．）、又は他の好適な界面活性剤、並びに他のブロッキング試薬を用いることができる。
【０２９８】
本開示から明らかなように、本明細書において開示される方法及びデバイスは、変形も含めて、疾患、障害又は症状を有する疑いのある被験体における疾患、障害又は症状を診断するために使用することができる。例えば、サンプル分析は、疾患マーカー（癌マーカー、心臓の症状についてのマーカーなど）、毒素、病原体（ウイルス、細菌又はその一部分など）の検出に有用であり得る。上記方法及びデバイスは、生物学的サンプル中に存在する検体の測定のために使用することもできる。方法及びデバイスは、血液検査アッセイにおいて標的検体を検出するために使用することもできる。血液検査アッセイは、血液供給をスクリーニングするために使用することができる。
【０２９９】
表面弾性波デバイス、システム、及び方法
集積表面弾性波（ＳＡＷ）サンプル調製及び検体検出デバイスに関連したシステム、デバイス、及び方法が、本開示によって提供される。
【０３００】
１つの例において、デバイスは、サンプル調製構成要素、例えば表面を有する基板であって、音響力による操作により、液体又は流体がその表面にわたって伝搬することを可能にする基板を含む。同じ例において、デバイスは、伝搬された液体を受け入れ、受け入れた液体に対して検体検出を行う、検体検出構成要素を含む。
【０３０１】
「表面弾性波（ＳＡＷ）」及びその文法的な同義語は、本明細書で用いられるとき、一般に表面に沿った方向で音波を伝搬することを意味する。「トラベリング表面弾性波」（ＴＳＡＷ）は、液体中への表面弾性波の結合（ｃｏｕｐｌｉｎｇ）を可能にする。いくつかの例において、結合は、液体中への表面弾性波の浸透又は漏洩の形態であり得る。いくつかの例において、表面弾性波は、レイリー（Ｒａｌｅｉｇｈ）波である。表面弾性波の伝搬は、液体を通して表面弾性波をストリーミングすることによって行われ得る。表面弾性波の伝搬は、変換器（一連の又は複数の電極など）によって電位を発生させることを含めて、様々な異なる様式で、異なる材料を用いることによって行うことができる。
【０３０２】
電極は、平面基板上へパターニングすることができる。いくつかの例において、平面基板は、圧電層であり得る。いくつかの例において、電極は、標準的なリソグラフィ及びリフトオフ／湿式エッチングプロセスを用いて圧電層上に製作することができる。電極の構造、電極間の間隔、基板上の電極の数（すなわち解像度）は、多様であり得る。いくつかの例において、インターディジタル形（ＩＤＴ）変換器又は電極が用いられる。いくつかの例において、サンプル調製構成要素は、液体を含み得る。いくつかの例において、複数の層が存在し得る。異なる層は、表面弾性波を散乱させるための散乱構造の異なる配置又は構成を有し得る。結果として、異なる層にわたる液滴の運動は、多様な散乱構造が存在することに起因して変化し得る。
【０３０３】
いくつかの例において、ＳＡＷは、単一の変換器又は電極が作動されたときに伝搬される。他の例において、基板表面上に製作された複数の（例えばペアの）電極は、互いに向かって伝搬する２つのトラベリングＳＡＷを発生し得る。いくつかの例において、ＳＡＷ変位は、電極に無線周波数（ＲＦ）範囲が印加されたときに作動される。作動されると、電極又は変換器は、基板の表面にわたる電位を発生させ、基板はそこで機械的応力を受ける。機械的応力の例は、基板の表面の連続的な収縮及び膨張である。この基板の連続的な変形の結果として、表面弾性波が表面にわたって伝搬される。
【０３０４】
表面弾性波は、振幅及び周波数に従って測定することができる。したがって、電極によって発生された電位の周波数及び振幅が、ＳＡＷの振幅及び周波数の原因となる。
【０３０５】
ＳＡＷの伝搬は、直線方向であり得る。いくつかの例において、ＳＡＷは、基板表面の長さ方向にわたって伝搬し得る。他の例において、ＳＡＷは、基板表面の幅にわたって伝搬し得る。他の例において、ＳＡＷの伝搬は、非直線的な方向及び運動であり得る。流体は散逸系であるので、ＳＡＷによる高調波の力に対する応答は、必ずしも高調波ではない。
【０３０６】
ＴＳＡＷが液体を収縮させるとき、液体は、ＳＡＷのエネルギーの一部を吸収し、これを縦波の形態で屈折させ得る。屈折した音響エネルギーの吸収は、基板表面にわたる流体の流れ又は伝搬を誘導する。表面弾性波がサンプル調製構成要素の表面に沿って伝搬するとき、ＳＡＷは液体に接触することになり得る。液体がＳＡＷと相互作用した結果として、ＳＡＷが液体内へ伝達される。ＳＡＷは、流体を「無接触操作」によって操作し、このことは、液体が、流体内へ漏洩又は浸透した音波によって検出構成要素へ伝搬されることを意味する。結果として、生物学的サンプル又は検体の外部汚染が最小限になる。
【０３０７】
いくつかの例において、例示的な流体駆動動作は、ポンプ輸送、混合、噴射等を含む。結果として、液体は、サンプル調製構成要素の表面に沿って伝搬される。
【０３０８】
いくつかの例において、液体は、ＳＡＷ電極の作動に先立って、アクチュエーションされる小滴としてサンプル調製構成要素の表面上へ分注される。小滴アクチュエーションは、サンプル調製構成要素上へ小滴を位置決めし、分注するために使用され得る。
【０３０９】
他の例において、液滴ベースのマイクロ流体の代わりに、ＳＡＷ駆動型ポンプを使用して液体を開放表面へポンプ輸送することができる。いくつかの例において、流体は、密閉されたチャネルを通してポンプ輸送され得る。
【０３１０】
液体は、対象検体を含有するか、又は含有する疑いのある任意の試験サンプルであり得る。本明細書において使用されるとき、「検体」、「標的検体」、「対象検体」は、本明細書において開示される方法及びデバイスにおいて測定される検体を指す。液滴は、水溶液中の粒子又はビーズを指すこともある。サンプルは、例えば血液、血漿、血清、唾液、汗等のような生物学的流体サンプルを含み得る。
【０３１１】
いくつかの例において、液体は、単一粒子として配置することができる。他の例において、液体は、粒子の群（例えば数千の粒子）として配置することができる。液滴は、広範囲の長さ、スケール、サイズ（ｎｍからｍｍまで）、並びに形状に応じて多様であり得る。
【０３１２】
表面弾性波の伝搬は、サンプル調製プラットフォームの表面上にパターニングされたフォノン構造の存在によっても影響を受け得る。これらのフォノン構造は、音波の伝搬を制御し得る。例えば、フォノン構造は、ＳＡＷの方向、動き、速度を制御することができ得、それゆえ強化された機能を提供する。フォノン構造は、標準的なリソグラフィ、リフトオフ／湿式エッチングプロセス、エンボス加工／ナノインプリントリソグラフィ、並びにこれらのフォノン構造を形成するための基板の微細機械加工、圧力、熱、及びレーザ改質を用いて、基板上に製作することができる。これらのフォノン構造は、多様な形、並びにサイズを呈し得る。いくつかの例において、フォノン構造は、基板内に格子を形成する、柱、円錐、又は穴であり得る。
【０３１３】
表面弾性波サンプル調製構成要素
本明細書で使用されるとき、「サンプル調製構成要素」及びその文法的な同義語は、液滴が最初にその上に分散され、本明細書で記載されるようなイムノアッセイのステップがそこで実行され得る、概ね平らな表面を指す。いくつかの例において、基板は、高い音響反射率を有する材料で作ることができる。
【０３１４】
いくつかの例において、サンプル調製構成要素は、基板（ｓｕｂｓｔｒａｔｅ）に連結された上層（ｓｕｐｅｒｓｔｒａｔｅ）を含む。いくつかの例において、上層は、基板に取外し可能に連結される。他の例において、上層は、基板に恒久的に連結される。いくつかの例は、基板をポリマーベースの材料又は紙材料から作製することを含む。基板が水性流体に対して不浸透性になるように、ポリマーベースの基板を疎水性コーティングで処理することができ、又は、製作により、疎水性層をポリマーベース基板の上に又は別の基板と共に追加することができる。
【０３１５】
いくつかの例において、サンプル調製構成要素は、上層上に含まれるアッセイ試薬も含み得る。サンプル調製構成要素は、基板に連結した上層をさらに含む。
【０３１６】
さらに別の例において、サンプル調製構成要素は、上層上に含まれる一連の散乱構造を含み得る。散乱構造の例は、より詳細に後述するフォノン構造を含み得る。
【０３１７】
いくつかの例において、基板は、圧電材料であり得る。圧電層は、単結晶ニオブ酸リチウム（ＬｉＮｂＯ３）などの複合層で作ることができる。上層は、一連の又は複数の電極又は変換器をさらに含み得る。いくつかの例において、電極又はＩＤＴによって発生される表面弾性波は、上層内へと結合され得る。
【０３１８】
いくつかの例において、上層は、プラスチック（例えばＰＥＴ、ＰＣ等）などの種々の材料で作ることができる。
【０３１９】
いくつかの例において、上層は、比較的高い電気機械的結合係数を有する材料で製作することができる。いくつかの例において、電極は、圧電材料の上に製作することができる。１つの例において、ＬｉＮｂＯ３を、ＳＡＷマイクロ流体用途において電極をパターニングするための基板として使用することができる。別の例において、シリコンを基板材料として使用して、電極をパターニングすることができる。ＳＡＷ発生基板を製作するために適用可能な材料の他の例には、多結晶材料、微晶質材料、ナノ結晶性材料、アモルファス材料又は複合材料が含まれる。ＳＡＷ生成基板を製作するために適用可能な材料の他の例には、強誘電材料、焦電気材料、圧電材料又は磁歪材料が含まれる。
【０３２０】
本明細書で記載されるように、基板は、表面弾性波を発生すること、及び音波を伝搬することが可能な材料である。
【０３２１】
分析される検体及び生物学的サンプルに加えて、サンプル調製構成要素は、バッファー又は洗浄流体も含み得る。いくつかの例において、これらのバッファー又は洗浄流体は、サンプル調製構成要素をわたって検出構成要素へ至る液体の伝搬を促進することができる。他の実例において、これらの流体は、液体又は生物学的サンプルがひとたびウェルアレイ内へ位置決めされると、残った液体又は生物学的サンプルを洗い流すために使用され得る。かかる流体の例には、空気、不活性ガス、疎水性液体、親水性液体、油、有機ベースの溶媒、及び高密度水溶液が含まれる。特定の事例において、デバイスをフィラー流体で満たすことができ、これは空気、不活性ガス、疎水性液体、親水性液体、油、有機ベースの溶媒、及び高密度水溶液であり得る。
【０３２２】
いくつかの例において、ＳＡＷで誘導される流体の動きは、小さい染料又は粒子を液滴内へ導入することによって可視化することができる。
【０３２３】
サンプル調製表面は、液滴がその上で表面に沿って伝搬され得る表面を有する。サンプル調製表面の上記表面は、平面又は非平面の立体構造の任意の好都合な表面であり得る。表面は、表面に沿った液体の動きを促進するために疎水性材料でコーティングされ得る。いくつかの例において、疎水性材料は、オクタデシルトリクロロシラン（ＯＴＳ）を含み得る。他の例において、表面は、液滴の動きを促進するためにパターニングされ得る。
【０３２４】
いくつかの例において、サンプル調製表面の基板は、弾性又は可撓性であり得る。表面がその上に形成される基板は、弾性であり得、その結果、表面は、表面にわたる表面弾性波の伝搬を促進するように変形可能になる。
【０３２５】
特定の実施形態において、基板の表面は、流体の伝搬を促進するためにマイクロ流体チャネルを含み得る。他の実施形態において、マイクロ流体チャネルは、基板の内部に含まれており、流体を基板の中へ送る。
【０３２６】
いくつかの例において、サンプル調製構成要素の基板の上面の上にカバーシールを設けることができる。特定の実例において、カバーシールは、表面の液体内容物の汚染を防止することができる。他の実例において、カバーシールは、液体不浸透性層であり得る。他の実例において、カバーシールは、可撓性材料製（プラスチック、シリコン、又は他のタイプのゴムなど）であり得る。他の実例において、カバーシールは、非可撓性材料製（ガラス又は他の非可撓性材料など）であり得る。いくつかの例において、カバーシールは、表面又は表面上に存在する液体内容物のいずれかの変形を防止するために、熱、紫外線、又は他の電磁放射を通さないものとすることができる。
【０３２７】
いくつかの例において、好適なスペーサーを基板とカバーシールとの間に位置決めすることができる。本明細書で使用されるとき「好適なスペーサー」は、サンプル調製構成要素の基板とカバーシールとの間に位置決めされる要素を指す。いくつかの例において、好適なスペーサーは、液滴が表面とカバーシールとの間を移動することを促進し得る。他の例において、好適なスペーサーは、トラベリング表面弾性波と表面との間の結合を低減し得る。
【０３２８】
第１の例示的なサンプル調製構成要素において、第１の基板は、比較的高い電気機械的結合係数を有するとともに可撓性且つ変形可能な表面を有する材料を組み込む。例えば、第１の基板は、圧電材料又はシリコンであり得る。
【０３２９】
いくつかの例において、電極は、圧電層の表面上に配置されるか又は圧電層内に埋め込まれる。「電極」という用語は、この文脈で使用されるとき、１つの電極、一連の又は複数の電極（例えば、１つより多くの）、変換器を含む電気回路を指す。電極は、また、圧電層内へパターニングされ得る。いくつかの例において、電極は、標準的なリソグラフィ及びリフトオフ／湿式エッチングプロセスを用いて、基板上に製作することができる。電極の構造、電極間の間隔、基板上の電極の数（すなわち解像度）は、多様であり得る。いくつかの例において、インターディジタル形（ＩＤＴ）変換器又は電極が用いられる。ＩＤＴは、一連の又は複数の電極と、一連の又は複数の電極がその上に含められる圧電層との組合せとして定義される。いくつかの例において、変換器電極構造は、圧電層上に形成される。他の例において、変換器電極構造は、圧電層内に埋め込まれる。
【０３３０】
いくつかの例において、表面弾性波は、単一の変換器又は電極が作動されたときに伝搬される。他の例において、基板表面上に製作された複数の（例えばペアの）電極は、互いに向かって伝搬する２つのトラベリング表面弾性波を発生し得る。いくつかの例において、表面弾性波の変位は、無線周波数（ＲＦ）範囲が電極に印加されたときに作動される。作動されると、電極又は変換器は、基板の表面にわたる電位を発生させ、基板はそこで機械的応力を受ける。機械的応力の例は、基板の表面の連続的な収縮及び膨張である。この基板の連続的な変形の結果として、表面弾性波は、表面にわたって伝搬される。
【０３３１】
いくつかの例において、表面弾性波の波長は、変換器（ＩＤＴ）又は一連の若しくは複数の電極のピッチに依存する。
【０３３２】
１つの例において、サンプル調製構成要素表面は、上層の表面上に含められた一連のフォノン構造を含み得る。フォノン構造は、音波の伝搬を制御し得る。例えば、フォノン構造は、表面弾性波の方向、動き、速度を制御し得る。フォノン構造は、多様な形、並びにサイズを呈し得る。いくつかの例において、フォノン構造は、基板内に格子を形成する、柱、円錐、又は穴であり得る。上層の表面上のフォノン構造のパターンは、解像度（例えば、表面上の面積当たりの電極の数）、電極サイズ、電極のインターディジテーション、及び／又は電極間の間隙又は間隔といった特性に基づいて予め定めることができる。いくつかの例において、パターンの特性は、ＳＡＷサンプル調製構成要素が関連付けられる小滴アクチュエータの１つ又はそれより多くの実用的用途（例えば、生物学的アッセイ及び／又は化学的アッセイを伴う使用）に基づいて選択される。他の構成において、電極のパターンは、異なる用途に適する異なるパターンを可能にするように再構成可能であり得る。いくつかの例において、一連の又は複数の電極又は各個別の電極のサイズ又は寸法の増大は、隣接する電極間に塗工される疎水性材料の量も削減し得る。それゆえ、電極パターンの特徴は、ＳＡＷプラットフォームの表面積を最大限にし得る。さらに、一連の又は複数の電極／変換器のインターディジテーションの増大は、液体がその電位の操作により表面にわたって伝搬される容易さを促進する。
【０３３３】
第１の例示的なサンプル調製構成要素において、上層を水溶液に対して不浸透性にするために、疎水性材料を一連の又は複数の電極及び基板の表面に塗工することができる。疎水性材料の結果として、小滴又は流体ポンプによりアクチュエーションされる液体はビーズ状構成になり、基板の表面の疎水性層との接触角を形成する。動作中、ＳＡＷ音波は、例えば液体の中へ浸透又は漏洩することによって、表面結合をわたって液体へ伝搬する。ＳＡＷ音波の振幅又は周波数は、結果として得られる移動液体の周波数及び運動を制御し得る。
【０３３４】
特定の実施形態において、表面弾性波は、基板の表面に沿って伝搬し、次いで上層内へと結合される。したがって、表面弾性波は伝搬し続け、上層に形成され得るフォノン構造によって案内される。
【０３３５】
いくつかの例において、ＳＡＷ音波が２つ以上の電極によって発生される場合、これは、結果として得られる表面弾性波に結合される液体の方向の制御をもたらし得る。伝搬する液体の方向は、直線方向又は非直線方向であり得る。いくつかの例において、液滴の伝搬は、転がり運動であり得る。他の例において、液滴の伝搬は、表面にわたる摺動運動であり得る。いくつかの例において、表面上にフォノン構造がない場合、ＳＡＷの伝搬とその結果得られる液滴の伝搬は同じ方向である。他の例において、表面上にフォノン構造が存在する場合、ＳＡＷの伝搬とその結果得られる液滴の伝搬とは、反対方向又は異なる方向である。
【０３３６】
いくつかの例において、疎水性材料は、上層の表面に施工されたポリテトラフルオロエチレン材料（例えばＴｅｆｌｏｎ（登録商標））又はフッ素系界面活性剤（例えばＦｌｕｏｒｏＰｅｌ（商標））である。
【０３３７】
検体検出構成要素
いくつかの実施形態において、検体検出構成要素は、その中で検体又は生物学的サンプルの検出目的で分子、粒子、ビーズ又は細胞が単離され得るウェルのアレイを含むことができる。ＴＳＡＷ（トラベリング表面弾性波）は、表面上に流体チャネルにわたってアコースティックストリーミングを発生させ、流体（小滴又は細胞のいずれか）をウェルアレイに向かって押す。
【０３３８】
ウェルの形及び幾何学的形状は、要求される手順又は用途のタイプに応じて様々であり得る。いくつかの例において、ウェルは、深いチャンバから浅いチャンバまで様々であり得る。ウェルは、平らな底面付きの円筒形、丸い底面付きの円筒形、立方体、立方形、切頭円錐、逆切頭円錐、又は円錐などの、任意の多様な形状であり得る。特定の事例において、ウェルは、ウェルアレイの上に移動した液滴中に存在するマイクロビーズ又はマイクロ粒子の受入れ及び保持を促進するように配向され得る側壁を含むことができる。いくつかの例において、ウェルは、第１の側壁及び第２の側壁を含むことができ、ここで第１の側壁は第２の側壁と対向し得る。いくつかの例において、第１の側壁は、ウェルの底部に対して鈍角に配向され、第２の側壁は、ウェルの底部に対して鋭角に配向される。小滴の移動は、ウェルの底部に対して平行に第１の側壁から第２の側壁へ向かう方向であり得る。ウェルのアレイは、サブフェムトリットル容量、フェムトリットル容量、サブナノリットル容量、ナノリットル容量、サブマイクロリットル容量、又はマイクロリットル容量を有し得る。例えば、ウェルのアレイは、フェムトリットルウェルのアレイ、ナノリットルウェルのアレイ、又はマイクロリットルウェルのアレイであり得る。特定の実施形態において、アレイ内のウェルは、すべて実質的に同じ容量を有し得る。ウェルのアレイは、１００μｌまでの容量、例えば約０．１フェムトリットル、１フェムトリットル、１０フェムトリットル、２５フェムトリットル、５０フェムトリットル、１００フェムトリットル、０．５ｐＬ、１ｐＬ、１０ｐＬ、２５ｐＬ、５０ｐＬ、１００ｐＬ、０．１ｎＬ、１ｎＬ、１０ｎＬ、２５ｎＬ、５０ｎＬ、５００ｎＬ、０．１マイクロリットル、１マイクロリットル、１０マイクロリットル、２５マイクロリットル、５０マイクロリットル、又は１００マイクロリットルの容量を有し得る。
【０３３９】
特定の事例において、サンプル調製構成要素及び検体検出構成要素は、単一の平坦な表面から、例えば連続的なウェブ送り製造プロセスを使用して製作することができる。かかる例において、サンプル調製構成要素及びデジタル検体検出構成要素は、互いに隣接して位置決めされ得る。
【０３４０】
いくつかの例において、サンプル調製構成要素は、サンプル入口を含み得る。本明細書で使用されるときの「サンプル入口」は、液体をサンプル調製構成要素へ導入するための管状部材、チャネル、又はパイプを指す。例えば、サンプル入口は、生物学的サンプルを基板の表面上へ導入し得る。他の例において、サンプル入口は、生物学的サンプルを基板の内部へ導入し得る。
【０３４１】
他の例において、サンプル調製構成要素及びデジタル検体検出構成要素は、小滴操作のための空間によって隔てられた、互いにスタックされた構成で位置決めされ得る。サンプル調製構成要素が検体検出構成要素の上にスタック構成で位置決めされた例又はその逆の（検体検出構成要素がサンプル調製構成要素の上に位置決めされた）例において、入口又はチャネルは、２つの構成要素の間に位置決めすることができる。入口又はチャネルは、サンプル又は検体を２つの構成要素の間に導くことができる。
【０３４２】
フォノン構造は、サンプル調製構成要素の上層上に製作され又は含まれ得る。特定の事例において、フォノン構造は、上層上にインプリントされ又はエンボス加工される。かかる例において、フォノン構造のエンボス加工又はインプリントは、単一のステップである。他の例において、これは複数のステップであり得る。フォノン構造のインプリント又はエンボス加工は、型、マスク、又はパターンの存在下での圧力、熱、又は紫外線の印加の組合せによるものであり得る。１つの例において、型から誘発されて上層へかかる圧力は、上層の表面の変形を誘導し得る。
【０３４３】
フォノン構造を上層に含めた後、これはフォノン構造の硬質化又は変形を可能にするのに十分な時間にわたって硬化され得る。加えて、フォノン構造は、フォノン構造の物理特性を改質する試薬に供され得る。
【０３４４】
いくつかの例において、検体検出のための試薬は、集積サンプル調製及び検体検出デバイスの製作中に脱水形態で印刷され得る。試薬の再水和は、サンプル又はバッファー中の使用を通じて生じる。
【０３４５】
いくつかの例において、ウェルのアレイは、個々のウェルチャンバを含み、各ウェルチャンバは、第１の端及び第２の端を有する。１つの例において、ウェルの第１の端は、開放端であり得、他方、ウェルの第２の端は閉鎖されている。他の例において、ウェルの第１の端及びウェルチャンバの第２の端の両方が閉鎖されている。ウェルチャンバの第１の端の閉鎖は、恒久的閉鎖機構及び一時的閉鎖機構の両方によるものであり得る。「恒久的」は、本明細書で使用されるとき、閉鎖機構がウェルのチャンバの付属品として残ることが意図されることを意味する。「一時的」は、本明細書で使用されるとき、閉鎖機構を、閉鎖機構の構造、一体性、又は剛性に影響を及ぼすことなく除去することができることを意味する。いくつかの態様において、ウェルチャンバの第１の端の閉鎖は、恒久的閉鎖機構と一時的閉鎖機構との組合せによるものであり得る。１つの例において、一時的閉鎖機構は、ウェルチャンバの第１の端を満たすことができる油流体などの液体であり得る。特定の例において、油滴は、検体、生物学的サンプル、又は検体に関連した検出可能標識があらかじめウェル内に堆積された後で、第１のウェル端を満たし得る。他の例において、油滴は、ウェル内の検体又は生物学的サンプルの存在にかかわらず、ウェルの第１の端を閉鎖し得る。
【０３４６】
ウェルのアレイは、複数の標識、ビーズ、標識化ビーズ、タグ、及びそれに類したものを受け入れるのに適したウェルチャンバのパターン（例えばアレイ内のウェルの編成）を有する。ウェルのアレイのパターンは、解像度及びウェルチャンバ間の間隔に応じて多様であり得る。
【０３４７】
いくつかの例において、ウェルアレイのパターンは、ナノインプリントリソグラフィを使用して製作することができる。他の例において、ウェルアレイのパターンは、成形、圧力、熱、又はレーザの、任意のものの組合せにより、製作することができる。
【０３４８】
ウェルアレイのサイズは、多様であり得る。いくつかの例において、ウェルアレイは、直径１００ｎｍの個々のウェルチャンバを５００ｎｍの周期で有するように製作され得る。
【０３４９】
いくつかの例において、ウェルアレイは、実質的に、デジタルマイクロ流体及び検出モジュールに関連したセクションで記載した通りのものであり得る。
【０３５０】
いくつかの例において、対象の検体又は生物学的サンプルの検出は、光学的シグナル検出を通じて行うことができる。例えば、シグナル強度結果を測定するために、励起光（例えばレーザ）を照射する。他の例において、所望の検体は、各ウェルチャンバから発する光学的シグナルを測定することによって検出され、結果を定量化することによって定量され得る。例えば、デジタル分析により、陽性カウント（例えばウェル）の数が陰性カウント（例えばウェル）の数と比較される。あるいは又は加えて、検体濃度に相関するシグナルを測定することができる（アナログ定量）。デバイスのウェルからの種々のシグナルを検出することができる。例示的なシグナルは、蛍光、化学発光、比色、比濁等を含む。
【０３５１】
サンプル調製及び検体検出デバイスの隣接構成
いくつかの実施形態において、ウェルのアレイは、サンプル調製構成要素と同じ上層上に位置決めされる。いくつかの例において、上層及びウェルのアレイは、第１の基板上に位置決めされ得る。第１の基板は、分析される小滴が最初に配置される第１の部分と、検体検出のために小滴がそこに向かって移動される第２の部分とに分割することができる。上層は、第１の基板の第１の部分上に存在し得、ウェルのアレイは、第１の基板の第２の部分上に位置決めされ得る。それゆえ、サンプル調製構成要素を形成する上層と検体検出構成要素を形成するウェルのアレイとが直接的に隣接し得る。本明細書で使用するとき、「直接的に隣接」という用語は、サンプル調製構成要素とウェルのアレイとの間を分離又は分割する物体が存在しないことを指す。サンプル調製構成要素とウェルのアレイとが互いに直接的に隣接する例において、サンプル調製構成要素の表面にわたる液滴の伝搬は、ウェルのアレイの表面へとシームレスに移行する。他の例において、ウェルのアレイは、サンプル調製構成要素に間接的に隣接する。本明細書で使用するとき、「間接的に隣接」という用語は、サンプル調製構成要素を分離又は分割する物体又は要素が存在することを指す。
【０３５２】
いくつかの例において、液体の移動を促進し、個々のウェルチャンバへの小滴の位置精度を高めるために、サンプル調製構成要素の基板表面をパターニングされ又は親水性材料でコーティングすることができる。他の例において、ウェルアレイをシールするために油又はエマルションのような試薬を使用することができる。
【０３５３】
図１３Ａは、検体検出構成要素に隣接して位置決めされたサンプル調製構成要素の側面図を示す。図１３Ａに示すように、サンプル調製構成要素は、上層８１０を含む。上層８１０は、一連のフォノン構造８３０を含む。フォノン構造のサイズ、形、及び寸法は、多様であり得る。図１３Ａに示すように、サンプル調製構成要素は、ウェルのアレイ８６０を含む検体検出構成要素に直接的に隣接して位置決めされる。これらの構成要素が互いに隣接して位置決めされた場合、上層８１０の表面にわたって伝搬された液体は、ウェルアレイ８６０上の個々のウェルチャンバ内へ収集され得る。この特定の例において、サンプル入口チャネル８４０は、上層８１０とカバー８７０との間に位置決めされる。上層８１０及びカバー８７０は、液滴が操作（例えば、併合、分割、撹拌等）される空間を定める空間／間隙８５０によって分離される。しかしながら、他の例において、サンプル入口チャネルは含まれない。サンプル入口チャネルのサイズ、寸法、及びバリエーションは、多様であり得る。例えば、サンプル入口チャネルは、流体を上層８１０の表面上へ導入し得る。他の例において、サンプル入口チャネルは、流体を上層８１０の内部へ導入し得る。
【０３５４】
いくつかの例において、サンプル調製構成要素の表面の上にカバーシールを設けることができる。特定の実例において、カバーシールは、表面の液体内容物の汚染を防止することができる。他の実例において、カバーシールは、液体不浸透性層である。他の実例において、カバーシールは、プラスチック、シリコン、又は他のタイプのゴムなどの可撓性材料で作られる。他の実例において、カバーシールは、ガラス又は他の非可撓性材料などの非可撓性材料で作られる。いくつかの例において、カバーシールは、サンプル調製構成要素の表面又は表面上に存在する液体内容物のいずれかの変形を防止するために、熱、紫外線、又は他の電磁放射を通さないものとすることができる。
【０３５５】
いくつかの例において、基板の表面にわたる表面弾性波の発生によって生じる熱を放散するために、ヒートシンクを設けることができる。
【０３５６】
サンプル調製及び検体検出デバイスのスタック構成
いくつかの実施形態において、ウェルのアレイ（検出構成要素）は、小滴が操作される空間によって分離されたサンプル調製構成要素の上に位置決めされる。いくつかの例において、入口又はチャネルは、２つの構成要素間に位置決めされ得る。入口又はチャネルは、サンプル又は検体を２つの構成要素間に導き得る。
【０３５７】
いくつかの例において、ウェルアレイは、第１の基板上にインプリメント又はエンボス加工することができ、フォノン構造は、第１の基板から離間した様式で位置決めされる上層上に存在し得る。上層は、第２の基板によって支持され得る。
【０３５８】
いくつかの例において、ウェルのアレイを含む第１の基板を上層と連結するステップは、ボンディング剤、接着剤、テープ、糊、はんだ付け、又はウェルのアレイを上層へ連結させることが可能な他の貼付剤の使用によって促進することができる。他の例において、ウェルのアレイをサンプル調製構成要素のフォノン構造上へ連結するステップは、機械式締結具、固定具、ボルト、及び、ラッチのような他の機械式構成要素の使用によって達成することができる。他の例において、ウェルのアレイをサンプル調製構成要素のフォノン構造上へ連結するステップは、ウェルのアレイをサンプル調製構成要素のフォノン構造の上に設置して位置決めすることにより行うことができる。他の例において、基板のフォノン構造は、ウェルアレイ構成要素に対して平行な配向であり得る。
【０３５９】
上層のフォノン構造とウェルアレイとの間の間隔は、実施される用途のタイプ、基板の表面へアクチュエーションされる液滴のサイズ、フォノン構造のサイズ、形及び配列、サンプルチャネル／入口のサイズ、及び表面にわたって伝搬する表面弾性波の振幅に応じて多様であり得る。
【０３６０】
図１３Ｂは、上層及びウェルアレイ構成要素のスタック構成の側面図を示す。図１３Ｂに示すように、上層８１０は、一連のフォノン構造８３０を含む。フォノン構造８３０は、反復する構造要素のアレイとして配列される。フォノン構造のサイズ、形、及び寸法は、多様であり得る。この例において、ウェルのアレイ８６０もまた存在する。この例において、ウェルのアレイ８６０は、上層の上に直接的に位置決めされる。図１３Ｂに示すように、ウェルの開口部は、フォノン構造に直接的に対向し得る。この特定の例において、サンプル入口チャネル８４０は、ウェルアレイと上層との間に位置決めされる。しかしながら、他の例において、サンプル入口チャネルは含まれない。サンプル入口チャネルのサイズ、寸法、及びバリエーションは、多様であり得る。例えば、サンプル入口チャネルは、流体を上層８１０の表面上へ導入し得る。他の例において、サンプル入口チャネルは、流体を上層８１０の内部へ導入し得る。ウェルのアレイ８６０を含む基板８２０は、上層８１０から離間した様式で位置決めされ、上層８１０から間隙／空間８５０によって分離される。
【０３６１】
図１３Ａ〜図１３Ｂに示すようなウェルのアレイは、サイズ及び／又は形状が多様であり得る。例えば、ウェルアレイは、実質的に浅くする又は深くすることができる。ウェルアレイの解像度は、各ウェルチャンバ間の間隔によって影響を受ける。例えば、ウェルチャンバ間の最小限の間隔は、より多数のウェルを可能にして、より多数の検体又は生物学的サンプルを収集する。いくつかの例において、ウェルアレイは、基板のアブレーションにより形成することができる。ウェルアレイのパターンは、特別なパターン又は特別なマスクを使用し、マスクをレーザアブレーションに供することによって形成することができる。
【０３６２】
表面弾性波サンプル調製及び検出デバイス
図１４Ａ〜図１４Ｂは、前述のセクションにおいて開示されたＳＡＷデバイスを別々に製作するための例示的な方法を示す。図１４Ａは、フォノン構造及びウェルのアレイを単一のベース基板上で製作することによって、サンプル調製構成要素とウェルアレイ構成要素とが互いに隣接して位置決めされることを示す。上層（例えば、図１３Ａ、上層８１０を参照）は、組立ライン９００上に配置される。組立ライン９００に沿った上層の伝搬は、一連のローラを利用したコンベヤベルト様機構によって促進される。上層のロール９１４は、スプールから巻きを解かれてエンボス加工ユニット９１０へ供され、これは、型を使用してフォノン構造を上層上に形成するか又は上層内に埋め込むために、材料に強い熱、圧力、又は紫外線をかける。ウェルのアレイは、レーザアブレーション９２４を使用して作成される。その後、上層は、複数のローラを通って、上層の性質を改質する表面処理構成要素９２０へ至る。その後、上層は、上層上にアッセイ試薬を堆積するインクジェットプリンタ９３０を通過する。いくつかの例において、得られた構造は、硬化ステップに供され得る。他の例において、得られた構造は、表面処理を受けて、その物理的性質が改質され、例えばアッセイプロトコルに必要な官能化試薬が組み込まれる。次いでカバー（例えば、図１３Ａ、カバー８７０）が上層上へ積層９４０される。カバーは、ロール９０５として準備され得、これは、スプールから巻きを解かれ、ローラを用いて移動される。カバーを上層上に配置する前に、好適なスペーサーが上層とカバーとの間に配置されて、液滴が２つの表面間を移動することを可能にする。組み立てられた構造は、個々のデバイスを生成するためにダイシング９５０され得る。
【０３６３】
図１４Ｂは、図１３Ｂに描いたデバイスを製作するための例示的な方法を示す。上層（例えば、図１３Ｂ、上層８１０を参照）のロール９１４は、エンボス加工ユニット９１０を使用する製作プロセスに供され、これは、型の存在下でフォノン構造の反復する構造要素を形成するために、上層に強い熱、圧力、又は紫外線をかける。その後、上層は、表面処理構成要素９２０を通過して、上層表面の性質を改質する。その後、上層は、インクジェットプリンタ９３０を通過して、原位置でアッセイ試薬を堆積する。ウェルのアレイを含む検出モジュールを形成するために、第１の基板（例えば、図１３Ｂ、基板８２０参照）のロール９０６がレーザアブレーション９２４に供される。積層ユニット９４０において、上層、及びウェルアレイを収めた第１の基板の両方が一緒に組み合わされ、次いで、離間した構成で貼り合わされる。結果として、上層及び基板は、スタック構成内で垂直方向に位置合わせされる。その後、スタックされた基板は、例えばダイシング構成要素９５０に供されて、個々のデバイスを生成する。
【０３６４】
小滴アクチュエーションを伝搬する本明細書に記載のデバイス及びシステム及び方法は、小滴アクチュエーションに影響を及ぼす種々の他の力も含み得る。例えば、表面にわたる小滴の移動は、電場媒介力、静電アクチュエーション（電気的アクチュエーションなど）、エレクトロウェッティング、誘電泳動、電場勾配又は電極媒介力を含み得る。小滴操作のために表面弾性波とデジタルマイクロアレイ電極の組合せが用いられる実施形態において、本明細書に記載のＳＡＷデバイスは、一連の又は複数の電極を含み得る。
【０３６５】
本明細書で開示される集積デバイスは、対象検体の検出のために、生物学的サンプルなどの種々のサンプルを調製するのに使用され得る。特定の事例において、デバイスは、デジタルイムノアッセイを実行するために使用され得、検体の存在又は非存在に相関する粒子／ビーズの存在又は非存在を検出する。
【０３６６】
キット及びカートリッジ
上述の方法を開示されるデバイスを用いて又は用いずに実行する際の使用のためのキットも本明細書において提供される。キットは、開示されるデバイスを用いて検体を分析するための指示を含むことができる。キットに含まれる指示は、パッケージ材に添付することもでき、又はパッケージ挿入物として含めることもできる。指示は、書面又は印刷物であり得るが、これらに限定されない。かかる指示を格納すること及びそれをエンドユーザーへ伝えることが可能な任意の媒体が本開示によって企図される。かかる媒体には、電子ストレージ媒体（例えば磁気ディスク、テープ、カートリッジ、チップ）、光学媒体（例えばＣＤ  ＲＯＭ）、及びそれらに類するものが含まれるが、これらに限定されない。本明細書において使用されるとき、「指示」は、指示を提供するインターネットサイトのアドレスを包含し得る。
【０３６７】
キットは、上述のように内蔵の検体検出を伴うマイクロ流体モジュールを含むカートリッジを含むことができる。いくつかの実施形態において、マイクロ流体及び検体検出は、互いの可逆的な集積のための分離した構成要素であり得るか、又はカートリッジに完全に若しくは不可逆的に集積され得る。カートリッジは使い捨てであり得る。カートリッジは、上で開示された方法の実践のために有用な１つ又はそれより多くの試薬を含むことができる。カートリッジは、試薬を１つ又はそれより多くの分離した組成物として保持する、又は、随意に、試薬の適合性が許容する場合には混和物として保持する、１つ又はそれより多くの容器を含むことができる。カートリッジは、バッファー、希釈液、標準物質（例えばキャリブレータ及び対照）、及び／又はサンプルの加工、洗浄、若しくは任意の他のアッセイのステップの遂行において有用な他の材料といった、ユーザーの観点から所望され得る他の材料も含むことができる。カートリッジは、上記の特異的結合メンバーのうちの１つ又はそれより多くを含むことができる。
【０３６８】
代替的に又は付加的に、キットは、キャリブレータ若しくは対照、例えば精製され、随意に凍結乾燥された又は液体、ゲル若しくは他の形態の対象検体をカートリッジ上に又は別々に含むことができ、並びに／又は上記のデバイス及び方法による使用のための少なくとも１つ容器（例えば、チューブ、マイクロタイタープレート又はストリップ）を含むことができ、並びに／又はアッセイバッファー又は洗浄バッファーなどのバッファーを含むことができ、そのうちのいずれのものも、濃縮溶液として提供され得る。いくつかの実施形態において、キットは、アッセイを実行するのに必要なすべての構成要素、すなわち試薬、標準物質、バッファー、希釈液等を含む。指示は、標準曲線の生成のための指示も含むことができる。
【０３６９】
キットは、対象検体の定量化のための参照標準を更に含むことができる。参照標準を用いて、対象検体濃度の内挿及び／又は外挿のための標準曲線を確立することができる。キットは、濃度レベルに関して異なる参照標準を含むことができる。例えば、キットは、高濃度レベル、中間濃度レベル、又は低濃度レベルのいずれかの１つ又はそれより多くの参照標準を含むことができる。参照標準のための濃度の範囲に関しては、これをアッセイごとに最適化することができる。参照標準のための例示的な濃度範囲には、例えば、約１０ｆｇ／ｍＬ、約２０ｆｇ／ｍＬ、約５０ｆｇ／ｍＬ、約７５ｆｇ／ｍＬ、約１００ｆｇ／ｍＬ、約１５０ｆｇ／ｍＬ、約２００ｆｇ／ｍＬ、約２５０ｆｇ／ｍＬ、約５００ｆｇ／ｍＬ、約７５０ｆｇ／ｍＬ、約１０００ｆｇ／ｍＬ、約１０ｐｇ／ｍＬ、約２０ｐｇ／ｍＬ、約５０ｐｇ／ｍＬ、約７５ｐｇ／ｍＬ、約１００ｐｇ／ｍＬ、約１５０ｐｇ／ｍＬ、約２００ｐｇ／ｍＬ、約２５０ｐｇ／ｍＬ、約５００ｐｇ／ｍＬ、約７５０ｐｇ／ｍＬ、約１ｎｇ／ｍＬ、約５ｎｇ／ｍＬ、約１０ｎｇ／ｍＬ、約１２．５ｎｇ／ｍＬ、約１５ｎｇ／ｍＬ、約２０ｎｇ／ｍＬ、約２５ｎｇ／ｍＬ、約４０ｎｇ／ｍＬ、約４５ｎｇ／ｍＬ、約５０ｎｇ／ｍＬ、約５５ｎｇ／ｍＬ、約６０ｎｇ／ｍＬ、約７５ｎｇ／ｍＬ、約８０ｎｇ／ｍＬ、約８５ｎｇ／ｍＬ、約９０ｎｇ／ｍＬ、約９５ｎｇ／ｍＬ、約１００ｎｇ／ｍＬ、約１２５ｎｇ／ｍＬ、約１５０ｎｇ／ｍＬ、約１６５ｎｇ／ｍＬ、約１７５ｎｇ／ｍＬ、約２００ｎｇ／ｍＬ、約２２５ｎｇ／ｍＬ、約２５０ｎｇ／ｍＬ、約２７５ｎｇ／ｍＬ、約３００ｎｇ／ｍＬ、約４００ｎｇ／ｍＬ、約４２５ｎｇ／ｍＬ、約４５０ｎｇ／ｍＬ、約４６５ｎｇ／ｍＬ、約４７５ｎｇ／ｍＬ、約５００ｎｇ／ｍＬ、約５２５ｎｇ／ｍＬ、約５５０ｎｇ／ｍＬ、約５７５ｎｇ／ｍＬ、約６００ｎｇ／ｍＬ、約７００ｎｇ／ｍＬ、約７２５ｎｇ／ｍＬ、約７５０ｎｇ／ｍＬ、約７６５ｎｇ／ｍＬ、約７７５ｎｇ／ｍＬ、約８００ｎｇ／ｍＬ、約８２５ｎｇ／ｍＬ、約８５０ｎｇ／ｍＬ、約８７５ｎｇ／ｍＬ、約９００ｎｇ／ｍＬ、約９２５ｎｇ／ｍＬ、約９５０ｎｇ／ｍＬ、約９７５ｎｇ／ｍＬ、約１０００ｎｇ／ｍＬ、約２μｇ／ｍＬ、約３μｇ／ｍＬ、約４μｇ／ｍＬ、約５μｇ／ｍＬ、約６μｇ／ｍＬ、約７μｇ／ｍＬ、約８μｇ／ｍＬ、約９μｇ／ｍＬ、約１０μｇ／ｍＬ、約２０μｇ／ｍＬ、約３０μｇ／ｍＬ、約４０μｇｍＬ、約５０μｇ／ｍＬ、約６０μｇ／ｍＬ、約７０μｇ／ｍＬ、約８０μｇ／ｍＬ、約９０μｇ／ｍＬ、約１００μｇｍＬ、約２００μｇｍＬ、約３００μｇｍＬ、約４００μｇｍＬ、約５００μｇｍＬ、約６００μｇｍＬ、約７００μｇ／ｍＬ、約８００μｇ／ｍＬ、約９００μｇ／ｍＬ、約１０００μｇ／ｍＬ、約２０００μｇ／ｍＬ、約３０００μｇ／ｍＬ、約４０００μｇ／ｍＬ、約５０００μｇ／ｍＬ、約６０００μｇ／ｍＬ、約７０００μｇ／ｍＬ、約８０００μｇ／ｍＬ、約９０００μｇ／ｍＬ、又は約１００００μｇ／ｍＬが含まれるが、これらに限定されない。
【０３７０】
キット内で提供される任意の特異的結合メンバーは、フルオロフォア、酵素、デンドリマー、ビーズ、ナノ粒子、ナノビーズ、マイクロ粒子、マイクロビーズ、ポリマー、タンパク質、ビオチン／アビジン標識、又はそれらに類するものなどの標識を組み込むことができ、又は、キットは、特異的結合メンバーを標識するための試薬又は特異的結合メンバーを検出するため及び／若しくは検体を標識するための試薬又は検体を検出するための試薬を含むことができる。所望であれば、キットは、１つ又はそれより多くの異なるタグ又は標識を含有することができる。キットは、切断媒介試薬などの、切断を惹起する構成要素も含むことができる。例えば、切断媒介試薬は、ジチオスレイトール（ＤＴＴ）又はトリス（２−カルボキシエチル）ホスフィン）ＴＣＥＰなどの、還元剤を含むことができる。特異的結合メンバー、キャリブレータ、及び／又は対照は、別容器で提供されるか、又は適切なアッセイ形式若しくはカートリッジの中へ前もって分注され得る。
【０３７１】
キットは、例えば、マルチプレックス化アッセイにおいてサンプル中の１つ又はそれより多くの標的検体を検出するために、１つ又はそれより多くの特異的結合メンバーを含むことができる。キット中の異なるタイプの特異的結合メンバーの数は、キットの意図された使用に広範に依存する範囲であり得る。キット中の特異的結合メンバーの数は、１から約１０まで、又はそれより高い範囲であり得る。例えば、キットは、１から１０までの特異的結合メンバー、１から９までの特異的結合メンバー、１から８までの特異的結合メンバー、１から７までの特異的結合メンバー、１から６までの特異的結合メンバー、１から５までの特異的結合メンバー、１から４までの特異的結合メンバー、１から３までの特異的結合メンバー、１から２までの特異的結合メンバー、２から１０までの特異的結合メンバー、２から９までの特異的結合メンバー、２から８までの特異的結合メンバー、２から７までの特異的結合メンバー、２から６までの特異的結合メンバー、２から５までの特異的結合メンバー、２から４までの特異的結合メンバー、３から１０までの特異的結合メンバー、３から９までの特異的結合メンバー、３から８までの特異的結合メンバー、３から７までの特異的結合メンバー、３から６までの特異的結合メンバー、３から５までの特異的結合メンバー、３から４までの特異的結合メンバー、４から１０までの特異的結合メンバー、４から９までの特異的結合メンバー、４から８までの特異的結合メンバー、４から７までの特異的結合メンバー、４から６までの特異的結合メンバー、５から１０までの特異的結合メンバー、５から９までの特異的結合メンバー、５から８までの特異的結合メンバー、５から７までの特異的結合メンバー、５から６までの特異的結合メンバー、６から１０までの特異的結合メンバー、６から９までの特異的結合メンバー、６から８までの特異的結合メンバー、６から７までの特異的結合メンバー、７から１０までの特異的結合メンバー、７から９までの特異的結合メンバー、７から８までの特異的結合メンバー、８から１０までの特異的結合メンバー、８から９までの特異的結合メンバー、又は９から１０までの特異的結合メンバーを含むことができる。１つ又はそれより多くの特異的結合メンバーの各々は、異なる標的検体へ結合することができ、各々の特異的結合メンバーは、異なる検出可能標識により標識され得る。例えば、キットは、第１の標的検体へ結合する第１の特異的結合メンバー、第２の標的検体へ結合する第２の特異的結合メンバー、第３の標的検体へ結合する第３の特異的結合メンバー等を含むことができ、第１の特異的結合メンバーは第１の検出可能標識により標識される、第２の特異的結合メンバーは第２の検出可能標識により標識される、第３の特異的結合メンバーは第３の検出可能標識により標識される等である。１つ又はそれより多くの特異的結合メンバーに加えて、キットは、好適なバッファー媒質及びそれに類するような１つ又はそれより多くの追加のアッセイ構成要素を更に含むことができる。最後に、キットは、本発明による検体検出の方法において特異的結合メンバーを使用するための指示を含むことができ、使用のためのこれらの指示は、キットのパッケージ及び／又はパッケージ挿入物上に存在し得る。
【０３７２】
随意に、キットは、品質管理構成要素（例えば、感受性パネル、キャリブレータ、及び陽性対照）を含む。品質管理試薬の調製は、当技術分野において周知であり、様々な免疫診断製品用の挿入シート上に記載される。感受性パネルメンバーは、アッセイ性能特性を確立するために随意に使用され、更に随意にキット試薬の完全性及びアッセイの標準化の有用な指標である。
【０３７３】
キットは、診断的アッセイを実施するため又は品質管理評価を促進するために必要とされる、バッファー、塩、酵素、酵素補因子、基質、検出試薬、及びそれらに類するような他の試薬も随意に含むことができる。試験サンプルの単離及び／又は処理のためのバッファー及び溶液（例えば前処理試薬）などの他の構成要素も、キット中に含めることができる。キットは、１つ又はそれより多くの他の対照を追加で含むことができる。キットの構成要素のうちの１つ又はそれより多くを凍結乾燥することができ、その場合、キットは凍結乾燥された構成要素の再構成のために好適な試薬を更に含むことができる。構成要素のうちの１つ又はそれより多くは、液体形態であり得る。
【０３７４】
キットの様々な構成要素は、随意に、必要に応じて好適な容器中で提供される。キットは、サンプルの保持又は保管のための容器（例えば尿、唾液、血漿、脳脊髄液、若しくは血清のサンプル用の容器若しくはカートリッジ、又は組織吸引液を作製するように組織を保管、輸送、若しくは加工するための適切な容器）を更に含むことができる。適切な場合には、キットは、随意に、反応容器、混合容器、及び、試薬又は試験サンプルの調製を促進する他の構成要素も含有することができる。キットは、試験サンプルの取得を支援する１つ又はそれより多くのサンプル採取／取得機器（様々な血液採取／移送デバイスなど（マイクロサンプリングデバイス、マイクロニードル、又は他の最小侵襲性の無痛血液採取方法；血液採取チューブ；ランセット；キャピラリー血液採取チューブ；他の単一の指先穿刺血液採取方法；頬腔スワブ、鼻／咽頭スワブ；組織サンプルを取得、保管若しくは吸引するための、１６ゲージ又は他のサイズの針、パンチ生検用の円形ブレード（例えば１〜８ｍｍ、又は他の適切なサイズ）、メス又はレーザ（例えば特に手持ち式）、シリンジ、滅菌容器、又はカニューレ；又はそれらに類するものなど））も含むことができる。キットは、関節吸引、錐体生検、パンチ生検、細針吸引生検、画像誘導経皮的針吸引生検、気管支肺胞洗浄、内視鏡下生検、及び腹腔鏡下生検を支援する１つ又はそれより多くの機器を含むことができる。
【０３７５】
タグ又は検出可能標識が少なくとも１つのアクリジニウム化合物であるか又はそれを含む場合、キットは、少なくとも１つのアクリジニウム−９−カルボキサミド、少なくとも１つのアクリジニウム−９−カルボキシレートアリールエステル、又はその任意の組み合わせを含むことができる。タグ又は検出可能標識が少なくとも１つのアクリジニウム化合物であるか又はそれを含む場合、キットは、バッファー、溶液、及び／又は少なくとも１つの塩基性溶液といった過酸化水素源も含むことができる。所望であれば、キットは、磁気粒子、ビーズ、膜、足場分子、フィルム、ろ紙、ディスク、又はチップといった固相を含有することができる。
【０３７６】
所望されるならば、キットは、試験サンプルを別の検体についてアッセイするための１つ又はそれより多くの構成要素を、単独で、又は指示との更なる組合せで更に含むことができ、それは、感染性疾患、心臓疾患、代謝疾患、甲状腺疾患等の疾患状態又は障害のバイオマーカーのような、バイオマーカーであり得る。
【０３７７】
本発明は、以下の非限定的実施例によって例証される複数の態様を有する。
【実施例】
【０３７８】
実施例１
低コストＤＭＦチップの製作
低コストの可撓性ＤＭＦチップを、電極パターニングのための湿式リフトオフプロセスと組み合わせたロール・ツー・ロール（Ｒ２Ｒ）フレキソ印刷を使用して製作した。製作プロセスの概略図を図１８に示す。Ｍｅｌｉｎｅｘ  ＳＴ５０６ポリエチレンテレフタレート（ＰＥＴ）５．０ミルの基板（１）のロールを、ＤＭＦ電極印刷のための出発原料として使用した。黄色インク（Ｓｕｎ  Ｃｈｅｍｉｃａｌ）の層を、Ａｎｉｌｏｘローラ組立体上で、３．８ｍｌ／ｍ２のインク転写体積を使用して、１０ｍ／分間の速度で、１．１４ｍｍ厚の印刷版（Ｆｌｉｎｔ  ＭＣＯ３）を使用して、ＰＥＴ基板上にフレキソ印刷した（２）。ＤＭＦ電極パターンのネガ像が、フレキソ印刷ステップから得られる（３）。金属堆積の前に、インクを熱風オーブン中で２回乾燥した（２×１００℃）。ＥＶＡ  Ｒ２Ｒ金属エバポレーターを使用して、印刷されたＰＥＴ基板の上へ銀金属の層を堆積させて、８０ｎｍの厚みで銀の一様なコーティングを形成した（４）。金属化されたインクフィルム基板（５）に、１ｍ／分間のスピードで、超音波処理槽中で超音波とアセトンの組合せを使用して、湿式リフトオフプロセスを行った（６）。この化学的／物理的処理は銀−インク層の溶解を可能にし、その一方で、銀のみの層をそのままに保持する。インク−銀層を除去すると、５０又は１４０μｍのいずれかの電極ギャップの間隔を有する８０個のアクチュエーション電極（２．２５×２．２５ｍｍ）からなるＤＭＦ印刷電極パターンが得られた（７）。品質管理（ＱＣ）チェックとして、単一のロールから得られた合計で８０〜９０のランダムなチップを、電極ギャップの間隔及びコネクタリード幅のバラツキについて視覚的に検査した。許容されるギャップ規格を有すると判定されるチップの典型的な収率は、１００％近くであった。単一の製作された可撓性チップを図１９に示す。製作された可撓性チップは３インチ×２インチの測定値であり、電極、リザーバ、コンタクトパッド及びリードを含む。
【０３７９】
誘電体コーティングを、ロータリースクリーン印刷又はグラビア印刷のいずれかの使用によって電極及びリザーバへ塗工した。ロータリースクリーン印刷の場合、Ｈｅｎｋｅｌ  ＥＤＡＣ  ＰＦ−４５５Ｂを、Ｇａｌｌｕｓ  ＮＦ（４００Ｌ）スクリーンにより、２ｍ／分間の印刷速度及び５０％のＵＶ硬化率で印刷することによって、誘電性コーティングとして使用した。典型的な誘電体の厚みは１０〜１５μｍであった。グラビア印刷の場合、シリンダーは、ＩＰＤ−３５０（Ｉｎｋｒｏｎ）などの高粘度誘電体インクを５０ｍｌ／ｍ２のインク体積を使用して２ｍ／分間の速度で印刷するように設計された。グラビア印刷の場合の典型的な誘電体の厚みは７〜８μｍであった。最後の疎水性層は、Ｍｉｌｌｉｄｙｎｅ  Ａｖａｌｏｎ８７又はＣｙｔｏｎｉｘ  Ｆｌｕｏｒｏｐｅｌ  ＰＦＣ８０４ＵＣのいずれかのコーティングを使用して、グラビアシリンダー（１４０〜１８０Ｌ）及び８ｍ／分間の印刷速度により印刷され、続いて４回の逐次的なオーブン乾燥ステップ（４×１４０℃）を行った。典型的な疎水性の厚みは４０〜１００ｎｍであった。
【０３８０】
あるいは、個々のチップの小さなバッチの場合、誘電性コーティング及び疎水性コーティングは、それぞれ化学蒸着（ＣＶＤ）及びスピンコーティングを使用して施工することができる。
【０３８１】
実施例２
低コストＤＭＦチップの機能試験
上記の実施例１で略述したように製造された３インチ×２インチのＰＥＴベースのＤＭＦ下部チップをアクチュエーション能力について試験した。図２０は、０．７ｍｍ厚のガラス基板（３）が上に位置決めされた３インチ×２インチのＰＥＴベースのＤＭＦチップ（１）を示す。ガラス基板（３）は、ガラス基板の下面上の透明な酸化インジウムスズ（ＩＴＯ）電極と、ＩＴＯの電極の上を覆うテフロンコーティングとを含む。ＤＭＦチップは、直線状縁部の電極設計及び電極間の５０μｍギャップを有する８０個の銀のアクチュエーション電極を、８つのバッファーリザーバと共に含む（上記の実施例１を参照）。
【０３８２】
下部電極は、誘電性パリレンＣの層（６〜７μｍ厚）及びテフロン（５０ｎｍ厚）の最終コーティングにより、それぞれＣＶＤ及びスピンコーティングによってコーティングされた。およそ５０μｌの０．１％の界面活性剤を含有するＰＢＳバッファー（２）を、底部ＤＭＦチップ上の４つの隣接するリザーバの中へピペットで移した。小滴サイズは７００〜１，５００ｎｌ（１つ又は２つの小滴）の範囲であり、縦及び横の水平方向の動き（４）に加えて、混合のために必要な円形掃引パターンについてチェックされた。小滴アクチュエーションは、９０Ｖｒｍｓの電圧を使用して達成された。チップ上のアクチュエーション電極のおよそ９０％を試験し、完全に機能的あることが見出された。
【０３８３】
実施例３
低コストＤＭＦチップ上でのＴＳＨイムノアッセイ
上記の実施例２において記載したようなガラス基板を上に重ねた３インチ×２インチのＰＥＴベースのＤＭＦチップを、化学発光検出を使用して、甲状腺刺激ホルモン（ＴＳＨ）イムノアッセイを行う能力について試験した。モックサンプルは、ブロッキング剤及び界面活性剤を含有するＴＢＳバッファーの中へ少量添加されたＴＳＨキャリブレータ物質を含んでいた。３つのサンプルを試験した（０、４、４０μＩＵ／ｍｌ）。２μｌの、５μｍの磁性マイクロ粒子（３×１０8粒子／ｍｌ）上にコーティングされた抗ベータＴＳＨ捕捉抗体を、マイクロ粒子リザーバからＤＭＦ電極アレイの中央へ分注した。磁性マイクロ粒子は、ＤＭＦチップ（図２１Ａ）下にネオジム磁石バー（３インチ×１／２インチ×１／４インチ厚、比透磁率μｒ＝１．０５、残留磁界の強さＢｒ＝１．３２Ｔ）を係合させることによってバッファーから分離された。５μｌのサンプルをマイクロ粒子スラグへ移動させ、続いてマイクロ粒子懸濁物を４つの電極の正方形構成の上で５分間混合した（図２１Ｂ）。マイクロ粒子を磁石によってサンプルから分離し、上清を廃棄リザーバへ移動させた（図２１Ｃ及び２１Ｄ）。２μｌの、ホースラディシュペルオキシダーゼ（ＨＲＰ）へコンジュゲートされた１μｇ／ｍｌの抗ＴＳＨ検出抗体をマイクロ粒子スラグへ移動させ、２分間混合した。マイクロ粒子を磁石によって分離し、上清を廃棄リザーバへ移動させた。イムノアッセイサンドイッチ複合体を含有するマイクロ粒子を、４×２μｌの０．１％の界面活性剤を含有するＰＢＳの洗浄バッファーにより合計４回洗浄した。ステップが完了した後に、各々の洗浄ステップからの洗浄バッファーを廃棄へ移動させた。化学発光基質は１μｌのＳｕｐｅｒＳｉｇｎａｌ  Ｈ２Ｏ２及び１μｌのルミノール（ＴｈｅｒｍｏＦｉｓｈｅｒ  Ｓｃｉｅｎｔｉｆｉｃ）からなり、それをマイクロ粒子スラグへ移動させ、続いて６分間混合した。化学発光シグナルを、５ＶのＤＣ電源を備えた集積Ｈａｍａｍａｔｓｕ  Ｈ１０６８２−１１０  ＰＭＴを使用して、４２７ｎｍ発光（３４７ｎｍ励起）で測定した。用量−応答曲線を、相対的発光に対してプロットした（図２１Ｅを参照）。
【０３８４】
実施例４
ＤＭＦ上部電極チップ及びウェルアレイの製作及び設計
上部電極設計：
ウェルアレイを収めた低コストの可撓性ＤＭＦ上部電極チップを、ロール・ツー・ロール（Ｒ２Ｒ）グラビア印刷及びＵＶインプリンティングを用いて製作した。図２２を参照すると、基本設計（１）は、ＤＭＦチップの上部電極として使用されたポリエチレンテレフタレート（ＰＥＴ）の可撓性基板上に印刷された２組のウェルアレイを組み入れた。設計は、Ｍｅｌｉｎｅｘ  ＳＴ５０４  ＰＥＴ基板（２）（Ｓｏｌｕｔｉａ、ＯＣ５０  ＳＴ５０４）に印刷された酸化インジウムスズ（ＩＴＯ）の１００ｎｍ厚の層（３）からなるものであった。ＰＥＤＯＴ：ＰＳＳプライマー（４）のコーティングを用いて、最終ウェルアレイを収めたＵＶエンボス加工レジスト（５）の接着性を改善した。
【０３８５】
上部電極のロール・ツー・ロール製作：
図２２Ｂは、ＤＭＦ上部電極の製作プロセスの概略図を示す。グラビア印刷（８）を用いて、イソプロパノールで希釈して粘度を低減したＰＥＤＯＴ：ＰＳＳ（Ｃｌｅｖｉｏｓ  ＶＰ  ＡＩ４０８３）（７）の２０ｎｍ厚のプライマー層で、５ミルのＭｅｌｉｎｅｘ  ＳＴ５０４  ＰＥＴ基板（６）をコーティングした。ロールサイズは、２５０ｍ×２００ｍｍ×１２５μｍであり、印刷速度は１０ｍ／分であった。得られた、プライマーコーティングされたＩＴＯ電極（９）を第２のＲ２Ｒ印刷ラインへ移送し、ここでＵＶレジスト（１０）の層がグラビアコーティング（１１）により塗工されて、ＵＶエンボス加工（１３）のための前駆体が形成された。ナノアレイ型と接触させ、次いでＵＶ硬化することにより、切断の準備ができた最終Ｒ２Ｒ上部電極フィルム（１４）が生成された。
【０３８６】
ウェル設計：
ウェル設計を図２３に示す。ＩＴＯ共通電極を収めた上部チップは、下部チップ（１７）の２つの外部アクチュエーション電極と位置合わせされるように位置決めされた２つのナノ寸法ウェルアレイ（１６）を各々が収める３インチ×１．４インチのストリップ（１５）に切断されるように設計された。上部電極を下部チップの上に配置することで、最終ＤＭＦチップ組立体（１８）がもたらされた。各アレイは、およそ６０，０００ウェル（２４５×２４５）を収めた。
【０３８７】
図２４Ａ及び図２４Ｂを参照すると、六角形（１９）及び直線列（２０）の、２つの異なるウェル間隔形式が初期設計において使用された。加えて、２つのシム設計を用いて、２つの異なるウェルサイズ（２１）、すなわち幅４．２μｍ幅×深さ３．０μｍ、ピッチ８．０μｍ；４．５μｍ×３．２μｍ、ピッチ８．０μｍが印刷された。続いて行われる直径２．７μｍのビーズのマイクロ粒子装填に合わせて最適化するために、ウェルサイズ及び幾何学的間隔の変更を行った。種々のＲ２Ｒ行程に対して製作後品質管理（Ｐｏｓｔ−ｆａｂ  ＱＣ）を行って、適正なウェル間隔、サイズ及び一体性をチェックした。変形したウェルが観察された場合、又はウェルの間隔及び／若しくはサイズが不正確な場合、新たなシムを製造してアレイを再度印刷した。図２５は、六角形（２２）及び直線列（２３）アレイについて、倍率２００Ｘの光学像を示す。
【０３８８】
実施例５
ウェルアレイを収めたＤＭＦ上部電極チップの組立て
ＤＭＦプラスチックチップ組立体：
図２６は、上記実施例４に記載するような、ＤＭＦ上部電極チップ及びナノ寸法ウェルアレイからの集積ＤＭＦウェルデバイスの組立てを概略的に記載する。ＤＭＦチップは、２×２片の９０μｍ両面テープ（２４）（３Ｍ）を下部ＤＭＦチップ（２５）の両側に配置することによって組み立てられる。埋め込まれたアレイを収めた上部電極（２６）は、２つのアレイの位置が下に重なる２つのアクチュエーション電極と位置合わせされるように下部チップの上に中心を合わせて配置される。最終的な組み立てられたチップ（２７）は、１８０μｍ（２×９０μｍテープ）の間隙高さを有する。
【０３８９】
実施例６
低コストＤＭＦ−ウェル集積チップ上でのＴＳＨイムノアッセイ
ＴＳＨに対するイムノアッセイを、ＤＭＦ、マイクロ寸法ウェルアレイ及び蛍光物質のデジタル検出の組合せを用いて説明する（図２７Ａ〜図２７Ｇ）。ＤＭＦチップ（上部及び下部電極）に、（１）に示すように、イムノアッセイ（ＩＡ）試薬があらかじめ装填される（図２７Ａ）。アッセイは、ＤＭＦチップ上で空気をフィラー流体として用いて実行される。サンプルは、全血、血清、血漿、尿、痰、間質液又は同様のマトリックスなどの、生物学的サンプルであり得る。捕捉マイクロ粒子は、２×１０7〜２×１０8粒子／ｍｌの密度の、抗ベータＴＳＨ抗体でコーティングされた固相磁気マイクロ粒子の懸濁物からなる。およそ１〜２μｌのサンプルがＤＭＦチップ上へ移動され、１〜２μｌのマイクロ粒子と組み合わされ、続いてＤＭＦチップのゾーン１（２）内で混合される（図２７Ｂ）。ゾーン１は、サンプルの組合せ、混合及び洗浄用に確保された１６個のＤＭＦ電極からなり、磁気マイクロ粒子上にＴＳＨの捕捉複合体を形成する。インキュベーション時間は、１〜１０分の範囲とすることができ、続いて洗浄バッファー１リザーバからの１〜２μｌの洗浄バッファー（ＰＢＳ、０．１％界面活性剤）で１〜３回洗浄される。上清は、磁石をＤＭＦチップの下に係合させて上清を廃棄リザーバ１へ移動させることによって、ＩＡ複合体から除去される。
【０３９０】
固相上に捕捉されたＴＳＨ抗原を含有するマイクロ粒子スラグは、１〜２μｌの、ビオチンで標識された抗ベータＴＳＨ検出コンジュゲート抗体（ストレプトアビジン−β−ガラクトシダーゼ複合体、ＰＢＳ中、濃度４０ｐＭ）中で再懸濁される。混合物を、ＤＭＦ電極アレイ上のゾーン２内の４×４電極（３）の上で混合しながら、１〜１０分間インキュベーションする（図２７Ｃ）。磁石が係合されて磁気マイクロ粒子を捕捉し、上清は、廃棄リザーバ１へ除去される。スラグは、洗浄バッファー２リザーバからの１〜２μｌの洗浄バッファー（ＰＢＳ、０．１％界面活性剤）で１〜３回洗浄される。上清は、磁石をＤＭＦチップの下に係合させて上清を廃棄リザーバ２へ移動させることによって、ＩＡ複合体から除去される。イムノアッセイサンドイッチ複合体を含有するマイクロ粒子スラグは、１〜２μｌの１００μＭ検出基質（４）（レゾルフィン−β−Ｄ−ガラクトピラノシド、ＲＧＰ）を移動させることによって再懸濁される（図２７Ｄ）。混合物を１〜３分間インキュベーションして、ＲＧＰの酵素ターンオーバーを可能にさせ、β−ガラクトシダーゼによるＲＧＰの酵素ターンオーバーから蛍光産物を生成させる。
【０３９１】
混合物は、図２７Ｅに示すように、下部基板又は上部基板のいずれかの上にフェムトリットルウェル（６）のアレイを収めたＤＭＦチップのスポットへ移動される（５）。フェムトリットルウェルサイズのサイズは、アッセイに使用されているマイクロ粒子のサイズよりわずかに大きい。ウェルの数は、１，０００〜２，０００，０００の範囲であり得る。マイクロ粒子は、重力（受動的装填）又は磁石（能動的装填）のいずれかを用いてウェル内に堆積される。過剰の上清は、廃棄３リザーバへ移動される。
【０３９２】
フェムトリットルウェルは、図２７Ｆ及び図２７Ｇに示すように、１〜５μｌの分極可能な不混和性流体（すなわち、有機溶媒、油等）を、誘電体上のエレクトロウェッティング（ＥＷＯＤ）、誘電泳動（ＤＥＰ）力、又は表面弾性波（ＳＡＷ）を使用してアレイ位置（７、８）へ移動させ、それによりウェルをシールすることによって、シールされる。好適な分極可能な不混和性流体のいくつかの例は、シリコーン油、フルオロシリコーン油、鉱物油、１−ヘキサノール、ＴＨＦ、ｍ−ジクロロベンゼン、クロロホルム、及びそれに類したものを含む（非特許文献３４（Ｓ．Ｆａｎ，ｅｔ  ａｌ．，Ｌａｂ  Ｏｎ  Ｃｈｉｐ，９，１２３６，２００９）；非特許文献３３（Ｄ．Ｃｈａｔｔｅｒｊｅｅ，ｅｔ  ａｌ．，Ｌａｂ  Ｏｎ  Ｃｈｉｐ，６，１９９，２００６））。アッセイ全体のためのフィラー流体は、空気である。
【０３９３】
ウェル内の全粒子の数は、広視野顕微鏡／ＣＣＤカメラによる白色光照明と、それに続く、検出標識を含有するビーズの数を判定するための５７４ｎｍ／６１５ｎｍ励起／発光（露光時間＝３〜１０秒間）での撮像によって判定される。最終ＴＳＨ濃度は、ＴＳＨキャリブレータによる標準曲線の実行から判定される。デジタル定量化は、ポアソン方程式及び陰性ビーズに対する陽性ビーズの比を用いて決定される。
【０３９４】
実施例７
分極可能な流体によるナノ寸法ウェル上部の装填
概略的なイムノアッセイ形式：
３インチ×２インチのＰＥＴベースのＤＭＦチップを用いて、ウェルアレイにおけるデジタル蛍光検出と連結されたＥＬＩＳＡベースのサンドイッチイムノアッセイを実行することができる。図２８を参照すると、分析される特定の抗原を含有するサンプル（３）は、捕捉抗体（１）でコーティングされた磁気マイクロ粒子（２）と混合され、所望の抗原のイムノキャプチャーが可能になるように混合される。洗浄後、捕捉された抗原（４）は、検出部分（６）で標識された第２の検出抗体（５）と混合される。サンドイッチイムノアッセイ複合体（７）を含有するビーズ混合物を再び洗浄して、未結合の検出抗体を除去する。マイクロ粒子は、水滴をアレイへ移動させ、磁石を適用してビーズをウェル内へ引っ張ることによって、ウェルアレイの上部基板内に装填される。ウェルは、ＤＭＦ力を用いて、分極可能な不混和性流体をウェルの上に移動させることによってシールされる。ＣＣＤカメラは、アレイを撮像して、陽性及び陰性なマイクロ粒子の数を判定する。サンプルは、ポアソン統計量を用いて定量化される。すべてのイムノアッセイ処理ステップは、空気をフィラー流体として用いてＤＭＦチップ上で実行される。
【０３９５】
ＴＳＨイムノアッセイ−ＤＭＦ：
２．７μｍの磁気マイクロ粒子上にコーティングされた１〜２μｌの抗ＴＳＨ捕捉抗体（３×１０8粒子／ｍｌ）が、ＤＭＦチップ上のマイクロ粒子リザーバからＤＭＦ電極アレイの中央へ分注される。磁気マイクロ粒子は、ＤＭＦチップの下に位置する磁石を係合し、上清を廃棄リザーバへ移動させることによって、バッファーから分離される。１μｌのアリコートサンプルをＤＭＦサンプルリザーバから引き出してマイクロ粒子スラグへ移動させ、続いて混合ステップが行われ、そこで小滴は、１〜５分間にわたっていくつかの電極の上を移動される。マイクロ粒子は、下部磁石を適用し、続いて上清を廃棄リザーバへ除去することによってサンプルから分離される。１〜２μｌの、β−ガラクトシダーゼ（β−ｇａｌ）にコンジュゲートされた抗ＴＳＨ検出抗体（０．５μｇ／ｍｌ）が、マイクロ粒子スラグへ移動され、２〜５分間混合される。マイクロ粒子は、下部磁石を使用することによって分離され、上清が廃棄リザーバへ移動される。イムノアッセイサンドイッチ複合体を含有するマイクロ粒子は、０．１％界面活性剤を含有するＰＢＳ洗浄バッファー４×２μｌで、全部で４回洗浄される。各洗浄ステップからの洗浄バッファーは、ステップが完了した後、移動されて廃棄される。１μｌの１００μＭレゾルフィン−β−Ｄ−ガラクトピラノシド（ＲＧＰ）がＲＧＰリザーバから取り出されて、マイクロ粒子スラグへ移動され、次いで１５〜３０秒間混合される。ビーズは、いまやウェルアレイ内への堆積の準備ができたことになる。
【０３９６】
ＴＳＨイムノアッセイ−デジタルアレイ検出：
図２９に示すように、ＤＭＦで導かれるアレイ内へのマイクロ粒子の上部装填のための基本構成要素は、８０ｎｍ厚の銀電極（８）（電極ギャップ＜１００μｍ、２．２５ｍｍ×２．２５ｍｍ）を有する下部ＰＥＴベース電極チップ、５〜１０μｍ厚の誘電性／疎水性層（９）、ウェルのアレイ（１４）（１つを超えないマイクロ粒子を保持するように構成された）を収めた上部ＰＥＴベースＩＴＯ電極（１０）チップ、２．７μｍの磁気マイクロ粒子（１２）を含有する水滴（１１）を含む。フィラー流体は、空気（１３）である。上部電極と下部電極との間の間隙高さは、およそ１８０μｍ（９０μｍの両面テープ２片に由来）。
【０３９７】
輸送及びシールは、ＤＭＦ力の組合せ（ＥＷＯＤ、ＤＥＰ、及び／又は電気媒介力）を用いて、水性流体と、シリコーン油などの不混和性流体とを移動させることによって達成される。同じＤＭＦチップ上で水滴及び油滴を移動させるのに異なる駆動電圧が必要とされることが以前に示されている（非特許文献３４（Ｓ−Ｋ  Ｆａｎ，ｅｔ  ａｌ．，Ｌａｂ  ｏｎ  Ｃｈｉｐ，９，１２３６，２００９））。
【０３９８】
蛍光基質ＲＧＰを、イムノアッセイ複合体を含有する水滴に添加した後（図３０Ａ）、小滴は、２０〜５０Ｖｒｍｓ（１ＫＨｚ）の電圧を用いて、およそ６０，０００ウェルを収めたウェルアレイ（２４５×２４５アレイ；直径４．２μｍ；深さ３．０μｍ：ピッチ８．０μｍ）の下に位置決めされた電極へ移動される。上部磁石（１５）が係合されて、ウェル内へのマイクロ粒子の効率的な装填を促進する（図３０Ｂ）。総堆積時間は、３０〜６０秒間である。上部磁石が取り外されると、水滴が移動されて除去され、表面に結合した堆積されたビーズの薄層が残される（図３０Ｃ）。シリコーン油の小滴は、２００〜３００Ｖ（ＤＣ）の電圧を用いてリザーバから移動され、アレイの下に位置決めされた電極へと移動され（図３０Ｄ）、これにより表面に結合した粒子があれば洗い流され、一方、ウェル内に収容されたマイクロ粒子はシールされる。レゾルフィンに対するＲＧＰの酵素ターンオーバーから発生される蛍光が、ＣＣＤカメラによって５７４／６１５ｎｍ（励起／発光）において監視される。「オフ」マイクロ粒子に対する「オン」マイクロ粒子の比が判定される。サンプル中のＴＳＨ濃度は、ＴＳＨ検量線からの補間によって判定される。
【０３９９】
最後に、本発明の様々な態様及び特色は、様々な実施形態及び具体的な実施例に関して本明細書において記載されたが、そのすべては従来通りに作製又は実行することができ、本発明は添付の請求項の全範囲内での保護を得る権利を与えられることが理解されるだろう。
【０４００】
前述の詳細な説明及び付随する実施例は単に例示的であり、もっぱら添付された請求項及びそれらの均等物によって定義される本発明の範囲に対する限定として見なすことはできないことが理解される。
【０４０１】
開示された実施形態への様々な変更及び修飾は当業者には明らかである。かかる変更及び修飾（化学構造、置換基、誘導体、中間体、合成、組成物、製剤、又は本発明の使用の方法に関係するものが含まれるがこれらに限定されない）は、その趣旨及び範囲から逸脱せずに行うことができる。
完璧を期して、本発明の様々な態様を以下の番号付けした条項において記述する。
【０４０２】
条項１．デジタルマイクロ流体及び検体検出デバイスであって、
第１の基板及び第２の基板を備え、前記第２の基板は前記第１の基板から間隙によって分離されており、前記第１の基板は液滴上に電気的アクチュエーション力を発生させる複数の電極を備え、
前記液滴の一部を保持する寸法のウェルのアレイを備え、前記ウェルのアレイの少なくとも一部は、前記複数の電極のうちの１つ又はそれより多くと前記間隙との間に位置決めされる、
ことを特徴とする、デバイス。
【０４０３】
条項２．前記複数の電極は、前記第１の基板の表面上に位置決めされることを特徴とする、条項１に記載のデバイス。
【０４０４】
条項３．前記第１の基板の前記表面上に配置された、前記複数の電極を覆う第１の層をさらに備えることを特徴とする、条項１〜条項２のいずれかに記載のデバイス。
【０４０５】
条項４．前記第１の基板は、前記液滴が導入される第１の部分と、液滴がそこへ向かって移動する第２の部分とを備えることを特徴とする、条項１〜条項３のいずれかに記載のデバイス。
【０４０６】
条項５．前記複数の電極及び前記第１の層は、前記第１の基板の前記第１の部分から前記第２の部分へ延びることを特徴とする、条項４に記載のデバイス。
【０４０７】
条項６．前記ウェルのアレイは、前記第１の基板の前記第２の部分内に位置決めされることを特徴とする、条項５に記載のデバイス。
【０４０８】
条項７．前記第２の基板は、第１の部分及び第２の部分を備え、前記第１の部分は、前記第１の基板の前記第１の部分に面した配置にあり、前記第２の部分は、前記ウェルのアレイに面した配置にあることを特徴とする、条項４に記載のデバイス。
【０４０９】
条項８．前記第２の基板の前記第２の部分は、実質的に透明であり、前記ウェルのアレイの光学的照合を容易にすることを特徴とする、条項７に記載のデバイス。
【０４１０】
条項９．前記第１の層の表面上に配置された第２の層をさらに備えることを特徴とする、条項３に記載のデバイス。
【０４１１】
条項１０．第２の層は、前記第１の基板の前記第１及び第２の部分の上に延びることを特徴とする、条項９に記載のデバイス。
【０４１２】
条項１１．前記第１の層は誘電性層であり、前記第２の層は疎水性層であることを特徴とする、条項９〜条項１０のいずれかに記載のデバイス。
【０４１３】
条項１２．前記ウェルのアレイは、前記第２の層内に位置決めされることを特徴とする、条項９〜条項１１のいずれかに記載のデバイス。
【０４１４】
条項１３．前記ウェルのアレイは、前記第１の層内に位置決めされることを特徴とする、条項３に記載のデバイス。
【０４１５】
条項１４．前記ウェルのアレイは、親水性表面を有することを特徴とする、条項１〜条項１３のいずれかに記載のデバイス。
【０４１６】
条項１５．前記ウェルのアレイは、前記ウェルのアレイの上を移動する小滴中に存在するビーズ又は粒子の受入れ及び保持を促進するように配向された側壁を備えることを特徴とする、条項１〜条項１４のいずれかに記載のデバイス。
【０４１７】
条項１６．前記ウェルのアレイは、第２の側壁に対向した第１の側壁を備え、前記第１の側壁は、前記ウェルの底部に対して鈍角に配向され、前記第２の側壁は、前記ウェルの前記底部に対して鋭角で配向され、小滴の移動は、前記ウェルの前記底部に対して平行に前記第１の側壁から前記第２の側壁へ向かう方向であることを特徴とする、条項１６に記載のデバイス。
【０４１８】
条項１７．前記ウェルのアレイは、切頭円錐形を有し、前記切頭円錐形の狭い方の部分が前記ウェルのアレイの開口部を与えることを特徴とする、条項１５に記載のデバイス。
【０４１９】
条項１８．前記ウェルのアレイは、第２の側壁に対向した第１の側壁を備え、前記第１の側壁の上部分は、前記ウェルの底部に対して鈍角に配向され、前記側壁の下部分は、前記ウェルの前記底部に対して垂直に配向され、前記第２の側壁は、前記ウェルの前記底部に対して垂直に配向され、前記小滴の移動は、前記ウェルの前記底部に対して平行に前記第１の側壁から前記第２の側壁へ向かう方向であり、前記第１の側壁の前記上部分は、前記ウェルの開口部にあることを特徴とする、条項１５に記載のデバイス。
【０４２０】
条項１９．デジタルマイクロ流体及び検体検出デバイスであって、
前記デバイスを定める第１の基板及び第２の基板を備え、前記第２の基板は前記第１の基板から間隙によって分離されており、前記デバイスは、第１の部分及び第２の部分を備え、
前記第１の部分は、複数の電極を備えており、生物学的サンプル由来の対象検体を含有する第１の液滴と、少なくとも１つのビーズを含有する第２の液滴とを組み合わせることをアクチュエーションし、
前記第２の部分は、前記液滴の一部を保持する寸法のウェルのアレイを備える
ことを特徴とする、デバイス。
【０４２１】
条項２０．前記複数の電極は、前記デバイスの前記第１の部分内にのみ位置決めされることを特徴とする、条項１９に記載のデバイス。
【０４２２】
条項２１．前記複数の電極は、前記第１の基板の表面上に位置決めされることを特徴とする、条項１９〜条項２０のいずれかに記載のデバイス。
【０４２３】
条項２２．前記第１の基板の前記表面上に配置された、前記複数の電極を覆う第１の層をさらに備えることを特徴とする、条項１９〜条項２１のいずれかに記載のデバイス。
【０４２４】
条項２３．前記第１の基板は、前記液滴が導入される第１の部分と、液滴がそこへ向かって移動する第２の部分とを備えることを特徴とする、条項１９〜条項２２のいずれかに記載のデバイス。
【０４２５】
条項２４．前記複数の電極及び前記第１の層は、前記第１の基板の前記第１の部分から前記第２の部分へ延びることを特徴とする、条項２３に記載のデバイス。
【０４２６】
条項２５．前記ウェルのアレイは、前記第１の基板の前記第２の部分内に位置決めされることを特徴とする、条項２４に記載のデバイス。
【０４２７】
条項２６．前記第２の基板は、第１の部分及び第２の部分を備え、前記第１の部分は、前記第１の基板の前記第１の部分に面した配置にあり、前記第２の部分は、前記ウェルのアレイに面した配置にあることを特徴とする、条項２３に記載のデバイス。
【０４２８】
条項２７．前記第２の基板の前記第２の部分は、実質的に透明であり、前記ウェルのアレイの光学的照合を容易にすることを特徴とする、条項２６に記載のデバイス。
【０４２９】
条項２８．前記複数の電極は、前記間隙内に置かれた小滴を前記デバイスの前記第２の部分へ向かって移動させるように構成され、前記デバイスは、前記第１の部分を前記第２の部分へ流体的に接続する毛管部分を備え、前記毛管は、親水性材料を含んでおり、電気的力の非存在下で前記毛管部分を介して前記第１の部分から前記第２の部分への前記小滴の移動を促進することを特徴とする、条項１９〜条項２７のいずれかに記載のデバイス。
【０４３０】
条項２９．第２の層が前記第１の層の上面上に配置されることを特徴とする、条項２２に記載のデバイス。
【０４３１】
条項３０．第２の層は、前記第１の基板の上に延びることを特徴とする、条項２９に記載のデバイス。
【０４３２】
条項３１．前記第１の層は誘電性層であり、前記第２の層は疎水性層であることを特徴とする、条項２９〜条項３０のいずれかに記載のデバイス。
【０４３３】
条項３２．複数のウェルが前記第２の層内に位置決めされることを特徴とする、条項２９〜条項３１のいずれかに記載のデバイス。
【０４３４】
条項３３．前記ウェルのアレイは、前記第１の層内に位置決めされることを特徴とする、条項２２に記載のデバイス。
【０４３５】
条項３４．前記ウェルのアレイは、親水性表面を有することを特徴とする、条項１９〜条項３３のいずれかに記載のデバイス。
【０４３６】
条項３５．前記ウェルは、前記ウェルのアレイの上を移動する小滴中に存在するナノビーズ又はナノ粒子の受入れ及び保持を促進するように配向された側壁を備えることを特徴とする、条項１９〜条項３４のいずれかに記載のデバイス。
【０４３７】
条項３６．前記ウェルは、第２の側壁に対向した第１の側壁を備え、前記第１の側壁は、前記ウェルの底部に対して鈍角に配向され、前記第２の側壁は、前記ウェルの前記底部に対して鋭角で配向され、小滴の移動は、前記ウェルの前記底部に対して平行に前記第１の側壁から前記第２の側壁へ向かう方向であることを特徴とする、条項３５に記載のデバイス。
【０４３８】
条項３７．前記ウェルは、切頭円錐形を有し、前記切頭円錐形の狭い方の部分が前記ウェルの開口部を与えることを特徴とする、条項３６に記載のデバイス。
【０４３９】
条項３８．前記ウェルは、第２の側壁に対向した第１の側壁を備え、前記第１の側壁の上部分は、前記ウェルの底部に対して鈍角に配向され、前記側壁の下部分は、前記ウェルの前記底部に対して垂直に配向され、前記第２の側壁は、前記ウェルの前記底部に対して垂直に配向され、前記小滴の移動は、前記ウェルの前記底部に対して平行に前記第１の側壁から前記第２の側壁へ向かう方向であり、前記第１の側壁の前記上部分は、前記ウェルの開口部にあることを特徴とする、条項３５に記載のデバイス。
【０４４０】
条項３９．表面弾性波マイクロ流体及び検体検出デバイスであって、
第１の基板及び第２の基板を備え、前記第２の基板は前記第１の基板から間隙によって分離されており、前記デバイスは、第１の部分及び第２の部分を備え、
前記第１の部分は、表面弾性波発生構成要素に連結された上層を備え、
前記第２の部分は、前記第１の基板又は前記第２の基板上に位置決めされた複数のウェルを備える
ことを特徴とする、デバイス。
【０４４１】
条項４０．前記上層は、該上層の上面上にフォノン構造を含むことを特徴とする、条項３９に記載のデバイス。
【０４４２】
条項４１．前記上層は、圧電結晶層の上に重なることを特徴とする、条項３９〜条項４０のいずれかに記載のデバイス。
【０４４３】
条項４２．前記第２の基板は、実質的に透明であることを特徴とする、条項３９〜条項４０のいずれかに記載のデバイス。
【０４４４】
条項４３．表面弾性波マイクロ流体及び検体検出デバイスであって、
第１の基板及び第２の基板を備え、前記第２の基板は前記第１の基板から間隙によって分離されており、
前記第１の基板は、複数のウェルを備え、
前記第２の基板は、フォノン構造を備え、前記複数のウェル及び前記フォノン構造は、互いにわたって位置する
ことを特徴とする、デバイス。
【０４４５】
条項４４．前記第２の基板は、上層であることを特徴とする、条項４３に記載のデバイス。
【０４４６】
条項４５．前記上層は、前記第２の基板上に配置され、前記フォノン構造は、前記上層上に位置することを特徴とする、条項４３に記載のデバイス。
【０４４７】
条項４６．前記第１の基板、第２の基板及び上層は、実質的に透明であることを特徴とする、条項４３〜条項４５のいずれかに記載のデバイス。
【０４４８】
条項４７．液滴中の対象検体を検出する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと、
（ｃ）力を及ぼすエネルギーを用いて、前記第１の液滴を前記第２の液滴と共に操作して混合物を作製する、ステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記対象検体を検出するステップと、
を含むことを特徴とする、方法。
【０４４９】
条項４８．前記少なくとも１つの固体支持体は、前記対象検体に特異的に結合する少なくとも１つの結合メンバーを含むことを特徴とする、条項４７に記載の方法。
【０４５０】
条項４９．前記混合物の少なくとも一部を前記ウェルのアレイへ移動させるステップの前に、前記混合物に検出可能標識を添加するステップをさらに含むことを特徴とする、条項４７〜条項４８のいずれかに記載の方法。
【０４５１】
条項５０．前記混合物の少なくとも一部を前記ウェルのアレイへ移動させるステップの後に、前記混合物に検出可能標識を添加するステップをさらに含むことを特徴とする、条項４７〜条項４８のいずれかに記載の方法。
【０４５２】
条項５１．前記検出可能標識は、前記対象検体に特異的に結合する少なくとも１つの結合メンバーを含むことを特徴とする、条項４７〜条項５０のいずれかに記載の方法。
【０４５３】
条項５２．前記検出可能標識は、色原体、蛍光化合物、酵素、化学発光化合物又は放射性化合物を含むことを特徴とする、条項４７〜条項５１のいずれかに記載の方法。
【０４５４】
条項５３．前記結合メンバーは、受容体又は抗体であることを特徴とする、条項４７〜条項５２のいずれかに記載の方法。
【０４５５】
条項５４．前記エネルギーは、電気的アクチュエーション力又は音響力であることを特徴とする、条項４７〜条項５３のいずれかに記載の方法。
【０４５６】
条項５５．前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、条項５４に記載の方法。
【０４５７】
条項５６．前記音響力は、表面弾性波であることを特徴とする、条項５４に記載の方法。
【０４５８】
条項５７．前記第１の液滴が分極可能な不混和性液体であるか、前記第２の液滴が分極可能な液体であるか、前記混合物が分極可能な液体であるか、又は前記第１の液滴及び前記第２の液滴の両方が各々分極可能な液体であることを特徴とする、条項４７〜条項５６のいずれかに記載の方法。
【０４５９】
条項５８．電気的アクチュエーション力を用いて前記混合物を前記ウェルのアレイの上で操作するステップをさらに含むことを特徴とする、条項４７〜条項５５のいずれかに記載の方法。
【０４６０】
条項５９．前記ウェルのアレイへの前記混合物の移動を促進するように構成された毛管要素を用いて、前記ウェルのアレイの上で前記混合物を操作するステップをさらに含むことを特徴とする、条項４７〜条項５８のいずれかに記載の方法。
【０４６１】
条項６０．前記固体支持体は、磁性固体支持体であることを特徴とする、条項４７〜条項５９のいずれかに記載の方法。
【０４６２】
条項６１．電気的アクチュエーション力及び磁場が、前記混合物の少なくとも一部に対して反対方向から印加されることを特徴とする、条項６０に記載の方法。
【０４６３】
条項６２．前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、条項４７〜条項６１のいずれかに記載の方法。
【０４６４】
条項６３．前記混合物は、水性液体であることを特徴とする、条項４７〜条項６２のいずれかに記載の方法。
【０４６５】
条項６４．前記混合物は、不混和性液体であることを特徴とする、条項４７〜条項６２のいずれかに記載の方法。
【０４６６】
条項６５．前記液滴は、疎水性液滴であることを特徴とする、条項４７〜条項６４のいずれかに記載の方法。
【０４６７】
条項６６．前記ウェルのアレイは、親水性表面を有することを特徴とする、条項４７〜条項６５のいずれかに記載の方法。
【０４６８】
条項６７．前記ウェルのアレイは、疎水性表面を有することを特徴とする、条項４７〜条項６５のいずれかに記載の方法。
【０４６９】
条項６８．前記方法は、第１及び第２の基板を備え、少なくとも１つの基板が親水性表面を備えたデバイス内で行われることを特徴とする、条項４７〜条項６７のいずれかに記載の方法。
【０４７０】
条項６９．前記方法は、第１及び第２の基板を備え、少なくとも１つの基板が疎水性表面を備えたデバイス内で行われることを特徴とする、条項４７〜条項６７のいずれかに記載の方法。
【０４７１】
条項７０．複数の電極で電気的アクチュエーション力を発生させて、前記混合物を前記ウェルのアレイへ移動させて前記ウェルを装填するステップをさらに含むことを特徴とする、条項４７〜条項６９のいずれかに記載の方法。
【０４７２】
条項７１．前記アレイの１つ又はそれより多くのウェルに少なくとも１つの固体支持体が装填されることを特徴とする、条項４７〜条項７０のいずれかに記載の方法。
【０４７３】
条項７２．前記装填することは、磁場を印加して、前記アレイの前記１つ又はそれより多くのウェル内への少なくとも１つの固体支持体の移動を促進することを含むことを特徴とする、条項７１に記載の方法。
【０４７４】
条項７３．前記装填後に、前記アレイのウェル内に装填されなかった固体支持体があればこれを除去することをさらに含むことを特徴とする、条項７２に記載の方法。
【０４７５】
条項７４．前記除去することは、複数の電極で電気的アクチュエーション力を発生させて、分極可能な流体小滴を前記ウェルのアレイへ移動させ、前記混合物の少なくとも一部を前記ウェルのアレイから所定距離まで移動させることを含むことを特徴とする、条項７３に記載の方法。
【０４７６】
条項７５．前記除去することは、複数の電極で電気的アクチュエーション力を発生させて、水性洗浄用小滴を前記ウェルのアレイにわたって移動させることを含むことを特徴とする、条項７４に記載の方法。
【０４７７】
条項７６．前記電気的アクチュエーション力を発生させることは、交流電流を発生させることを含むことを特徴とする、条項７５に記載の方法。
【０４７８】
条項７７．前記交流電流は、１０Ｖ以上の二乗平均平方根（ｒｍｓ）電圧を有することを特徴とする、条項７５に記載の方法。
【０４７９】
条項７８．前記交流電流は、無線周波数範囲内の周波数を有することを特徴とする、条項７５〜条項７６のいずれかに記載の方法。
【０４８０】
条項７９．前記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われることを特徴とする、条項４７〜条項７８のいずれかに記載の方法。
【０４８１】
条項８０．液滴中の対象検体を検出する方法であって、
（ａ）対象検体を含有する第１の液滴を準備するステップと、
（ｂ）前記対象検体に結合する特異的結合メンバーを含有する検出可能標識を含有する第２の液滴を準備するステップと、
（ｃ）力を及ぼすエネルギーを用いて、前記第１の液滴及び前記第２の液滴を操作して混合物を作製する、ステップと、
（ｄ）前記混合物の全部又は少なくとも一部をウェルのアレイへ移動させるステップと、
（ｅ）前記ウェル内の前記対象検体を検出するステップと、
を含むことを特徴とする、方法。
【０４８２】
条項８１．前記検出可能標識は、色原体、蛍光化合物、酵素、化学発光化合物又は放射性化合物を含むことを特徴とする、条項８０に記載の方法。
【０４８３】
条項８２．前記エネルギーは、電気的アクチュエーション力又は音響力であることを特徴とする、条項８０〜条項８１のいずれかに記載の方法。
【０４８４】
条項８３．前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、条項８２に記載の方法。
【０４８５】
条項８４．前記音響力は、表面弾性波であることを特徴とする、条項８３に記載の方法。
【０４８６】
条項８５．前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、条項８０〜条項８３のいずれかに記載の方法。
【０４８７】
条項８６．電気的アクチュエーション力を用いて前記混合物を前記ウェルのアレイの上で操作するステップをさらに含むことを特徴とする、条項８０〜条項８３及び条項８５のいずれかに記載の方法。
【０４８８】
条項８７．前記ウェルのアレイへの前記混合物の移動を促進するように構成された毛管要素を用いて、前記混合物を前記ウェルのアレイの上で操作するステップをさらに含むことを特徴とする、条項８０〜条項８６のいずれかに記載の方法。
【０４８９】
条項８８．前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、条項８０〜条項８７のいずれかに記載の方法。
【０４９０】
条項８９．前記混合物は、水性液体であることを特徴とする、条項８０〜条項８８のいずれかに記載の方法。
【０４９１】
条項９０．前記混合物は、不混和性液体であることを特徴とする、条項８０〜条項８８のいずれかに記載の方法。
【０４９２】
条項９１．前記液滴は、疎水性液滴であることを特徴とする、条項８０〜条項９０のいずれかに記載の方法。
【０４９３】
条項９２．前記ウェルのアレイは、親水性表面を有することを特徴とする、条項８０〜条項９１のいずれかに記載の方法。
【０４９４】
条項９３．前記ウェルのアレイは、疎水性表面を有することを特徴とする、条項８０〜条項９１のいずれかに記載の方法。
【０４９５】
条項９４．前記方法は、第１及び第２の基板を備え、少なくとも１つの基板が親水性表面を備えたデバイス内で行われることを特徴とする、条項８０〜条項９３のいずれかに記載の方法。
【０４９６】
条項９５．前記方法は、第１及び第２の基板を備え、少なくとも１つの基板が疎水性表面を備えたデバイス内で行われることを特徴とする、条項８０〜条項９３のいずれかに記載の方法。
【０４９７】
条項９６．複数の電極で電気的アクチュエーション力を発生させて、前記混合物を前記ウェルのアレイへ移動させて前記ウェルを装填するステップをさらに含むことを特徴とする、条項８０〜条項９５のいずれかに記載の方法。
【０４９８】
条項９７．前記アレイの１つ又はそれより多くのウェルに少なくとも１つの検出可能標識が装填されることを特徴とする、条項８０〜条項９６のいずれかに記載の方法。
【０４９９】
条項９８．前記装填後に、前記アレイのウェル内に装填されなかった検出可能標識があればこれを除去することをさらに含むことを特徴とする、条項９７に記載の方法。
【０５００】
条項９９．前記除去することは、複数の電極で電気的アクチュエーション力を発生させて、分極可能な流体小滴を前記ウェルのアレイへ移動させ、前記混合物の少なくとも一部を前記ウェルのアレイから所定距離まで移動させることを含むことを特徴とする、条項９８に記載の方法。
【０５０１】
条項１００．前記除去することは、複数の電極で電気的アクチュエーション力を発生させて、水性洗浄用小滴を前記ウェルのアレイにわたって移動させることを含むことを特徴とする、条項９９に記載の方法。
【０５０２】
条項１０１．前記電気的アクチュエーション力を発生させることは、交流電流を発生させることを含むことを特徴とする、条項１００に記載の方法。
【０５０３】
条項１０２．前記交流電流は、１０Ｖ以上の二乗平均平方根（ｒｍｓ）電圧を有することを特徴とする、条項１０１に記載の方法。
【０５０４】
条項１０３．前記交流電流は、無線周波数範囲内の周波数を有することを特徴とする、条項１００〜条項１０１のいずれかに記載の方法。
【０５０５】
条項１０４．前記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われることを特徴とする、条項８０〜条項１０３のいずれかに記載の方法。
【０５０６】
条項１０５．液滴中の対象検体を測定する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと、
（ｃ）力を及ぼすエネルギーを用いて、前記第１の液滴を前記第２の液滴と共に操作して混合物を作製する、ステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記検出可能標識を測定するステップと、
を含むことを特徴とする、方法。
【０５０７】
条項１０６．前記少なくとも１つの固体支持体は、前記対象検体に特異的に結合する少なくとも１つの結合メンバーを含むことを特徴とする、条項１０５に記載の方法。
【０５０８】
条項１０７．前記混合物の少なくとも一部を前記ウェルのアレイへ移動させるステップの前に、前記混合物に検出可能標識を添加するステップをさらに含むことを特徴とする、条項１０５〜条項１０６のいずれかに記載の方法。
【０５０９】
条項１０８．前記混合物の少なくとも一部を前記ウェルのアレイへ移動させるステップの後に、前記混合物に検出可能標識を添加するステップをさらに含むことを特徴とする、条項１０５〜条項１０６のいずれかに記載の方法。
【０５１０】
条項１０９．前記検出可能標識は、前記対象検体に特異的に結合する少なくとも１つの結合メンバーを含むことを特徴とする、条項１０５〜条項１０８のいずれかに記載の方法。
【０５１１】
条項１１０．前記検出可能標識は、色原体、蛍光化合物、酵素、化学発光化合物又は放射性化合物を含むことを特徴とする、条項１０５〜条項１０９のいずれかに記載の方法。
【０５１２】
条項１１１．前記結合メンバーは、受容体又は抗体であることを特徴とする、条項１０５〜条項１０９のいずれかに記載の方法。
【０５１３】
条項１１２．前記エネルギーは、電気的アクチュエーション力又は音響力であることを特徴とする、条項１０５〜条項１０９のいずれかに記載の方法。
【０５１４】
条項１１３．前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、条項１１２に記載の方法。
【０５１５】
条項１１４．前記音響力は、表面弾性波であることを特徴とする、条項１１２に記載の方法。
【０５１６】
条項１１５．前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、条項１０５〜条項１１４のいずれかに記載の方法。
【０５１７】
条項１１６．電気的アクチュエーション力を用いて前記混合物を前記ウェルのアレイの上で操作するステップをさらに含むことを特徴とする、条項１０５〜条項１１２及び条項１１５のいずれかに記載の方法。
【０５１８】
条項１１７．前記ウェルのアレイへの前記混合物の移動を促進するように構成された毛管要素を用いて、前記混合物を前記ウェルのアレイの上で操作するステップをさらに含むことを特徴とする、条項１０５〜条項１１６のいずれかに記載の方法。
【０５１９】
条項１１８．前記固体支持体は、磁性固体支持体であることを特徴とする、条項１０５〜条項１１７のいずれかに記載の方法。
【０５２０】
条項１１９．電気的アクチュエーション力及び磁場が、前記混合物の少なくとも一部に対して反対方向から印加されることを特徴とする、条項１１８に記載の方法。
【０５２１】
条項１２０．前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、条項１０５〜条項１１９のいずれかに記載の方法。
【０５２２】
条項１２１．前記混合物は、水性液体であることを特徴とする、条項１０５〜条項１２０のいずれかに記載の方法。
【０５２３】
条項１２２．前記混合物は、不混和性液体であることを特徴とする、条項１０５〜条項１２１のいずれかに記載の方法。
【０５２４】
条項１２３．前記液滴は、疎水性液滴であることを特徴とする、条項１０５〜条項１２２のいずれかに記載の方法。
【０５２５】
条項１２４．前記ウェルのアレイは、親水性表面を有することを特徴とする、条項１０５〜条項１２３のいずれかに記載の方法。
【０５２６】
条項１２５．前記ウェルのアレイは、疎水性表面を有することを特徴とする、条項１０５〜条項１２３のいずれかに記載の方法。
【０５２７】
条項１２６．前記方法は、第１及び第２の基板を備え、少なくとも１つの基板が親水性表面を備えたデバイス内で行われることを特徴とする、条項１０５〜条項１２４のいずれかに記載の方法。
【０５２８】
条項１２７．前記方法は、第１及び第２の基板を備え、少なくとも１つの基板が疎水性表面を備えたデバイス内で行われることを特徴とする、条項１０５〜条項１２４のいずれかに記載の方法。
【０５２９】
条項１２８．複数の電極で電気的アクチュエーション力を発生させて、前記混合物を前記ウェルのアレイへ移動させて前記ウェルを装填するステップをさらに含むことを特徴とする、条項１０５〜条項１２８のいずれかに記載の方法。
【０５３０】
条項１２９．前記アレイの１つ又はそれより多くのウェルに少なくとも１つの固体支持体が装填されることを特徴とする、条項１０５〜条項１２８のいずれかに記載の方法。
【０５３１】
条項１３０．前記装填することは、磁場を印加して、前記アレイの前記１つ又はそれより多くのウェルへの少なくとも１つの固体支持体の移動を促進することを含むことを特徴とする、条項１２９に記載の方法。
【０５３２】
条項１３１．前記装填後に、前記アレイのウェル内に装填されなかった固体支持体があればこれを除去することをさらに含むことを特徴とする、条項１３０に記載の方法。
【０５３３】
条項１３２．前記除去することは、複数の電極で電気的アクチュエーション力を発生させて、分極可能な流体小滴を前記ウェルのアレイまで移動させ、前記混合物の少なくとも一部を前記ウェルのアレイから所定距離まで移動させることを含むことを特徴とする、条項１３１に記載の方法。
【０５３４】
条項１３３．前記除去することは、複数の電極で電気的アクチュエーション力を発生させて、水性洗浄用小滴を前記ウェルのアレイにわたって移動させることを含むことを特徴とする、条項１３２に記載の方法。
【０５３５】
条項１３４．前記電気的アクチュエーション力を発生させることは、交流電流を発生させることを含むことを特徴とする、条項１３３に記載の方法。
【０５３６】
条項１３５．前記交流電流は、１０Ｖ以上の二乗平均平方根（ｒｍｓ）電圧を有することを特徴とする、条項１３４に記載の方法。
【０５３７】
条項１３６．前記交流電流は、無線周波数範囲内の周波数を有することを特徴とする、条項１３４〜条項１３５のいずれかに記載の方法。
【０５３８】
条項１３７．前記方法は、マイクロ流体デバイス、デジタルマイクロ流体デバイス（ＤＭＦ）、表面弾性波ベースのマイクロ流体デバイス（ＳＡＷ）、集積されたＤＭＦ及び検体検出デバイス、集積されたＳＡＷ及び検体検出デバイス、又はロボット工学ベースのアッセイ処理ユニットを用いて行われることを特徴とする、条項１０５〜条項１３６のいずれかに記載の方法。
【０５３９】
条項１３８．前記測定するステップは、前記ウェルのアレイ内の固体支持体の総数を求めることを伴うことを特徴とする、条項１０５〜条項１３７のいずれかに記載の方法。
【０５４０】
条項１３９．前記測定するステップは、前記検出可能標識を含有する前記アレイのウェル内の固体支持体の数を求めることを伴うことを特徴とする、条項１３８に記載の方法。
【０５４１】
条項１４０．前記測定するステップは、検出可能標識を含有する固体支持体の数を前記ウェルのアレイ内の固体支持体の総数から差し引いて、検出可能標識を含有しない前記ウェルのアレイ内の固体支持体の数を求めることを伴うことを特徴とする、条項１３９に記載の方法。
【０５４２】
条項１４１．検出可能標識を含有しない固体支持体の数に対する検出可能標識を含有する固体支持体の比を求めることを特徴とする、条項１４０に記載の方法。
【０５４３】
条項１４２．ウェルに粒子を装填する方法であって、
（ａ）複数の電極で電場を発生させて、マイクロ粒子を含有する液滴をウェルのアレイへ移動させるステップであって、前記ウェルのアレイの１つ又はそれより多くのウェルはその中に装填された粒子を有するのに十分なサイズのものである、ステップと、
（ｂ）１つ又はそれより多くのウェルに粒子を装填するステップと、
（ｃ）前記複数の電極で電場を発生させて、分極可能な流体小滴を前記ウェルのアレイへ移動させて前記ウェルのアレイをシールするステップと、
を含むことを特徴とする、方法。
【０５４４】
条項１４３．前記電場を用いて前記液滴を前記ウェルのアレイの上で操作するステップをさらに含むことを特徴とする、条項１４２に記載の方法。
【０５４５】
条項１４４．前記ウェルのアレイへの前記液滴の移動を促進するように構成された毛管要素を用いて、前記ウェルのアレイの上で前記液滴を操作するステップをさらに含むことを特徴とする、条項１４２〜条項１４３のいずれかに記載の方法。
【０５４６】
条項１４５．前記粒子が磁気ビーズであることを特徴とする、条項１４２〜条項１４４のいずれかに記載の方法。
【０５４７】
条項１４６．前記装填するステップは、磁場を印加して、前記アレイの前記１つ又はそれより多くのウェル内への前記１つ又はそれより多くの磁気ビーズの移動を促進することを含むことを特徴とする、条項１４２に記載の方法。
【０５４８】
条項１４７．前記ウェルのアレイは、親水性表面を有することを特徴とする、条項１４２〜条項１４６のいずれかに記載の方法。
【０５４９】
条項１４８．前記ウェルのアレイは、疎水性表面を有することを特徴とする、条項１４２〜条項１４６のいずれかに記載の方法。
【０５５０】
条項１４９．前記電場を発生させるステップは、交流電流を発生させることを含むことを特徴とする、条項１４２〜条項１４８のいずれかに記載の方法。
【０５５１】
条項１５０．前記交流電流は、１０Ｖ以上の二乗平均平方根（ｒｍｓ）電圧を有することを特徴とする、条項１４９に記載の方法。
【０５５２】
条項１５１．前記交流電流は、無線周波数範囲内の周波数を有することを特徴とする、条項１４９〜条項１５９のいずれかに記載の方法。
【０５５３】
条項１５２．デジタルマイクロ流体及び検体検出デバイスを形成する方法であって、
第１の基板を含む第１のロールの巻きを解いて、前記第１の基板の第１の部分を第１の位置に位置決めするステップと、
前記第１の位置において、前記第１の基板の前記第１の部分に複数の電極を形成するステップと、
第２の位置において、前記第１の基板の第２の部分にウェルのアレイを形成するステップと、
を含むことを特徴とする、方法。
【０５５４】
条項１５３．前記ウェルのアレイを形成する前に、前記第１のロールの巻を解いて、前記第１の基板の前記第１の部分に隣接した前記第２の部分を前記第２の位置に位置決めするステップをさらに含むことを特徴とする、条項１５２に記載の方法。
【０５５５】
条項１５４．第２の基板を含む第２のロールの巻きを解いて、前記第３の基板の第３の部分を第３の位置に位置決めするステップと、
前記第３の位置において、前記第２の基板を前記第１の基板から離間させて位置決めするのに十分な様式で前記第２の基板を前記第１の基板に貼り合わせるステップと、
をさらに含むことを特徴とする、条項１５３の条項１５２に記載の方法。
【０５５６】
条項１５５．集積デジタルマイクロ流体及び検体検出デバイスを形成する方法であって、
第１の基板を含む第１のロールの巻きを解いて、前記第１の基板の第１の部分を第１の位置に位置決めするステップと、
前記第１の位置において、前記第１の基板の前記第１の部分に複数の電極を形成するステップと、
第２の基板を含む第２のロールの巻きを解いて、前記第２の基板の第２の部分を第２の位置に位置決めするステップと、
前記第２の位置において、前記第２の部分にウェルのアレイを形成するステップと、
前記第２の基板を前記第１の基板から離間させて位置決めし、且つ
前記第２の部分を前記第１の部分の上方に位置決めするか又は前記第１の基板の前記第１の部分に隣接する第３の部分の上方に位置決めし、
前記ウェルのアレイが前記第１の基板に面するようにする
のに十分な様式で、前記第２の基板を前記第１の基板に貼り合わせるステップと、
を含むことを特徴とする、方法。
【０５５７】
条項１５６．前記ウェルのアレイを形成するステップは、熱若しくは紫外線ナノインプリントリソグラフィ、ナノインプリントローラ、レーザアブレーションを使用することを含むか、又はウェルのアレイを備えたあらかじめ製作された基板を前記第１の基板の前記第１の部分へ貼り合わせることによるものであることを特徴とする、条項１５２〜条項１５５のいずれかに記載の方法。
【０５５８】
条項１５７．前記第１の基板に強い熱、圧力、又は紫外線をかけて、型を用いて前記第１の基板上又は基板内にフォノン構造を形成するステップをさらに含むことを特徴とする、条項１５２〜条項１５６のいずれかに記載の方法。
【０５５９】
条項１５８．プリンタデバイスを用いて、一連の電極上に疎水性及び／又は誘電性材料を塗工するステップをさらに含むことを特徴とする、条項１５２〜条項１５７のいずれかに記載の方法。
【０５６０】
条項１５９．前記疎水性及び／又は誘電性材料は、硬化材料を含むことを特徴とする、条項１５８に記載の方法。
【０５６１】
条項１６０．熱又は紫外線を印加して、前記塗工された疎水性及び／又は誘電性材料を硬化するステップをさらに含むことを特徴とする、条項１５９に記載の方法。
【０５６２】
条項１６１．前記第１及び第２の基板をダイシングして、前記第１及び第２の部分を含む貼り合わされた基板を生成するステップをさらに含むことを特徴とする、条項１５２〜条項１６０のいずれかに記載の方法。
【０５６３】
条項１６２．液滴中の対象検体を検出する方法であって、
（ａ）対象検体を含む第１の液滴を準備するステップと、
（ｂ）特異的結合メンバー及び標識化検体を含む第２の液滴を準備するステップであって、前記結合メンバーは、少なくとも１つの固体支持体上に固定化されており、前記特異的結合メンバーは、前記対象検体に特異的に結合するものであり、前記標識化検体は、検出可能標識で標識された対象検体である、ステップと、
（ｃ）力を及ぼすエネルギーを用いて、前記第１の液滴を前記第２の液滴と共に操作して混合物を作製するステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
を含むことを特徴とする、方法。
【０５６４】
条項１６３．液滴中の対象検体を検出する方法であって、
（ａ）対象検体を含む第１の液滴を準備するステップと、
（ｂ）固定化検体及び少なくとも１つの特異的結合メンバーを含む第２の液滴を準備するステップであって、前記固定化検体は、少なくとも１つの固体支持体上に固定化された対象検体であり、前記少なくとも１つの特異的結合メンバーは、前記対象検体に特異的に結合するものであり、前記少なくとも１つの特異的結合メンバーは、検出可能標識で標識されている、ステップと、
（ｃ）力を及ぼすエネルギーを用いて、前記第１の液滴を前記第２の液滴と共に操作して混合物を作製するステップと、
（ｄ）前記混合物の全部又は少なくとも一部をウェルのアレイへ移動させるステップであって、前記アレイの１つ又はそれより多くのウェルは、前記少なくとも１つの固体支持体を収容するのに十分なサイズである、ステップと、
（ｅ）前記ウェル内の前記対象検体を検出するステップと、
を含むことを特徴とする、方法。
【０５６５】
条項１６４．液滴中の対象検体を検出する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと、
を含み、
ここで前記第１及び第２の液滴は、
第１の基板及び第２の基板を備え、前記第２の基板は前記第１の基板から間隙によって分離されており、前記第１の基板は液滴上に電気的アクチュエーション力を発生させる複数の電極を備え、
前記液滴の一部を保持する寸法のウェルのアレイを備え、前記ウェルのアレイの少なくとも一部は、前記複数の電極のうちの１つ又はそれより多くと前記間隙との間に位置決めされる、
デジタルマイクロ流体及び検体検出デバイスの中へ供給され、
（ｃ）電気的アクチュエーション力を用いて、前記第１の液滴を前記第２の液滴と共に操作して混合物を作製するステップと、
（ｄ）前記混合物の全部又は少なくとも一部を前記ウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記対象検体を検出するステップと、
を含むことを特徴とする、方法。
【０５６６】
条項１６５．前記少なくとも１つの固体支持体は、前記対象検体に特異的に結合する少なくとも１つの結合メンバーを含むことを特徴とする、条項１６４に記載の方法。
【０５６７】
条項１６６．前記混合物の少なくとも一部を前記ウェルのアレイへ移動させるステップの前に、前記混合物に検出可能標識を添加するステップをさらに含むことを特徴とする、条項１６４〜条項１６５のいずれかに記載の方法。
【０５６８】
条項１６７．前記混合物の少なくとも一部を前記ウェルのアレイへ移動させるステップの後に、前記混合物に検出可能標識を添加するステップをさらに含むことを特徴とする、条項１６４〜条項１６６のいずれかに記載の方法。
【０５６９】
条項１６８．前記検出可能標識は、前記対象検体に特異的に結合する少なくとも１つの結合メンバーを含むことを特徴とする、条項１６４〜条項１６７のいずれかに記載の方法。
【０５７０】
条項１６９．前記検出可能標識は、色原体、蛍光化合物、酵素、化学発光化合物又は放射性化合物を含むことを特徴とする、条項１６４〜条項１６８のいずれかに記載の方法。
【０５７１】
条項１７０．前記結合メンバーは、受容体又は抗体であることを特徴とする、条項１６４〜条項１６８のいずれかに記載の方法。
【０５７２】
条項１７１．前記電気的アクチュエーション力は、小滴アクチュエーション、電気泳動、エレクトロウェッティング、誘電泳動、静電アクチュエーション、電場媒介、電極媒介、毛管力、クロマトグラフィ、遠心分離又は吸引であることを特徴とする、条項１６４〜１７０のいずれかに記載の方法。
【０５７３】
条項１７２．前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、条項１６４〜条項１７１のいずれかに記載の方法。
【０５７４】
条項１７３．電気的アクチュエーション力を用いて前記混合物を前記ウェルのアレイの上で操作するステップをさらに含むことを特徴とする、条項１６４〜条項１７１のいずれかに記載の方法。
【０５７５】
条項１７４．前記ウェルのアレイへの前記混合物の移動を促進するように構成された毛管要素を用いて、前記ウェルのアレイの上で前記混合物を操作するステップをさらに含むことを特徴とする、条項１６４〜条項１７３のいずれかに記載の方法。
【０５７６】
条項１７５．前記固体支持体は、磁性固体支持体であることを特徴とする、条項１６４〜条項１７４のいずれかに記載の方法。
【０５７７】
条項１７６．前記電気的アクチュエーション力及び磁場が、前記混合物の少なくとも一部に対して反対方向から印加されることを特徴とする、条項１７５に記載の方法。
【０５７８】
条項１７７．前記混合物を前後に動かすこと、前記混合物を円形パターンで動かすこと、前記混合物を２つ以上のサブ混合物に分割し且つ前記サブ混合物を併合することによって、前記混合物を混合するステップをさらに含むことを特徴とする、条項１６４〜条項１７６のいずれかに記載の方法。
【０５７９】
条項１７８．前記混合物は、水性液体であることを特徴とする、条項１６４〜条項１７６のいずれかに記載の方法。
【０５８０】
条項１７９．前記混合物は、不混和性液体であることを特徴とする、条項１６４〜条項１７６のいずれかに記載の方法。
【０５８１】
条項１８０．前記液滴は、疎水性液滴であることを特徴とする、条項１６４〜条項１７９のいずれかに記載の方法。
【０５８２】
条項１８１．前記ウェルのアレイは、親水性表面を有することを特徴とする、条項１６４〜条項１８０のいずれかに記載の方法。
【０５８３】
条項１８２．前記ウェルのアレイは、疎水性表面を有することを特徴とする、条項１６４〜条項１８０のいずれかに記載の方法。
【０５８４】
条項１８３．前記基板は、親水性表面を有することを特徴とする、条項１６４〜条項１８２のいずれかに記載の方法。
【０５８５】
条項１８４．前記基板は、疎水性表面を有することを特徴とする、条項１６４〜条項１８２のいずれかに記載の方法。
【０５８６】
条項１８５．複数の電極で電気的アクチュエーション力を発生させて、前記混合物を前記ウェルのアレイへ移動させて前記ウェルを装填するステップをさらに含むことを特徴とする、条項１６４〜条項１８４のいずれかに記載の方法。
【０５８７】
条項１８６．前記アレイの１つ又はそれより多くのウェルに少なくとも１つの固体支持体が装填されることを特徴とする、条項１６４〜条項１８５のいずれかに記載の方法。
【０５８８】
条項１８７．前記装填することは、磁場を印加して、前記アレイの前記１つ又はそれより多くのウェル内への少なくとも１つの固体支持体の移動を促進することを含むことを特徴とする、条項１８６に記載の方法。
【０５８９】
条項１８８．前記装填後に、前記アレイのウェル内に装填されなかった固体支持体があればこれを除去することをさらに含むことを特徴とする、条項１８７に記載の方法。
【０５９０】
条項１８９．前記除去することは、複数の電極で電気的アクチュエーション力を発生させて、分極可能な流体小滴を前記ウェルのアレイへ移動させ、前記混合物の少なくとも一部を前記ウェルのアレイから所定距離まで移動させることを含むことを特徴とする、条項１８８に記載の方法。
【０５９１】
条項１９０．前記除去することは、前記電極で電気的アクチュエーション力を発生させて、水性洗浄用小滴を前記ウェルのアレイにわたって移動させることを含むことを特徴とする、条項１８９に記載の方法。
【０５９２】
条項１９１．前記電気的アクチュエーション力を発生させることは、交流電流を発生させることを含むことを特徴とする、条項１９０に記載の方法。
【０５９３】
条項１９２．前記交流電流は、１０Ｖ以上の二乗平均平方根（ｒｍｓ）電圧を有することを特徴とする、条項１９１に記載の方法。
【０５９４】
条項１９３．前記交流電流は、無線周波数範囲内の周波数を有することを特徴とする、条項１９１〜条項１９２のいずれかに記載の方法。
【０５９５】
条項１９４．液滴中の対象検体を検出する方法であって、
（ａ）対象検体を含有する第１の液滴を準備するステップと、
（ｂ）前記対象検体に結合する特異的結合メンバーを含有する少なくとも１つの固体支持体を含有する第２の液滴を準備するステップと
を含み、
ここで前記第１及び第２の液滴は、
第１の基板及び第２の基板を備え、前記第２の基板は前記第１の基板から間隙によって分離されており、前記デバイスは、第１の部分及び第２の部分を備え、
前記第１の部分は、表面弾性波発生構成要素に連結された上層を備え、
前記第２の部分は、前記第１の基板又は前記第２の基板上に位置決めされた複数のウェルを備える、
表面弾性波マイクロ流体及び検体検出デバイス内へ供給され、
（ｃ）表面音響力を用いて、前記第１の液滴を前記第２の液滴と共に操作して混合物を作製するステップと、
（ｄ）前記混合物の全部又は少なくとも一部を前記ウェルのアレイへ移動させるステップであって、前記アレイの１つ又はそれより多くのウェルは、前記少なくとも１つの固体支持体を収容するのに十分なサイズである、ステップと、
（ｅ）前記混合物の一部をウェルのアレイへ移動させるステップの前又は後のいずれかに、前記混合物に検出可能標識を添加するステップと、
（ｆ）前記ウェル内の前記対象検体を検出するステップと、
を含むことを特徴とする、方法。
【０５９６】
条項１９５．前記少なくとも１つの固体支持体は、前記対象検体に特異的に結合する少なくとも１つの結合メンバーを含むことを特徴とする、条項１９４に記載の方法。
【０５９７】
条項１９６．前記混合物の少なくとも一部を前記ウェルのアレイへ移動させるステップの前に、前記混合物に検出可能標識を添加するステップをさらに含むことを特徴とする、条項１９４〜条項１９５のいずれかに記載の方法。
【０５９８】
条項１９７．前記混合物の少なくとも一部を前記ウェルのアレイへ移動させるステップの後に、前記混合物に検出可能標識を添加するステップをさらに含むことを特徴とする、条項１９４〜条項１９６のいずれかに記載の方法。
【０５９９】
条項１９８．前記検出可能標識は、前記対象検体に特異的に結合する少なくとも１つの結合メンバーを含むことを特徴とする、条項１９４〜条項１９７のいずれかに記載の方法。
【０６００】
条項１９９．前記検出可能標識は、色原体、蛍光化合物、酵素、化学発光化合物又は放射性化合物を含むことを特徴とする、条項１９４〜条項１９８のいずれかに記載の方法。
【０６０１】
条項２００．前記結合メンバーは、受容体又は抗体であることを特徴とする、条項１９４〜条項１９９のいずれかに記載の方法。
【０６０２】
条項２０１．前記第１の液滴が分極可能な液体であるか、前記第２の液滴が分極可能な液体であるか、前記混合物が分極可能な液体であるか、又は前記第１の液滴及び前記第２の液滴の両方が各々分極可能な液体であることを特徴とする、条項１９４〜条項２００のいずれかに記載の方法。
【０６０３】
条項２０２．前記ウェルのアレイへの前記混合物の移動を促進するように構成された毛管要素を用いて、前記ウェルのアレイの上で前記混合物を操作するステップをさらに含むことを特徴とする、条項１９４〜条項２０１のいずれかに記載の方法。
【０６０４】
条項２０３．前記固体支持体は、磁性固体支持体であることを特徴とする、条項１９４〜条項２０２のいずれかに記載の方法。
【０６０５】
条項２０４．前記ウェルのアレイを疎水性液体でシールするステップをさらに含むことを特徴とする、条項７０に記載の方法。
【０６０６】
条項２０５．前記ウェルのアレイを疎水性液体でシールするステップをさらに含むことを特徴とする、条項９６に記載の方法。
【０６０７】
条項２０６．前記ウェルのアレイを疎水性液体でシールするステップをさらに含むことを特徴とする、条項１８５に記載の方法。
【符号の説明】
【０６０８】
１０、２０、３０、４０、５０、１００、１０１、６００：集積デジタルマイクロ流体及び検体検出デバイス
１１、２１、３１、４１、５１、１１０：第１の基板
１２、２２、３２、４２、５２、１２０：第２の基板
１３、２３、３３、４３、５３、１７０、６０３：間隙
１５、２５、３５、４５、５５、１１５、６０５：第１の部分
１６、２６、３６、４６、５６、１３０、６０６：第２の部分
１７、２７、３７、４７、５７、１４５、６０７：電極
１８、２８、３８、４８、５８、１５０、６０８：誘電性層
１９、２９、３９、４９、５９、１６０、６１９：ウェルのアレイ
３４、４４、５４、１５５、６０９：疎水性層
６０、１９１、１９２：毛管要素
６２、１８０、１８５、６１１：液滴、水滴
１９０：ビーズ又は粒子
１９５：疎水性液体、不混和性流体
６０１：下部基板
６０２：上部基板
６１０：親水性層
５００、６００、６５０：システム又は組立体
５０２、５０４、５０６、６０２、６０４、６０６：ローラ
５０８：ベース基板
５１０、６１０：非導電性の第１の層
５１２、６１２：導電性の第２の層
５１３：接着層
５１４：レーザアブレーション・ステーション
５１６：マスク
５１８：マスターパターン
５２０：レンズ
５２２：部分
５２４：レーザビーム
５２６：電極アレイ
５２８、６１４：プリンタ
５３０：疎水性及び／又は誘電性材料
５３２：被処理層
５３４、６２０：硬化ステーション
５４０：ウェルのアレイ
６０８：上部基板
６６４：ボンディング・ステーション
６６６：ダイシング・ステーション
【図１Ａ】
2018518655.tif 000003
【図１Ｂ】
2018518655.tif 000004
【図２Ａ】
2018518655.tif 000005
【図２Ｂ】
2018518655.tif 000006
【図３Ａ】
2018518655.tif 000007
【図３Ｂ】
2018518655.tif 000008
【図４Ａ】
2018518655.tif 000009
【図４Ｂ】
2018518655.tif 000010
【図５】
2018518655.tif 000011
【図６】
2018518655.tif 000012
【図７Ａ】
2018518655.tif 000013
【図７Ｂ】
2018518655.tif 000014
【図８】
2018518655.tif 000015
【図９】
2018518655.tif 000016
【図１０】
2018518655.tif 000017
【図１１Ａ】
2018518655.tif 000018
【図１１Ｂ】
2018518655.tif 000019
【図１２Ａ】
2018518655.tif 000020
【図１２Ｂ】
2018518655.tif 000021
【図１２Ｃ】
2018518655.tif 000022
【図１２Ｄ】
2018518655.tif 000023
【図１３Ａ】
2018518655.tif 000024
【図１３Ｂ】
2018518655.tif 000025
【図１４Ａ】
2018518655.tif 000026
【図１４Ｂ】
2018518655.tif 000027
【図１５】
2018518655.tif 000028
【図１６】
2018518655.tif 000029
【図１７】
2018518655.tif 000030
【図１８】
2018518655.tif 000031
【図１９】
2018518655.tif 000032
【図２０】
2018518655.tif 000033
【図２１Ａ】
2018518655.tif 000034
【図２１Ｂ】
2018518655.tif 000035
【図２１Ｃ】
2018518655.tif 000036
【図２１Ｄ】
2018518655.tif 000037
【図２１Ｅ】
2018518655.tif 000038
【図２２Ａ】
2018518655.tif 000039
【図２２Ｂ】
2018518655.tif 000040
【図２３】
2018518655.tif 000041
【図２４Ａ】
2018518655.tif 000042
【図２４Ｂ】
2018518655.tif 000043
【図２５】
2018518655.tif 000044
【図２６】
2018518655.tif 000045
【図２７Ａ】
2018518655.tif 000046
【図２７Ｂ】
2018518655.tif 000047
【図２７Ｃ】
2018518655.tif 000048
【図２７Ｄ】
2018518655.tif 000049
【図２７Ｅ】
2018518655.tif 000050
【図２７Ｆ】
2018518655.tif 000051
【図２７Ｇ】
2018518655.tif 000052
【図２８】
2018518655.tif 000053
【図２９】
2018518655.tif 000054
【図３０Ａ】
2018518655.tif 000055
【図３０Ｂ】
2018518655.tif 000056
【図３０Ｃ】
2018518655.tif 000057
【図３０Ｄ】
2018518655.tif 000058
【国際調査報告】
2018518655.tif 000059
2018518655.tif 000060
2018518655.tif 000061
2018518655.tif 000062
2018518655.tif 000063